(57)【特許請求の範囲】
【請求項１】
各店舗において店舗会員として会員登録した会員に対して発行された記録媒体から特定され、当該会員を個々に識別可能な会員識別情報に対応付けて、当該記録媒体の所有者のポイントを管理する会員情報管理手段を有するポイント管理装置を備えるポイント管理システムであって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置され、前記記録媒体の受付を要求する旨を前記会員に対して表示する受付表示手段と、該要求に応じて受け付けた記録媒体に記録されている前記第１会員特定情報を読み取る記録媒体受付手段と、該記録媒体受付手段により読み取った第１会員特定情報を含む第１登録要求を前記ポイント管理装置に対して送信する第１登録要求送信手段と、を有する店舗端末をさらに備え、
前記ポイント管理装置は、
前記第１登録要求送信手段から第１登録要求を受信したことに基づいて、該受信した第１登録要求に含まれる第１会員特定情報から前記会員識別情報を特定し、該特定した会員識別情報を前記会員情報管理手段に登録すると共に、会員が所持する情報端末において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段を有することを特徴とするポイント管理システム。
【請求項２】
請求項１に記載したポイント管理システムであって、
前記店舗端末は、前記会員から前記記録媒体を受け付けて前記記録媒体受付手段により読み取った第１会員特定情報に対応付けて前記会員情報管理手段により管理されているポイントを、当該会員に対して表示するためのポイント表示手段をさらに有することを特徴とするポイント管理システム。
【請求項３】
請求項１又は２に記載したポイント管理システムであって、
前記ポイント管理装置は、
前記第２登録要求に伴って、前記登録操作を行う会員の電子メールアドレスを前記情報端末から取得する電子メールアドレス取得手段を有し、
該電子メールアドレス取得手段により取得した電子メールアドレスを、前記会員識別情報に対応付けて、前記会員情報管理手段により管理し、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員情報管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理システム。
【請求項４】
請求項３に記載したポイント管理システムであって、
前記ポイント管理装置は、前記確認要求に含まれる第１会員特定情報から特定される会員識別情報に対応付けて前記会員情報管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理システム。
【請求項５】
請求項１〜４のいずれか１つに記載したポイント管理システムであって、
前記ポイント管理装置は、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理システム。
【請求項６】
請求項１〜４のいずれか１つに記載したポイント管理システムであって、
前記ポイント管理装置は、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段と、をさらに有し、
前記登録手段は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理システム。
【請求項７】
請求項１〜４のいずれか１つに記載したポイント管理システムであって、
前記ポイント管理装置は、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理システム。
【請求項８】
請求項１〜７のいずれか１つに記載したポイント管理システムであって、
前記ポイント管理装置は、
複数の店舗をグループ店として設定するグループ設定手段と、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項９】
請求項１〜７のいずれか１つに記載したポイント管理システムであって、
前記ポイント管理装置は、
複数の店舗をグループ店として設定するグループ設定手段と、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記新たに登録する会員識別情報を前記既に登録されている会員識別情報に対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項１０】
請求項１〜７のいずれか１つに記載したポイント管理システムであって、
前記ポイント管理装置は、
複数の店舗をグループ店として設定するグループ設定手段と、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項１１】
請求項５〜１０のいずれか１つに記載したポイント管理システムであって、
前記店舗端末は、
前記記録媒体受付手段により、統合対象とする複数の記録媒体を受け付けて、該受け付けた各記録媒体に記録されている第１会員特定情報を読み取り、
該記録媒体受付手段により読み取った複数の第１会員特定情報を含む前記会員統合要求を前記ポイント管理装置に対して送信することを特徴とするポイント管理システム。
【請求項１２】
各店舗において店舗会員として会員登録した会員に対して発行された記録媒体から特定され、当該会員を個々に識別可能な会員識別情報に対応付けて、当該記録媒体の所有者のポイントを管理する会員情報管理手段を有するポイント管理装置であって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置され前記記録媒体の受付を要求する旨を前記会員に対して表示する店舗端末において会員が記録媒体の受付を行うことにより該店舗端末から送信されてくる、該受け付けた記録媒体から読み取った前記第１会員特定情報を含む第１登録要求から前記会員識別情報を特定し、該特定した会員識別情報を前記会員情報管理手段に登録すると共に、会員が所持する情報端末において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段を有することを特徴とするポイント管理装置。
【請求項１３】
請求項１２に記載したポイント管理装置であって、
前記第２登録要求に伴って、前記登録操作を行う会員の電子メールアドレスを前記情報端末から取得する電子メールアドレス取得手段を有し、
該電子メールアドレス取得手段により取得した電子メールアドレスを、前記会員識別情報に対応付けて、前記会員情報管理手段により管理し、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員情報管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理装置。
【請求項１４】
請求項１３に記載したポイント管理装置であって、
前記確認要求に含まれる第１会員特定情報から特定される会員識別情報に対応付けて前記会員情報管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理装置。
【請求項１５】
請求項１２〜１４のいずれか１つに記載したポイント管理装置であって、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理装置。
【請求項１６】
請求項１２〜１４のいずれか１つに記載したポイント管理装置であって、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段と、をさらに有し、
前記登録手段は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理装置。
【請求項１７】
請求項１２〜１４のいずれか１つに記載したポイント管理装置であって、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理装置。
【請求項１８】
請求項１２〜１７のいずれか１つに記載したポイント管理装置であって、
複数の店舗をグループ店として設定するグループ設定手段と、
前記店舗端末から、当該ポイント管理装置に新たに登録する複数の会員識別情報のそれぞれを特定可能な第１会員特定情報及び／又は第２会員特定情報を複数を含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【請求項１９】
請求項１２〜１７のいずれか１つに記載したポイント管理装置であって、
複数の店舗をグループ店として設定するグループ設定手段と、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記新たに登録する会員識別情報を前記既に登録されている会員識別情報に対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【請求項２０】
請求項１２〜１７のいずれか１つに記載したポイント管理装置であって、
複数の店舗をグループ店として設定するグループ設定手段と、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【発明の詳細な説明】
【技術分野】
【０００１】
本発明は、各店舗において店舗会員として会員登録した会員を個々に識別可能な会員識別情報を登録すると共に、該登録した会員識別情報に対応付けてポイントを管理するポイント管理装置，及び該ポイント管理装置を備えるポイント管理システムに関する。
【背景技術】
【０００２】
本願出願人が先に出願した「特願２００４−２９２１３８」の図１９，及び段落０１９５〜０１９７には、各店舗において店舗会員として会員登録した会員が、自己の情報端末（ＰＣ又は携帯電話）において、該会員を個々に識別可能な会員識別情報である会員ＩＤ等を入力して登録操作を行うと、該入力された会員ＩＤ等を含む登録要求が統合管理装置に対して送信され、統合管理装置において、該送信されてきた登録要求に含まれる会員ＩＤがメール会員として登録される旨が記載されている。
【発明の開示】
【発明が解決しようとする課題】
【０００３】
しかしながら、上記出願に示す統合管理装置では、情報端末を所有していない店舗会員や情報端末の操作が不得意な店舗会員は、前記登録要求を送信することができないため、ポイント会員の一例である前記メール会員として登録することができず、すべての店舗会員に公平にポイント会員としての利益を享受する機会を与えることができなかった。
【０００４】
本発明は、このような背景のもとになされたものであり、その目的は、情報端末を所有していない店舗会員や情報端末の操作が不得意な店舗会員であってもポイント会員として登録することが可能なポイント管理装置，及び該ポイント管理装置を備えるポイント管理システムを提供することにある。
【課題を解決するための手段】
【０００５】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００６】
まず請求項１に係る発明は、各店舗（遊技場）において店舗会員として会員登録した会員に対して発行された記録媒体（会員カード）から特定され、当該会員を個々に識別可能な会員識別情報（会員カードＩＤ）に対応付けて、当該記録媒体の所有者のポイントを管理する会員情報管理手段（ハードディスク５３）を有するポイント管理装置（５０）を備えるポイント管理システム（１）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ）が目視可能に記録され、各店舗に設置され、前記記録媒体の受付を要求する旨を前記会員に対して表示する受付表示手段（ディスプレイ３４）と、該要求に応じて受け付けた記録媒体に記録されている前記第１会員特定情報を読み取る記録媒体受付手段（カードＲ／Ｗ２５，カードリーダ３３）と、該記録媒体受付手段により読み取った第１会員特定情報を含む第１登録要求を前記ポイント管理装置に対して送信する第１登録要求送信手段（ユニット制御部２２，制御部３２）と、を有する店舗端末（カードユニット２０，キオスク端末３０）をさらに備え、前記ポイント管理装置は、前記第１登録要求送信手段から第１登録要求を受信したことに基づいて、該受信した第１登録要求に含まれる第１会員特定情報から前記会員識別情報を特定し、該特定した会員識別情報を前記会員情報管理手段に登録すると共に、会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段（制御部５２）を有することを特徴とするポイント管理システムである。
また請求項２に係る発明は、請求項１に記載したポイント管理システム（１）であって、前記店舗端末（カードユニット２０，キオスク端末３０）は、前記会員から前記記録媒体（会員カード）を受け付けて前記記録媒体受付手段（カードＲ／Ｗ２５，カードリーダ３３）により読み取った第１会員特定情報（会員カードＩＤ，会員ＩＤ）に対応付けて前記会員情報管理手段（ハードディスク５３）により管理されているポイントを、当該会員に対して表示するためのポイント表示手段（ディスプレイ２７，３４）をさらに有することを特徴とするポイント管理システムである。
【０００７】
また請求項３に係る発明は、請求項１又は２に記載したポイント管理システム（１）であって、前記ポイント管理装置（５０）は、前記第２登録要求に伴って、前記登録操作を行う会員の電子メールアドレスを前記情報端末（ＰＣ６，携帯電話７）から取得する電子メールアドレス取得手段（制御部５２）を有し、該電子メールアドレス取得手段により取得した電子メールアドレスを、前記会員識別情報（会員カードＩＤ）に対応付けて、前記会員情報管理手段（ハードディスク５３）により管理し、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員情報管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報（会員カードＩＤ，会員ＩＤ）を含む確認要求（ログイン要求，並びにアンケート要求，イベント情報要求，又は当選情報要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理システムである。
【０００８】
また請求項４に係る発明は、請求項３に記載したポイント管理システム（１）であって、前記ポイント管理装置（５０）は、前記確認要求（ログイン要求，並びにグループ店追加情報要求，アンケート要求，又は当選情報要求）に含まれる第１会員特定情報（会員カードＩＤ，会員ＩＤ）から特定される会員識別情報（会員カードＩＤ）に対応付けて前記会員情報管理手段（ハードディスク５３）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末（カードユニット２０，キオスク端末３０）に対して返信しないことを特徴とするポイント管理システムである。
【０００９】
また請求項５に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求（第１の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求（第１の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理システムである。
【００１０】
また請求項６に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求（第２の会員統合要求）を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求（第２の会員統合要求）を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段（制御部５２）と、をさらに有し、前記登録手段（制御部５２）は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理システムである。
【００１１】
また請求項７に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理システムである。
【００１２】
また請求項８に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【００１３】
また請求項９に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記新たに登録する会員識別情報を前記既に登録されている会員識別情報に対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【００１４】
また請求項１０に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数を含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【００１５】
また請求項１１に係る発明は、請求項５〜１０のいずれか１つに記載したポイント管理システム（１）であって、前記店舗端末（キオスク端末３０）は、前記記録媒体受付手段（カードリーダ３３）により、統合対象とする複数の記録媒体（会員カード）を受け付けて、該受け付けた各記録媒体に記録されている第１会員特定情報（会員カードＩＤ，会員ＩＤ）を読み取り、該記録媒体受付手段により読み取った複数の第１会員特定情報を含む前記会員統合要求を前記ポイント管理装置（５０）に対して送信することを特徴とするポイント管理システムである。
【００１６】
また請求項１２に係る発明は、各店舗（遊技場）において店舗会員として会員登録した会員に対して発行された記録媒体（会員カード）から特定され、当該会員を個々に識別可能な会員識別情報（会員カードＩＤ）に対応付けて、当該記録媒体の所有者のポイントを管理する会員情報管理手段（ハードディスク５３）を有するポイント管理装置（５０）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ）が目視可能に記録され、各店舗に設置され前記記録媒体の受付を要求する旨を前記会員に対して表示する店舗端末（カードユニット２０，キオスク端末３０）において会員が記録媒体の受付を行うことにより該店舗端末から送信されてくる、該受け付けた記録媒体から読み取った前記第１会員特定情報を含む第１登録要求から前記会員識別情報を特定し、該特定した会員識別情報を前記会員情報管理手段に登録すると共に、会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段（制御部５２）を有することを特徴とするポイント管理装置である。
【００１７】
また請求項１３に係る発明は、請求項１２に記載したポイント管理装置（５０）であって、前記第２登録要求に伴って、前記登録操作を行う会員の電子メールアドレスを前記情報端末（ＰＣ６，携帯電話７）から取得する電子メールアドレス取得手段（制御部５２）を有し、該電子メールアドレス取得手段により取得した電子メールアドレスを、前記会員識別情報（会員カードＩＤ）に対応付けて、前記会員情報管理手段（ハードディスク５３）により管理し、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員情報管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報（会員カードＩＤ，会員ＩＤ）を含む確認要求（ログイン要求，並びにアンケート要求，イベント情報要求，又は当選情報要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理装置である。
【００１８】
また請求項１４に係る発明は、請求項１３に記載したポイント管理装置（５０）であって、前記確認要求（ログイン要求，並びにグループ店追加情報要求，アンケート要求，又は当選情報要求）に含まれる第１会員特定情報（会員カードＩＤ，会員ＩＤ）から特定される会員識別情報（会員カードＩＤ）に対応付けて前記会員情報管理手段（ハードディスク５３）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末（カードユニット２０，キオスク端末３０）に対して返信しないことを特徴とするポイント管理装置である。
【００１９】
また請求項１５に係る発明は、請求項１２〜１４のいずれか１つに記載したポイント管理装置（５０）であって、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求（第１の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求（第１の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理装置である。
【００２０】
また請求項１６に係る発明は、請求項１２〜１４のいずれか１つに記載したポイント管理装置（５０）であって、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求（第２の会員統合要求）を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求（第２の会員統合要求）を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段（制御部５２）と、をさらに有し、前記登録手段（制御部５２）は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理装置である。
【００２１】
また請求項１７に係る発明は、請求項１２〜１４のいずれか１つに記載したポイント管理装置（５０）であって、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理装置である。
【００２２】
また請求項１８に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【００２３】
また請求項１９に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記新たに登録する会員識別情報を前記既に登録されている会員識別情報に対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【００２４】
さらに請求項２０に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【発明の効果】
【００２５】
まず請求項１に係るポイント管理システムによれば、ポイント管理装置において、会員の所持する情報端末から第２登録要求が送信されてくると会員識別情報の登録が行われると共に、店舗に設置され記録媒体の受付を要求する旨を会員に対して表示する店舗端末から第１登録要求が送信されてきても会員識別情報の登録が行われるので、情報端末を所有していない店舗会員や情報端末の操作が不得意な店舗会員であってもポイント会員として会員識別情報の登録方法が分かりやすく、該登録が可能なことにより、すべての店舗会員に公平にポイント会員としての利益を享受する機会を与えることができる。
また請求項２に係るポイント管理システムによれば、会員から記録媒体を受け付けて当該会員に対してポイントを表示する店舗端末から、該会員から記録媒体を受け付けたことにより第１登録要求が送信されてくると、ポイント管理装置において、会員識別情報の登録が行われるので、店舗の店員の手を煩わすことなく、ポイント会員としての会員識別情報の登録が可能となる。
【００２６】
また請求項３に係るポイント管理システムによれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【００２７】
また請求項４に係るポイント管理システムによれば、電子メールアドレスが登録されているポイント会員に対しては、通知情報が店舗端末に返信されないので、通知情報を既に電子メールで受け取っているポイント会員に対する該通知情報の無駄な重複送信が防止される。
【００２８】
また請求項５に係るポイント管理システムによれば、ポイント管理装置において、会員統合要求に含まれる複数の会員特定情報から特定される新たに登録する複数の会員識別情報に対応する各店舗が一致する場合には、当該複数の会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００２９】
また請求項６に係るポイント管理システムによれば、ポイント管理装置において、会員統合要求に含まれる会員特定情報から特定される新たに登録する会員識別情報に対応する店舗と、会員特定情報から特定される既に登録されている会員識別情報に対応する店舗とが一致する場合には、当該新たに登録する会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００３０】
また請求項７に係るポイント管理システムによれば、ポイント管理装置において、会員統合要求に含まれる複数の会員特定情報から特定される既に登録されている複数の会員識別情報に対応する各店舗が一致する場合には、当該複数の会員識別情報の対応付けが行われず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００３１】
また請求項８に係るポイント管理システムによれば、ポイント管理装置において、会員統合要求に含まれる複数の会員特定情報から特定される各会員識別情報に対応する各店舗がグループ店である場合に限って、当該会員統合要求に含まれる複数の会員特定情報から特定される新たに登録する複数の会員識別情報が対応付けて登録され、当該複数の会員識別情報に対応するポイントを合算して使用できるため、グループ店間での来店を促進できる。
【００３２】
また請求項９に係るポイント管理システムによれば、ポイント管理装置において、会員統合要求に含まれる複数の会員特定情報から特定される各会員識別情報に対応する各店舗がグループ店である場合に限って、当該会員統合要求に含まれる会員特定情報から特定される新たに登録される会員識別情報が、会員特定情報から特定される既に登録されている会員識別情報に対応付けて登録され、それら各会員識別情報に対応するポイントを合算して使用できるため、グループ店間での来店を促進できる。
【００３３】
また請求項１０に係るポイント管理システムによれば、ポイント管理装置において、会員統合要求に含まれる複数の会員特定情報から特定される各会員識別情報に対応する各店舗がグループ店である場合に限って、当該会員統合要求に含まれる複数の会員特定情報から特定される既に登録されている複数の会員識別情報が対応付けて登録され、当該複数の会員識別情報に対応するポイントを合算して使用できるため、グループ店間での来店を促進できる。
【００３４】
また請求項１１に係るポイント管理システムによれば、店舗端末において、複数の記録媒体が受け付けられ、該記録媒体から読み取った第１会員特定情報を含む会員統合要求がポイント管理装置に対して送信されるので、統合対象とする会員識別情報を手入力する手間が省ける。
【００３５】
また請求項１２に係るポイント管理装置によれば、会員の所持する情報端末から第２登録要求が送信されてくると会員識別情報の登録が行われると共に、店舗に設置され記録媒体の受付を要求する旨を会員に対して表示する店舗端末から第１登録要求が送信されてきても会員識別情報の登録が行われるので、情報端末を所有していない店舗会員や情報端末の操作が不得意な店舗会員であってもポイント会員として会員識別情報の登録方法が分かりやすく、該登録が可能なことにより、すべての店舗会員に公平にポイント会員としての利益を享受する機会を与えることができる。
【００３６】
また請求項１３に係るポイント管理装置によれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【００３７】
また請求項１４に係るポイント管理装置によれば、電子メールアドレスが登録されているポイント会員に対しては、通知情報が店舗端末に返信されないので、通知情報を既に電子メールで受け取っているポイント会員に対する該通知情報の無駄な重複送信が防止される。
【００３８】
また請求項１５に係るポイント管理装置によれば、会員統合要求に含まれる複数の会員特定情報から特定される新たに登録する複数の会員識別情報に対応する各店舗が一致する場合には、当該複数の会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００３９】
また請求項１６に係るポイント管理装置によれば、会員統合要求に含まれる会員特定情報から特定される新たに登録する会員識別情報に対応する店舗と、会員特定情報から特定される既に登録されている会員識別情報に対応する店舗とが一致する場合には、当該新たに登録する会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００４０】
また請求項１７に係るポイント管理装置によれば、会員統合要求に含まれる複数の会員特定情報から特定される既に登録されている複数の会員識別情報に対応する各店舗が一致する場合には、当該複数の会員識別情報の対応付けが行われず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【００４１】
また請求項１８に係るポイント管理装置によれば、会員統合要求に含まれる複数の会員特定情報から特定される各会員識別情報に対応する各店舗がグループ店である場合に限って、当該会員統合要求に含まれる複数の会員特定情報から特定される新たに登録する複数の会員識別情報が対応付けて登録され、当該複数の会員識別情報に対応するポイントを合算して使用できるため、グループ店間での来店を促進できる。
【００４２】
また請求項１９に係るポイント管理装置によれば、会員統合要求に含まれる複数の会員特定情報から特定される各会員識別情報に対応する各店舗がグループ店である場合に限って、当該会員統合要求に含まれる会員特定情報から特定される新たに登録される会員識別情報が、会員特定情報から特定される既に登録されている会員識別情報に対応付けて登録され、それら各会員識別情報に対応するポイントを合算して使用できるため、グループ店間での来店を促進できる。
【００４３】
さらに請求項２０に係るポイント管理装置によれば、会員統合要求に含まれる複数の会員特定情報から特定される各会員識別情報に対応する各店舗がグループ店である場合に限って、当該会員統合要求に含まれる複数の会員特定情報から特定される既に登録されている複数の会員識別情報が対応付けて登録され、当該複数の会員識別情報に対応するポイントを合算して使用できるため、グループ店間での来店を促進できる。
【発明を実施するための最良の形態】
【００４４】
以下、本発明の実施の形態を、図面を参照して説明する。本発明に係るポイント管理装置５０は、図９（ａ）に示すように、各店舗（遊技場）において店舗会員として会員登録した会員を個々に識別可能な会員識別情報（会員カードＩＤ）をポイント会員として登録すると共に、該登録した会員識別情報に対応付けてポイントを管理するものである。
【００４５】
ここでポイント管理装置５０及び該ポイント管理装置５０を含むポイント管理システム１には、図１及び図４１に示すように、会員が操作する登録端末（情報端末であるＰＣ６又は携帯電話７，並びに店舗端末であるカードユニット２０又はキオスク端末３０）から会員統合要求を受信した際に、該会員統合要求に含まれる複数の会員特定情報から各会員識別情報を特定し、当該複数の会員識別情報から特定される各店舗が、同一のグループに属するグループ店であり、かつ同一の店舗でないことを条件として、当該複数の会員識別情報を対応付けて登録することにより、各会員識別情報に対応するポイントを合算して使用可能とする第１実施形態が含まれる。
【００４６】
またポイント管理装置５０及び該ポイント管理装置５０を含むポイント管理システム１には、図１及び図４５に示すように、前記登録端末から会員特定情報と当該会員の属性情報とを含む登録要求を受信した際に、該登録要求に含まれる会員特定情報から会員識別情報を特定し、当該会員識別情報から特定される店舗と、該登録要求に含まれる属性情報に対応付けて既に登録されている会員識別情報に対応する店舗とが、同一のグループに属するグループ店であり、かつ同一の店舗でないことを条件として、前記登録要求に含まれる会員特定情報から特定される会員識別情報を前記既に登録されている会員識別情報に対応付けて登録することにより、各会員識別情報に対応するポイントを合算して使用可能とする第２実施形態が含まれる。
【００４７】
以下においては、まず第１実施形態に係るポイント管理装置５０を含むポイント管理システム１について説明し、次に第２実施形態に係るポイント管理装置５０を含むポイント管理システム１について第１実施形態と異なる点についてのみ説明し、最後に変形例について説明する。
【００４８】
なお、以下においては、図１に示すように、店舗が遊技場である例について説明する。ここで遊技場には、複数の第１遊技場（遊技場Ａ，遊技場Ｂ，…），及び複数の第２遊技場（遊技場Ｘ，遊技場Ｙ，…）が含まれ、これら各遊技場は、各遊技場（店舗）を個々に識別可能な店舗識別情報である店舗ＩＤにより識別される。ここでの店舗ＩＤは、各遊技場に割り当てられたアルファベットであり、例えば遊技場Ａ（「Ａ店」とも称する。）であれば「Ａ」，遊技場Ｘ（「Ｘ店」とも称する。）であれば「Ｘ」である。なお第１遊技場及び第２遊技場の数は特に限定されない。
【００４９】
また、以下においては、リーダ／ライタを「Ｒ／Ｗ」，データベースを「ＤＢ」，ステップを「Ｓ」と略記する。さらに、以下においては、後述する図９（ａ）に示すポイント会員情報ＤＢにおいて、会員カードＩＤ，暗証番号，及び属性情報（少なくとも性別及び生年月日）がポイント会員として登録されていることを「既登録（又は登録済）」と称し、それらが登録されていないことを「未登録」と称する。
【００５０】
［１．第１実施形態に係るポイント管理装置５０を含むポイント管理システム１］
まず、図１〜図１８を参照して、第１実施形態に係るポイント管理装置５０を含むポイント管理システム１の構成について説明する。このポイント管理システム１は、図１に示すように、第１遊技場（Ａ，Ｂ，…）においてパチンコ機１０に対応して設けられるカードユニット２０と、第１遊技場に設置されるキオスク端末３０と、第１遊技場に設置され、カードユニット２０と通信可能なシステム管理装置４０と、カードユニット２０及びシステム管理装置４０と通信可能な第１会員管理装置１００と、第２遊技場（Ｘ，Ｙ，…）においてパチンコ機１０に対応して設けられるカードユニット２０と、第２遊技場に設置されるキオスク端末３０と、第２遊技場に設置され、カードユニット２０と通信可能なシステム管理装置４０と、遊技場外のカード会社に設置され、各第１遊技場のシステム管理装置４０及び各第２遊技場のシステム管理装置４０と転送装置７０を介して通信可能なポイント管理装置５０と、からなる。
【００５１】
このポイント管理装置５０は、会員が所持している情報端末であるＰＣ（パーソナルコンピュータ）６及び携帯電話７，並びに遊技場に設置される店舗端末であるカードユニット２０及びキオスク端末３０（以下「登録端末」と総称する。）と、インターネットを介して通信可能である。これら登録端末は、会員が操作可能なものである。またポイント管理装置５０は、会員カードエンコード機構に設置されるエンコード情報管理装置６０とも通信可能である。なお第２遊技場内には、カードユニット２０と通信可能な第２会員管理装置２００が設置されている。
【００５２】
ポイント管理システム１を運営するカード会社は、遊技に使用可能な遊技用有価価値の大きさを特定可能な有価価値特定情報（第１会員カードＩＤ，カード残額，第２会員カードＩＤ，カード残額）が記録された記録媒体（第１会員カード４，第２会員カード５）を管理する機関である。該ポイント管理システム１の運営機関であるカード会社は、当該カード会社が運営する会員管理システム（第１システム）の会員として第１遊技場（Ａ，Ｂ，…）において会員登録した第１会員遊技者に対して発行され、該カード会社において当該第１会員遊技者を個々に特定するための第１会員遊技者特定情報（第１会員ＩＤ）と、前記有価価値特定情報（第１会員カードＩＤ，カード残額）とが記録された第１記録媒体（第１会員カード４）、及び、該ポイント管理システム１とは異なる運営機関（他社）により運営される他の会員管理システム（第２システム）の会員として第２遊技場において会員登録した第２会員遊技者に対して発行され、該他の会員管理システムの運営機関において当該第２会員遊技者を個々に特定するための他システム会員遊技者特定情報（他システム会員ＩＤ）と、前記ポイント管理システム１の運営機関において当該第２記録媒体（第２会員カード５）を個々に識別するための情報であると共に、前記有価価値特定情報である第２記録媒体識別情報（第２会員カードＩＤ，カード残額）とが記録された第２記録媒体を管理するポイント管理システム１を運営する機関である。
【００５３】
ここで、第１遊技場に設置されるカードユニット２０，キオスク端末３０，システム管理装置４０，及び第１会員管理装置１００と、第２遊技場に設置されるカードユニット２０，キオスク端末３０，及びシステム管理装置４０と、管理センタに設置される転送装置７０と、カード会社に設置されるポイント管理装置５０と、会員カードエンコード機構に設置されるエンコード情報管理装置６０は、ポイント管理システム１及び会員管理システム（第１システム）を運営する運営機関であるカード会社が設置・管理するものである。一方、第２遊技場に設置される第２会員管理装置２００は、ポイント管理システム１とは異なる会員管理システム（第２システム）を運営する運営機関である他社（図示外）が設置・管理するものである。
【００５４】
このポイント管理システム１では、図１〜図７に示すように、紙幣２，硬貨３，第１会員カード４，第２会員カード５，ＰＣ６，及び携帯電話７が使用される。
【００５５】
紙幣２は貨幣の一例であって、ここでは図３（ｂ）に示すように、１０００円紙幣，２０００円紙幣，５０００円紙幣，及び１００００円紙幣の４種類が使用される。硬貨３も貨幣の一例であって、ここでは５００円硬貨，及び１００円硬貨の２種類が使用される。ただしカードユニット２０において第１会員カード４が受け付けられているとき又はカードユニット２０において第２会員カード５が受け付けられているとき（即ち後述する入金処理が行われるとき）には、すべての金種の貨幣を使用できるが、カードユニット２０において第１会員カード４が受け付けられていないとき又はカードユニット２０において第２会員カード５が受け付けられていないとき（即ち後述するビジタ玉貸処理が行われるとき）には、１０００円紙幣，５００円硬貨，及び１００円硬貨のみを使用できる。
【００５６】
第１会員カード４は記録媒体の一例であって、図２（ａ）に示すように、各店舗（ここでは第１遊技場）において店舗会員として会員登録した会員に対して発行され、当該会員を個々に識別可能な会員識別情報（第１会員カードＩＤ）を特定可能な第１会員特定情報（第１会員カードＩＤ及び第１会員ＩＤ）が磁気的又は電気的に記録されると共に、前記会員識別情報を特定可能な第２会員特定情報（第１会員カードＩＤ及び第１会員ＩＤ）が目視可能に記録されたものである。また第１会員カード４は第１記録媒体の一例でもあって、ポイント管理システム１と同一の運営機関（ここではカード会社）により運営される会員管理システム（ここでは第１システム）の会員として第１遊技場（Ａ，Ｂ，…）において会員登録した第１会員遊技者に対して発行され、該ポイント管理システム１の運営機関において当該第１会員遊技者を個々に特定するための第１会員遊技者特定情報（第１会員ＩＤ）と、遊技機での遊技に使用可能な遊技用有価価値の大きさ（ここではカード残額）を特定可能な有価価値特定情報（ここでは第１会員カードＩＤ，カード残額）とが記録されたものである。
【００５７】
この第１会員カード４は、長方形状を呈するプラスチック製の薄板において、表面に形成された表示領域４ａで、第２会員特定情報である第１会員カードＩＤ及び第１会員ＩＤを目視可能に記録（ここでは印字）しており、内部に搭載されたＩＣチップ４ｂで、第１会員特定情報である第１会員カードＩＤ及び第１会員ＩＤとカード残額とを電気的に記録しており、上部に形成された磁気ストライプ４ｃで、第１会員特定情報である第１会員ＩＤを磁気的に記録している、ＩＣ／磁気ハイブリッドカードである。
【００５８】
ここで第１会員ＩＤは、後述する図１０（ａ）等に示すように、カード会社が運営する会員管理システム（第１システム）を導入している第１遊技場に対して発行されたことを示す数字（ここでは１００番台の３桁の数字）と、該第１遊技場において会員登録した第１会員遊技者を個々に識別するための数字（ここではユニークな５桁の数字）の組み合わせからなるＩＤである。第１遊技場及びカード会社では、この第１会員ＩＤによって第１会員遊技者を個々に特定可能である。
【００５９】
また第１会員カードＩＤは、当該第１会員カード４を発行した第１遊技場の前記店舗ＩＤ（Ａ，Ｂ，…）と、該第１遊技場において会員登録した第１会員遊技者を個々に識別するための数字（ここではユニークな５桁の数字）の組み合わせからなるＩＤである。即ち第１会員カードＩＤの所定箇所（ここでは先頭の１文字）には、当該第１会員カード４を発行した店舗の店舗ＩＤが含まれる。この第１会員カードＩＤは、ポイント管理システム１の運営機関であるカード会社において、当該第１記録媒体（第１会員カード４）及び当該第１記録媒体を所持する会員を個々に識別するための情報として作用する。また第１会員カードＩＤは、システム管理装置４０の残額管理ＤＢ（図８（ａ））において、遊技用有価価値の大きさであるカード残額と対応付けて管理されるため、遊技用有価価値の大きさを特定可能な有価価値特定情報として作用する。
【００６０】
これら第１会員カードＩＤと第１会員ＩＤは、ポイント管理装置５０において１対１に対応付けて管理されており（図１０（ａ）のエンコード情報ＤＢを参照）、カード会社においては、第１会員ＩＤから第１会員カードＩＤを特定可能である。即ち第１会員カードＩＤ及び第１会員ＩＤは、会員識別情報である第１会員カードＩＤを特定可能な第１会員特定情報及び第２会員特定情報であり、情報端末であるＰＣ６又は携帯電話７においては、第２会員特定情報として表示領域４ａに記録されている第１会員カードＩＤ及び第１会員ＩＤが入力され、店舗端末であるカードユニット２０においては、第１会員特定情報としてＩＣチップ４ｂに記録されている第１会員カードＩＤが読み取られ、また第２会員特定情報として表示領域４ａに記録されている第１会員カードＩＤ及び第１会員ＩＤが入力され、店舗端末であるキオスク端末３０においては、第１会員特定情報として磁気ストライプ４ｃに記録されている第１会員ＩＤが読み取られる。
【００６１】
なお第１会員カード４に記録されているカード残額は、遊技に使用可能な遊技用有価価値の大きさであり、該カード残額自体を特定可能な有価価値特定情報でもある。即ち第１会員カード４に記憶されている上記第１会員カードＩＤ，及びカード残額は、いずれも有価価値特定情報である。
【００６２】
この第１会員カード４は、以下のようにして発行される。まず第１会員管理装置１００において、遊技者が希望する暗証番号と、該遊技者の属性情報（ここでは氏名，住所，性別，生年月日，及び電子メールアドレス）が受け付けられて会員登録が行われると、カード会社から第１遊技場に納入されている第１会員カード４のうちの１枚から、当該第１会員カード４に予め記録されている第１会員ＩＤが読み取られ、該読み取った第１会員ＩＤと前記受け付けられた暗証番号及び属性情報が、後述する図８（ｂ）に示す第１会員情報ＤＢに対応付けて記憶されると共に、ポイント管理装置５０に対して送信されて、該第１会員カード４が遊技者に対して発行される。なおポイント管理装置５０に対して送信された暗証番号は、第１会員ＩＤ及び第１会員カードＩＤと対応付けて、後述する図１０（ａ）に示すエンコード情報ＤＢで記憶されるが、属性情報（氏名，住所，性別，生年月日，及び電子メールアドレス）は、特に使用されずに破棄される。
【００６３】
第２会員カード５も記録媒体の一例であって、図２（ｂ）に示すように、各店舗（ここでは第２遊技場）において店舗会員として会員登録した会員に対して発行され、当該会員を個々に識別可能な会員識別情報（第２会員カードＩＤ）を特定可能な第１会員特定情報（第２会員カードＩＤ及び他システム会員ＩＤ）が磁気的又は電気的に記録されると共に、前記会員識別情報を特定可能な第２会員特定情報（第２会員カードＩＤ及び他システム会員ＩＤ）が目視可能に記録されたものである。また第２会員カード５は第２記録媒体の一例であって、ポイント管理システム１とは異なる運営機関（ここでは他社）により運営される他の会員管理システム（第２システム）の会員として第２遊技場（遊技場Ｘ，Ｙ，…）において会員登録した第２会員遊技者に対して発行され、該他の会員管理システムの運営機関において当該第２会員遊技者を個々に特定するための他システム会員遊技者特定情報（他システム会員ＩＤ）と、ポイント管理システム１の運営機関において当該第２記録媒体を個々に識別するための情報であると共に、前記有価価値特定情報である第２記録媒体識別情報（第２会員カードＩＤ，カード残額）とが記録されたものである。
【００６４】
この第２会員カード５は、長方形状を呈するプラスチック製の薄板において、表面に形成された表示領域５ａで、第２会員特定情報である第２会員カードＩＤ及び他システム会員ＩＤを目視可能に記録しており、内部に搭載されたＩＣチップ５ｂで、第１会員特定情報である第２会員カードＩＤ及び他システム会員ＩＤとカード残額とを電気的に記録しており、上部に形成された磁気ストライプ５ｃで、第１会員特定情報である他システム会員ＩＤを磁気的に記録している、ＩＣ／磁気ハイブリッドカードである。
【００６５】
ここで他システム会員ＩＤは、後述する図１０（ａ）等に示すように、カード会社とは異なる他社が運営する会員管理システム（第２システム）を導入している第２遊技場に対して発行されたことを示す数字（ここでは２００番台の３桁の数字）と、該第２遊技場において会員登録した第２会員遊技者を個々に識別するための数字（ここではユニークな５桁の数字）の組み合わせからなるＩＤである。第２遊技場及び前記他社では、この他システム会員ＩＤによって第２会員遊技者を個々に特定可能である。
【００６６】
また第２会員カードＩＤは、当該第２会員カード５を発行した第２遊技場の前記店舗ＩＤ（Ｘ，Ｙ，…）と、該第２遊技場において会員登録した第２会員遊技者を個々に識別するための数字（ここではユニークな５桁の数字）の組み合わせからなるＩＤである。即ち第２会員カードＩＤの所定箇所（ここでは先頭の１文字）には、当該第２会員カード５を発行した店舗の店舗ＩＤが含まれる。この第２会員カードＩＤは、ポイント管理システム１の運営機関であるカード会社において、当該第２記録媒体（第２会員カード５）及び当該第２記録媒体を所持する会員を個々に識別するための情報として作用する。また第２会員カードＩＤは、システム管理装置４０の残額管理ＤＢ（図８（ａ））において、遊技用有価価値の大きさであるカード残額と対応付けて管理されるため、遊技用有価価値の大きさを特定可能な有価価値特定情報として作用する。
【００６７】
これら第２会員カードＩＤと他システム会員ＩＤは、ポイント管理装置５０において１対１に対応付けて管理されており（図１０（ａ）のエンコード情報ＤＢを参照）、カード会社においては、他システム会員ＩＤから第２会員カードＩＤを特定可能である。即ち第２会員カードＩＤ及び他システム会員ＩＤは、会員識別情報である第２会員カードＩＤを特定可能な第１会員特定情報及び第２会員特定情報であり、情報端末であるＰＣ６又は携帯電話７においては、第２会員特定情報として表示領域５ａに記録されている第２会員カードＩＤ及び他システム会員ＩＤの下４桁が入力され、店舗端末であるカードユニット２０においては、第１会員特定情報としてＩＣチップ５ｂに記録されている第２会員カードＩＤが読み取られ、また第２会員特定情報として表示領域５ａに記録されている第２会員カードＩＤ及び他システム会員ＩＤの下４桁が入力され、店舗端末であるキオスク端末３０においては、第１会員特定情報として磁気ストライプ５ｃに記録されている他システム会員ＩＤが読み取られる。
【００６８】
なお第２会員カード５に記録されているカード残額は、遊技に使用可能な遊技用有価価値の大きさであり、該カード残額自体を特定可能な有価価値特定情報でもある。即ち第２会員カード５に記憶されている上記第２会員カードＩＤ，及びカード残額は、いずれも有価価値特定情報であることから、これら第２会員カードＩＤ及びカード残額の両方の情報を以て、前記第２記録媒体識別情報としても良い。
【００６９】
この第２会員カード５は、以下のようにして発行される。まず第２会員管理装置２００において、遊技者の属性情報（ここでは暗証番号，氏名，住所，性別，生年月日，及び電子メールアドレス）が受け付けられて会員登録が行われると、カード会社から第２遊技場に納入されている第２会員カード５のうちの１枚から、当該第２会員カード５に予め記録されている他システム会員ＩＤが読み取られ、該読み取った他システム会員ＩＤと前記受け付けられた属性情報が、後述する図８（ｃ）に示す第２会員情報ＤＢに対応付けて記憶されて、該第２会員カード５が遊技者に対して発行される。
【００７０】
以上に説明したように、第１会員特定情報は、会員カードに磁気的又は電気的に記録されたものであり、第２会員特定情報は、会員カードに目視可能に記録されたものである。これら第１会員特定情報及び第２会員特定情報は、情報の記録の仕方で区別されるものであり、その情報自体は同じものであっても良い。
【００７１】
ＰＣ６，携帯電話７は、会員が操作する登録端末及び会員が所持する情報端末の一例であって、電子メール送受信機能及びインターネット接続機能等を備える一般的なものである。このＰＣ６，携帯電話７のディスプレイで表示される画面については、図１３，図１８，図２７〜図３０，及び図３７〜図３９を参照して後述する。
【００７２】
ここでＰＣ６，携帯電話７からは、第２会員特定情報（第１会員カードＩＤ又は第２会員カードＩＤ），暗証番号（登録時の暗証番号又は登録する暗証番号），及び会員の属性情報（性別及び生年月日）を含む第２登録要求が、インターネットを介して、ポイント管理装置５０に対して送信される。
【００７３】
具体的には、会員が第１会員カード４についてポイント会員の登録を行う際には、後述する図２８のＤ１０６に示すように、当該第１会員カード４の表示領域４ａに表示されている第２会員特定情報である第１会員カードＩＤ及び第１会員ＩＤと、該会員の属性情報である性別及び生年月日と、当該第１会員カード４の発行時に登録された暗証番号とが、該会員により入力され、それら第１会員カードＩＤ，性別，生年月日，登録時の暗証番号，及び第１会員ＩＤを含む第２登録要求が、インターネットを介して、ポイント管理装置５０に対して送信される。
【００７４】
また、会員が第２会員カード５についてポイント会員の登録を行う際には、後述する図２８のＤ１０７に示すように、当該第２会員カード５の表示領域５ａに表示されている第２会員特定情報である第２会員カードＩＤ及び他システム会員ＩＤの下４桁と、該会員の属性情報である性別及び生年月日と、ポイント会員として登録を希望する暗証番号（第２会員カード５の発行時に登録された暗証番号と異なっていても良い）とが、該会員により入力され、それら第２会員カードＩＤ，性別，生年月日，登録する暗証番号，及び他システム会員ＩＤの下４桁を含む第２登録要求が、インターネットを介して、ポイント管理装置５０に対して送信される。
【００７５】
ここで第２登録要求に含まれる属性情報は、氏名や電子メールアドレス等のような、個人を特定可能な個人情報ではなく、個人を特定できない属性情報とされており、ここでは性別及び生年月日である。このように、個人を特定できない属性情報のみの登録を求めることにより、個人情報の登録を好まない会員がポイント会員として登録する際の抵抗感を少なくすることができると共に、後述するアンケートやイベント情報をポイント管理装置５０から通知する際に、通知対象（ターゲット）となるポイント会員を有効に抽出することができる。
【００７６】
またＰＣ６，携帯電話７からは、複数の会員特定情報を含む会員統合要求が、インターネットを介して、ポイント管理装置５０に対して送信される。この会員統合要求には、ポイント会員としてポイント管理装置５０に新たに登録する複数の会員識別情報を特定可能な複数の会員特定情報を含む第１の会員統合要求と、ポイント会員としてポイント管理装置５０に新たに登録する会員識別情報を特定可能な会員特定情報と該ポイント管理装置５０に既に登録されている会員識別情報を特定可能な会員特定情報とを含む第２の会員統合要求と、ポイント会員としてポイント管理装置５０に既に登録されている複数の会員識別情報を特定可能な複数の会員特定情報を含む第３の会員統合要求とがある。このＰＣ６，携帯電話７から送信される会員統合要求に含まれる会員特定情報は、会員が目視して入力した第２会員特定情報である。
【００７７】
ここで２つの会員カードを統合する場合における第１の会員統合要求には、前記Ｄ１０６又はＤ１０７で入力された内容が含まれると共に、後述する図２９のＤ１１４に示すように、会員により入力された第２会員特定情報である未登録の第１会員カードＩＤ及び第１会員ＩＤと、発行時に登録された暗証番号か、又は同Ｄ１１５に示すように、会員により入力された第２会員特定情報である未登録の第２会員カードＩＤ及び他システム会員ＩＤの下４桁と、登録を希望する暗証番号が含まれる。即ち第１の会員統合要求に含まれる会員カードＩＤ（第１会員カードＩＤ，第２会員カードＩＤ）は、未登録の会員カードＩＤのみである。また第１の会員統合要求には、前記Ｄ１０６又はＤ１０７で入力された属性情報が含まれる。
【００７８】
また２つの会員カードを統合する場合における第２の会員統合要求には、後述する図２８のＤ１１６に示すように、会員により入力された第２会員特定情報である既登録の会員カードＩＤ（第１会員カードＩＤ，又は第２会員カードＩＤ）及び登録済の暗証番号が含まれると共に、後述する図２９のＤ１１４に示すように、会員により入力された第２会員特定情報である未登録の第１会員カードＩＤ及び第１会員ＩＤと、発行時に登録された暗証番号か、又は同Ｄ１１５に示すように、会員により入力された第２会員特定情報である未登録の第２会員カードＩＤ及び他システム会員ＩＤの下４桁と、登録を希望する暗証番号が含まれる。即ち第２の会員統合要求に含まれる会員カードＩＤ（第１会員カードＩＤ，第２会員カードＩＤ）は、未登録の会員カードＩＤと既登録の会員カードＩＤである。なお第２の会員統合要求には、属性情報は含まれない。
【００７９】
さらに２つの会員カードを統合する場合における第３の会員統合要求には、後述する図２８のＤ１１６に示すように、会員により入力された第２会員特定情報である既登録の会員カードＩＤ（第１会員カードＩＤ，又は第２会員カードＩＤ）及び登録済の暗証番号が、２種類含まれる。即ち第２の会員統合要求に含まれる会員カードＩＤ（第１会員カードＩＤ，第２会員カードＩＤ）は、既登録の会員カードＩＤのみである。なお第３の会員統合要求にも、属性情報は含まれない。
【００８０】
即ちＰＣ６，携帯電話７から送信される会員統合要求には、会員が１枚目の会員カード（第１会員カード４又は第２会員カード５）を目視して入力した第２会員特定情報と、２枚目のカードを目視して入力した第２会員特定情報とが少なくとも含まれ、これにより複数の会員特定情報が含まれることになる。なお３つの会員カードを統合する場合には、会員が３枚目のカードを目視して入力した第２会員特定情報がさらに含まれ、４つの会員カードを統合する場合には、会員が４枚目のカードを目視して入力した第２会員特定情報がさらに含まれる。
【００８１】
またＰＣ６，携帯電話７からは、後述する図３０のＤ１２０に示すように、会員識別情報（第１会員カードＩＤ，第２会員カードＩＤ）を含むグループ店一覧要求が、インターネットを介して、ポイント管理装置５０に対して送信される。
【００８２】
またＰＣ６，携帯電話７からは、ログイン画面配信要求が、インターネットを介して、ポイント管理装置５０に対して送信される。またＰＣ６，携帯電話７からは、該ログイン画面配信要求に応じてポイント管理装置５０から配信されてきたログイン画面（図３７のＤ４００を参照）で入力された、ポイント会員として登録済の会員カードＩＤと暗証番号とを含むログイン要求が、インターネットを介して、ポイント管理装置５０に対して送信される。ここでログイン要求は、後述する情報公開要求及び確認要求の一部である。このログイン要求に含まれる会員カードＩＤは、ポイント会員として対応付けて登録されているいずれの会員カードＩＤであっても良い。
【００８３】
さらにＰＣ６，携帯電話７からは、前記ログイン要求に応じてポイント管理装置５０から配信されてきたメニュー画面（図３７のＤ４０１を参照）に示される各ボタンの操作に応じて、ポイント確認・使用要求，登録情報の更新要求，グループ店一覧要求，グループ店追加情報要求，アンケート要求，イベント情報要求，当選情報要求，及び会員統合処理要求が、インターネットを介して、ポイント管理装置５０に対して送信される。ここでポイント確認・使用要求，登録情報の更新要求，グループ店一覧要求，及びグループ店追加情報要求は、後述する情報公開要求の一部であり、アンケート要求，イベント情報要求，及び当選情報要求は、後述する確認要求の一部である。
【００８４】
図１に戻り、前記パチンコ機１０は遊技機の一例であって、カードユニット２０に対応して設けられ、遊技媒体であるパチンコ玉を遊技領域に打ち込むことにより遊技を行うものであり、ここでは対応するカードユニット２０との間でパチンコ玉の貸与に関する信号のやり取りが行われて玉貸処理（後述するビジタ玉貸処理及び会員カード玉貸処理）が行われる、いわゆるＣＲ式のパチンコ機である。このパチンコ機１０は、遊技場内に配置された遊技島（図示外）において該パチンコ機１０の機種等に従って設置されている。
【００８５】
このパチンコ機１０は、図３（ａ）に示すように、その前面に遊技領域，上皿，下皿，及び発射ハンドル等を備えると共に、残度数表示器１４，玉貸ボタン１５，及びカード返却ボタン１６を備え、図５及び図６に示すように、その内部に遊技制御基板１１，払出制御基板１２，及び玉払出装置１３等を備えており、これらの各構成要素は図５及び図６に示すように接続されている。
【００８６】
遊技制御基板１１は、パチンコ機１０における遊技状態を制御するものである。払出制御基板１２は、カードユニット２０の後述する玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【００８７】
残度数表示器１４は、カードユニット２０のカードＲ／Ｗ２５にて受け付けている会員カード（第１遊技場では第１会員カード４，第２遊技場では第２会員カード５）に記録されているカード残額に相当する残度数を表示するための表示器である。ここで残度数は、カード残額が所定の比率で変換されたもの（例えば１００円＝１度数）である。この残度数表示器１４では、玉貸通信部２１ｂから残度数を示す度数表示信号が入力されることにより、残度数が表示される。
【００８８】
玉貸ボタン１５は、カードユニット２０のカードＲ／Ｗ２５にて受け付けている前記会員カードに記録されているカード残額を使用するための玉貸操作を受け付けるボタンである。この玉貸ボタン１５が操作されたことにより、玉貸通信部２１ｂに貸出入力信号が入力され、該入力の検出によってカードユニット２０のユニット制御部２２が、玉貸ボタン１５が操作された旨を認識する。
【００８９】
カード返却ボタン１６は、カードユニット２０のカードＲ／Ｗ２５にて受け付けている前記会員カードを遊技用装置外部に排出するための排出操作を受け付けるものである。このカード返却ボタン１６が操作されたことにより、玉貸通信部２１ｂに返却入力信号が入力され、該入力の検出によってカードユニット２０のユニット制御部２２が、カード返却ボタン１６が操作された旨を認識し、カードＲ／Ｗ制御部２６の制御により、カードＲ／Ｗ２５にて受け付けている会員カードの排出制御が行われ、該会員カードがカード挿入口２５ａから排出されて遊技者に返却される。
【００９０】
このパチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。また、このパチンコ機１０からは、打ち込まれたパチンコ玉が始動入賞口に入賞した旨を示すスタート信号や、大当りが発生した旨を示す大当り信号等の遊技情報が出力される。
【００９１】
以下、ポイント管理システム１の各構成要素について説明する。
【００９２】
まず、主に図３〜図５を参照して、第１遊技場に設置される各装置（カードユニット２０，キオスク端末３０，システム管理装置４０，及び第１会員管理装置１００）について説明する。カードユニット２０は、ハブ（図示外），中継器（図示外），及び通信ケーブル等を介して、システム管理装置４０及び第１会員管理装置１００と双方向のデータ通信可能に接続されており、各接続機器にはそれぞれローカルＩＰアドレスが付与されてローカルエリアネットワーク（ＬＡＮ）が形成されている。また、前記システム管理装置４０と第１会員管理装置１００とは、個別の通信ケーブルを介して、比較的高速のデータ通信を実施可能に接続されている。また、前記システム管理装置４０は、通信回線（ここでは専用線）を介して、管理センタに設置された転送装置７０と双方向のデータ通信を実施できるように接続されていて、管理センタでは、該転送装置７０によって、各第１遊技場の第１会員カード４による売上や、システム管理装置４０及びカードユニット２０のエラー状況等を把握できるようになっている。
【００９３】
次に、カードユニット２０について説明する。このカードユニット２０は遊技用装置の一例であって、図１及び図３（ａ）に示すように、遊技場においてパチンコ機１０に対応して（ここではパチンコ機１０の左側に隣接して）設けられ、後述する玉貸処理（ビジタ玉貸処理，会員カード玉貸処理）を行うものである。またカードユニット２０は、会員が操作する登録端末及び店舗（遊技場）内に設置される店舗端末の一例である。このカードユニット２０は、装置ＩＤにより該カードユニット２０を個々に識別可能とされている。
【００９４】
このカードユニット２０は、縦長の箱型の形状を呈するものであり、図３（ａ）に示すように、その前面に紙幣挿入口２３ａ，硬貨挿入口２４ａ，硬貨返却ボタン２４ｂ，タッチパネル式のディスプレイ２７，硬貨返却口２４ｆ，及びカード挿入口２５ａ等を備え、図３（ｂ）に示すように、その内部に紙幣識別機２３，ユニット制御部２２，会員管理装置用通信部２１ａ，玉貸通信部２１ｂ，硬貨識別機２４，カードＲ／Ｗ２５，及びカードＲ／Ｗ制御部２６等を備えており、これらの各構成要素は図５に示すように接続されている。
【００９５】
会員管理装置用通信部２１ａは、ハブ（図示外），中継器（図示外），及び通信ケーブル等を介して、第１会員管理装置１００の後述するユニット用通信部１０１ａと通信可能に接続されており、カードユニット２０と第１会員管理装置１００との間における通信を司るものである。このカードユニット２０から中継器に対して、カードＲ／Ｗ２５により読み取った第１会員ＩＤが送信され、該第１会員ＩＤと対応付けて、パチンコ機１０から該中継器に対して送信された遊技情報（大当り信号，スタート信号等）が第１会員管理装置１００に対して送信されることで、後述する図８（ｂ）に示すように、第１会員管理装置１００において、第１会員ＩＤに対応付けて、各第１会員遊技者の大当り回数やスタート回数等の遊技情報を管理することができる。玉貸通信部２１ｂは、前述の如く、パチンコ機１０の払出制御基板１２と接続されている。
【００９６】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して各種の処理を行うものであるが、その機能については後述する。なおＥＥＰＲＯＭには、前記装置ＩＤが記憶されている。
【００９７】
紙幣識別機２３は貨幣受付手段の一例であって、貨幣を受け付けるものであり、ここでは図３（ｂ）に示すように、カードＲ／Ｗ２５が第１会員カード４を受け付けていない状態，及びカードＲ／Ｗ２５で受け付けている第１会員カード４に記録されているカード残額が零である状態（即ちここでは会員カード玉貸可能状態ではない状態）で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。
【００９８】
この識別により、受付けた紙幣が正規の紙幣２（１０００円紙幣、２０００円紙幣、５０００円紙幣、１００００円紙幣）であれば、識別結果（識別された紙幣２に応じた入金金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、正規の紙幣ではないと識別した場合には、受け付けた紙幣２を紙幣挿入口２３ａから返却する。
【００９９】
硬貨識別機２４も貨幣受付手段の一例であって、貨幣を受け付けるものであり、ここでは図３（ｂ）に示すように、カードＲ／Ｗ２５が第１会員カード４を受け付けていない状態，及びカードＲ／Ｗ２５で受け付けている第１会員カード４に記録されているカード残額が零である状態（即ちここでは会員カード玉貸可能状態ではない状態）で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。
【０１００】
この識別により、受付けた硬貨が正規の硬貨３（１００円硬貨，５００円硬貨）であれば、識別結果（識別された硬貨３に応じた入金金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、正規の硬貨ではないと識別した場合には、受け付けた硬貨３を硬貨通路２４ｄを通じて硬貨返却口２４ｆから返却する。
【０１０１】
カードＲ／Ｗ２５は記録媒体受付手段の一例であって、記録媒体（ここでは自店で発行された第１会員カード４）を受け付けるものであり、図３（ｂ）に示すように、カード挿入口２５ａから挿入された第１会員カード４を受け付けて、該第１会員カード４のＩＣチップ４ｂに記録されている第１会員特定情報である第１会員カードＩＤ，第１会員ＩＤ，及びカード残額を読み取ると共に、会員カード玉貸処理が行われたことに基づいて、該会員カード玉貸処理に使用された使用金額を減算した後のカード残額を第１会員カード４に記録する（書き込む）ものである。このカードＲ／Ｗ２５は、前記第１会員カード４に対応したＩＣチップＲ／Ｗを備えている。
【０１０２】
カードＲ／Ｗ制御部２６は、カードＲ／Ｗ２５が受け付けた第１会員カード４とのデータ送受を行う通信部や、カードＲ／Ｗ２５の制御を行うコントローラ等を備えている。このカードＲ／Ｗ制御部２６は、図５に示すように、ユニット制御部２２に接続されており、該ユニット制御部２２との各種データの送受が実施可能とされている。
【０１０３】
またカードＲ／Ｗ制御部２６は、システム管理装置用通信部２６ａを備えている。このシステム管理装置用通信部２６ａは、ハブ，中継器，及び通信ケーブル等を介して、システム管理装置４０のユニット用通信部４１ａに接続され、カードユニット２０とシステム管理装置４０とのデータ通信を実施可能とされている。なおカードＲ／Ｗ制御部２６から送信する情報には、該情報の送信元を特定可能なように、ユニット制御部２２のＥＥＰＲＯＭに記憶されている装置ＩＤが含まれる。
【０１０４】
ここでシステム管理装置用通信部２６ａは、カードＲ／Ｗ２５により第１会員カード４から第１会員カードＩＤ及びカード残額が読み取られたときに、後述する図２０に示すように、該読み取った第１会員カードＩＤ及びカード残額を含む使用許諾要求を、システム管理装置４０に対して送信し（Ｓ３２を参照）、該システム管理装置４０から、第１会員カードＩＤとカード残額の照合結果を受信するものである。
【０１０５】
またシステム管理装置用通信部２６ａは、ユニット制御部２２によりビジタ玉貸処理が行われたときに、図示しないが、該ビジタ玉貸処理に使用された金額（即ちここでは入金金額）を、システム管理装置４０に対して送信するものである。ここで送信された金額（ビジタ玉貸処理に使用された金額）は、各装置ＩＤと対応付けてシステム管理装置４０で管理される。
【０１０６】
またシステム管理装置用通信部２６ａは、ユニット制御部２２により会員カード玉貸処理が行われたときに、後述する図２０に示すように、前記読み取った第１会員カードＩＤと該会員カード玉貸処理に使用されたカード残額である使用金額を、システム管理装置４０に対して送信するものである（Ｓ５２）。
【０１０７】
またシステム管理装置用通信部２６ａは、ユニット制御部２２により入金処理が行われたときに、後述する図１９に示すように、前記読み取った第１会員カードＩＤと該入金処理に供された入金金額を、システム管理装置４０に対して送信するものである（Ｓ１２）。
【０１０８】
タッチパネル式のディスプレイ２７は、カードユニット２０の前面から突設されており、対応するパチンコ機１０で遊技をする遊技者に向くように、各種の情報を表示するメッセージ表示領域２７ａと、各種の入力を受け付ける操作キー表示領域２７ｂとを備えている。このディスプレイ２７のメッセージ表示領域２７ａでは、カードＲ／Ｗ２５が第１会員カード４を受け付けている状態で、図３１〜図３２，又は図３７〜図３９に示す画面が表示されるが、これについては後述する。またディスプレイ２７のメッセージ表示領域２７ａでは、図示しないが、カードＲ／Ｗ２５が第１会員カード４を受け付けている状態で、該第１会員カード４の第１会員ＩＤに対応付けて第１会員管理装置１００で管理されている遊技情報（個人遊技情報）を閲覧可能であると共に、カードＲ／Ｗ２５が第１会員カード４を受け付けていない状態であっても、個人遊技情報以外の遊技情報やテレビ画像を閲覧可能である。
【０１０９】
ここで前記ユニット制御部２２の機能について説明する。まずユニット制御部２２は、前記入金金額を使用したビジタ玉貸処理を行うものである。具体的には、カードＲ／Ｗ２５により第１会員カード４が受け付けられていない状態で紙幣識別機２３又は硬貨識別機２４により紙幣２又は硬貨３が受け付けられて、該受け付けられて識別された貨幣の金額が所定額（ここでは１０００円とする）以下であれば、該入金金額が入金残額としてユニット制御部２２のＲＡＭに記憶されて、パチンコ機１０との間でパチンコ玉の貸出に関する信号のやり取りを行って、該入金残額に相当する度数分のパチンコ玉をパチンコ機１０から払い出す処理を行う。これにより、第１会員カード４を所有しないビジタ遊技者であっても、パチンコ玉の貸出を受けてパチンコ機１０による遊技をすることができる。
【０１１０】
またユニット制御部２２は、前記カード残額を使用した会員カード玉貸処理を行うものである。具体的には、会員カード使用許諾情報を受信したことにより会員カード玉貸可能状態となり、玉貸ボタン１５が操作されて貸出入力信号が入力されたときに、第１会員カード４に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。
【０１１１】
またユニット制御部２２は、第１会員カード４に対する入金処理を行うものである。具体的には、カードＲ／Ｗ２５によりカード残額が零である第１会員カード４が受け付けられている状態で紙幣識別機２３又は硬貨識別機２４により紙幣２又は硬貨３が受け付けられたときに、該受け付けられて識別された貨幣の金額をカード残額としてカードＲ／Ｗ制御部２６及びカードＲ／Ｗ２５により第１会員カード４に記録する処理を行う。
【０１１２】
さらにユニット制御部２２は第１登録要求送信手段の一例であって、カードＲ／Ｗ２５により読み取った第１会員特定情報を含む第１登録要求をポイント管理装置５０に対して送信するものであり、ここではユニット制御部２２の制御により、該第１会員特定情報である第１会員カードＩＤ，暗証番号（登録時の暗証番号），及び会員の属性情報（性別及び生年月日）を含む第１登録要求が、カードユニット２０のカードＲ／Ｗ制御部２６，及びシステム管理装置用通信部２６ａと、システム管理装置４０の後述するユニット用通信部４１ａ，制御部４２，及び外部通信部４１ｄと、インターネットを介して（以下単に「インターネットを介して」と称する。）、ポイント管理装置５０に対して送信される。
【０１１３】
即ち、第１遊技場に設置されるカードユニット２０において、自店で発行された第１会員カード４についてポイント会員の登録を行う際には、後述する図３１のＤ２０２に示すように、カードＲ／Ｗ２５により受け付けた自店の第１会員カード４のＩＣチップ４ｂから読み取った第１会員カードＩＤが表示され、該会員の属性情報である性別及び生年月日と、当該第１会員カード４の発行時に登録された暗証番号とが、該会員により入力され、ＩＣチップ４ｂから読み取った第１会員特定情報である第１会員カードＩＤと、同じくＩＣチップ４ｂから読み取った第１会員ＩＤと、入力された性別，生年月日，及び登録時の暗証番号とを含む第１登録要求が、インターネットを介して、ポイント管理装置５０に対して送信される。ここで第１登録要求に含まれる属性情報も、氏名や電子メールアドレス等のような、個人を特定可能な個人情報ではなく、個人を特定できない属性情報とされており、ここでは性別及び生年月日である。
【０１１４】
またカードユニット２０からは、ユニット制御部２２の制御により、複数の会員特定情報を含む会員統合要求が、インターネットを介して、ポイント管理装置５０に対して送信される。この会員統合要求には、前述した第１の会員統合要求，第２の会員統合要求，及び第３の会員統合要求がある。このカードユニット２０から送信される会員統合要求に含まれる会員特定情報は、カードＲ／Ｗ２５が読み取った第１会員特定情報，及び会員が目視して入力した第２会員特定情報である。
【０１１５】
ここで２つの会員カードを統合する場合における第１の会員統合要求には、後述する図３２のＤ２１２に示すように、カードＲ／Ｗ２５により受け付けた自店の第１会員カード４のＩＣチップ４ｂから読み取った第１会員特定情報である未登録の第１会員カードＩＤと、同じくＩＣチップ４ｂから読み取った（ただし画面では表示されない）第１会員ＩＤと、会員により入力された発行時に登録された暗証番号，及び属性情報が含まれると共に、同Ｄ２１６に示すように、会員により入力された第２会員特定情報である未登録の第１会員カードＩＤ及び第１会員ＩＤと、発行時に登録された暗証番号か、又は同Ｄ２１７に示すように、会員により入力された第２会員特定情報である未登録の第２会員カードＩＤ及び他システム会員ＩＤの下４桁と、登録を希望する暗証番号が含まれる。
【０１１６】
また２つの会員カードを統合する場合における第２の会員統合要求には、後述する図３２のＤ２１２に示すように、カードＲ／Ｗ２５により受け付けた自店の第１会員カード４のＩＣチップ４ｂから読み取った第１会員特定情報である未登録の第１会員カードＩＤと、同じくＩＣチップ４ｂから読み取った（ただし画面では表示されない）第１会員ＩＤと、会員により入力された発行時に登録された暗証番号，及び属性情報が含まれると共に、同Ｄ２１８に示すように、会員により入力された第２会員特定情報である既登録の会員カードＩＤ（第１会員カードＩＤ又は第２会員カードＩＤ）及び登録済の暗証番号が含まれる。
【０１１７】
また２つの会員カードを統合する場合における第２の会員統合要求には、後述する図３２のＤ２１４に示すように、カードＲ／Ｗ２５により受け付けた自店の第１会員カード４のＩＣチップ４ｂから読み取った第１会員特定情報である既登録の第１会員カードＩＤと、会員により入力された既登録の暗証番号が含まれると共に、同Ｄ２１６に示すように、会員により入力された第２会員特定情報である未登録の第１会員カードＩＤ及び第１会員ＩＤと、発行時に登録された暗証番号か、又は同Ｄ２１７に示すように、会員により入力された第２会員特定情報である未登録の第２会員カードＩＤ及び他システム会員ＩＤの下４桁と、登録を希望する暗証番号が含まれる。
【０１１８】
さらに２つの会員カードを統合する場合における第３の会員統合要求には、後述する図３２のＤ２１４に示すように、カードＲ／Ｗ２５により受け付けた自店の第１会員カード４のＩＣチップ４ｂから読み取った第１会員特定情報である既登録の第１会員カードＩＤと、会員により入力された既登録の暗証番号が含まれると共に、同Ｄ２１８に示すように、会員により入力された第２会員特定情報である既登録の会員カードＩＤ（第１会員カードＩＤ又は第２会員カードＩＤ）及び登録済の暗証番号が含まれる。
【０１１９】
即ちカードユニット２０から送信される会員統合要求には、カードＲ／Ｗ２５により受け付けた第１会員カード４から読み取った第１会員特定情報と、会員が会員カード（第１会員カード４又は第２会員カード５）を目視して入力した第２会員特定情報とが少なくとも含まれ、これにより複数の会員特定情報が含まれることになる。なお３つの会員カードを統合する場合には、会員が３枚目のカードを目視して入力した第２会員特定情報がさらに含まれ、４つの会員カードを統合する場合には、会員が４枚目のカードを目視して入力した第２会員特定情報がさらに含まれる。
【０１２０】
またカードユニット２０からは、後述する図３１のＤ２００に示すように、カードＲ／Ｗ２５により受け付けた自店の第１会員カード４から読み取った第１会員カードＩＤを含むグループ店一覧要求が、インターネットを介して、ポイント管理装置５０に対して送信される。
【０１２１】
またカードユニット２０からは、ログイン画面配信要求が、インターネットを介して、ポイント管理装置５０に対して送信される。さらにカードユニット２０からは、カードＲ／Ｗ２５により受け付けた自店の第１会員カード４のＩＣチップ４ｂから読み取った第１会員カードＩＤと、前記ログイン画面配信要求に応じてポイント管理装置５０から配信されてきたログイン画面（図示外）で入力された、当該第１会員カードＩＤと対応付けて登録済の暗証番号とを含むログイン要求が、インターネットを介して、ポイント管理装置５０に対して送信される。ここでログイン要求は、後述する情報公開要求及び確認要求の一部である。
【０１２２】
さらにカードユニット２０からは、前記ログイン要求に応じてポイント管理装置５０から配信されてきたメニュー画面（図３７のＤ４０１を参照）に示される各ボタンの操作に応じて、ポイント確認・使用要求，登録情報の更新要求，グループ店一覧要求，グループ店追加情報要求，アンケート要求，イベント情報要求，当選情報要求，及び会員統合処理要求が、インターネットを介して、ポイント管理装置５０に対して送信される。ここでポイント確認・使用要求，登録情報の更新要求，グループ店一覧要求，及びグループ店追加情報要求は、後述する情報公開要求の一部であり、アンケート要求，イベント情報要求，及び当選情報要求は、後述する確認要求の一部である。
【０１２３】
次に、キオスク端末３０について説明する。キオスク端末３０は、会員が操作する登録端末及び店舗（遊技場）内に設置される店舗端末の一例であって、インターネット接続機能を備えるコンピュータである。このキオスク端末３０は、第１遊技場内の所定箇所（例えば景品交換カウンタの近傍等）に設けられ、図４（ａ）に示すように、Ｌ字型の筐体を有するものであり、該筐体の垂直部の前面にディスプレイ３４を備え、該筐体の水平部の上面に操作キー３５，前面にカード挿入口３３ａを備え、その内部に外部通信部３１，制御部３２，及びカードＲ／Ｗ１４３を備えており、これらの各構成要素は図４（ｂ）に示すように接続されている。
【０１２４】
外部通信部３１は、図１及び図４（ｂ）に示すように、インターネットと通信可能に接続されており、キオスク端末３０とインターネットを介して接続されるポイント管理装置５０との間における通信を司るものである。制御部３２は、ＣＰＵ，ＲＡＭ，ＲＯＭ等を備えており、ＲＯＭに記憶されている処理プログラムがＲＡＭを作業領域としてＣＰＵで実行されることにより、キオスク端末３０に備えられる各構成要素の動作を制御して各種の処理を行うものであるが、その機能については後述する。
【０１２５】
カードリーダ３３は記録媒体受付手段の一例であって、記録媒体（ここでは第１会員カード４及び第２会員カード５）を受け付けるものであり、カード挿入口３３ａから挿入された第１会員カード４を受け付けて、該第１会員カード４の磁気ストライプ４ｃに記録されている第１会員特定情報である第１会員ＩＤを読み取ると共に、カード挿入口３３ａから挿入された第２会員カード５を受け付けて、該第２会員カード５の磁気ストライプ５ｃに記録されている第１会員特定情報である他システム会員ＩＤを読み取るものである。このカードリーダ３３では、自店の会員カードであっても他店の会員カードであっても受付可能である。
【０１２６】
ここでカードリーダ３３は、統合対象とする複数の会員カードを受け付けて、該受け付けた会員カードに記録されている第１会員特定情報を読み取るものであり、具体的には、１枚目の会員カードを受け付けて、該会員カードに記録されている第１会員特定情報を読み取り、該会員カードに関する入力が終了して後述する「登録」ボタンが操作されると、当該１枚目の会員カードを排出して、２枚目の会員カードを受け付け、該会員カードに記録されている第１会員特定情報を読み取り、該会員カードに関する入力が終了して「登録」ボタンが操作されると、当該２枚目の会員カードを排出する。
【０１２７】
ディスプレイ３４は各種の情報を表示するもの（例えば液晶ディスプレイ）であり、操作キー３５は各種の入力を受け付けるものである。このディスプレイ３４で表示される画面については、図３３〜図３９を参照して後述する。
【０１２８】
ここで制御部３２は第１登録要求送信手段の一例であって、カードリーダ３３により読み取った第１会員特定情報を含む第１登録要求をポイント管理装置５０に対して送信するものであり、ここでは制御部３２の制御により、該第１会員特定情報である会員ＩＤ（第１会員ＩＤ又は他システム会員ＩＤ）を含む第１登録要求Ａが、インターネットを介して、ポイント管理装置５０に対して送信されると共に、会員カードＩＤ（第１会員カードＩＤ又は第２会員カードＩＤ），暗証番号（登録時の暗証番号又は登録する暗証番号），及び会員の属性情報（性別及び生年月日）を含む第１登録要求Ｂが、インターネットを介して、ポイント管理装置５０に対して送信される。即ち、キオスク端末３０から送信される第１登録要求は、第１登録要求Ａと第１登録要求Ｂの２回に分けて送信される。
【０１２９】
具体的には、会員が第１会員カード４についてポイント会員の登録を行う際には、まず後述する図３３のＤ３０１に示すように、会員が第１会員カード４をカードリーダ３３に挿入すると、該カードリーダ３３により受け付けた第１会員カード４の磁気ストライプ４ｃから読み取った第１会員特定情報である第１会員ＩＤを含む第１登録要求Ａが、インターネットを介して、ポイント管理装置５０に対して送信される。このポイント管理装置５０からは、該第１登録要求Ａに含まれる第１会員ＩＤに対応付けて図１０（ａ）に示すエンコード情報ＤＢで記憶されている第１会員カードＩＤが返信されてくる。次に図３３のＤ３０２に示すように、ポイント管理装置５０から返信されてきた第１会員カードＩＤが表示され、該会員の属性情報である性別及び生年月日と、当該第１会員カード４の発行時に登録された暗証番号とが、該会員により入力され、ポイント管理装置５０から返信されてきた第１会員カードＩＤ（即ち第１会員特定情報である第１会員ＩＤから特定された第１会員カードＩＤ）と、磁気ストライプ４ｃから読み取った第１会員ＩＤと、入力された性別，生年月日，及び登録時の暗証番号を含む第１登録要求Ｂが、インターネットを介して、ポイント管理装置５０に対して送信される。
【０１３０】
また、会員が第２会員カード５についてポイント会員の登録を行う際には、まず後述する図３３のＤ３０１に示すように、会員が第２会員カード５をカードリーダ３３に挿入すると、該カードリーダ３３により受け付けた第２会員カード５の磁気ストライプ５ｃから読み取った第１会員特定情報である他システム会員ＩＤを含む第１登録要求Ａが、インターネットを介して、ポイント管理装置５０に対して送信される。このポイント管理装置５０からは、該第１登録要求Ａに含まれる他システム会員ＩＤに対応付けて図１０（ａ）に示すエンコード情報ＤＢで記憶されている第２会員カードＩＤが返信されてくる。次に図３３のＤ３０３に示すように、ポイント管理装置５０から返信されてきた第２会員カードＩＤが表示され、該会員の属性情報である性別及び生年月日と、ポイント会員として登録を希望する暗証番号（第２会員カード５の発行時に登録された暗証番号と異なっていても良い）とが、該会員により入力され、ポイント管理装置５０から返信されてきた第２会員カードＩＤ（即ち第１会員特定情報である他システム会員ＩＤから特定された第２会員カードＩＤ）と、磁気ストライプ５ｃから読み取った他システム会員ＩＤと、入力された性別，生年月日，及び登録する暗証番号を含む第１登録要求Ｂが、インターネットを介して、ポイント管理装置５０に対して送信される。
【０１３１】
またキオスク端末３０からは、制御部３２の制御により、複数の会員特定情報を含む会員統合要求が、インターネットを介して、ポイント管理装置５０に対して送信される。この会員統合要求には、前述した第１の会員統合要求，第２の会員統合要求，及び第３の会員統合要求がある。このキオスク端末３０から送信される会員統合要求に含まれる会員特定情報は、カードリーダ３３が読み取った第１会員特定情報である。
【０１３２】
ここで２つの未登録の会員カードを統合する場合には、まず後述する図３４のＤ３１２に示すように、会員が未登録の会員カード（第１会員カード４又は第２会員カード５）をカードリーダ３３に挿入すると、該カードリーダ３３により受け付けた会員カードの磁気ストライプから読み取った会員ＩＤ（第１会員ＩＤ又は他システム会員ＩＤ）を含む会員統合要求Ａが、インターネットを介して、ポイント管理装置５０に対して送信される。このポイント管理装置５０からは、該会員統合要求Ａに含まれる会員ＩＤに対応付けて図１０（ａ）に示すエンコード情報ＤＢで記憶されている会員カードＩＤ（第１会員カードＩＤ又は第２会員カードＩＤ）が返信されてくる。キオスク端末３０においては、図３４のＤ３１３又はＤ３１４に示すように、ポイント管理装置５０から返信されてきた未登録の会員カードＩＤが表示され、該会員の属性情報である性別及び生年月日と、暗証番号（第１会員カード４の発行時に登録された暗証番号，又は登録を希望する暗証番号）とが、会員により入力される。
【０１３３】
次に図３４のＤ３１５に示すように、会員が未登録の会員カード（第１会員カード４又は第２会員カード５）をカードリーダ３３に挿入すると、該カードリーダ３３により受け付けた会員カードの磁気ストライプから読み取った会員ＩＤ（第１会員ＩＤ又は他システム会員ＩＤ）を含む会員統合要求Ｂが、インターネットを介して、ポイント管理装置５０に対して送信される。このポイント管理装置５０からは、該会員統合要求Ｂに含まれる会員ＩＤに対応付けて図１０（ａ）に示すエンコード情報ＤＢで記憶されている会員カードＩＤ（第１会員カードＩＤ又は第２会員カードＩＤ）が返信されてくる。キオスク端末３０においては、図３４のＤ３１６又はＤ３１７に示すように、ポイント管理装置５０から返信されてきた未登録の会員カードＩＤが表示され、暗証番号（第１会員カード４の発行時に登録された暗証番号，又は登録を希望する暗証番号）とが、会員により入力される。
【０１３４】
そして、Ｄ３１２で挿入された会員カードから読み取った会員ＩＤ（第１会員ＩＤ又は他システム会員ＩＤ），及びＤ３１３又はＤ３１４で表示・入力された内容と、Ｄ３１５で挿入された会員カードから読み取った会員ＩＤ（第１会員ＩＤ又は他システム会員ＩＤ），及びＤ３１６又はＤ３１７で表示・入力された内容とを含む第１の会員統合要求が、インターネットを介して、ポイント管理装置５０に対して送信される。即ち、キオスク端末３０から送信される第１の会員統合要求は、会員統合要求Ａと会員統合要求Ｂと第１の会員統合要求の３回に分けて送信される。ここで最後に送信される第１の会員統合要求に含まれる各会員カードＩＤは、カードリーダ３３により読み取った第１会員特定情報である第１会員ＩＤ又は他システム会員ＩＤから特定されるものである。
【０１３５】
また１つの既登録の会員カードと１つの未登録の会員カードを統合する場合には、まず後述する図３３のＤ３１２に示すように、会員が既登録の会員カード（第１会員カード４又は第２会員カード５）をカードリーダ３３に挿入すると、該カードリーダ３３により受け付けた会員カードの磁気ストライプから読み取った会員ＩＤ（第１会員ＩＤ又は他システム会員ＩＤ）を含む会員統合要求Ａが、インターネットを介して、ポイント管理装置５０に対して送信される。このポイント管理装置５０からは、該会員統合要求Ａに含まれる会員ＩＤに対応付けて図１０（ａ）に示すエンコード情報ＤＢで記憶されている会員カードＩＤ（第１会員カードＩＤ又は第２会員カードＩＤ）が返信されてくる。キオスク端末３０においては、図３５のＤ３２１又はＤ３２２に示すように、ポイント管理装置５０から返信されてきた既登録の会員カードＩＤが表示され、暗証番号（第１会員カード４の発行時に登録された暗証番号，又は登録を希望する暗証番号）が、会員により入力される。
【０１３６】
次に図３５のＤ３２４に示すように、会員が未登録の会員カード（第１会員カード４又は第２会員カード５）をカードリーダ３３に挿入すると、該カードリーダ３３により受け付けた会員カードの磁気ストライプから読み取った会員ＩＤ（第１会員ＩＤ又は他システム会員ＩＤ）を含む会員統合要求Ｂが、インターネットを介して、ポイント管理装置５０に対して送信される。このポイント管理装置５０からは、該会員統合要求Ｂに含まれる会員ＩＤに対応付けて図１０（ａ）に示すエンコード情報ＤＢで記憶されている会員カードＩＤ（第１会員カードＩＤ又は第２会員カードＩＤ）が返信されてくる。キオスク端末３０においては、図３５のＤ３２５又はＤ３２６に示すように、ポイント管理装置５０から返信されてきた未登録の会員カードＩＤが表示され、暗証番号（第１会員カード４の発行時に登録された暗証番号，又は登録を希望する暗証番号）が、該会員により入力される。
【０１３７】
そして、Ｄ３２１又はＤ３２２で表示・入力された内容と、Ｄ３２４で挿入された会員カードから読み取った会員ＩＤ（第１会員ＩＤ又は他システム会員ＩＤ），及びＤ３２５又はＤ３２６で表示・入力された内容とを含む第２の会員統合要求が、インターネットを介して、ポイント管理装置５０に対して送信される。即ち、キオスク端末３０から送信される第２の会員統合要求も、会員統合要求Ａと会員統合要求Ｂと第２の会員統合要求の３回に分けて送信される。ここで最後に送信される第２の会員統合要求に含まれる各会員カードＩＤも、カードリーダ３３により読み取った第１会員特定情報である第１会員ＩＤ又は他システム会員ＩＤから特定されるものである。
【０１３８】
さらに２つの既登録の会員カードを統合する場合には、第２の会員統合要求の場合と同様に図３５のＤ３２０〜Ｄ３２２の後、Ｄ３２４に示すように、会員が既登録の会員カード（第１会員カード４又は第２会員カード５）をカードリーダ３３に挿入すると、該カードリーダ３３により受け付けた会員カードの磁気ストライプから読み取った会員ＩＤ（第１会員ＩＤ又は他システム会員ＩＤ）を含む会員統合要求Ｂが、インターネットを介して、ポイント管理装置５０に対して送信される。このポイント管理装置５０からは、該会員統合要求Ｂに含まれる会員ＩＤに対応付けて図１０（ａ）に示すエンコード情報ＤＢで記憶されている会員カードＩＤ（第１会員カードＩＤ又は第２会員カードＩＤ）が返信されてくる。キオスク端末３０においては、図３６のＤ３２７又はＤ３２８に示すように、ポイント管理装置５０から返信されてきた既登録の会員カードＩＤが表示され、既登録の暗証番号が、該会員により入力される。
【０１３９】
そして、Ｄ３２１又はＤ３２２で表示・入力された内容と、Ｄ３２７又はＤ３２８で表示・入力された内容とを含む第３の会員統合要求が、インターネットを介して、ポイント管理装置５０に対して送信される。即ち、キオスク端末３０から送信される第３の会員統合要求も、会員統合要求Ａと会員統合要求Ｂと第３の会員統合要求の３回に分けて送信される。ここで最後に送信される第３の会員統合要求に含まれる各会員カードＩＤも、カードリーダ３３により読み取った第１会員特定情報である第１会員ＩＤ又は他システム会員ＩＤから特定されるものである。
【０１４０】
即ちキオスク端末３０から送信される会員統合要求には、カードリーダ３３により受け付けた１枚目の会員カードから読み取った第１会員特定情報と、カードリーダ３３により受け付けた２枚目の会員カードから読み取った第１会員特定情報とが少なくとも含まれ、これにより複数の会員特定情報が含まれることになる。なお３つの会員カードを統合する場合には、３枚目の会員カードから読み取った第１会員特定情報がさらに含まれ、４つの会員カードを統合する場合には、４枚目の会員カードから読み取った第１会員特定情報がさらに含まれる。
【０１４１】
またキオスク端末３０からは、後述する図３３のＤ２００に示すように、カードリーダ３３により受け付けた会員カード（第１会員カード４又は第２会員カード５）の磁気ストライプから読み取った会員ＩＤ（第１会員ＩＤ又は他システム会員ＩＤ）を含むグループ店一覧要求が、インターネットを介して、ポイント管理装置５０に対して送信される。
【０１４２】
またキオスク端末３０からは、カードリーダ３３により受け付けた会員カードの磁気ストライプから読み取った会員ＩＤ（第１会員カード４の磁気ストライプ４ｃから読み取った第１会員ＩＤ，又は第２会員カード５の磁気ストライプ５ｃから読み取った他システム会員ＩＤ）を含むログイン画面配信要求が、インターネットを介して、ポイント管理装置５０に対して送信される。さらにキオスク端末３０からは、該ログイン画面配信要求に応じてポイント管理装置５０から返信されてきた会員カードＩＤ（第１会員カードＩＤ又は第２会員カードＩＤ）と、該ログイン画面配信要求に応じてポイント管理装置５０から配信されてきたログイン画面（図示外）で入力された、当該会員カードＩＤと対応付けて登録済の暗証番号とを含むログイン要求が、インターネットを介して、ポイント管理装置５０に対して送信される。ここでログイン要求は、後述する情報公開要求及び確認要求の一部である。このログイン要求に含まれる会員カードＩＤは、ポイント会員として対応付けて登録されているいずれの会員カードＩＤであっても良い。
【０１４３】
さらにキオスク端末３０からは、前記ログイン要求に応じてポイント管理装置５０から配信されてきたメニュー画面（図３７のＤ４０１を参照）に示される各ボタンの操作に応じて、ポイント確認・使用要求，登録情報の更新要求，グループ店一覧要求，グループ店追加情報要求，アンケート要求，イベント情報要求，当選情報要求，及び会員統合処理要求が、インターネットを介して、ポイント管理装置５０に対して送信される。ここでポイント確認・使用要求，登録情報の更新要求，グループ店一覧要求，及びグループ店追加情報要求は、後述する情報公開要求の一部であり、アンケート要求，イベント情報要求，及び当選情報要求は、後述する確認要求の一部である。
【０１４４】
次に、システム管理装置４０について説明する。システム管理装置４０は遊技場内の所定箇所（例えば管理事務所等）に設けられるものであり、図５に示すように接続されるユニット用通信部４１ａ，会員管理装置用通信部４１ｂ，場外通信部４１ｃ，外部通信部４１ｄ，制御部４２，ハードディスク４３，ディスプレイ４４，及び入力装置４５等を備えているコンピュータである。
【０１４５】
ユニット用通信部４１ａは、前述の如くカードユニット２０のシステム管理装置用通信部２６ａと通信可能に接続されており、システム管理装置４０とカードユニット２０との間における通信を司るものである。会員管理装置用通信部４１ｂは、第１会員管理装置１００のシステム管理装置用通信部１０１ｂと通信可能に接続されており、システム管理装置４０と第１会員管理装置１００との間における通信を司るものである。
【０１４６】
場外通信部４１ｃは、専用線を通じて遊技場外の通信機器とのデータ通信を可能とするためのデジタルサービスユニット（ＤＳＵ）等を備え、管理センタに設けられた転送装置７０と通信可能に接続されており、システム管理装置４０と転送装置７０との間における通信を司るものである。
【０１４７】
この場外通信部４１ｃからは、後述する図２２に示すように、遊技場の営業終了後において、システム管理装置４０にて管理されている残額管理ＤＢ（図８（ａ））の記憶内容が、転送装置７０を介してポイント管理装置５０に対して送信される。
【０１４８】
また場外通信部４１ｃからは、後述する図２３のＤ４０に示すように、定型レポート送信要求，メール送信要求，アンケート結果送信要求，及びポイント状況送信要求が、転送装置７０を介してポイント管理装置５０に対して送信される。
【０１４９】
外部通信部４１ｄは、インターネットと通信可能に接続されており、遊技場内に設置される各カードユニット２０と、インターネットを介して接続されるポイント管理装置５０との間における通信を中継するルータとして機能するものである。
【０１５０】
制御部４２は、ＣＰＵ，ＲＡＭ，ＲＯＭ等を備えており、ハードディスク４３に記憶されている処理プログラムがＲＡＭを作業領域としてＣＰＵで実行されることにより、システム管理装置４０に備えられる各構成要素の動作を制御して各種の処理を行うものである。
【０１５１】
記憶装置であるハードディスク４３は、図８（ａ）に示す残額管理ＤＢを記憶している。この残額管理ＤＢでは、会員カードＩＤと対応付けて、遊技用有価価値の大きさであるカード残額と、該会員カードＩＤの会員遊技者の本日（当該第１遊技場の営業当日）の使用有価価値の大きさである本日使用金額を記憶している。この残額管理ＤＢでは、各カードユニット２０から、会員カードＩＤと使用金額が送信されてくると、制御部４２の制御により、該送信されてきた会員カードＩＤに対応付けて記憶している本日使用金額に、該送信されてきた使用金額が加算更新される。この残額管理ＤＢの記憶内容である会員カードＩＤ，カード残額，及び本日使用金額は、遊技場の営業終了後に転送装置７０に対して送信される。
【０１５２】
ディスプレイ４４は、各種の情報を表示するための表示デバイスであり、例えば液晶ディスプレイである。このディスプレイ４４では、後述する図２３〜図２６に示すように、定型レポート，遊技場メール送信画面，アンケート結果，及び当該店舗が属するグループのポイント状況等の管理画面が表示される。入力装置４５はシステム管理装置４０に各種の情報を入力するためのデバイスであり、例えばキーボードやマウスである。
【０１５３】
次に、第１会員管理装置１００について説明する。第１会員管理装置１００は、第１遊技場内の所定箇所（例えば管理事務所等）に設けられるものであり、図５に示すように接続されるユニット用通信部１０１ａ，システム管理装置用通信部１０１ｂ，制御部１０２，ハードディスク１０３等を備えているコンピュータである。
【０１５４】
ユニット用通信部１０１ａは、前述の如くカードユニット２０の会員管理装置用通信部２１ａと通信可能に接続されており、第１会員管理装置１００とカードユニット２０との間における通信を司るものである。このユニット用通信部１０１ａは、前述の如く、カードユニット２０で読み取られた第１会員ＩＤ，及び該カードユニット２０に対応するパチンコ機１０で発生した遊技情報を受信する。
【０１５５】
システム管理装置用通信部１０１ｂは、システム管理装置４０の会員管理装置用通信部４１ｂと通信可能に接続されており、第１会員管理装置１００とシステム管理装置４０との間における通信を司るものである。このシステム管理装置用通信部１０１ｂは、第１会員情報ＤＢにより管理されている第１会員ＩＤと属性情報（暗証番号，氏名，住所，性別，生年月日，電子メールアドレス）とを送信するものであり、第１会員情報ＤＢへの会員ＩＤと属性情報の登録や登録情報の変更が行われた場合に、更新後の第１会員情報ＤＢの記憶内容を、システム管理装置４０及び転送装置７０を介してポイント管理装置５０に対して送信するが、前述の如く、ポイント管理装置５０に対して送信された該属性情報のうち、暗証番号は、第１会員ＩＤ及び第１会員カードＩＤと対応付けて、後述する図１０（ａ）に示すエンコード情報ＤＢで記憶されるが、該暗証番号以外の氏名，住所，性別，生年月日，及び電子メールアドレスは、特に使用されずに破棄される。
【０１５６】
制御部１０２は、ＣＰＵ，ＲＡＭ，ＲＯＭ等を備えており、ハードディスク１０３に記憶されている処理プログラムがＲＡＭを作業領域としてＣＰＵで実行されることにより、第１会員管理装置１００に備えられる各構成要素の動作を制御して各種の処理を行うものである。
【０１５７】
記憶装置であるハードディスク１０３は、図８（ｂ）に示す第１会員情報ＤＢを記憶している。この第１会員情報ＤＢは属性情報管理手段の一例であって、第１会員ＩＤと対応付けて、当該第１会員ＩＤから特定される第１会員遊技者の属性情報（暗証番号，氏名，住所，性別，生年月日，電子メールアドレス）を管理するものであり、第１遊技場の会員として会員登録を行った第１会員遊技者の「第１会員ＩＤ」に対応付けて、該第１会員遊技者の「暗証番号」と、同「氏名」と、同「住所」と、同「性別」と、同「生年月日」と、同「電子メールアドレス」が記憶されている。この第１会員情報ＤＢへ登録する情報の入力は、第１会員管理装置１００が備える図示しないディスプレイや入力装置を使用して行われる。また第１会員ＩＤに対応付けて、パチンコ機１０から送信されてきた遊技情報を集計してなる、大当り回数等の遊技情報も記憶されている。
【０１５８】
ここで前記制御部１０２は、後述する図９（ａ）に示すポイント会員情報ＤＢにおいて第１会員カードＩＤに対応する属性情報（氏名，住所，電子メールアドレス）の更新が行われたポイント管理装置５０から、該第１会員カードＩＤと更新後の属性情報とを受信したことに基づいて、該受信した第１会員カードＩＤに対応付けて第１会員情報ＤＢで記憶している属性情報を、該受信した更新後の属性情報に更新する処理を行う。
【０１５９】
次に、主に図６を参照して、第２遊技場に設置される各装置（カードユニット２０，キオスク端末３０，システム管理装置４０，及び第２会員管理装置２００）について説明する。ここでカードユニット２０，キオスク端末３０，及びシステム管理装置４０は、第１遊技場に設置されるそれらと同様のものである。ただしシステム管理装置４０の会員管理装置用通信部４１ｂは、第２会員管理装置２００とは接続されていない。またカードユニット２０は、以下の３点について、第１遊技場に設置されるカードユニット２０と異なる。
【０１６０】
まず１点目として、記録媒体受付手段であるカードＲ／Ｗ２５は、前記第１会員カード４に代えて、記録媒体として自店で発行された第２会員カード５を受け付けるものであり、図３（ｂ）に示すように、カード挿入口２１５ａから挿入された第２会員カード５を受け付けて、該第２会員カード５のＩＣチップ５ｂに記録されている第１会員特定情報である第２会員カードＩＤ，他システム会員ＩＤ，及びカード残額を読み取ると共に、会員カード玉貸処理が行われたことに基づいて、該会員カード玉貸処理に使用された使用金額を減算した後のカード残額を第２会員カード５に記録する（書き込む）ものである。
【０１６１】
また２点目として、会員管理装置用通信部２１ａからは、中継器に対して、カードＲ／Ｗ２５により読み取った他システム会員ＩＤが送信され、該他システム会員ＩＤと対応付けて、パチンコ機１０から該中継器に対して送信された遊技情報（大当り信号，スタート信号等）が第２会員管理装置２００に対して送信されることで、後述する図８（ｃ）に示すように、第２会員管理装置２００において、他システム会員ＩＤに対応付けて、各第２会員遊技者の大当り回数やスタート回数等の遊技情報を管理することができる。
【０１６２】
また３点目として、ディスプレイ２７のメッセージ表示領域２７ａでは、カードＲ／Ｗ２５が第２会員カード５を受け付けている状態で、図３１〜図３２，又は図３７〜図３９に示す画面が表示されるが、これについては後述する。またディスプレイ２７のメッセージ表示領域２７ａでは、図示しないが、カードＲ／Ｗ２５が第２会員カード５を受け付けている状態で、該第２会員カード５の他システム会員ＩＤに対応付けて第２会員管理装置２００で管理されている遊技情報（個人遊技情報）を閲覧可能であると共に、カードＲ／Ｗ２５が第２会員カード５を受け付けていない状態であっても、個人遊技情報以外の遊技情報やテレビ画像を閲覧可能である。
【０１６３】
ここでカードユニット２０において、ユニット制御部２２は第１登録要求送信手段の一例であって、カードＲ／Ｗ２５により読み取った第１会員特定情報を含む第１登録要求をポイント管理装置５０に対して送信するものであり、ここではユニット制御部２２の制御により、該第１会員特定情報である第２会員カードＩＤ，暗証番号（登録する暗証番号），及び会員の属性情報（性別及び生年月日）を含む第１登録要求が、カードユニット２０のカードＲ／Ｗ制御部２６，及びシステム管理装置用通信部２６ａと、システム管理装置４０の後述するユニット用通信部４１ａ，制御部４２，及び外部通信部４１ｄと、インターネットを介して（以下単に「インターネットを介して」と称する。）、ポイント管理装置５０に対して送信される。
【０１６４】
即ち、第２遊技場に設置されるカードユニット２０において、自店で発行された第２会員カード５についてポイント会員の登録を行う際には、後述する図３１のＤ２０３に示すように、カードＲ／Ｗ２５により受け付けた自店の第２会員カード５のＩＣチップ５ｂから読み取った第２会員カードＩＤが表示され、該会員の属性情報である性別及び生年月日と、ポイント会員として登録を希望する暗証番号（第２会員カード５の発行時に登録された暗証番号と異なっていても良い）とが、該会員により入力され、ＩＣチップ５ｂから読み取った第１会員特定情報である第２会員カードＩＤと、同じくＩＣチップ５ｂから読み取った他システム会員ＩＤと、入力された性別，生年月日，及び登録する暗証番号とを含む第１登録要求が、インターネットを介して、ポイント管理装置５０に対して送信される。
【０１６５】
またカードユニット２０からは、ユニット制御部２２の制御により、複数の会員特定情報を含む会員統合要求が、インターネットを介して、ポイント管理装置５０に対して送信される。この会員統合要求には、前述した第１の会員統合要求，第２の会員統合要求，及び第３の会員統合要求がある。このカードユニット２０から送信される会員統合要求に含まれる会員特定情報は、カードＲ／Ｗ２５が読み取った第１会員特定情報，及び会員が目視して入力した第２会員特定情報である。
【０１６６】
ここで２つの会員カードを統合する場合における第１の会員統合要求には、後述する図３２のＤ２１３に示すように、カードＲ／Ｗ２５により受け付けた自店の第２会員カード５のＩＣチップ５ｂから読み取った第１会員特定情報である未登録の第２会員カードＩＤと、同じくＩＣチップ５ｂから読み取った（ただし画面では表示されない）他システム会員ＩＤと、会員により入力された発行時に登録された暗証番号，及び属性情報が含まれると共に、同Ｄ２１６に示すように、会員により入力された第２会員特定情報である未登録の第１会員カードＩＤ及び第１会員ＩＤと、発行時に登録された暗証番号か、又は同Ｄ２１７に示すように、会員により入力された第２会員特定情報である未登録の第２会員カードＩＤ及び他システム会員ＩＤの下４桁と、及び登録を希望する暗証番号が含まれる。
【０１６７】
また２つの会員カードを統合する場合における第２の会員統合要求には、後述する図３２のＤ２１３に示すように、カードＲ／Ｗ２５により受け付けた自店の第２会員カード５のＩＣチップ５ｂから読み取った第１会員特定情報である未登録の第２会員カードＩＤと、同じくＩＣチップ５ｂから読み取った（ただし画面では表示されない）他システム会員ＩＤと、会員により入力された発行時に登録された暗証番号，及び属性情報が含まれると共に、同Ｄ２１８に示すように、会員により入力された第２会員特定情報である既登録の会員カードＩＤ（第１会員カードＩＤ又は第２会員カードＩＤ）及び登録済の暗証番号が含まれる。
【０１６８】
また２つの会員カードを統合する場合における第２の会員統合要求には、後述する図３２のＤ２１４に示すように、カードＲ／Ｗ２５により受け付けた自店の第２会員カード５のＩＣチップ５ｂから読み取った第１会員特定情報である既登録の第２会員カードＩＤと、会員により入力された既登録の暗証番号が含まれると共に、同Ｄ２１６に示すように、会員により入力された第２会員特定情報である未登録の第１会員カードＩＤ及び第１会員ＩＤと、発行時に登録された暗証番号か、又は同Ｄ２１７に示すように、会員により入力された第２会員特定情報である未登録の第２会員カードＩＤ及び他システム会員ＩＤの下４桁と、登録を希望する暗証番号が含まれる。
【０１６９】
さらに２つの会員カードを統合する場合における第３の会員統合要求には、後述する図３２のＤ２１４に示すように、カードＲ／Ｗ２５により受け付けた自店の第２会員カード５のＩＣチップ５ｂから読み取った第１会員特定情報である既登録の第２会員カードＩＤと、会員により入力された既登録の暗証番号が含まれると共に、同Ｄ２１８に示すように、会員により入力された第２会員特定情報である既登録の会員カードＩＤ（第１会員カードＩＤ又は第２会員カードＩＤ）及び登録済の暗証番号が含まれる。
【０１７０】
即ちカードユニット２０から送信される会員統合要求には、カードＲ／Ｗ２５により受け付けた第２会員カード５から読み取った第１会員特定情報と、会員が会員カード（第１会員カード４又は第２会員カード５）を目視して入力した第２会員特定情報とが少なくとも含まれ、これにより複数の会員特定情報が含まれることになる。なお３つの会員カードを統合する場合には、会員が３枚目のカードを目視して入力した第２会員特定情報がさらに含まれ、４つの会員カードを統合する場合には、会員が４枚目のカードを目視して入力した第２会員特定情報がさらに含まれる。
【０１７１】
またカードユニット２０からは、後述する図３１のＤ２００に示すように、カードＲ／Ｗ２５により受け付けた自店の第２会員カード５から読み取った第２会員カードＩＤを含むグループ店一覧要求が、インターネットを介して、ポイント管理装置５０に対して送信される。
【０１７２】
またカードユニット２０からは、ログイン画面配信要求が、インターネットを介して、ポイント管理装置５０に対して送信される。さらにカードユニット２０からは、カードＲ／Ｗ２５により受け付けた自店の第２会員カード５のＩＣチップ５ｂから読み取った第２会員カードＩＤと、前記ログイン画面配信要求に応じてポイント管理装置５０から配信されてきたログイン画面（図示外）で入力された、当該第２会員カードＩＤと対応付けて登録済の暗証番号とを含むログイン要求が、インターネットを介して、ポイント管理装置５０に対して送信される。ここでログイン要求は、後述する情報公開要求及び確認要求の一部である。
【０１７３】
さらにカードユニット２０からは、前記ログイン要求に応じてポイント管理装置５０から配信されてきたメニュー画面（図３７のＤ４０１を参照）に示される各ボタンの操作に応じて、ポイント確認・使用要求，登録情報の更新要求，グループ店一覧要求，グループ店追加情報要求，アンケート要求，イベント情報要求，当選情報要求，及び会員統合処理要求が、インターネットを介して、ポイント管理装置５０に対して送信される。ここでポイント確認・使用要求，登録情報の更新要求，グループ店一覧要求，及びグループ店追加情報要求は、後述する情報公開要求の一部であり、アンケート要求，イベント情報要求，及び当選情報要求は、後述する確認要求の一部である。
【０１７４】
次に、第２会員管理装置２００について説明する。この第２会員管理装置２００は、前述の如く、第１会員管理装置１００を設置・管理するカード会社とは異なる他社が設置・管理するものである。この第２会員管理装置２００は第２遊技場内の所定箇所（例えば管理事務所等）に設けられるものであり、図６に示すように接続されるユニット用通信部２０１ａ，制御部２０２，ハードディスク５３３等を備えているコンピュータである。
【０１７５】
ユニット用通信部２０１ａは、前述の如くカードユニット２０の会員管理装置用通信部２１ａと通信可能に接続されており、第２会員管理装置２００とカードユニット２０との間における通信を司るものである。このユニット用通信部２０１ａは、前述の如く、カードユニット２０で読み取られた他システム会員ＩＤ，及び該カードユニット２０に対応するパチンコ機１０で発生した遊技情報を受信する。
【０１７６】
制御部２０２は、ＣＰＵ，ＲＡＭ，ＲＯＭ等を備えており、ハードディスク５３３に記憶されている処理プログラムがＲＡＭを作業領域としてＣＰＵで実行されることにより、第２会員管理装置２００に備えられる各構成要素の動作を制御して各種の処理を行うものである。
【０１７７】
記憶装置であるハードディスク２０３は、図８（ｃ）に示す第２会員情報ＤＢを記憶している。この第２会員情報ＤＢでは、第２遊技場の会員として会員登録を行った第２会員遊技者の「他システム会員ＩＤ」に対応付けて、該第２会員遊技者の「暗証番号」と、同「氏名」と、同「住所」と、同「性別」と、同「生年月日」と、同「電子メールアドレス」が記憶されている。この第２会員情報ＤＢへ登録する情報の入力は、第２会員管理装置２００が備える図示しないディスプレイや入力装置を使用して行われる。また他システム会員ＩＤに対応付けて、パチンコ機１０から送信されてきた遊技情報を集計してなる、大当り回数等の遊技情報も記憶されている。
【０１７８】
次に、主に図７を参照して、遊技場外の各装置（転送装置７０，エンコード情報管理装置，及びポイント管理装置５０）について説明する。まず転送装置７０は、管理センタに設置されるコンピュータであって、カード会社に属するものである。この転送装置７０では、図８（ａ）に示す残額管理ＤＢを記憶している。この残額管理ＤＢは、前述したように、各遊技場から営業終了後に送信されてきた残額管理ＤＢの記憶内容（即ち会員カードＩＤに対応するカード残額及び本日使用金額）を記憶しているＤＢであり、各遊技場に対応する残額管理ＤＢの記憶内容を管理するＤＢである。なお、各遊技場から送信されてきた情報を、１つのデータテーブルにまとめて記憶しても良く、各遊技場毎に別のデータテーブルに記憶するようにしても良い。
【０１７９】
また転送装置７０は、各遊技場のシステム管理装置４０，及びカード会社のポイント管理装置５０と通信を行うためのインターフェイスを備えており、システム管理装置４０とポイント管理装置５０との間における通信，及びシステム管理装置４０とポイント管理装置５０との間における通信を中継する。ここでは、図８（ａ）に示す残額管理ＤＢの記憶内容が更新されると、該更新後の記憶内容をポイント管理装置５０に対して送信する。
【０１８０】
次に、エンコード情報管理装置６０について説明する。エンコード情報管理装置６０は、会員カードエンコード機構に設置されるコンピュータであって、図示しないが、エンコード情報ＤＢを記憶している。このエンコード情報ＤＢでは、各第１会員カード４に記録（エンコード）された第１会員ＩＤと第１会員カードＩＤとの対応付け，及び各第２会員カード５に記録（エンコード）された他システム会員ＩＤと第２会員カードＩＤとの対応付けを示すエンコード情報とが記憶されている。またエンコード情報管理装置６０は、カード会社のポイント管理装置５０と通信を行うためのインターフェイス（例えば専用線に接続するための機器等）を備えている。ここでは、ポイント管理装置５０からの要求に応じて、エンコード情報ＤＢの記憶内容を該ポイント管理装置５０に対して送信する。
【０１８１】
次に、ポイント管理装置５０について説明する。ポイント管理装置５０は、図９（ａ）に示すように、会員識別情報（会員カードＩＤ）を登録すると共に、該登録した会員識別情報に対応付けて、当該記録媒体（第１会員カード４又は第２会員カード５）の所有者のポイントを管理するものである。ここでのポイントは、当該記録媒体の所有者の使用金額に応じて付与される点数である。またポイント管理装置５０は、会員の属性情報（性別，生年月日等）を含む登録要求（第１登録要求又は第２登録要求）を受信し、前記登録した会員識別情報に対応付けて、該受信した登録要求に含まれる属性情報を管理するものである。
【０１８２】
またポイント管理装置５０は、後述する図２７〜図３６に示すポイント会員登録画面，及び図３７〜図３９に示すポイント会員専用画面を登録端末（ＰＣ６，携帯電話７，カードユニット２０，キオスク端末３０）に対して配信するウェブサーバとして機能するものである。さらにポイント管理装置５０は、後述する図２３〜図２６に示す管理画面をシステム管理装置４０に対して送信する経営支援装置として機能するものである。
【０１８３】
このポイント管理装置５０は、カード会社内の所定箇所（例えば管理事務所等）に設置されるものであり、図７に示すように接続されるエンコード情報管理装置用通信部５１ａ，転送装置用通信部５１ｂ，外部通信部５１ｃ，制御部５２，ハードディスク５３，ディスプレイ５４，及び入力装置５５等を備えているコンピュータである。このポイント管理装置５０は、インターネット接続機能を備えるものであり、外部通信部５１ｃを介してインターネットに接続されている。
【０１８４】
エンコード情報管理装置用通信部５１ａは、会員カードエンコード機構に設置されるエンコード情報管理装置６０と通信可能に接続されており、ポイント管理装置５０とエンコード情報管理装置６０との間における通信を司るものであり、ここではエンコード情報管理装置６０からエンコード情報ＤＢの記憶内容を受信する。
【０１８５】
転送装置用通信部５１ｂは、管理センタに設置される転送装置７０と通信可能に接続されており、ポイント管理装置５０と転送装置７０との間における通信を司るものである。この転送装置用通信部５１ｂは、後述する図２４のＤ５０で、送信内容として入力されたイベントの内容を含むと共に、送信対象として選択されたイベント対象会員の属性情報を含むメール送信要求を、システム管理装置４０から転送装置７０を介して受信することにより、会員に対して通知する通知内容（ここではイベントの内容）と、通知対象とする会員の会員カードＩＤを特定可能な情報（ここではイベント対象会員の属性情報）とを設定する通知情報設定手段として機能するものである。
【０１８６】
外部通信部５１ｃは、インターネットと通信可能に接続されており、ポイント管理装置５０とインターネットを介して接続される登録端末（ＰＣ６，携帯電話７，カードユニット２０，キオスク端末３０）との間における通信を司るものである。
【０１８７】
制御部５２は、ＣＰＵ，ＲＡＭ，ＲＯＭ等を備えており、ハードディスク５３に記憶されている処理プログラムがＲＡＭを作業領域としてＣＰＵで実行されることにより、ポイント管理装置５０に備えられる各構成要素の動作を制御して各種の処理を行うものであるが、その機能については後述する。
【０１８８】
記憶装置であるハードディスク５３は、図９（ａ）に示すように、ポイント会員情報ＤＢを記憶している。このポイント会員情報ＤＢは会員情報管理手段の一例であって、後述する登録手段（制御部５２）により登録した会員カードＩＤ（第１会員カードＩＤ，第２会員カードＩＤ）に対応付けて、当該会員カードＩＤの会員カード（第１会員カード４，第２会員カード５）の所有者のポイントを管理するものである。このポイント会員情報ＤＢでは、会員カードＩＤに対応付けて、他の会員カードＩＤ，暗証番号，属性情報（氏名，住所，性別，生年月日，電子メールアドレス），累積使用金額，及びポイント数を記憶（管理）する欄が設けられている。
【０１８９】
このポイント会員情報ＤＢの各欄の内容は、以下のようにして記憶される。まず情報端末（ＰＣ６又は携帯電話７）から、後述する図２７のＤ１０２に示すように、空メールを受信すると、後述する電子メールアドレス取得手段として機能する制御部５２により、該空メールの送信元の電子メールアドレス及びＰＣ６又は携帯電話７のＩＰアドレスが取得され、該取得された電子メールアドレス及び（図示しないが）ＩＰアドレスが記憶される。なお電子メールアドレスは、後述する図３８のＤ４３０に示すように、登録端末（ＰＣ６，携帯電話７，カードユニット２０，キオスク端末３０）から事後的に登録・変更することも可能である。
【０１９０】
また情報端末であるＰＣ６又は携帯電話７から、会員カードＩＤ（第１会員カードＩＤ又は第２会員カードＩＤ）と会員ＩＤ（第１会員ＩＤ又は他システム会員ＩＤの下４桁）と暗証番号（登録時の暗証番号又は登録する暗証番号）と属性情報（性別及び生年月日）とを含む前記第２登録要求を受信し、後述する図４０の如く、制御部５２によりポイント会員として登録すると判定されると、該第２登録要求の送信元のＰＣ６又は携帯電話７のＩＰアドレスに対応付けて記憶されている電子メールアドレスが特定され、該特定された電子メールアドレスに対応付けて、該第２登録要求に含まれる会員カードＩＤが記憶され、該会員カードＩＤに対応付けて、該第２登録要求に含まれる暗証番号及び属性情報が記憶される。
【０１９１】
また店舗端末であるカードユニット２０から、会員カードＩＤ（第１会員カードＩＤ又は第２会員カードＩＤ）と会員ＩＤ（第１会員ＩＤ又は他システム会員ＩＤ）と暗証番号（登録時の暗証番号又は登録する暗証番号）と属性情報（性別及び生年月日）とを含む前記第１登録要求を受信し、後述する図４０の如く、制御部５２によりポイント会員として登録すると判定されると、該第１登録要求に含まれる会員カードＩＤが記憶され、該会員カードＩＤに対応付けて、該第１登録要求に含まれる暗証番号及び属性情報が記憶される。
【０１９２】
また店舗端末であるキオスク端末３０から、会員カードＩＤ（第１会員カードＩＤ又は第２会員カードＩＤ）と会員ＩＤ（第１会員ＩＤ又は他システム会員ＩＤ）と暗証番号（登録時の暗証番号又は登録する暗証番号）と属性情報（性別及び生年月日）とを含む前記第１登録要求Ｂを受信し、後述する図４０の如く、制御部５２によりポイント会員として登録すると判定されると、該第１登録要求Ｂに含まれる会員カードＩＤ（即ち前記第１登録要求Ａに含まれる会員ＩＤから特定された会員カードＩＤ）が記憶され、該会員カードＩＤに対応付けて、該第１登録要求Ｂに含まれる暗証番号及び属性情報が記憶される。
【０１９３】
また登録端末から、複数の会員カードＩＤ（第１会員カードＩＤ又は第２会員カードＩＤ）を含む前記会員統合要求（第１の会員統合要求，第２の会員統合要求，又は第３の会員統合要求）を受信し、後述する図４１の如く、制御部５２により統合すると判定されると、未登録の会員カードＩＤについては、登録要求（第１登録要求，第１登録要求Ｂ，又は第２登録要求）を受信した場合と同様にして、ポイント会員として登録され、かつ該会員統合要求に含まれる一の会員カードＩＤに対応する他の会員カードＩＤの記憶欄に、該会員統合要求に含まれる他の会員カードＩＤが記憶される。具体的には、例えば会員統合要求にＡ００００１の第１会員カードＩＤとＸ００００３の第２会員カードＩＤとを含む場合には、Ａ００００１の会員カードＩＤに対応する他の会員カードＩＤの記憶欄に、Ｘ００００３の会員カードＩＤが記憶されると共に、Ｘ００００３の会員カードＩＤに対応する他の会員カードＩＤの記憶欄に、Ａ００００１の会員カードＩＤが記憶される。
【０１９４】
また後述する抽選への当選を知らせる電子メールを送信したＰＣ６，携帯電話７から、後述する図１８のＤ３１に示すように、氏名及び住所を含む電子メールを受信すると、該電子メールの送信元である電子メールアドレスに対応する会員カードＩＤ及び当該会員カードＩＤに対応付けられている他の会員カードＩＤに対応付けて、該受信した氏名及び住所が記憶される。また会員カードＩＤを含むログイン要求を送信した登録端末から、後述する図３８のＤ４１３−２又は図３９のＤ４８０−２に示すように、氏名及び住所を受信すると、該ログイン要求に含まれる会員カードＩＤ及び当該会員カードＩＤに対応付けられている他の会員カードＩＤに対応付けて、該受信した氏名及び住所が記憶される。具体的には、例えばＡ００００１の第１会員カードＩＤとＸ００００３の第２会員カードＩＤとが対応付けられている場合には、Ａ００００１の会員カードＩＤに対応付けて氏名及び住所が記憶されると共に、Ｘ００００３の会員カードＩＤに対応付けて氏名及び住所が記憶される。なお氏名及び住所は、図３８のＤ４３０に示すように、登録端末（ＰＣ６，携帯電話７，カードユニット２０，キオスク端末３０）から事後的に登録・変更することも可能である。
【０１９５】
また転送装置７０から、遊技場の営業終了後に、図８（ａ）に示す残額管理ＤＢの記憶内容が送信されてくると、該残額管理ＤＢで各会員カードＩＤと対応付けて記憶されている本日使用金額が、当該ポイント会員情報ＤＢにおいて各会員カードＩＤと対応付けて記憶されている累積使用金額に対して加算更新される。そして各会員カードＩＤに対応する本日使用金額に基づいて、制御部５２が実行するポイント付与処理により付与されたポイントが、当該ポイント会員情報ＤＢにおいて各会員カードＩＤと対応付けて記憶されているポイント数に対して加算更新される。
【０１９６】
また登録端末から、後述する図３７のＤ４１０−１，又はＤ４１０−２に示すように、当該画面で選択した賞の抽選への応募を示す応募情報を受信すると、該応募情報の送信元である登録端末から送信されているログイン要求に含まれる会員カードＩＤ（後述するログインＩＤ）に対応付けて記憶しているポイント数から、該選択した賞に応募するために必要なポイント数が減算更新される。また登録端末から、後述する図３８のＤ４１２−１，又はＤ４１２−２に示すように、当該画面で選択した商品との交換を示す交換情報を受信すると、該交換情報の送信元である登録端末から送信されているログイン要求に含まれる会員カードＩＤ（後述するログインＩＤ）に対応付けて記憶しているポイント数から、該選択した商品と交換するために必要なポイント数が減算更新される。
【０１９７】
またハードディスク５３は、図９（ｂ）に示すように、通知情報ＤＢを記憶している。この通知情報ＤＢは、会員カードＩＤに対応付けて、当該会員カードＩＤの会員に対して通知する通知情報を記憶するものであり、ここでは該通知情報として、後述するグループ店追加情報，アンケート情報，イベント情報，及び当選情報を記憶するように構成されている。この通知情報ＤＢの各欄の記憶方法及び消去方法については後述する。なおアンケート情報は、当該アンケートのアンケート期間が終了すると消去される。
【０１９８】
またハードディスク５３は、図９（ｃ）に示すように、使用金額ＤＢを記憶している。この使用金額ＤＢでは、会員カードＩＤに対応付けて、該会員カードＩＤの会員遊技者が当日の遊技に使用した使用価値の大きさである使用金額を、営業日別使用金額として営業日別に記憶している。この使用金額ＤＢでは、転送装置７０から、遊技場の営業終了後に、図８（ａ）に示す残額管理ＤＢの記憶内容が送信されてくると、該残額管理ＤＢで各会員カードＩＤと対応付けて記憶されている本日使用金額が、当日の営業日別使用金額の記憶欄に記憶される。
【０１９９】
またハードディスク５３は、図１０（ａ）に示すように、エンコード情報ＤＢを記憶している。このエンコード情報ＤＢでは、エンコード情報管理装置６０から取得したエンコード情報として、各第１会員カード４に記録された第１会員ＩＤと第１会員カードＩＤとの対応付け，及び各第２会員カード５に記録された他システム会員ＩＤと第２会員カードＩＤとの対応付けが記憶されると共に、第１会員管理装置１００から、店舗会員として登録した第１会員ＩＤ，暗証番号（即ち第１会員カード４の発行時に登録された暗証番号），及び属性情報が送信されてきたときに、該送信されてきた第１会員ＩＤに対応する暗証番号が記憶される。
【０２００】
またハードディスク５３は、図１０（ｂ）に示すように、グループ情報ＤＢを記憶している。このグループ情報ＤＢは、後述するグループ設定手段（ディスプレイ５４及び入力装置５５）によりグループ店として設定された複数の店舗を特定可能なグループ情報を記憶するものであり、ここではグループ名に対応付けて、当該グループに属する複数の店舗の店舗名及び店舗ＩＤを記憶していると共に、各店舗ＩＤに対応付けて、ポイント会員数，総獲得ポイント数，残ポイント数，及び当月使用ポイント数（抽選応募使用ポイント数と商品交換使用ポイント数）を記憶し、かつポイント会員数，総獲得ポイント数，残ポイント数，及び当月使用ポイント数のグループ合計を記憶するように構成されている。なお各店舗は、いずれか１つのグループにしか属することができないので、１つの店舗が複数のグループに登録されることはない。
【０２０１】
またハードディスク５３は、図１０（ｃ）に示すように、店舗情報ＤＢを記憶している。このグループ情報ＤＢは、後述するグループ設定手段（ディスプレイ５４及び入力装置５５）によりグループ店として設定可能な店舗（換言すれば未だいずれのグループ店としても設定されていない店舗）を記憶するものであり、ここでは、各店舗ＩＤに対応付けて、ポイント会員数，総獲得ポイント数，残ポイント数，及び当月使用ポイント数（抽選応募使用ポイント数と商品交換使用ポイント数）を記憶するように構成されている。
【０２０２】
これらグループ情報ＤＢ及び店舗情報ＤＢにおいて、ポイント会員数は、ポイント会員として登録した当該店舗の店舗会員の数（即ちポイント会員情報ＤＢにおいて登録されている当該店舗の会員カードＩＤの数）であり、ポイント会員情報ＤＢにおいてポイント会員の登録が行われると、ポイント会員数が加算更新される。
【０２０３】
また総獲得ポイント数は、当該店舗の各ポイント会員に対して付与されたポイント数の合計である。この総獲得ポイント数は、ポイント会員情報ＤＢにおけるポイント数の加算更新に伴って、該加算更新されたポイント数分だけ加算更新され、所定のタイミング（例えば半年毎，一年毎等）でリセットされる。
【０２０４】
また残ポイント数は、前記総獲得ポイント数のうち、各店舗の各ポイント会員が未使用のポイント数の合計である。この残ポイント数は、ポイント会員情報ＤＢにおけるポイント数の加算更新に伴って、該加算更新されたポイント数分だけ加算更新され、ポイント会員情報ＤＢにおけるポイント数の減算更新に伴って、該減算更新されたポイント数分だけ減算更新される。
【０２０５】
さらに当月使用ポイント数は、店舗の各ポイント会員が今月使用したポイント数の合計であり、抽選への応募に使用されたポイント数（以下「抽選応募使用ポイント数」と称する。）と、商品との交換に使用されたポイント数（以下「商品交換使用ポイント数」と称する。）とが、分けて記憶される。
【０２０６】
この抽選応募使用ポイント数は、ポイント会員情報ＤＢにおける抽選への応募に使用されたポイント数の減算更新に伴って、該減算更新されたポイント数分だけ加算更新される。また商品交換使用ポイント数は、ポイント会員情報ＤＢにおける商品との交換に使用されたポイント数の減算更新に伴って、該減算更新されたポイント数分だけ加算更新される。
【０２０７】
ここでグループは、商品交換使用ポイント数のグループ合計に応じた対価を負担し、グループに登録されていない各店舗は、当該店舗の商品交換使用ポイント数に応じた対価を負担する。なお抽選応募については、抽選応募使用ポイント数に応じた対価ではなく、各店舗が一律の料金（例えば月額○万円）は負担する。この当月使用ポイント数は、決済期間の１ヶ月が経過するとリセットされる。
【０２０８】
さらにハードディスク５３は、図１０（ｄ）に示すように、抽選情報ＤＢを記憶している。この抽選情報ＤＢでは、各抽選を識別可能な抽選ＩＤに対応付けて、該抽選の種別（ポイントを使用した抽選であるか、又はアンケートに対応した抽選であるか）と、該抽選への応募を受け付ける期間である応募期間と、該抽選にあたり用意される各賞の賞名と、各賞の当選者数と、各賞に応募するために必要なポイント数である必要ポイントと、各賞の説明と、各賞に応募した会員の会員カードＩＤ（第１会員カードＩＤ，第２会員カードＩＤ）とが記憶される。ここで抽選ＩＤから賞の説明までの各項目は、ポイント管理装置５０において抽選の設定が行われると記憶される。
【０２０９】
また応募者会員カードＩＤの項目は、以下のようにして記憶される。まず登録端末から、後述する図３７のＤ４１０−１，又はＤ４１０−２に示すように、当該画面で選択した賞の抽選への応募を示す応募情報を受信すると、当該抽選の抽選ＩＤに対応付けて、該選択した賞に対応する応募者会員カードＩＤの記憶欄に、該応募情報の送信元である登録端末から送信されているログイン要求に含まれる会員カードＩＤ（後述するログインＩＤ）が記憶される。また登録端末から、後述する図３９のＤ４６０に示すように、アンケートへの回答を含む回答情報を受信すると、当該アンケートに対応する抽選の抽選ＩＤに対応する応募者会員カードＩＤの記憶欄に、該回答情報の送信元である登録端末から送信されているログイン要求に含まれる会員カードＩＤ（後述するログインＩＤ）が記憶される。さらにアンケートが配信されたＰＣ６又は携帯電話７から、後述する図１３のＤ２１に示すように、アンケート期間中に前記回答情報と共に会員カードＩＤを受信すると、当該アンケートに対応する抽選の抽選ＩＤに対応する応募者会員カードＩＤの記憶欄に、該回答情報に含まれる会員カードＩＤが記憶される。
【０２１０】
ディスプレイ５４は各種の情報を表示するもの（例えば液晶ディスプレイ）であり、入力装置５５は各種の入力を受け付けるもの（例えばキーボードやマウス）である。
【０２１１】
これらディスプレイ５４及び入力装置５５はグループ設定手段の一例であって、複数の店舗をグループとして設定するものである。具体的には、ポイント管理装置５０のオペレータがグループ設定処理を実行すると、図１１のＤ０１に示すグループ編集画面がディスプレイ５４に表示される。このＤ０１では、新規店舗の登録を行うための「新規店舗の登録」ボタンと、新たなグループの設定を行うための「新グループの設定」ボタンと、既に登録されているグループに対する新規店舗の追加を行うための「グループ店の追加」ボタンが表示される。
【０２１２】
このＤ０１で、オペレータが入力装置５５を操作して、「新規店舗の登録」ボタンを操作すると、図１１のＤ０２に示す画面がディスプレイ５４に表示される。このＤ０２では、新規店舗の店舗名と店舗ＩＤの入力が求められると共に、店舗名の入力欄と店舗ＩＤの入力欄が表示される。このＤ０２で、オペレータが入力装置５５を操作して店舗名と店舗ＩＤを入力し、「登録」ボタンを操作すると、図１０（ｃ）に示す店舗情報ＤＢにおいて、該入力された店舗名と店舗ＩＤとが対応付けて記憶される。
【０２１３】
また前記Ｄ０１で、オペレータが入力装置５５を操作して、「新グループの登録」ボタンを操作すると、図１１のＤ０３に示す画面がディスプレイ５４に表示される。このＤ０３では、新グループ名の入力と該グループに登録する店舗の選択が求められると共に、新グループ名の入力欄が表示され、かつ該グループに登録可能な店舗を選択するためのチェックボックスが、当該店舗の店舗ＩＤ又は店舗名（ここでは店舗ＩＤ）と対応付けて複数表示される。ここでグループに登録可能な店舗とは、いずれのグループにも登録されていない店舗であり、具体的には、図１０（ｃ）に示す店舗情報ＤＢにおいて記憶されている店舗である。
【０２１４】
このＤ０３で、オペレータが入力装置５５を操作して、新グループ名を入力し、グループ店として登録する複数の店舗に対応する各チェックボックスをチェックして選択し、「設定」ボタンを操作すると、該選択された複数の店舗がグループ店として設定され、図１０（ｂ）に示すグループ情報ＤＢにおいて、当該複数の店舗の店舗ＩＤとグループ名とが対応付けて記憶される。また該記憶された店舗ＩＤと対応付けて店舗情報ＤＢで記憶されている店舗名，ポイント会員数，総獲得ポイント数，残ポイント数，及び当月使用ポイント数（抽選応募使用ポイント数と商品交換使用ポイント数）が、当該店舗情報ＤＢから消去されると共に、グループ情報ＤＢに移行されて、前記記憶された店舗ＩＤと対応付けられる。
【０２１５】
また前記Ｄ０１で、オペレータが入力装置５５を操作して、「グループ店の追加」ボタンを操作すると、図１１のＤ０４に示す画面がディスプレイ５４に表示される。このＤ０４では、グループ店を追加するグループの選択が求められると共に、該グループを選択するためのコンボボックスが表示される。このコンボボックスでは、図１０（ｃ）に示すグループ情報ＤＢで記憶されているグループ名が表示される。
【０２１６】
このＤ０４で、オペレータが入力装置５５を操作して、コンボボックスに表示されるグループの中からグループ店を追加するグループを選択し、「次へ」ボタンを操作すると、図１１のＤ０５に示す画面がディスプレイ５４に表示される。このＤ０５では、図１０（ｂ）に示すグループ情報ＤＢの記憶内容に基づいて、Ｄ０４で選択したグループに属する店舗が表示され、該グループに追加する店舗の選択が求められると共に、該グループに登録可能な店舗を選択するためのチェックボックスが、当該店舗の店舗ＩＤ又は店舗名（ここでは店舗ＩＤ）と対応付けて複数表示される。ここでグループに登録可能な店舗とは、いずれのグループにも登録されていない店舗であり、前記と同様に、図１０（ｃ）に示す店舗情報ＤＢにおいて記憶されている店舗である。
【０２１７】
このＤ０５で、オペレータが入力装置５５を操作して、グループ店として追加する一又は複数の店舗に対応するチェックボックスをチェックして選択し、「設定」ボタンを操作すると、該選択された店舗がグループ店として新たに追加され、図１０（ｂ）に示すグループ情報ＤＢにおいて、Ｄ０４で選択されたグループにＤ０５で選択された店舗の店舗ＩＤが追加される。また該追加された店舗ＩＤと対応付けて店舗情報ＤＢで記憶されている店舗名，ポイント会員数，総獲得ポイント数，残ポイント数，及び当月使用ポイント数（抽選応募使用ポイント数と商品交換使用ポイント数）が、当該店舗情報ＤＢから消去されると共に、グループ情報ＤＢに移行されて、前記追加された店舗ＩＤと対応付けられる。
【０２１８】
このようにしてグループ設定手段により新たなグループの設定又は既に設定されているグループに対する新規店舗の追加が行われると、会員識別情報抽出手段として機能する制御部５２により、当該ポイント管理装置５０で既に登録されている会員識別情報（第１会員カードＩＤ，第２会員カードＩＤ）のうち、当該グループに属する各店舗で発行された記録媒体（第１会員カード４，第２会員カード５）の会員識別情報が抽出され、店舗通知手段として機能する制御部５２により、該会員識別情報抽出手段により抽出された会員識別情報の会員に対して前記グループに属する店舗の一覧又は前記新規店舗を通知するための処理が行われる。
【０２１９】
具体的には、会員識別情報抽出手段として機能する制御部５２は、新たなグループの設定が行われた場合には、図１０（ｂ）に示すグループ情報ＤＢから、該新たに設定されたグループに属する各店舗の店舗ＩＤを抽出し、図９（ａ）に示すポイント会員情報ＤＢから、該抽出された店舗ＩＤを含む会員カードＩＤを抽出する。また新規店舗の追加が行われた場合には、グループ情報ＤＢから、該新規店舗の追加が行われたグループに属する各店舗の店舗ＩＤを抽出し、ポイント会員情報ＤＢから、該抽出された店舗ＩＤを含む会員カードＩＤを抽出する。
【０２２０】
そして店舗通知手段として機能する制御部５２は、新たなグループの設定が行われた場合には、前記抽出された会員カードＩＤの会員に対して当該新たなグループに属する店舗の一覧を通知するための処理を行い、新規店舗の追加が行われた場合には、前記抽出された会員カードＩＤの会員に対して当該新規店舗を通知するための処理を行う。
【０２２１】
ここで店舗の一覧又は新規店舗を通知するための処理とは、前記抽出された会員カードＩＤに対応付けてポイント会員情報ＤＢで電子メールアドレスが登録されている会員については、店舗の一覧又は新規店舗を示す内容の電子メールを、当該電子メールアドレスに対して送信する処理である。また前記抽出された会員カードＩＤに対応付けてポイント会員情報ＤＢで電子メールアドレスが登録されていない会員については、図９（ｂ）に示す通知情報ＤＢにおいて、店舗の一覧又は新規店舗を示すグループ店追加情報を、当該会員カードＩＤに対応付けて記憶する処理であり、当該処理を行うことにより、登録端末から情報公開要求（ログイン要求及びグループ店追加情報要求）を受信したときに、該記憶しているグループ店追加情報（図３９のＤ４５０−２に示す店舗の一覧，又は同Ｄ４５０−１に示す新規店舗）が配信されて通知される。
【０２２２】
これによれば、新たなグループの設定又は既に設定されているグループに対する新規店舗の追加が行われた場合に、当該グループに属する各店舗で発行された記録媒体の所有者に対して、グループ店一覧又は新規店舗が通知されるので、会員に新たに統合できる店舗があることを認識させることができる。
【０２２３】
またディスプレイ５４及び入力装置５５はアンケート情報受付手段の一例であって、アンケート内容と、当該アンケートの対象とする会員遊技者（第１会員遊技者及び／又は第２会員遊技者）の属性情報（性別，年代）を受け付けるものである。具体的には、ポイント管理装置５０のオペレータがアンケート処理を実行すると、図１２のＤ１０に示すウェブコンテンツ作成画面がディスプレイ５４に表示される。このＤ１０では、「ウェブコンテンツ作成」ボタンと、「アンケートメール送信」ボタンが表示される。
【０２２４】
このＤ１０で、オペレータが入力装置５５を操作して、「ウェブコンテンツ作成」ボタンを操作すると、ウェブコンテンツ作成ソフトが起動して、図１２のＤ１１に示す画面がディスプレイ５４に表示される。このＤ１１では、ｈｔｍｌ形式でウェブに公開するアンケートを作成するための編集画面によって、アンケート内容を作成することができる。
【０２２５】
このＤ１１で、オペレータが入力装置５５を操作して、アンケートを作成し、「公開」ボタンを操作すると、ハードディスク５３において、該作成されたアンケートのデータがＵＲＬと対応付けて記憶され、該アンケートがウェブ上に公開されて、登録端末のブラウザで閲覧可能となる。
【０２２６】
一方、前記Ｄ１０で、オペレータが入力装置５５を操作して、「アンケートメール送信」ボタンを操作すると、メールソフトが起動して、図１２のＤ１２に示すアンケートメール送信画面がディスプレイ５４に表示される。このＤ１２では、送信する電子メールのタイトルと、送信内容（通知内容）の入力欄が設けられる他、送信対象（通知対象）となるポイント会員の属性を指定するためのチェックボックスが設けられており、性別，生年月日を属性として、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類されていて、前記アンケートのＵＲＬの送信対象（即ちアンケートの対象）とするグループを選択可能である。
【０２２７】
このＤ１２で、オペレータが入力装置５５を操作して、タイトルを入力し（ここでは「懸賞アンケート」）、チェックボックスをチェックすることにより送信対象グループを選択し（ここでは「３０代男性」）、送信内容を入力して（ここでは上記アンケートのＵＲＬ及び回答者に抽選でデジタルカメラが当たる旨）、「送信」ボタンを選択すると、該選択・入力された内容が設定される。即ちディスプレイ５４及び入力装置５５は、会員に対して通知する通知内容（ここでは送信内容として入力されたアンケートの内容）と、通知対象とする会員の会員カードＩＤを特定可能な情報（ここではアンケート対象会員の属性情報）とを設定する通知情報設定手段として機能するものである。
【０２２８】
また制御部５２は、該通知情報設定手段により設定された情報から特定される前記通知対象の会員カードＩＤに対応付けてポイント会員情報ＤＢで管理されている電子メールアドレスを抽出する電子メールアドレス抽出手段として機能するものであり、ここではＤ１２で選択されたグループの属性（ここでは３０代男性）に合致するポイント会員をポイント会員情報ＤＢで管理されている性別及び生年月日から特定し、該特定したポイント会員の会員カードＩＤを抽出すると共に、該会員カードＩＤに対応付けられている電子メールアドレスを抽出する。
【０２２９】
また制御部５２は、前記通知情報設定手段により設定された通知内容を提供するための通知情報を含む電子メールを該電子メールアドレス抽出手段により抽出された電子メールアドレス宛に送信する電子メール送信手段として機能するものであり、ここでは前記アンケートのＵＲＬを通知情報として含む電子メールを、外部通信部５１ｃからインターネットを介して当該電子メールアドレスに対して送信する処理を行う。
【０２３０】
この電子メールを受信したＰＣ６又は携帯電話７では、図１３のＤ２０のように、アンケートのＵＲＬが表示される。ポイント会員は、該ＵＲＬの入力又は選択によってＰＣ６又は携帯電話７が備えるインターネットブラウザ機能を使用し、Ｄ２１に示すように、ウェブ上で公開されているアンケートを閲覧することが可能である。ここでポイント会員がアンケートの内容に応じた選択肢（ここでは好きな景品の選択肢）に対応するチェックボックスをチェックして、画面左下の会員カードＩＤの入力欄に会員カードＩＤ（第１会員カードＩＤ，第２会員カードＩＤ）を入力し、「応募」ボタンを選択することで、チェックされた選択肢（即ちアンケートへの回答）を示す回答情報，及び入力された会員カードＩＤを、ポイント管理装置５０に対して送信する。
【０２３１】
ポイント管理装置５０では、アンケート期間中に前記回答情報と共に会員カードＩＤを受信すると、図１０（ｄ）に示す抽選情報ＤＢにおいて、当該アンケートに対応する抽選の抽選ＩＤ（ここでは４０３５）に対応付けて、該会員カードＩＤが記憶される。またポイント管理装置５０では、制御部５２により、アンケート期間中に受信した回答情報に基づいて、各選択肢の選択数が集計される。このアンケートの集計結果は、ハードディスク５３に記憶され、各遊技場のシステム管理装置４０からの要求に応じて、該システム管理装置４０に対して配信される。なおアンケートの集計結果は、アンケートの依頼元が他の企業であれば、インターネット等を介して当該他の企業に配信され、カード会社独自のアンケートであれば、ディスプレイ５４に表示される。
【０２３２】
このように、ポイント管理装置５０が、アンケートメール送信画面（図１２のＤ１２）にて受け付けた属性情報に合致するポイント会員の電子メールアドレスを、ポイント会員情報ＤＢで記憶されている電子メールアドレスの中から特定し、該特定した電子メールアドレス宛にアンケートのＵＲＬを送信する処理を行うので、ポイント管理装置５０で管理されているポイント会員の属性情報を、遊技場や他の企業から依頼されたアンケート調査に利用することができる。
【０２３３】
なお制御部５２は、図９（ｂ）に示す通知情報ＤＢにおいて、前記アンケートの内容を示すアンケート情報を通知情報として、前記通知対象の各会員カードＩＤに対応付けて記憶する処理を行う。従って、ポイント会員情報ＤＢで複数の会員カードＩＤが対応付けて登録されているポイント会員については、当該複数の会員カードＩＤの各々に対応付けてアンケート情報が記憶される。
【０２３４】
ここで前記制御部５２の機能について説明する。制御部５２は、前述の如き各ＤＢの更新や管理等の他に、［１］システム管理装置４０からの使用金額の受信に基づくポイント付与処理，［２］システム管理装置４０からの要求に基づく経営支援画面送信処理，［３］登録端末からの登録要求の受信に基づくポイント会員登録処理，［４］登録端末からの会員統合要求の受信に基づく統合処理，［５］登録端末からのグループ店一覧要求の受信に基づく店舗一覧返信処理，［６］応募期間の終了に基づく抽選処理，及び［７］登録端末からの情報公開要求の受信に基づくポイント会員専用画面配信処理等を行うものである。
【０２３５】
まず［１］システム管理装置４０からの使用金額の受信に基づくポイント付与処理に関し、制御部５２は、ポイント会員情報ＤＢ及び使用金額ＤＢにて管理されている使用価値の大きさ（累計使用金額，営業日別使用金額）に応じたポイントを付与するポイント付与処理を行う。具体的には、転送装置７０から残額管理ＤＢの記憶内容（図８（ａ））を受信すると、各会員カードＩＤに対応付けてポイント会員情報ＤＢで管理されているポイント数に対して、該受信した各会員カードＩＤに対応する本日使用金額，即ち使用金額ＤＢに営業日別使用金額として記憶される金額に応じたポイント（例えば１０００円で１ポイント）を加算更新する。
【０２３６】
次に［２］システム管理装置４０からの要求に基づく経営支援画面送信処理に関し、制御部５２は、前記定型レポート送信要求を受信すると、該定型レポート送信要求に含まれる期間について、属性情報別（性別，年代別）に使用価値の大きさの平均値（平均使用金額）を算出する平均使用価値算出処理を行う。具体的には、ポイント会員情報ＤＢにて管理されるポイント会員の性別，生年月日と、使用金額ＤＢにて管理される営業日別のポイント会員の使用金額に基づいて、性別，年代別の平均使用金額を算出する処理を行う。ここではポイント会員情報ＤＢにて管理されるポイント会員を、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類し、それぞれのグループにおける１日あたりの平均使用金額を、１日分のデータ，１週間分のデータ，１ヶ月分のデータに基づいて各々算出する。そして制御部５２は、該算出されたデータに基づいて、後述する図２３のＤ４５に示すように、各属性情報別（性別，年代別）の平均使用金額を棒グラフ形式で表した定型レポートを、転送装置用通信部５１ｂから転送装置７０を介して、前記定型レポート送信要求の送信元のシステム管理装置４０に対して送信する処理を行う。
【０２３７】
また制御部５２は、前記通知情報設定手段として機能する転送装置用通信部５１ｂが、後述する図２４のＤ５０で入力・選択された内容を含む前記メール送信要求を受信すると、電子メールアドレス抽出手段，及び電子メール送信手段として機能することにより、前記入力された送信内容を通知情報として含む電子メールを、外部通信部５１ｃからインターネットを介して当該電子メールアドレスに対して送信する処理を行うが、この機能の詳細については、図２４の説明で後述する。
【０２３８】
また制御部５２は、前記アンケート結果送信要求を受信すると、後述する図２５のＤ６０に示すように、ハードディスク５３で記憶しているアンケート結果の各選択肢の選択数を棒グラフ形式で表したレポートを、転送装置用通信部５１ｂから転送装置７０を介して、前記アンケート結果送信要求の送信元のシステム管理装置に対して送信する処理を行う。
【０２３９】
さらに制御部５２は、前記ポイント状況送信要求を受信すると、後述する図２６のＤ７０に示すように、図１０（ｂ）に示すグループ情報ＤＢの記憶内容を示す画面，又は後述する図２６のＤ７１に示すように、図１０（ｃ）に示す店舗情報ＤＢの記憶内容を示す画面を、転送装置用通信部５１ｂから転送装置７０を介して、前記ポイント状況送信要求の送信元のシステム管理装置４０に対して送信する処理を行うが、この機能の詳細については、図２６の説明で後述する。
【０２４０】
次に［３］登録端末からの登録要求の受信に基づくポイント会員登録処理に関し、制御部５２は、情報端末（ＰＣ６又は携帯電話７）から送信される前記第２登録要求に伴って、登録操作を行う会員の電子メールアドレスを該情報端末から取得する電子メールアドレス取得手段として機能するものである。具体的には、２登録要求の前提として、情報端末から空メールが送信されてくると、該空メールの送信元の電子メールアドレス及び情報端末のＩＰアドレスを取得する。ここで取得された電子メールアドレス及びＩＰアドレス（図示外）は、ポイント会員情報ＤＢに一時的に記憶され、該ＩＰアドレスの情報端末から第２登録要求が送信されてくると、該第２登録要求に含まれる第２会員特定情報から特定される会員カードＩＤに対応付けて記憶され、該ＩＰアドレスの情報端末から第２登録要求が所定期間（例えば３０分間）送信されてこないと消去される。
【０２４１】
また制御部５２は、図２７〜図３６に示すポイント会員登録画面を登録端末に対して配信する処理を行うが、これについては後述する。
【０２４２】
また制御部５２は、キオスク端末３０から第１登録要求Ａを受信すると、図１０（ａ）に示すエンコード情報ＤＢの記憶内容に基づいて、該送信されてきた第１登録要求Ａに含まれる会員ＩＤ（第１会員ＩＤ又は他システム会員ＩＤ）に対応する会員カードＩＤ（第１会員カードＩＤ又は第２会員カードＩＤ）を特定し、該特定した会員カードＩＤを、外部通信部５１ｃからインターネットを介して、前記第１登録要求Ａの送信元のキオスク端末３０に対して返信する、会員カードＩＤ特定処理を行う。
【０２４３】
また制御部５２は、登録端末（ＰＣ６，携帯電話７，カードユニット２０，キオスク端末３０）から第１会員カードＩＤと第１会員ＩＤと暗証番号とを含む登録要求（第１登録要求又は第２登録要求）を受信したときに、図１０（ａ）に示すエンコード情報ＤＢの記憶内容に基づいて、該受信した登録要求に含まれる第１会員カードＩＤに対応付けて記憶されている第１会員ＩＤ及び暗証番号が、該受信した登録要求に含まれる第１会員ＩＤ及び暗証番号と一致するか否かを判定するエンコード情報照合処理を行う。該判定を行わずに第１会員カードＩＤの登録を行うと、仮にＰＣ６又は携帯電話７において第１会員カードＩＤが間違って入力された場合であっても誤って登録されてしまうことから、第１会員ＩＤ及び暗証番号の一致も判定することとしたものである。
【０２４４】
同様に、制御部５２は、登録端末（ＰＣ６，携帯電話７，カードユニット２０，キオスク端末３０）から第２会員カードＩＤと他システム会員ＩＤ（下４桁又は全桁）とを含む登録要求（第１登録要求又は第２登録要求）を受信したときに、図１０（ａ）に示すエンコード情報ＤＢの記憶内容に基づいて、該受信した登録要求に含まれる第２会員カードＩＤに対応付けて記憶されている他システム会員ＩＤが、該受信した登録要求に含まれる他システム会員ＩＤと一致するか否かを判定するエンコード情報照合処理を行う。該判定を行わずに第２会員カードＩＤの登録を行うと、仮にＰＣ６又は携帯電話７において第２会員カードＩＤが間違って入力された場合であっても誤って登録されてしまうことから、他システム会員ＩＤの一致も判定することとしたものである。
【０２４５】
また制御部５２は、登録端末（ＰＣ６，携帯電話７，カードユニット２０，キオスク端末３０）から、前記登録要求（第１登録要求又は第２登録要求）を受信したことに基づいて、該受信した登録要求に含まれる属性情報（性別，生年月日）が既に管理されているか否かを判定する属性情報判定手段として機能するものである。具体的には、登録要求に含まれる性別及び生年月日が、図９（ａ）に示すポイント会員情報ＤＢで既に登録されているか否かを判定する。
【０２４６】
ここで既に登録されている場合とは、第１には、ポイント会員として既に登録している当該店舗の会員が当該店舗の他の会員の会員カードを拾って、該拾った会員カードの会員カードＩＤと当該会員の性別及び生年月日とを含む登録要求が送信されてきた場合であり、第２には、ポイント会員として既に登録している当該店舗の会員の、別の店舗の会員カードの会員カードＩＤと当該会員の性別及び生年月日とを含む登録要求が送信されてきた場合であり、第３には、当該店舗の当該会員の性別及び生年月日と同じ性別及び生年月日が当該店舗の他の会員の属性情報として偶然に登録されている場合である。ここで第１の場合はポイント会員として登録すべきでない場合であり、第２の場合と第３の場合はポイント会員として登録すべき場合である。
【０２４７】
また制御部５２は、該属性情報判定手段により管理されていると判定されたことを条件として、前記登録要求（第１登録要求又は第２登録要求）に含まれる会員特定情報（第１会員特定情報又は第２会員特定情報）から特定される会員カードＩＤ（即ち登録要求に含まれる会員カードＩＤ）に対応する店舗の店舗ＩＤと、前記既に管理されている属性情報に対応付けて既に登録されている会員カードＩＤに対応する店舗の店舗ＩＤとを特定する店舗特定手段として機能するものである。具体的には、会員カードＩＤの所定箇所（ここでは先頭１文字）には店舗ＩＤが含まれているという情報を記憶しているので、該情報に基づいて会員カードＩＤから店舗ＩＤを抽出することにより、店舗ＩＤを特定する。
【０２４８】
また制御部５２は、該店舗特定手段により特定された前記登録要求（第１登録要求又は第２登録要求）に含まれる会員特定情報（第１会員特定情報又は第２会員特定情報）から特定される会員カードＩＤ（即ち登録要求に含まれる会員カードＩＤ）に対応する店舗の店舗ＩＤと、前記既に登録されている会員識別情報に対応する店舗の店舗ＩＤとが一致するか否かを判定する店舗一致判定手段として機能するものである。ここで一致する場合には、前記第１の場合と第３の場合とが含まれる。
【０２４９】
さらに制御部５２は、該店舗一致判定手段により一致すると判定されたことを条件として、前記登録要求（第１登録要求又は第２登録要求）に含まれる会員特定情報（第１会員特定情報又は第２会員特定情報）から特定される会員カードＩＤ（即ち登録要求に含まれる会員カードＩＤ）と前記既に管理されている会員識別情報とを抽出する会員識別情報抽出手段として機能するものである。これにより、前記第１の場合と第３の場合に、対象となる会員カードＩＤが抽出される。
【０２５０】
また制御部５２は、店舗端末（カードユニット２０又はキオスク端末３０）から第１登録要求を受信したことに基づいて、該受信した第１登録要求に含まれる第１会員特定情報から会員カードＩＤを特定し、該特定した会員カードＩＤをポイント会員情報ＤＢに登録する登録手段として機能するものであり、具体的には、カードユニット２０から受信した第１登録要求に含まれる会員カードＩＤ（即ち第１会員特定情報であると共に会員識別情報である会員カードＩＤ）を登録し、またキオスク端末３０から受信した第１登録要求に含まれる会員カードＩＤ（即ち第１会員特定情報である会員ＩＤから特定された会員カードＩＤ）を登録する。
【０２５１】
また登録手段として機能する制御部５２は、情報端末（ＰＣ６又は携帯電話７）から第２登録要求を受信したことに基づいて、該受信した第２登録要求に含まれる第２会員特定情報から会員カードＩＤを特定し、該特定した会員カードＩＤをポイント会員情報ＤＢに登録するものであり、具体的には、情報端末から受信した第２登録要求に含まれる会員カードＩＤ（即ち第２会員特定情報であると共に会員識別情報である会員カードＩＤ）を登録する。
【０２５２】
ここで登録手段として機能する制御部５２は、前記エンコード情報照合処理で照合ＯＫと判定され、かつ前記属性情報判定手段により属性情報が登録されていないと判定されるか、又は該属性情報が登録されていると判定されても、前記店舗一致判定手段により店舗ＩＤが一致しないと判定されたことを条件として、会員カードＩＤの登録を行う。
【０２５３】
次に［４］登録端末からの会員統合要求の受信に基づく統合処理に関し、制御部５２は、キオスク端末３０から会員統合要求Ａ又は会員統合要求Ｂを受信すると、図１０（ａ）に示すエンコード情報ＤＢの記憶内容に基づいて、該送信されてきた会員統合要求Ａ又は会員統合要求Ｂに含まれる会員ＩＤ（第１会員ＩＤ又は他システム会員ＩＤ）に対応する会員カードＩＤ（第１会員カードＩＤ又は第２会員カードＩＤ）を特定し、該特定した会員カードＩＤを、外部通信部５１ｃからインターネットを介して、前記会員統合要求Ａ又は会員統合要求Ｂの送信元のキオスク端末３０に対して返信する、会員カードＩＤ特定処理を行う。
【０２５４】
また制御部５２は、登録端末（ＰＣ６，携帯電話７，カードユニット２０，キオスク端末３０）から、未登録の第１会員カードＩＤと第１会員ＩＤと暗証番号とを含む会員統合要求，又は未登録の第２会員カードＩＤと他システム会員ＩＤ（下４桁又は全桁）とを含む会員統合要求（即ち第１の会員統合要求，又は第２の会員統合要求）を受信したときに、前記エンコード情報照合処理を行う。
【０２５５】
また制御部５２は、登録端末（ＰＣ６，携帯電話７，カードユニット２０，キオスク端末３０）から、既登録の会員カードＩＤと暗証番号とを含む会員統合要求（即ち第２の会員統合要求，又は第３の会員統合要求）を受信したときに、図９（ａ）に示すポイント会員情報ＤＢの記憶内容に基づいて、該受信した会員カードＩＤ及び暗証番号を照合するポイント会員情報照合処理を行う。
【０２５６】
また前記店舗特定手段として機能する制御部５２は、登録端末（ＰＣ６，携帯電話７，カードユニット２０，キオスク端末３０）から、前記会員統合要求を受信したことに基づいて、該会員統合要求に含まれる複数の会員特定情報（第１会員特定情報，第２会員特定情報）から特定される複数の会員カードＩＤ（第１会員カードＩＤ，第２会員カードＩＤ）に対応する各店舗の店舗ＩＤを特定し、前記店舗一致判定手段として機能する制御部５２は、該店舗特定手段により特定された各店舗識別情報が一致するか否かを判定する。そして前記登録手段として機能する制御部５２は、該店舗一致判定手段により一致しないと判定されたことを条件として、前記複数の会員識別情報を対応付けて登録する一方、前記店舗一致判定手段により一致すると判定されたことを条件として、前記複数の会員識別情報を登録しない。
【０２５７】
ここで会員統合要求が前記第１の会員統合要求である場合には、前記店舗特定手段として機能する制御部５２は、店舗端末（カードユニット２０又はキオスク端末３０）から、当該ポイント管理装置５０に新たに登録する複数の会員カードＩＤ（第１会員カードＩＤ，第２会員カードＩＤ）のそれぞれを特定可能な第１会員特定情報及び／又は第２会員特定情報を複数を含む第１の会員統合要求を受信したことに基づいて、当該複数の第１会員特定情報及び／又は第２会員特定情報から特定される各会員カードＩＤ（即ち第１の会員統合要求に含まれる各会員カードＩＤ）に対応する各店舗の店舗ＩＤを特定すると共に、情報端末（ＰＣ６又は携帯電話７）から、当該ポイント管理装置５０に新たに登録する複数の会員カードＩＤ（第１会員カードＩＤ，第２会員カードＩＤ）のそれぞれを特定可能な複数の第２会員特定情報を含む第１の会員統合要求を受信したことに基づいて、当該複数の第２会員特定情報から特定される各会員カードＩＤ（即ち第１の会員統合要求に含まれる各会員カードＩＤ）に対応する各店舗の店舗ＩＤを特定する。
【０２５８】
次に前記店舗一致判定手段として機能する制御部５２は、該店舗特定手段により特定された各店舗ＩＤが一致するか否かを判定する。そして前記登録手段として機能する制御部５２は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しない。
【０２５９】
具体的には、図１４（ａ）に示すように、ある会員がポイント会員として未登録である場合において、図１４（ａ−１）に示すように、当該会員が操作する登録端末から、自分の未登録のＡ店の会員カードの会員カードＩＤ及び暗証番号と、自分の未登録のＢ店の会員カードの会員カードＩＤ及び暗証番号と、属性情報である性別及び生年月日とを含む第１の会員統合要求を受信すると、前記エンコード情報照合処理で照合ＯＫであると判定された後、店舗特定手段として機能する制御部５２は、該第１の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、登録手段として機能する制御部５２は、Ａ店の会員カードＩＤに対応付けて、第１の会員統合要求に含まれる暗証番号，及び性別と生年月日を登録し、かつＢ店の会員カードＩＤを他の会員カードＩＤとして登録すると共に（Ｓ３）、Ｂ店の会員カードＩＤに対応付けて、第１の会員統合要求に含まれる暗証番号，及び性別と生年月日を登録し、かつＡ店の会員カードＩＤを他の会員カードＩＤとして登録する（Ｓ４）。
【０２６０】
一方、図１４（ａ−２）に示すように、当該会員が操作する登録端末から、自分の未登録のＡ店の会員カードの会員カードＩＤ及び暗証番号と、他人の未登録のＡ店の会員カードの会員カードＩＤ及び暗証番号と、属性情報である性別及び生年月日とを含む第１の会員統合要求を受信すると、前記エンコード情報照合処理で照合ＯＫであると判定された後、店舗特定手段として機能する制御部５２は、該第１の会員統合要求に含まれる会員カードＩＤからＡ店の店舗ＩＤとＡ店の店舗ＩＤとを抽出し（Ｓ１）、店舗一致判定手段として機能する制御部５２は、該Ｓ１で抽出されたＡ店の店舗ＩＤとＡ店の店舗ＩＤとが一致であると判定し（Ｓ２）、登録手段として機能する制御部５２は、第１の会員統合要求に含まれる会員カードＩＤを登録しない（Ｓ３）。
【０２６１】
また会員統合要求が前記第２の会員統合要求である場合には、前記店舗特定手段として機能する制御部５２は、店舗端末（カードユニット２０又はキオスク端末３０）から、当該ポイント管理装置５０に新たに登録する会員カードＩＤ（第１会員カードＩＤ，第２会員カードＩＤ）を特定可能な第１会員特定情報又は第２会員特定情報と当該ポイント管理装置５０に既に登録されている会員カードＩＤを特定可能な第１会員特定情報又は第２会員特定情報とを含む第２の会員統合要求を受信したことに基づいて、該受信した第２の会員統合要求に含まれる第１会員特定情報及び／又は第２会員特定情報から特定される各会員カードＩＤ（即ち第２の会員統合要求に含まれる各会員カードＩＤ）に対応する各店舗の店舗ＩＤを特定すると共に、情報端末（ＰＣ６又は携帯電話７）から、当該ポイント管理装置５０に新たに登録する会員カードＩＤ（第１会員カードＩＤ，第２会員カードＩＤ）を特定可能な第１会員特定情報と当該ポイント管理装置５０に既に登録されている会員カードＩＤを特定可能な第２会員特定情報とを含む第２の会員統合要求を受信したことに基づいて、該受信した第２の会員統合要求に含まれる各第２会員特定情報から特定される各会員カードＩＤ（即ち第２の会員統合要求に含まれる各会員カードＩＤ）に対応する各店舗の店舗ＩＤを特定する。
【０２６２】
次に前記店舗一致判定手段として機能する制御部５２は、該店舗特定手段により特定された、前記新たに登録する会員識別情報に対応する店舗の店舗ＩＤと、前記既に登録されている会員識別情報に対応する店舗の店舗ＩＤとが一致するか否かを判定する。そして前記登録手段として機能する制御部５２は、該店舗一致判定手段により一致しないと判定されたことを条件として、前記新たに登録する複数の会員識別情報を前記既に登録されている会員識別情報に対応付けて登録する一方、前記店舗一致判定手段により一致すると判定されたことを条件として、前記新たに登録する複数の会員識別情報を登録しない。
【０２６３】
具体的には、図１５（ｂ）に示すように、ある会員が自分のＡ店の会員カードの会員カードＩＤをポイント会員として登録済である場合において、図１５（ｂ−１）に示すように、当該会員が操作する登録端末から、自分の既登録のＡ店の会員カードの会員カードＩＤ及び暗証番号と、自分の未登録のＢ店の会員カードの会員カードＩＤ及び暗証番号とを含む第２の会員統合要求を受信すると、前記エンコード情報照合処理及び前記ポイント会員情報照合処理で照合ＯＫであると判定された後、店舗特定手段として機能する制御部５２は、該第２の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、登録手段として機能する制御部５２は、Ｂ店の会員カードＩＤに対応付けて、第２の会員統合要求に含まれる暗証番号，及び既登録の性別と生年月日を登録し、かつＡ店の会員カードＩＤを他の会員カードＩＤとして登録すると共に（Ｓ３）、該Ｂ店の会員カードＩＤを、Ａ店の会員カードＩＤに対応付けて、他の会員カードＩＤとして登録する（Ｓ４）。
【０２６４】
一方、図１５（ｂ−２）に示すように、当該会員が操作する登録端末から、自分の既登録のＡ店の会員カードの会員カードＩＤ及び暗証番号と、他人の未登録のＡ店の会員カードの会員カードＩＤ及び暗証番号とを含む第２の会員統合要求を受信すると、前記エンコード情報照合処理及び前記ポイント会員情報照合処理で照合ＯＫであると判定された後、店舗特定手段として機能する制御部５２は、該第２の会員統合要求に含まれる会員カードＩＤからＡ店の店舗ＩＤとＡ店の店舗ＩＤとを抽出し（Ｓ１）、店舗一致判定手段として機能する制御部５２は、該Ｓ１で抽出されたＡ店の店舗ＩＤとＡ店の店舗ＩＤとが一致であると判定し（Ｓ２）、登録手段として機能する制御部５２は、他人のＡ店の会員カードＩＤを登録しない（Ｓ３）。
【０２６５】
ここで制御部５２は、第２の会員統合要求を受信したことに基づいて、該受信した第２の会員統合要求に含まれる会員特定情報（第１会員特定情報又は第２会員特定情報）から特定される既に登録されている会員カードＩＤ（即ち第２の会員統合要求に含まれる各会員カードＩＤ）に対応付けて登録されている会員カードＩＤが有るか否かを判定する同一会員判定手段として機能し、前記店舗特定手段として機能する制御部５２は、該同一会員判定手段により有ると判定されたことを条件として、前記対応付けて登録されている会員カードＩＤに対応する店舗の店舗ＩＤをさらに特定し、前記店舗一致判定手段として機能する制御部５２は、該店舗特定手段により特定された、前記対応付けて登録されている会員カードＩＤに対応する店舗の店舗ＩＤと、前記会員統合要求に含まれる会員特定情報から特定される新たに登録する会員カードＩＤに対応する店舗の店舗ＩＤとが一致するか否かを判定する。
【０２６６】
具体的には、図１５（ｂ’）に示すように、ある会員が自分のＡ店の会員カードの会員カードＩＤと、自分のＢ店の会員カードの会員カードＩＤとを対応付けてポイント会員として登録済である場合において、図１５（ｂ−１’）に示すように、当該会員が操作する登録端末から、自分の既登録のＡ店の会員カードの会員カードＩＤ及び暗証番号と、自分の未登録のＣ店の会員カードの会員カードＩＤ及び暗証番号とを含む第２の会員統合要求を受信すると、前記エンコード情報照合処理及び前記ポイント会員情報照合処理で照合ＯＫであると判定された後、店舗特定手段として機能する制御部５２は、該第２の会員統合要求に含まれる会員カードＩＤからＡ店の店舗ＩＤとＣ店の店舗ＩＤとを抽出し（Ｓ１）、店舗一致判定手段として機能する制御部５２は、該Ｓ１で抽出されたＡ店の店舗ＩＤとＣ店の店舗ＩＤとが不一致であると判定し（Ｓ２）、同一会員判定手段として機能する制御部５２は、該第２の会員統合要求に含まれる既登録のＡ店の会員カードＩＤに対応付けて登録されているＢ店の会員カードＩＤがあると判定し（Ｓ３）、店舗特定手段として機能する制御部５２は、該既登録のＢ店の会員カードＩＤからＢ店の店舗ＩＤを抽出し（Ｓ４）、店舗一致判定手段として機能する制御部５２は、前記Ｓ１で抽出されたＣ店の店舗ＩＤと該Ｓ４で抽出されたＢ店の店舗ＩＤとが不一致であると判定し（Ｓ５）、登録手段として機能する制御部５２は、Ｃ店の会員カードＩＤに対応付けて、第２の会員統合要求に含まれる暗証番号，及び既登録の性別と生年月日を登録し、かつＡ店の会員カードＩＤ，及びＢ店の会員カードＩＤを他の会員カードＩＤとして登録すると共に（Ｓ６）、該Ｃ店の会員カードＩＤを、Ａ店の会員カードＩＤに対応付けて、他の会員カードＩＤとして登録し、かつＢ店の会員カードＩＤに対応付けて、他の会員カードＩＤとして登録する（Ｓ７）。
【０２６７】
一方、図１５（ｂ−２’）に示すように、当該会員が操作する登録端末から、自分の既登録のＡ店の会員カードの会員カードＩＤ及び暗証番号と、他人の未登録のＢ店の会員カードの会員カードＩＤ及び暗証番号とを含む第２の会員統合要求を受信すると、前記エンコード情報照合処理及び前記ポイント会員情報照合処理で照合ＯＫであると判定された後、店舗特定手段として機能する制御部５２は、該第２の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、同一会員判定手段として機能する制御部５２は、該第２の会員統合要求に含まれる既登録のＡ店の会員カードＩＤに対応付けて登録されているＢ店の会員カードＩＤがあると判定し（Ｓ３）、店舗特定手段として機能する制御部５２は、該既登録のＢ店の会員カードＩＤからＢ店の店舗ＩＤを抽出し（Ｓ４）、店舗一致判定手段として機能する制御部５２は、前記Ｓ１で抽出されたＢ店の店舗ＩＤと該Ｓ４で抽出されたＢ店の店舗ＩＤとが一致であると判定し（Ｓ５）、登録手段として機能する制御部５２は、他人のＢ店の会員カードＩＤを登録しない（Ｓ６）。
【０２６８】
また会員統合要求が前記第３の会員統合要求である場合には、前記店舗特定手段として機能する制御部５２は、店舗端末（カードユニット２０又はキオスク端末３０）から、当該ポイント管理装置５０に既に登録されている複数の会員カードＩＤ（第１会員カードＩＤ，第２会員カードＩＤ）のそれぞれを特定可能な第１会員特定情報及び／又は第２会員特定情報を複数含む第３の会員統合要求を受信したことに基づいて、当該複数の第１会員特定情報及び／又は第２会員特定情報から特定される各会員カードＩＤ（即ち第３の会員統合要求に含まれる各会員カードＩＤ）に対応する各店舗の店舗ＩＤを特定すると共に、情報端末（ＰＣ６又は携帯電話７）から、当該ポイント管理装置５０に既に登録されている複数の会員カードＩＤ（第１会員カードＩＤ，第２会員カードＩＤ）のそれぞれを特定可能な複数の第２会員特定情報を含む第３の会員統合要求を受信したことに基づいて、当該複数の第２会員特定情報から特定される各会員カードＩＤ（即ち第３の会員統合要求に含まれる各会員カードＩＤ）に対応する各店舗の店舗ＩＤを特定する。
【０２６９】
次に前記店舗一致判定手段として機能する制御部５２は、該店舗特定手段により特定された各店舗ＩＤが一致するか否かを判定する。そして前記登録手段として機能する制御部５２は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しない。
【０２７０】
具体的には、図１６（ｃ）に示すように、ある会員が自分のＡ店の会員カードの会員カードＩＤと自分のＢ店の会員カードの会員カードＩＤとを各々ポイント会員として登録済である場合において、図１６（ｃ−１）に示すように、当該会員が操作する登録端末から、自分の既登録のＡ店の会員カードの会員カードＩＤ及び暗証番号と、自分の既登録のＢ店の会員カードの会員カードＩＤ及び暗証番号とを含む第３の会員統合要求を受信すると、前記ポイント会員情報照合処理で照合ＯＫであると判定された後、店舗特定手段として機能する制御部５２は、該第３の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、登録手段として機能する制御部５２は、Ａ店の会員カードＩＤに対応付けてＢ店の会員カードＩＤを他の会員カードＩＤとして登録し、かつＢ店の会員カードＩＤに対応付けてＡ店の会員カードＩＤを他の会員カードＩＤとして登録する（Ｓ３）。
【０２７１】
一方、図１６（ｃ−２）に示すように、当該会員が操作する登録端末から、自分の既登録のＡ店の会員カードの会員カードＩＤ及び暗証番号と他人の既登録のＡ店の会員カードの会員カードＩＤ及び暗証番号とを含む第３の会員統合要求を受信すると、前記ポイント会員情報照合処理で照合ＯＫである（即ち他人の既登録のＡ店の会員カードＩＤについては、第３の会員統合要求に含まれる暗証番号が、該会員カードＩＤに対応付けてポイント会員情報ＤＢに登録されている暗証番号と偶然に一致した）と判定された後、店舗特定手段として機能する制御部５２は、該第３の会員統合要求に含まれる会員カードＩＤからＡ店の店舗ＩＤとＡ店の店舗ＩＤとを抽出し（Ｓ１）、店舗一致判定手段として機能する制御部５２は、該Ｓ１で抽出されたＡ店の店舗ＩＤとＡ店の店舗ＩＤとが一致であると判定し（Ｓ２）、登録手段として機能する制御部５２は、第３の会員統合要求に含まれる会員カードＩＤの対応付けを行わない（Ｓ３）。
【０２７２】
ここで前記同一会員判定手段として機能する制御部５２は、第３の会員統合要求を受信したことに基づいて、該受信した第３の会員統合要求に含まれる会員特定情報（第１会員特定情報，第２会員特定情報）から特定される複数の会員カードＩＤ（即ち第２の会員統合要求に含まれる各会員カードＩＤ）のいずれかに対応付けて登録されている会員カードＩＤが有るか否かを判定し、前記店舗特定手段として機能する制御部５２は、該同一会員判定手段により有ると判定されたことを条件として、前記対応付けて登録されている会員カードＩＤに対応する店舗の店舗ＩＤをさらに特定し、前記店舗一致判定手段として機能する制御部５２は、該店舗特定手段により特定された、前記対応付けて登録されている会員カードＩＤに対応する店舗の店舗ＩＤと、前記会員統合要求に含まれる会員特定情報から特定される残りの会員カードＩＤに対応する店舗の店舗ＩＤとが一致するか否かを判定する。
【０２７３】
具体的には、図１６（ｃ’）に示すように、ある会員が自分のＡ店の会員カードの会員カードＩＤと自分のＢ店の会員カードの会員カードＩＤとを対応付けてポイント会員として登録済であり、かつ自分のＣ店の会員カードの会員カードＩＤをポイント会員として別個に登録済である場合において、図１６（ｃ−１’）に示すように、当該会員が操作する登録端末から、自分の既登録のＡ店の会員カードの会員カードＩＤ及び暗証番号と、自分の既登録のＣ店の会員カードの会員カードＩＤ及び暗証番号とを含む第３の会員統合要求を受信すると、前記ポイント会員情報照合処理で照合ＯＫであると判定された後、店舗特定手段として機能する制御部５２は、該第３の会員統合要求に含まれる会員カードＩＤからＡ店の店舗ＩＤとＣ店の店舗ＩＤとを抽出し（Ｓ１）、店舗一致判定手段として機能する制御部５２は、該Ｓ１で抽出されたＡ店の店舗ＩＤとＣ店の店舗ＩＤとが不一致であると判定し（Ｓ２）、同一会員判定手段として機能する制御部５２は、該会員統合要求に含まれる既登録のＡ店の会員カードＩＤに対応付けて登録されているＢ店の会員カードＩＤがあると判定し（Ｓ３）、店舗特定手段として機能する制御部５２は、該登録されているＢ店の会員カードＩＤからＢ店の店舗ＩＤを抽出し（Ｓ４）、店舗一致判定手段として機能する制御部５２は、前記Ｓ１で抽出されたＣ店の店舗ＩＤと該Ｓ４で抽出されたＢ店の店舗ＩＤとが不一致であると判定し（Ｓ５）、登録手段として機能する制御部５２は、Ｃ店の会員カードＩＤに対応付けて、Ａ店の会員カードＩＤ及びＢ店の会員カードＩＤを他の会員カードＩＤとして登録すると共に（Ｓ６）、該Ｃ店の会員カードＩＤを、Ａ店の会員カードＩＤに対応付けて、他の会員カードＩＤとして登録し、かつＢ店の会員カードＩＤに対応付けて、他の会員カードＩＤとして登録する（Ｓ７）。
【０２７４】
一方、図１６（ｃ−２’）に示すように、当該会員が操作する登録端末から、自分の既登録のＡ店の会員カードの会員カードＩＤ及び暗証番号と、他人の既登録のＢ店の会員カードの会員カードＩＤ及び暗証番号とを含む第３の会員統合要求を受信すると、前記ポイント会員情報照合処理で照合ＯＫである（即ち他人の既登録のＡ店の会員カードＩＤについては、第３の会員統合要求に含まれる暗証番号が、該会員カードＩＤに対応付けてポイント会員情報ＤＢに登録されている暗証番号と偶然に一致した）と判定された後、店舗特定手段として機能する制御部５２は、該第３の会員統合要求に含まれる会員カードＩＤからＡ店の店舗ＩＤとＢ店の店舗ＩＤとを抽出し（Ｓ１）、店舗一致判定手段として機能する制御部５２は、該Ｓ１で抽出されたＡ店の店舗ＩＤとＢ店の店舗ＩＤとが不一致であると判定し（Ｓ２）、同一会員判定手段として機能する制御部５２は、該会員統合要求に含まれる既登録のＡ店の会員カードＩＤに対応付けて登録されているＢ店の会員カードＩＤがあると判定し（Ｓ３）、店舗特定手段として機能する制御部５２は、該登録されているＢ店の会員カードＩＤからＢ店の店舗ＩＤを抽出し（Ｓ４）、店舗一致判定手段として機能する制御部５２は、前記Ｓ１で抽出されたＢ店の店舗ＩＤと該Ｓ４で抽出されたＢ店の店舗ＩＤとが一致であると判定し（Ｓ５）、登録手段として機能する制御部５２は、他人のＢ店の会員カードＩＤとの対応付けを行わない（Ｓ６）。
【０２７５】
また制御部５２は、前記店舗特定手段により特定された各店舗ＩＤが前記グループ設定手段（ディスプレイ５４及び入力装置５５）により設定されたグループに属する店舗の店舗ＩＤであるか否かを判定するグループ判定手段として機能し、前記登録手段として機能する制御部５２は、該グループ判定手段によりグループに属する店舗の店舗ＩＤであると判定されたことを条件として、前記複数の会員識別情報を対応付けて登録する。
【０２７６】
ここで会員統合要求が前記第１の会員統合要求である場合には、前記登録手段として機能する制御部５２は、前記グループ判定手段によりグループに属する店舗の店舗ＩＤであると判定されたことを条件として、前記複数の会員カードＩＤを対応付けて登録する一方、前記グループ判定手段によりグループに属する店舗の店舗ＩＤでないと判定されたことを条件として、前記複数の会員カードＩＤを対応付けずに各々登録する。
【０２７７】
具体的には、前記図１４（ａ−１）に示す例では、店舗特定手段として機能する制御部５２は、前記第１の会員統合要求に含まれる会員カードＩＤからＡ店の店舗ＩＤとＢ店の店舗ＩＤとを抽出しているので（Ｓ１）、グループ判定手段として機能する制御部５２は、図１０（ｂ）に示すグループ情報ＤＢの記憶内容に基づいて、該Ｓ１で抽出された店舗ＩＤが同一の◎◎グループに属すると判定し、登録手段として機能する制御部５２は、前記Ｓ３及びＳ４の登録を行う。
【０２７８】
一方、図示しないが、自分の未登録のＡ店の会員カードの会員カードＩＤ及び暗証番号と、自分の未登録のＤ店の会員カードの会員カードＩＤ及び暗証番号と、属性情報である性別及び生年月日とを含む第１の会員統合要求を受信すると、前記エンコード情報照合処理で照合ＯＫであると判定された後、店舗特定手段として機能する制御部５２は、該第１の会員統合要求に含まれる会員カードＩＤからＡ店の店舗ＩＤとＤ店の店舗ＩＤとを抽出し、グループ判定手段として機能する制御部５２は、図１０（ｂ）に示すグループ情報ＤＢの記憶内容に基づいて、該抽出された店舗ＩＤが同一のグループに属さない（即ち抽出された店舗ＩＤがグループに属する店舗の店舗ＩＤでない）と判定し、登録手段として機能する制御部５２は、Ａ店の会員カードＩＤとＤ店の会員カードＩＤとを対応付けないで各々別個に、Ａ店の会員カードＩＤに対応付けて、第１の会員統合要求に含まれる暗証番号，及び性別と生年月日を登録すると共に、Ｄ店の会員カードＩＤに対応付けて、第１の会員統合要求に含まれる暗証番号，及び性別と生年月日を登録する。
【０２７９】
また会員統合要求が前記第２の会員統合要求である場合には、前記登録手段として機能する制御部５２は、前記グループ判定手段によりグループに属する店舗の店舗ＩＤであると判定されたことを条件として、前記新たに登録する会員カードＩＤを前記既に登録されている会員カードＩＤに対応付けて登録する一方、前記グループ判定手段によりグループに属する店舗の店舗ＩＤでないと判定されたことを条件として、前記新たに登録する会員カードＩＤを前記既に登録されている会員カードＩＤに対応付けずに登録する。
【０２８０】
具体的には、前記図１５（ｂ−１）に示す例では、店舗特定手段として機能する制御部５２は、前記第２の会員統合要求に含まれる会員カードＩＤからＡ店の店舗ＩＤとＢ店の店舗ＩＤとを抽出しているので（Ｓ１）、グループ判定手段として機能する制御部５２は、図１０（ｂ）に示すグループ情報ＤＢの記憶内容に基づいて、該Ｓ１で抽出された店舗ＩＤが同一の◎◎グループに属すると判定し、登録手段として機能する制御部５２は、前記Ｓ３及びＳ４の登録を行う。
【０２８１】
一方、図示しないが、自分の既登録のＡ店の会員カードの会員カードＩＤ及び暗証番号と、自分の未登録のＤ店の会員カードの会員カードＩＤ及び暗証番号とを含む第２の会員統合要求を受信すると、前記エンコード情報照合処理及び前記ポイント会員情報照合処理で照合ＯＫであると判定された後、店舗特定手段として機能する制御部５２は、該第２の会員統合要求に含まれる会員カードＩＤからＡ店の店舗ＩＤとＤ店の店舗ＩＤとを抽出し、グループ判定手段として機能する制御部５２は、図１０（ｂ）に示すグループ情報ＤＢの記憶内容に基づいて、該抽出された店舗ＩＤが同一のグループに属さない（即ち抽出された店舗ＩＤがグループに属する店舗の店舗ＩＤでない）と判定し、登録手段として機能する制御部５２は、Ｄ店の会員カードＩＤをＡ店の会員カードＩＤに対応付けないで、該Ｄ店の会員カードＩＤに対応付けて、第２の会員統合要求に含まれる暗証番号，及び既登録の性別と生年月日を登録する。
【０２８２】
また会員統合要求が前記第３の会員統合要求である場合には、前記登録手段として機能する制御部５２は、前記グループ判定手段によりグループに属する店舗の店舗ＩＤであると判定されたことを条件として、前記複数の会員カードＩＤを対応付けて登録する一方、前記グループ判定手段によりグループに属する店舗の店舗ＩＤでないと判定されたことを条件として、前記複数の会員カードＩＤの対応付けを行わない。
【０２８３】
具体的には、前記図１６（ｃ−１）に示す例では、店舗特定手段として機能する制御部５２は、前記第３の会員統合要求に含まれる会員カードＩＤからＡ店の店舗ＩＤとＢ店の店舗ＩＤとを抽出しているので（Ｓ１）、グループ判定手段として機能する制御部５２は、図１０（ｂ）に示すグループ情報ＤＢの記憶内容に基づいて、該Ｓ１で抽出された店舗ＩＤが同一の◎◎グループに属すると判定し、登録手段として機能する制御部５２は、前記Ｓ３の登録を行う。
【０２８４】
一方、図示しないが、自分の既登録のＡ店の会員カードの会員カードＩＤ及び暗証番号と、自分の既登録のＤ店の会員カードの会員カードＩＤ及び暗証番号とを含む第３の会員統合要求を受信すると、前記前記ポイント会員情報照合処理で照合ＯＫであると判定された後、店舗特定手段として機能する制御部５２は、該第３の会員統合要求に含まれる会員カードＩＤからＡ店の店舗ＩＤとＤ店の店舗ＩＤとを抽出し、グループ判定手段として機能する制御部５２は、図１０（ｂ）に示すグループ情報ＤＢの記憶内容に基づいて、該Ｓ１で抽出された店舗ＩＤが同一のグループに属さない（即ち抽出された店舗ＩＤがグループに属する店舗の店舗ＩＤでない）と判定し、登録手段として機能する制御部５２は、Ａ店の会員カードＩＤとＤ店の会員カードＩＤとの対応付けを行わない。
【０２８５】
次に［５］登録端末からのグループ店一覧要求の受信に基づく店舗一覧返信処理に関し、前記店舗特定手段として機能する制御部５２は、登録端末（ＰＣ６，携帯電話７，カードユニット２０，キオスク端末３０）から、会員特定情報（第１会員特定情報又は第２会員特定情報）を含むグループ店一覧要求を受信したことに基づいて、当該会員特定情報から特定される会員カードＩＤ（第１会員カードＩＤ又は第２会員カードＩＤ）に対応する店舗の店舗ＩＤを特定する。具体的には、後述する図３０，図３１，又は図３３に示すように、登録端末から会員カードＩＤ又は会員ＩＤを含むグループ店一覧要求を受信した場合，又は後述する図３７に示すように、Ｄ４０１に示すグループ店一覧要求の前提として登録端末から会員カードＩＤを含むログイン要求を受信した場合に、それら会員カードＩＤ又は会員ＩＤから特定される会員カードＩＤに含まれる店舗ＩＤを抽出することにより店舗ＩＤを特定する。
【０２８６】
また制御部５２は、該店舗特定手段により特定された店舗ＩＤの店舗が属するグループのグループ店として前記グループ設定手段（ディスプレイ５４及び入力装置５５）により設定されている各店舗を特定するグループ店特定手段として機能するものである。具体的には、図１０（ｂ）に示すグループ情報ＤＢの記憶内容に基づいて、例えば店舗特定手段により特定された店舗ＩＤがＡ店の店舗ＩＤである場合には、該Ａ店が属する◎◎グループのグループ店として登録されているＢ店，Ｃ店，及びＸ店を特定する。
【０２８７】
さらに制御部５２は、該グループ店特定手段により特定された店舗の一覧を前記登録端末に対して返信する店舗一覧返信手段として機能するものである。具体的には、後述する図３０のＤ１２１，又は後述する図３９のＤ４５０に示すように、店舗の一覧を含む画面を、外部通信部５１ｃからインターネットを介して、前記グループ店一覧要求の送信元の登録端末に対して配信する。
【０２８８】
次に［６］応募期間の終了に基づく抽選処理に関し、制御部５２は、図１７に示すように、図１０（ｄ）に示す抽選情報ＤＢに記憶されている各抽選ＩＤから特定される抽選の応募期間の終了に伴って抽選処理を開始し（Ｓ８１）、まず抽選を行う（Ｓ８２）。この抽選方法としては、当該抽選の抽選ＩＤと対応付けて記憶されている会員カードＩＤから当選者数分の会員カードＩＤをランダムに抽出する（例えば乱数を発生させて該乱数に応じて会員カードＩＤを抽出する）方法により行われる。
【０２８９】
そして制御部５２は、会員に対して通知する通知内容（ここでは抽選に当選した旨）と、通知対象とする会員の会員カードＩＤを特定可能な情報（ここでは当選会員の会員カードＩＤ）とを設定する通知情報設定手段として機能し、図９（ｂ）に示す通知情報ＤＢにおいて、当選会員の会員カードＩＤに対応付けて、抽選に当選した旨を示す当選情報を記憶する（Ｓ８３）。また前記電子メールアドレス抽出手段として機能する制御部５２は、該通知情報設定手段により設定された情報から特定される前記通知対象の会員カードＩＤに対応付けてポイント会員情報ＤＢで管理されている電子メールアドレスを抽出し、ここでは図９（ａ）に示すポイント会員情報ＤＢの記憶内容に基づいて、当選会員の会員カードＩＤに対応付けられている電子メールアドレスを抽出する（Ｓ８４）。そして該電子メールアドレスが登録されているか否かを判定する（Ｓ８５）。このＳ８５で登録されていない（ＮＯ）と判定された場合には、処理を終了する（Ｓ８９）。この状態で、ポイント会員専用ホームページから当選情報の送信要求が有ると、前記Ｓ８３で記憶された当選情報が配信される（図３９のＤ４８０−１，Ｄ４８０−２）。
【０２９０】
一方、Ｓ８５で登録されている（ＹＥＳ）と判定された場合には、ポイント会員情報ＤＢにおいて、当選会員の会員カードＩＤに対応付けて氏名及び住所が登録されているか否かを判定する（Ｓ８６）。このＳ８６で登録されている（ＹＥＳ）と判定された場合には、再度氏名及び住所の登録は求めず、前記電子メール送信手段として機能する制御部５２により、図１８のＤ３０に示す当選情報を通知情報として含む電子メールを、当該電子メールアドレスに対して送信して（Ｓ８７）、処理を終了する（Ｓ８９）。一方、Ｓ８６で登録されていない（ＮＯ）と判定された場合には、氏名及び住所の登録を求め、前記電子メール送信手段として機能する制御部５２により、図１８のＤ３１に示す当選情報を通知情報として含む電子メールを、当該電子メールアドレスに対して送信して（Ｓ８８）、処理を終了する（Ｓ８９）。この状態で、ポイント会員専用ホームページから当選情報の送信要求が有っても、後述する電子メールアドレス管理判定手段により電子メールアドレスを管理していると判定されるので、当選情報は配信されない。
【０２９１】
図１８のＤ３０に示す電子メールでは、抽選に当選した旨のみが表示されている。ポイント管理装置５０が設置されるカード会社からは、該電子メールを送信した後に、登録されている氏名及び住所を宛先として、当選した賞品が発送される。一方、図１８のＤ３１に示す電子メールでは、抽選に当選した旨が表示されていると共に、氏名及び住所の入力が求められており、氏名及び住所の入力欄が表示されている。ここで会員が氏名及び住所を入力して「登録」ボタンを操作すると、該入力された氏名及び住所を含む電子メールがポイント管理装置５０に対して返信され、図９（ａ）に示すポイント会員情報ＤＢにおいて、該電子メールに含まれる氏名及び住所が、該電子メールの送信元である電子メールアドレスに対応付けて登録されると共に、当該電子メールアドレスに対応する会員カードＩＤに対応付けて登録されている他の会員カードＩＤが有る場合には、該電子メールに含まれる氏名及び住所が、当該他の会員カードＩＤに対応付けて登録される。そして該ポイント管理装置５０においては、ハードディスク５３で記憶している発送情報ＤＢ（図示外）で、当選したポイント会員の氏名及び住所に対応付けて、当選した賞品が登録され、カード会社からは、該登録された氏名及び住所を宛先として、当選した賞品が発送される。
【０２９２】
最後に［７］登録端末からの情報公開要求の受信に基づくポイント会員専用画面配信処理に関し、制御部５２は、ログイン画面配信要求の受信に応じてログイン画面を登録端末に対して配信する処理を行うが、これについては後述する。
【０２９３】
また前記同一会員判定手段として機能する制御部５２は、登録端末（ＰＣ６，携帯電話７，カードユニット２０，キオスク端末３０）から、会員カードＩＤを含む情報公開要求（ここではログイン要求）を受信したことに基づいて、該受信したログイン要求に含まれる会員カードＩＤに対応付けて登録されている他の会員カードＩＤが有るか否かを判定する。
【０２９４】
また制御部５２は、該同一会員判定手段により無いと判定されたことを条件として、情報公開要求に含まれる会員カードＩＤに関連する情報を前記登録端末に対して返信し、該同一会員判定手段により有ると判定されたことを条件として、情報公開要求に含まれる会員カードＩＤ及び該会員カードＩＤに対応付けて登録されている他の会員カードＩＤに関連する情報を登録端末に対して返信する関連情報返信手段として機能する。
【０２９５】
即ち前記情報公開要求の一部であるログイン要求には、後述する図３７のＤ４００に示すように、ポイント会員として登録されている会員カードの会員カードＩＤと暗証番号とが含まれるが、ここで含まれる会員カードＩＤが、ポイント会員として対応付けて登録されているいずれの会員カードＩＤであっても、該会員カードＩＤに関連する情報として、該会員カードＩＤに対応付けて、図９（ａ）に示すポイント会員情報ＤＢにおいて記憶されているポイントや、図９（ｂ）に示す通知情報ＤＢで記憶されているグループ店追加情報，アンケート，イベント情報，及び当選情報等を表示可能な、単一のポイント会員専用ホームページ（いわゆるマイページ）が配信される。
【０２９６】
ここで制御部５２は、前記登録手段により対応付けて登録された各会員カードＩＤに対応するポイントを合算する合算手段として機能するものであり、また該合算手段により合算された合算ポイントを会員が所定のサービスを享受するために使用させるための処理を行うポイント使用処理手段として機能するものである。ここでは情報公開要求の一部であるポイント確認・使用要求を受信したことに基づいて、該合算手段，及びポイント使用処理手段として機能する。
【０２９７】
ここで「所定のサービス」とは、ポイントを使用した抽選への応募であり、該「所定のサービスを享受するために使用させるための処理」とは、後述する図３７のＤ４１０−１及びＤ４１０−２に示すように、抽選情報ＤＢから抽出した応募期間中である抽選の内容と、ポイント会員情報ＤＢから抽出した該抽選への応募に使用可能なポイント数とを表示したポイント確認・使用画面を、外部通信部５１ｃからインターネットを介して、前記ログイン要求の送信元の登録端末に対して配信し、該登録端末から、前記ポイント確認・使用画面で選択した賞の抽選への応募を示す応募情報を受信して、抽選情報ＤＢにおいて、前記ログイン要求に含まれる会員カードＩＤを、前記選択した賞に対応する応募者会員カードＩＤの記憶欄に記憶し、ポイント会員情報ＤＢにおいて、該会員カードＩＤに対応付けて記憶しているポイント数から、前記選択した賞に応募するために必要なポイント数を減算する処理である。
【０２９８】
また「所定のサービス」とは、ポイントを使用した商品との交換であり、「所定のサービスを享受するために使用させるための処理」とは、後述する図３８のＤ４１２−１及びＤ４１２−２に示すように、予め設定されている交換可能な商品の内容と、ポイント会員情報ＤＢから抽出した該商品との交換に使用可能なポイント数とを表示したポイント確認・使用画面を、外部通信部５１ｃからインターネットを介して、前記ログイン要求の送信元の登録端末に対して配信し、該登録端末から、前記ポイント確認・使用画面で選択した商品との交換を示す交換情報を受信して、ポイント会員情報ＤＢにおいて、該会員カードＩＤに対応付けて記憶しているポイント数から、前記商品と交換するために必要なポイント数を減算する処理である。
【０２９９】
この合算手段として機能する制御部５２は、ポイントを会員が所定のサービスを享受するために使用させるための処理を行うに当たり、対応付けて登録された各会員カードＩＤに対応するポイントを合算する。具体的には、情報公開要求の一部であるログイン要求を送信してポイント管理装置５０にアクセスし、ポイント会員専用ホームページにログインしている登録端末から、情報公開要求の一部であるポイント確認・使用要求を受信した場合に、ログイン要求に含まれる会員カードＩＤに対応するポイントと、当該会員カードＩＤに対応付けて登録されている他の会員カードＩＤに対応するポイントとを抽出し、該抽出したポイントを合算する。
【０３００】
そして後述する図３７のＤ４１０−２，又は図３８のＤ４１２−２に示すように、抽選への応募又は商品との交換に使用可能なポイント数として、各会員カードＩＤに対応する各々のポイント（ここではＡ店ポイント数とＸ店ポイント数）と前記合算された合算ポイント（ここでは現在のポイント数）とを表示した画面を、外部通信部５１ｃからインターネットを介して、前記ログイン要求の送信元の登録端末に対して配信する。
【０３０１】
また該登録端末から応募情報又は交換情報を受信した際には、各会員カードＩＤに対応付けて記憶しているポイント数から、前記選択した賞に応募するために必要なポイント数又は前記選択した商品と交換するために必要なポイント数を減算するが、ここでは前記ログイン要求に含まれる会員カードＩＤに対応するポイント（ここではＡ店ポイント数）から優先して減算され、該ポイントが不足するようであれば、不足分が当該会員カードＩＤに対応付けて登録されている他の会員カードＩＤに対応するポイント（ここではＸ店ポイント）から減算されるようになっている。
【０３０２】
なお制御部５２は、ポイントを会員が所定のサービスを享受するために使用させるための処理を行うに当たり、対応付けて登録された会員カードＩＤが無い場合には、情報公開要求の一部であるログイン要求を送信してポイント管理装置５０にアクセスし、ポイント会員専用ホームページにログインしている登録端末から、情報公開要求の一部であるポイント確認・使用要求を受信した場合に、ログイン要求に含まれる会員カードＩＤに対応するポイントを抽出する。
【０３０３】
そして後述する図３７のＤ４１０−１，又は図３８のＤ４１２−１に示すように、抽選への応募又は商品との交換に使用可能なポイント数として、前記抽出したポイントを現在のポイント数として表示した画面を、外部通信部５１ｃからインターネットを介して、前記ログイン要求の送信元の登録端末に対して配信する。
【０３０４】
また該登録端末から応募情報又は交換情報を受信した際には、前記ログイン要求に含まれる会員カードＩＤに対応付けて記憶しているポイント数から、前記選択した賞に応募するために必要なポイント数又は前記選択した商品と交換するために必要なポイント数を減算する。
【０３０５】
また制御部５２は、店舗端末（カードユニット２０又はキオスク端末３０）から第１会員特定情報（ここでは会員カードＩＤ）を含む確認要求を受信したことに基づいて、該受信した確認要求に含まれる第１会員特定情報から特定される会員カードＩＤが前記通知情報設定手段により設定された情報から特定される前記通知対象の会員カードＩＤであるか否かを判定する通知対象判定手段として機能すると共に、該通知対象判定手段により通知対象の会員カードＩＤであると判定されたことを条件として、前記通知情報を前記店舗端末に対して返信する通知情報返信手段として機能するものである。
【０３０６】
ここでの確認要求は、後述する図４２に示すように、会員カードＩＤを含むログイン要求と、該会員カードＩＤを含まないアンケート要求，イベント情報要求，又は当選情報要求とを合わせたものである。また確認要求は、店舗端末（カードユニット２０又はキオスク端末３０）から送信されてくるもののみならず、情報端末（ＰＣ６又は携帯電話７）から送信されてくるものも含む。従って、通知対象判定手段として機能する制御部５２は、情報端末から確認要求を受信した場合にも前記判定を行い、通知情報返信手段として機能する制御部５２は、該通知対象判定手段により通知対象の会員カードＩＤであると判定されたことを条件として、前記通知情報を前記情報端末に対して返信する。
【０３０７】
また制御部５２は、前記確認要求に含まれる第１会員特定情報から特定される会員カードＩＤに対応付けてポイント会員情報ＤＢで電子メールアドレスを管理しているか否かを判定する電子メールアドレス管理判定手段として機能するものであり、前記通知情報返信手段として機能する制御部５２は、該電子メールアドレス管理判定手段により電子メールアドレスを管理していると判定されたことを条件として、前記通知情報を前記店舗端末（ここでは登録端末）に対して返信しない。
【０３０８】
これら通知対象判定手段，通知情報返信手段，及び電子メールアドレス管理判定手段の機能の詳細については、図４４（ｄ），（ｅ），（ｆ）を参照して後述する。
【０３０９】
次に、図１９〜図４４を参照して、ポイント管理システム１の作用について説明する。以下においては、ステップＳを単に「Ｓ」と略記する。
【０３１０】
図１９〜図２１は、ポイント管理システム１におけるカードユニット２０及びシステム管理装置４０の作用の一例を表す図である。まず図１９を参照して、カードユニット２０への入金に際しての処理について説明する。第１遊技場又は第２遊技場の営業中に、カードユニット２０への貨幣の入金が行われると、該入金された貨幣が紙幣識別機２３又は硬貨識別機２４によって受け付けられて、貨幣の識別が行われる（Ｓ０１）。その結果、正規の貨幣であると識別されると、次いで会員カード（第１会員カード４又は第２会員カード５）を受け付けているか否かの判定が実施される（Ｓ０１２）。該Ｓ０２で会員カードを受付中である（Ｙ）と判定されると、次いで該受け付けている会員カードにカード残額が残存しているか否かの判定が実施される（Ｓ１０）。該Ｓ１０でカード残額が残存している（Ｙ）と判定されると、受け付けられた貨幣が返却される（Ｓ００）。一方、Ｓ１０でカード残額が残存していない（Ｎ）と判定されると、Ｓ１１〜Ｓ１５の入金処理が実施される。
【０３１１】
この入金処理では、まず前記識別された貨幣の金額である入金金額を受付中の会員カードにカード残額として記録して（Ｓ１１）、該入金金額と、会員カードから読み取られる会員カードＩＤ（第１会員カードＩＤ又は第２会員カードＩＤ）とを、当該カードユニット２０の装置ＩＤと共にシステム管理装置４０に対して送信する（Ｓ１２）。該Ｓ１２で送信された情報を受信したシステム管理装置４０においては、受信した入金金額をカード残額として、受信した会員カードＩＤと対応付けて残額管理ＤＢに記憶する（Ｓ１３）。次いで、前記装置ＩＤの送信元であるカードユニット２０に対してカード残額の記憶がなされた旨を示す入金処理終了通知を送信する（Ｓ１４）。該入金処理終了通知を受信したカードユニット２０では、会員カードのカード残額に相当する度数を残度数として残度数表示器１４に表示して、玉貸ボタン１５の操作により会員カード玉貸処理を行う状態（以下「会員カード玉貸可能状態」と呼ぶ）となる（Ｓ１５）。
【０３１２】
ここでＳ０２に戻り、該Ｓ０２で会員カードを受付中でない（Ｎ）と判定されると、入金金額が入金残額としてユニット制御部２２のＲＡＭに記憶されると共に、該入金残額が所定額（ここでは１０００円とする）以下であるか否かの判定が実施される（Ｓ２０）。該Ｓ２０の判定で、所定額以下であると判定されると（Ｙ）、入金残額分のビジタ玉貸処理が実施される（Ｓ２１）。一方、Ｓ２０の判定で所定額以下でない（１０００円より大きい金額）と判定されると（Ｎ）、入金された貨幣が返却される（Ｓ００）。
【０３１３】
次に図２０を参照して、会員カードの挿入時の処理，玉貸ボタン操作時の処理、及び会員カード玉貸処理について説明する。遊技場の営業中に、カードユニット２０に会員カードが挿入されると（Ｓ３０）、カードＲ／Ｗ２５により該受け付けた会員カードから記録情報である会員カードＩＤ（第１会員カードＩＤ又は第２会員カードＩＤ），会員ＩＤ（第１会員ＩＤ又は他システム会員ＩＤ），及びカード残額を読み取って（Ｓ３１）、該読み取った会員カードＩＤ及びカード残額を含む使用許諾要求を当該カードユニット２０の装置ＩＤと共にシステム管理装置４０に対して送信する（Ｓ３２）。使用許諾要求を受信したシステム管理装置４０では、該受信したカード残額が、該受信した会員カードＩＤに対応付けて残額管理ＤＢに記憶しているカード残額以下であるか否か（受信したカード残額≦受信した会員カードＩＤに対応付けて残額管理ＤＢに記憶しているカード残額？）の照合を実施する（Ｓ３３）。
【０３１４】
このＳ３３の照合が照合ＯＫ（即ち、受信したカード残額≦受信した会員カードＩＤに対応付けて残額管理ＤＢに記憶しているカード残額）である場合には、該照合ＯＫの旨を示す会員カード使用許諾情報を前記Ｓ３２で送信されてきた装置ＩＤのカードユニット２０に対して送信する（Ｓ３４）。なお、カードユニット２０とシステム管理装置４０との間の通信状態がオフラインであるときに、カードユニット２０にてカード残額が使用されると、受信したカード残額＜受信した会員カードＩＤに対応付けて残額管理ＤＢに記憶しているカード残額となるが、この場合には、受信した会員カードＩＤに対応付けて残額管理ＤＢに記憶しているカード残額を、受信したカード残額に更新しておく。会員カード使用許諾情報を受信したカードユニット２０では、受け付けた会員カードのカード残額が残存しているか否かの判定を実施する（Ｓ３６）。このＳ３６の判定で残額有りと判定された場合には（Ｙ）、会員カードのカード残額に相当する度数を残度数として残度数表示器１４に表示して、会員カード玉貸可能状態となる（Ｓ３７）。一方、Ｓ３６の判定で残額無しと判定された場合には（Ｎ）、該会員カードのカード残額に相当する度数（０度数）を残度数として残度数表示器１４に表示して、会員カード玉貸可能状態とはならない（Ｓ３８）。
【０３１５】
ここでＳ３３に戻り、該Ｓ３３で照合ＮＧ（即ち、受信したカード残額＞受信した会員カードＩＤに対応付けて残額管理ＤＢに記憶しているカード残額）である場合には、該照合ＮＧの旨を示す会員カード使用不可情報を前記Ｓ３２で送信されてきた装置ＩＤのカードユニット２０に対して送信する（Ｓ３５）。会員カード使用不可情報を受信したカードユニット２０では、受け付けた会員カードを返却する。
【０３１６】
次に玉貸ボタン１５が操作される場合の処理について説明する。玉貸ボタン１５が操作されると（Ｓ４０）、該操作を検出したユニット制御部２２によって、会員カード玉貸可能状態であるか否かの判定が実施される（Ｓ４１）。Ｓ４１の判定で、会員カード玉貸可能状態でないと判定された場合には（Ｎ）、処理を終了する。一方、Ｓ４１の判定で、会員カード玉貸可能状態であると判定された場合には（Ｙ）、Ｓ５０〜に示す会員カード玉貸処理を行う。
【０３１７】
この会員カード玉貸処理では、まず玉貸設定金額（又はカード残額）分の玉貸処理がユニット制御部２２により実施され（Ｓ５０）、受け付けている会員カードのカード残額から該玉貸処理に使用した使用金額を減算すると共に、残度数の表示も更新する（Ｓ５１）。次いで、受け付けている会員カードの会員カードＩＤ，及び前記使用金額を、装置ＩＤと共にシステム管理装置４０に対して送信する（Ｓ５２）。システム管理装置４０では、受信した会員カードＩＤと対応付けて残額管理ＤＢに記憶しているカード残額から、受信した使用金額を減算更新する（Ｓ５３）と共に、受信した会員カードＩＤと対応付けて残額管理ＤＢに記憶している本日使用金額に、受信した使用金額を加算更新する（Ｓ５４）。次いで、カード残額の減算が完了した旨を示す減算完了通知をＳ５２で送信されてきた装置ＩＤのカードユニット２０に対して送信する（Ｓ５５）。Ｓ５５の減算完了通知を受信したカードユニット２０では、会員カードのカード残額が０であるか否かの判定が実施され（Ｓ５６）、カード残額が０でないと判定されると（Ｎ）、会員カード玉貸可能状態が継続する（Ｓ５７）。Ｓ５６の判定でカード残額が０と判定されると（Ｙ）、会員カード玉貸可能状態が解除される（Ｓ５８）。
【０３１８】
次に図２１を参照して、カード返却ボタン１６が操作される場合のカードユニット２０の処理について説明する。カード返却ボタン１６が操作されると（Ｓ６０）、会員カードを受け付けているか否かの判定がカードＲ／Ｗ制御部２６により実施され（Ｓ６１）、受付中でないと判定されると（Ｎ）、処理を終了する。一方、Ｓ６１の判定において受付中と判定されると（Ｙ）、会員カード玉貸可能状態が解除されると共に、残度数の表示が停止する（Ｓ６２）。そして、会員カードが返却される（Ｓ６３）。
【０３１９】
次に図２２を参照して、遊技場の営業終了後におけるシステム管理装置４０，転送装置７０，及びポイント管理装置５０の作用について説明する。各遊技場（第１遊技場，第２遊技場）の営業終了時刻（Ｓ９０）を経過すると、システム管理装置４０は、残額管理ＤＢの記憶内容（図８（ａ））を、転送装置７０に対して送信する（Ｓ９１）。これを各遊技場から受信した転送装置７０は、残額管理ＤＢの記憶内容（図８（ａ））を更新し（Ｓ９２）、該更新後の残額管理ＤＢの記憶内容を、ポイント管理装置５０に対して送信する（Ｓ９３）。
【０３２０】
これを受信したポイント管理装置５０は、制御部５２により、使用金額ＤＢの更新（Ｓ９４），ポイント会員情報ＤＢの更新（Ｓ９５），及びグループ情報ＤＢと店舗情報ＤＢの更新（Ｓ９６）を行う。まずＳ９４では、使用金額ＤＢ（図９（ｃ））において、会員カードＩＤと対応付けて、受信した各会員カードＩＤに対応する本日使用金額を営業日別使用金額として、当該営業日に対応する記憶領域（当日の日付に対応する記憶領域）に記憶する。これにより各会員遊技者の使用金額を日単位で管理することができる。
【０３２１】
次にＳ９５では、ポイント会員情報ＤＢ（図９（ａ））において、会員カードＩＤと対応付けて管理されている累計使用金額に、受信した各会員カードＩＤに対応する本日使用金額を加算して更新する。これと共に前記ポイント付与処理を行い、該本日使用金額（使用金額ＤＢに記憶した当日の営業日別使用金額）に応じて付与したポイントを、各会員カードＩＤと対応付けて管理されているポイント数に対して加算更新する。これにより各会員遊技者の累計使用金額が更新され、ポイント数も更新される。そしてＳ９６では、グループ情報ＤＢ（図１０（ｂ））及び店舗情報ＤＢ（図１０（ｃ））において、ポイント会員情報ＤＢで加算更新されたポイント数を、各会員カードＩＤに含まれる店舗ＩＤと対応付けて管理されている総獲得ポイント数及び残ポイント数に対して加算更新する。
【０３２２】
図２３〜図２６は、システム管理装置４０で表示される経営支援画面の一例を表す図である。このシステム管理装置４０のディスプレイ４４では、定型レポート表示画面（図２３のＤ４５），イベント情報送信画面（図２４のＤ５０），アンケート結果表示画面（図２５のＤ６０），及びポイント状況表示画面（図２６のＤ７０及びＤ７１）が表示される。
【０３２３】
まず図２３は、システム管理装置４０で表示される定型レポート表示画面の一例を表す図である。ここでＤ４０〜Ｄ４４は、システム管理装置４０が記憶している画面であり、Ｄ４５は、ポイント管理装置５０から送信されてくる画面である。システム管理装置４０において、オペレータが入力装置４５を操作して、経営支援画面表示モードが実行されると、Ｄ４０に示すメニュー画面がディスプレイ４４に表示される。このＤ４０では、「定型レポート」ボタン，「メール送信」ボタン，「アンケート結果」ボタン，及び「ポイント状況ボタン」が表示される。
【０３２４】
このＤ４０で、オペレータが入力装置４５を操作して、「定型レポート」ボタンを操作すると、Ｄ４１に示す期間選択画面がディスプレイ４４に表示される。このＤ４１では、定型レポートで表示する使用金額の集計期間を選択するためのボタンとして、「月別」ボタン，「週別」ボタン，及び「日別」ボタンが表示される。
【０３２５】
このＤ４１で、オペレータが入力装置４５を操作して、「月別」ボタンを操作すると、Ｄ４２に示す集計月選択画面がディスプレイ４４に表示される。このＤ４２では、定型レポートを作成可能な月が選択可能に表示され、デフォルトでは当年の月が表示されるが、画面右下に表示される「前年」ボタンを操作すると、前年の月が表示され、該前年以前の月が表示されている状態で画面右下に表示される「次年」ボタンを操作すると、次年の月が表示される。このＤ４２で、オペレータが入力装置４５を操作して、定型レポートの送信を希望する月を選択すると、該選択された月の定型レポートの送信を要求する定型レポート送信要求が、場外通信部４１ｃから転送装置７０を介して、ポイント管理装置５０に対して送信される。
【０３２６】
またＤ４１で、オペレータが入力装置４５を操作して、「週別」ボタンを操作すると、Ｄ４３に示す集計週選択画面がディスプレイ４４に表示される。このＤ４３では、定型レポートを作成可能な週が選択可能に表示され、デフォルトでは当年の週が表示されるが、画面右下に表示される「前年」ボタンを操作すると、前年の週が表示され、該前年以前の週が表示されている状態で画面右下に表示される「次年」ボタンを操作すると、次年の週が表示される。このＤ４３で、オペレータが入力装置４５を操作して、定型レポートの送信を希望する週を選択すると、該選択された週の定型レポートの送信を要求する定型レポート送信要求が、場外通信部４１ｃから転送装置７０を介して、ポイント管理装置５０に対して送信される。
【０３２７】
またＤ４１で、オペレータが入力装置４５を操作して、「日別」ボタンを操作すると、Ｄ４４に示す集計日選択画面がディスプレイ４４に表示される。このＤ４４では、定型レポートを作成可能な日が選択可能に表示され、デフォルトでは当月の日が表示されるが、画面右下に表示される「前月」ボタンを操作すると、前月の日が表示され、該前月以前の日が表示されている状態で画面右下に表示される「次月」ボタンを操作すると、次月の日が表示される。このＤ４４で、オペレータが入力装置４５を操作して、定型レポートの送信を希望する日を選択すると、該選択された日の定型レポートの送信を要求する定型レポート送信要求が、場外通信部４１ｃから転送装置７０を介して、ポイント管理装置５０に対して送信される。
【０３２８】
これら定型レポート送信要求を受信したポイント管理装置５０は、前述の如く、経営支援画面送信処理を行う制御部５２により、Ｄ４５に示す定型レポートを作成し、該作成した定型レポートを、転送装置用通信部５１ｂから転送装置７０を介して、システム管理装置４０に対して送信する。そして定型レポートを受信したシステム管理装置４０では、該Ｄ４５に示す定型レポート表示画面がディスプレイ４４に表示される。
【０３２９】
このように、ポイント管理装置５０が、属性情報別（ここでは性別，年代別）に平均使用金額を算出して、各遊技場に配信するので、遊技場では顧客の属性に応じた平均使用金額を把握して、各属性の顧客に対しての集客活動を検討することができる。例えば、Ｄ４５の平均使用金額のグラフを参照して、３０代男性の平均使用金額が大きいこと（つまり、優良顧客であること）を把握し、３０代男性の電子メールアドレスに対して好きな景品のアンケートを行って、３０代男性に人気の高い景品（例えばタバコ）の種類を増やす等の集客活動を行ったり、設定の甘い遊技機の情報提供等の優遇サービスを行うことができる。また、女性の平均使用金額が小さいことを把握して、女性会員専用の推奨台で遊技可能なイベント等の優遇策を実施し、売上げ増加を見込むといった営業活動を行うことができる。
【０３３０】
図２３のＤ４０に戻り、オペレータが入力装置４５を操作して、「メール送信」ボタンを操作すると、メールソフトが起動して、図２４のＤ５０に示すイベント情報送信画面がディスプレイ４４に表示される。このＤ５０では、送信する電子メールのタイトルと、送信内容の入力欄が設けられる他、送信対象となるポイント会員の属性を指定するためのチェックボックスが設けられており、性別，生年月日を属性として、１０代男性，１０代女性，２０代男性，２０代女性，３０代男性，３０代女性，４０代男性，４０代女性，５０代男性，５０代女性，６０代男性，６０代女性，７０代以上男性，７０代以上女性の１４のグループに分類されていて、当該遊技場メールの送信対象とするグループを選択可能である。
【０３３１】
このＤ５０で、オペレータが入力装置４５を操作して、タイトルを入力し（ここでは「レディスデー」）、チェックボックスをチェックすることにより送信対象グループを選択し（ここでは全年代の女性）、送信内容を入力して（ここではＡ店で開催されるイベントであるレディースデーについての告知）、「送信」ボタンを選択すると、該Ｄ５０で入力・選択された内容を含むメール送信要求が、場外通信部４１ｃから転送装置７０を介して、ポイント管理装置５０に対して送信される。
【０３３２】
このメール送信要求を受信したポイント管理装置５０において、前記通知情報設定手段として機能する転送装置用通信部５１ｂは、会員に対して通知する通知内容（ここでは送信内容として入力されたイベントの内容）と、通知対象とする会員の会員カードＩＤを特定可能な情報（ここでは送信対象として選択されたイベント対象会員の属性情報）とを設定する。また前記電子メールアドレス抽出手段として機能する制御部５２は、該通知情報設定手段により設定された情報から特定される前記通知対象の会員カードＩＤに対応付けてポイント会員情報ＤＢで管理されている電子メールアドレスを抽出し、ここでは図９（ａ）に示すポイント会員情報ＤＢの記憶内容に基づいて、当該メール送信要求の送信元のシステム管理装置４０が設置されている店舗（ここではＡ店）のポイント会員の中から、該メール送信要求に含まれる送信対象の属性に合致するポイント会員を特定し、該特定したポイント会員の会員カードＩＤを抽出すると共に、該会員カードＩＤに対応付けられている電子メールアドレスを抽出する。そして前記電子メール送信手段として機能する制御部５２は、前記通知情報設定手段により設定された通知内容を提供するための通知情報を含む電子メールを該電子メールアドレス抽出手段により抽出された電子メールアドレス宛に送信し、ここでは前記送信内容を通知情報として含む電子メールを、外部通信部５１ｃからインターネットを介して当該電子メールアドレスに対して送信する処理を行う。
【０３３３】
なお制御部５２は、図９（ｂ）に示す通知情報ＤＢにおいて、前記イベントの内容を示すイベント情報を通知情報として、前記通知対象の各会員カードＩＤに対応付けて記憶する処理を行う。
【０３３４】
図２３のＤ４０に戻り、オペレータが入力装置４５を操作して、「アンケート結果」ボタンを操作すると、アンケート結果送信要求が、場外通信部４１ｃから転送装置７０を介して、ポイント管理装置５０に対して送信される。
【０３３５】
このアンケート結果送信要求を受信したポイント管理装置５０は、前述の如く、経営支援画面送信処理を行う制御部５２により、図２５のＤ６０に示すレポートを作成し、該作成したレポートを、転送装置用通信部５１ｂから転送装置７０を介して、システム管理装置４０に対して送信する。このレポートを受信したシステム管理装置４０では、Ｄ６０に示すアンケート結果表示画面がディスプレイ４４に表示される。
【０３３６】
このように、システム管理装置４０において、ポイント管理装置５０からアンケート結果を受信し、ポイント会員を対象としたアンケートついての結果を得ることができるので、各属性の顧客に対しての集客活動を検討することができる。例えば、各属性の顧客の好きな景品を把握して、ターゲットとなる客層に応じた景品を揃えることで、集客を図ることができる。
【０３３７】
図２３のＤ４０に戻り、オペレータが入力装置４５を操作して、「ポイント状況」ボタンを操作すると、ポイント状況送信要求が、場外通信部４１ｃから転送装置７０を介して、ポイント管理装置５０に対して送信される。
【０３３８】
このポイント状況送信要求を受信したポイント管理装置５０は、制御部５２により、図１０（ｂ）に示すグループ情報ＤＢ及び同（ｃ）に示す店舗情報ＤＢの記憶内容に基づいて、当該ポイント状況送信要求の送信元のシステム管理装置４０が設置されている店舗が、いずかのグループに属するか（即ち当該店舗の店舗ＩＤがグループ情報ＤＢで記憶されているか），又はいずれのグループにも属さないか（即ち当該店舗の店舗ＩＤが店舗情報ＤＢで記憶されているか）を判定する。そして制御部５２は、当該店舗（例えばＡ店）がグループに属すると判定された場合には、図２６のＤ７０に示すように、該グループに関するグループ情報ＤＢの記憶内容を、転送装置用通信部５１ｂから転送装置７０を介して、当該店舗のシステム管理装置４０に対して送信する処理を行う。一方、制御部５２は、当該店舗（例えばＰ店）がグループに属さないと判定された場合には、同Ｄ７１に示すように、当該店舗に関する店舗情報ＤＢの記憶内容を、転送装置用通信部５１ｂから転送装置７０を介して、当該店舗のシステム管理装置４０に対して送信する処理を行う。
【０３３９】
このように、システム管理装置４０において、ポイント管理装置５０から、当該店舗が属するグループのポイント状況又は当該店舗のポイント状況を受信し、該ポイント状況に含まれる商品交換使用ポイント数を参照することにより、当該グループ又は店舗が当月に対価を負担しなければならない商品交換使用ポイント数を把握することができるので、該対価の決済の目安にすることができる。なお前述の如く、抽選応募については、抽選応募使用ポイント数に応じた対価ではなく、各店舗が一律の料金（例えば月額○万円）は負担する。
【０３４０】
図２７〜図３１は、ＰＣ６及び携帯電話７のディスプレイに表示されるポイント会員登録画面の一例を表す図である。まず図２７のＤ１０１に示すように、各店舗に掲示されているポイント会員の登録に関するポスターを見た当該店舗の会員が、ＰＣ６又は携帯電話７に備えられる図示しない操作キーを操作して、Ｄ１０２に示すように、該ポスターに掲載されている電子メールアドレス宛に電子メール（ここではタイトルや内容を入力していない、いわゆる空メール）を送信すると、該電子メールがインターネットを介してポイント管理装置５０に対して送信される。この電子メールを受信したポイント管理装置５０からは、該電子メールの送信元のＰＣ６又は携帯電話７に対して、ポイント会員の登録を行う画面を表示するためのＵＲＬを含む電子メールが返信される。
【０３４１】
この電子メールを受信したＰＣ６又は携帯電話７では、Ｄ１０３に示すように、該電子メールの内容がディスプレイに表示される。このＤ１０３で、会員が操作キーを操作して、表示されるＵＲＬをクリックしてポイント管理装置５０にアクセスすると、該ポイント管理装置５０からＰＣ６又は携帯電話７に対して、Ｄ１０４に示すメニュー画面が配信されて、ディスプレイに表示される。このＤ１０４では、メニューを選択するためのボタンとして、「単独登録」ボタン，「統合登録」ボタン，及び「グループ店一覧」ボタンが表示される。
【０３４２】
このＤ１０４で、会員が操作キーを操作して、「単独登録」ボタンを操作すると、該単独登録が選択された旨が、インターネットを介してポイント管理装置５０に対して送信され、該ポイント管理装置５０からＰＣ６又は携帯電話７に対して、Ｄ１０５に示す画面が配信されて、ディスプレイに表示される。このＤ１０５では、ポイント会員として登録する会員カードの種類を選択するためのボタンとして、「第１会員カード」ボタン，及び「第２会員カード」ボタンが表示される。
【０３４３】
このＤ１０５で、第１会員カード４を所有している会員が操作キーを操作して、「第１会員カード」ボタンを操作すると、該第１会員カードボタンが選択された旨が、インターネットを介してポイント管理装置５０に対して送信され、該ポイント管理装置５０からＰＣ６又は携帯電話７に対して、図２８のＤ１０６に示す画面が配信されて、ディスプレイに表示される。このＤ１０６では、第１会員カードＩＤ，登録時の暗証番号，第１会員ＩＤ，性別，及び生年月日の入力欄が表示される。
【０３４４】
このＤ１０６で、第１会員カード４を所有している会員が操作キーを操作して、当該第１会員カード４の表示領域４ａに表示されている第１会員カードＩＤ及び第１会員ＩＤと、当該第１会員カード４の発行時に登録された暗証番号と、該会員の属性情報である性別及び生年月日とを入力して「登録」ボタンを操作すると、それら第１会員カードＩＤ及び第１会員ＩＤと、属性情報及び暗証番号とを含む第２登録要求が、インターネットを介してポイント管理装置５０に対して送信される。
【０３４５】
一方、Ｄ１０５で、第２会員カード５を所有している会員が操作キーを操作して、「第２会員カード」ボタンを操作すると、該第２会員カードボタンが選択された旨が、インターネットを介してポイント管理装置５０に対して送信され、該ポイント管理装置５０からＰＣ６又は携帯電話７に対して、図２８のＤ１０７に示す画面が配信されて、ディスプレイに表示される。このＤ１０７では、第２会員カードＩＤ，登録する暗証番号，他システム会員ＩＤの下４桁，性別，及び生年月日の入力欄が表示される。ここで他システム会員ＩＤの全桁ではなく下４桁の入力を求めるのは、全桁の入力は会員にとって大変であると共に却って入力を間違える可能性が高くなる一方、下４桁が偶然に一致する確率はかなり低いため、照合する桁数としては充分だからである。
【０３４６】
このＤ１０７で、第２会員カード５を所有している会員が操作キーを操作して、当該第２会員カード５の表示領域５ａに表示されている第２会員カードＩＤ及び他システム会員ＩＤの下４桁と、登録を希望する暗証番号（発行時に登録された暗証番号と異なっていても良い）と、該会員の属性情報である性別及び生年月日とを入力して「登録」ボタンを操作すると、それら第２会員カードＩＤ及び他システム会員ＩＤの下４桁と、属性情報及び暗証番号とを含む第２登録要求が、インターネットを介してポイント管理装置５０に対して送信される。
【０３４７】
図２７に戻り、Ｄ１０４で、会員が操作キーを操作して、「統合登録」ボタンを操作すると、該統合登録が選択された旨が、インターネットを介してポイント管理装置５０に対して送信され、該ポイント管理装置５０からＰＣ６又は携帯電話７に対して、図２８のＤ１１０に示す画面が配信されて、ディスプレイに表示される。このＤ１１０では、統合する会員カードの数を選択するためのボタンとして、「２つ」ボタン，「３つ」ボタン，及び「４つ」が表示される。
【０３４８】
このＤ１１０で、会員が操作キーを操作して、例えば「２つ」ボタンを操作すると、統合する会員カードの数が２つである旨が、インターネットを介してポイント管理装置５０に対して送信され、該ポイント管理装置５０からＰＣ６又は携帯電話７に対して、Ｄ１１１に示す画面が配信されて、ディスプレイに表示される。このＤ１１１では、統合する会員カードがポイント会員として登録済であるか否かを選択するためのボタンとして、「全部が未登録」ボタン，及び「いずれか又は全部が登録済」ボタンが表示される。
【０３４９】
このＤ１１１で、会員が操作キーを操作して、「全部が未登録」ボタンを操作すると、統合する会員カードの全部がポイント会員として未登録である旨が、インターネットを介してポイント管理装置５０に対して送信され、該ポイント管理装置５０からＰＣ６又は携帯電話７に対して、前記Ｄ１０６，Ｄ１０７，及び図２９のＤ１１２〜Ｄ１１５に示す画面が配信されて一時的に記憶され、まずＤ１１２に示す画面がディスプレイに表示される。このＤ１１２では、１つ目の会員カードの種類を選択するためのボタンとして、「第１会員カード」ボタン，及び「第２会員カード」ボタンが表示される。
【０３５０】
このＤ１１２で、第１会員カード４を所有する会員が操作キーを操作して、「第１会員カード」ボタンを操作すると、前記記憶しているＤ１０６の画面がディスプレイに表示される。このＤ１０６で、前述の如く入力を行って「登録」ボタンを操作すると、該入力内容が一時的に記憶されると共に、前記記憶しているＤ１１３に示す画面がディスプレイに表示される。一方、Ｄ１１２で、第２会員カード５を所有する会員が操作キーを操作して、「第２会員カード」ボタンを操作すると、前記記憶しているＤ１０７の画面がディスプレイに表示される。このＤ１０７で、前述の如く入力を行って「登録」ボタンを操作すると、該入力内容が一時的に記憶されると共に、前記記憶しているＤ１１３に示す画面がディスプレイに表示される。このＤ１１３では、次の会員カードの種類を選択するためのボタンとして、「第１会員カード」ボタン，及び「第２会員カード」ボタンが表示される。
【０３５１】
このＤ１１３で、第１会員カード４を所有する会員が操作キーを操作して、「第１会員カード」ボタンを操作すると、前記記憶しているＤ１１４の画面がディスプレイに表示される。このＤ１１４では、第１会員カードＩＤ，登録時の暗証番号，及び第１会員ＩＤの入力欄が表示される。このＤ１１４で、第１会員カード４を所有している会員が操作キーを操作して、当該第１会員カード４の表示領域４ａに表示されている第１会員カードＩＤ及び第１会員ＩＤと、当該第１会員カード４の発行時に登録された暗証番号とを入力して「登録」ボタンを操作すると、前記第１の会員統合要求が、インターネットを介してポイント管理装置５０に対して送信される。
【０３５２】
一方、Ｄ１１３で、第２会員カード５を所有する会員が操作キーを操作して、「第２会員カード」ボタンを操作すると、前記記憶しているＤ１１５の画面がディスプレイに表示される。このＤ１１５では、第２会員カードＩＤ，登録する暗証番号，及び他システム会員ＩＤの下４桁の入力欄が表示される。このＤ１１５で、第２会員カード５を所有している会員が操作キーを操作して、当該第２会員カード５の表示領域５ａに表示されている第２会員カードＩＤ及び他システム会員ＩＤの下４桁と、登録を希望する暗証番号（第２会員カード５の発行時に登録された暗証番号と異なっていても良い）とを入力して「登録」ボタンを操作すると、前記第１の会員統合要求が、インターネットを介してポイント管理装置５０に対して送信される。
【０３５３】
これらＤ１１４又はＤ１１５で送信される会員統合要求には、Ｄ１０６又はＤ１０７で入力されて記憶している内容と、Ｄ１１４又はＤ１１５で入力された内容とが含まれ、未登録の会員カードＩＤのみを含むため、前記第１の会員統合要求である。なおＤ１１０で、「３つ」ボタンが操作された場合には、Ｄ１１４又はＤ１１５の処理がもう１回繰り返され、「４つ」ボタンが操作された場合には、Ｄ１１４又はＤ１１５の処理がもう２回繰り返されてから、該入力された内容をさらに含む第１の会員統合要求が送信される。
【０３５４】
図２８に戻り、Ｄ１１１で、会員が操作キーを操作して、「いずれか又は全部が登録済」ボタンを操作すると、統合する会員カードのいずれか又は全部がポイント会員として登録済である旨が、インターネットを介してポイント管理装置５０に対して送信され、該ポイント管理装置５０からＰＣ６又は携帯電話７に対して、Ｄ１１６〜Ｄ１１７，及び図２９のＤ１１３〜Ｄ１１５に示す画面が配信されて一時的に記憶され、まずＤ１１６に示す画面がディスプレイに表示される。このＤ１１６では、既登録の会員カードについて会員カードＩＤ（第１会員カードＩＤ又は第２会員カードＩＤ）及び暗証番号の入力が求められると共に、会員カードＩＤと暗証番号の入力欄が表示される。
【０３５５】
このＤ１１６で、会員が操作キーを操作して、会員カードの表示領域に表示されている会員カードＩＤと、既登録の暗証番号とを入力して「登録」ボタンを操作すると、該入力内容が一時的に記憶されると共に、前記記憶しているＤ１１７に示す画面がディスプレイに表示される。このＤ１１７では、統合する会員カードがポイント会員として登録済であるか否かを選択するためのボタンとして、「未登録」ボタン，及び「登録済」ボタンが表示される。
【０３５６】
このＤ１１７で、会員が操作キーを操作して、「未登録」ボタンを操作すると、前記記憶しているＤ１１３の画面がディスプレイに表示される。このＤ１１３で、第１会員カード４を所有する会員が操作キーを操作して、「第１会員カード」ボタンを操作すると、前記記憶しているＤ１１４の画面がディスプレイに表示される。このＤ１１４で、前述の如く入力を行って「登録」ボタンを操作すると、前記第１の会員統合要求が、インターネットを介してポイント管理装置５０に対して送信される。一方、Ｄ１１３で、第２会員カード５を所有する会員が操作キーを操作して、「第２会員カード」ボタンを操作すると、前記記憶しているＤ１１５の画面がディスプレイに表示される。このＤ１１５で、前述の如く入力を行って「登録」ボタンを操作すると、前記第１の会員統合要求が、インターネットを介してポイント管理装置５０に対して送信される。
【０３５７】
ここで送信される会員統合要求には、Ｄ１１６で入力されて記憶している内容と、Ｄ１１４又はＤ１１５で入力された内容とが含まれ、未登録の会員カードＩＤと既登録の会員カードＩＤとを含むため、前記第２の会員統合要求である。なおＤ１１０で、「３つ」ボタンが操作された場合には、もう一度Ｄ１１７に戻り、「４つ」ボタンが操作された場合には、さらにもう一度Ｄ１１７に戻り、該Ｄ１１７以降で入力された内容をさらに含む第２の会員統合要求が送信される。
【０３５８】
図２８に戻り、Ｄ１１７で、会員が操作キーを操作して、「登録済」ボタンを操作すると、前記記憶しているＤ１１６の画面がディスプレイに表示される。このＤ１１６で前述の如く入力を行って「登録」ボタンを操作すると、前記第３の会員統合要求が、インターネットを介してポイント管理装置５０に対して送信される。
【０３５９】
ここで送信される会員統合要求には、最初のＤ１１６で入力されて記憶している内容と、２回目のＤ１１６で入力された内容とが含まれ、既登録の会員カードＩＤのみを含むため、前記第３の会員統合要求である。なおＤ１１０で、「３つ」ボタンが操作された場合には、もう一度Ｄ１１６に戻り、「４つ」ボタンが操作された場合には、さらにもう一度Ｄ１１６に戻り、該Ｄ１１６で入力された内容をさらに含む第３の会員統合要求が送信される。
【０３６０】
図２７に戻り、Ｄ１０４で、会員が操作キーを操作して、「グループ店一覧」ボタンを操作すると、該グループ店一覧が選択された旨が、インターネットを介してポイント管理装置５０に対して送信され、該ポイント管理装置５０からＰＣ６又は携帯電話７に対して、図３０のＤ１２０に示す画面が配信されて、ディスプレイに表示される。このＤ１２０では、会員カードＩＤ（第１会員カードＩＤ又は第２会員カードＩＤ）の入力が求められると共に、会員カードＩＤの入力欄が表示される。
【０３６１】
このＤ１２０で、会員が操作キーを操作して、会員カードの表示領域に表示されている会員カードＩＤを入力して「検索」ボタンを操作すると、該入力された会員カードＩＤを含むグループ店一覧要求が、インターネットを介してポイント管理装置５０に対して送信される。また図２７〜図３０に示した各画面で、メニュー表示操作が行われると、図２７のＤ１０４に示すメニュー画面に戻る。
【０３６２】
図３１〜図３２は、カードユニット２０のディスプレイ２７のメッセージ表示領域２７ａに表示されるポイント会員登録画面の一例を表す図である。以下においては、まず第１遊技場に設置されるカードユニット２０について説明し、次に第２遊技場に設置されるカードユニット２０について説明する。
【０３６３】
まず第１遊技場に設置されるカードユニット２０においては、会員がカードＲ／Ｗ２５に自店で発行された第１会員カード４を挿入している状態で操作キー表示領域２７ｂの操作キーを操作して、ポイント会員登録モードが実行されると、システム管理装置４０及びインターネットを介してポイント管理装置５０にアクセスされ、該ポイント管理装置５０からカードユニット２０に対して、前記Ｄ１０４と同様のＤ２００に示すメニュー画面が配信されて、ディスプレイ２７に表示される。
【０３６４】
このＤ２００で、会員が操作キーを操作して、「単独登録」ボタンを操作すると、該単独登録が選択された旨が、インターネットを介してポイント管理装置５０に対して送信され、該ポイント管理装置５０から第１遊技場に設置されるカードユニット２０に対してＤ２０２に示す画面が配信されて、ディスプレイ２７に表示される。このＤ２０２では、カードＲ／Ｗ２５に挿入されている第１会員カード４のＩＣチップ４ｂから読み取った第１会員カードＩＤが表示されると共に、登録時の暗証番号，性別，及び生年月日の入力欄が表示される。
【０３６５】
このＤ２０２で、会員が操作キーを操作して、当該第１会員カード４の発行時に登録された暗証番号と、該会員の属性情報である性別及び生年月日とを入力して「登録」ボタンを操作すると、挿入されている第１会員カード４のＩＣチップ４ｂから読み取った未登録の第１会員カードＩＤと、同ＩＣチップ４ａから読み取った第１会員ＩＤと、入力された属性情報，及び暗証番号とを含む第１登録要求が、インターネットを介してポイント管理装置５０に対して送信される。
【０３６６】
前記Ｄ２００で、会員が操作キーを操作して、「統合登録」ボタンを操作すると、該統合登録が選択された旨が、インターネットを介してポイント管理装置５０に対して送信され、該ポイント管理装置５０からカードユニット２０に対して、前記Ｄ１１０と同様のＤ２１０に示す画面が配信されて、ディスプレイ２７に表示される。
【０３６７】
このＤ２１０で、会員が操作キーを操作して、例えば「２つ」ボタンを操作すると、統合する会員カードの数が２つである旨が、インターネットを介してポイント管理装置５０に対して送信され、該ポイント管理装置５０からカードユニット２０に対して、Ｄ２１１に示す画面が配信されて、ディスプレイ２７に表示される。このＤ２１１では、カードＲ／Ｗ２５に挿入されている自店で発行された第１会員カード４のＩＣチップ４ｂから読み取った第１会員カードＩＤが表示されると共に、該第１会員カード４がポイント会員として登録済であるか否かを選択するためのボタンとして、「未登録」ボタン，及び「登録済」ボタンが表示される。
【０３６８】
このＤ２１１で、会員が操作キーを操作して、「未登録」ボタンを操作すると、挿入されている第１会員カード４がポイント会員として未登録である旨が、インターネットを介してポイント管理装置５０に対して送信され、該ポイント管理装置５０からカードユニット２０に対して、図３２のＤ２１２，及びＤ２１５〜Ｄ２１８に示す画面が配信されて一時的に記憶され、まず前記Ｄ２０２と同様のＤ２１２に示す画面がディスプレイ２７に表示される。
【０３６９】
このＤ２１２で、会員が操作キーを操作して、前述したＤ２０２と同様の内容を入力して「登録」ボタンを操作すると、該入力内容が一時的に記憶されると共に、前記記憶しているＤ２１５に示す画面がディスプレイ２７に表示される。このＤ２１５では、統合する会員カードの種類を選択するためのボタンとして、「未登録の第１会員カード」ボタン，「未登録の第２会員カード」ボタン，及び「登録済」ボタンが表示される。
【０３７０】
このＤ２１５で、会員が操作キーを操作して、「未登録の第１会員カード」ボタンを操作すると、前記記憶しているＤ２１６の画面がディスプレイ２７に表示される。このＤ２１６では、第１会員カードＩＤ，登録時の暗証番号，及び第１会員ＩＤの入力欄が表示される。このＤ２１６で、会員が操作キーを操作して、挿入されている第１会員カード４とは別の第１会員カード４の表示領域４ａに表示されている第１会員カードＩＤ及び第１会員ＩＤと、当該第１会員カード４の発行時に登録された暗証番号とを入力して「登録」ボタンを操作すると、挿入されている第１会員カード４のＩＣチップ４ｂから読み取った未登録の第１会員カードＩＤと、同ＩＣチップ４ｂから読み取った第１会員ＩＤと、Ｄ２１２で入力されて記憶している属性情報，及び暗証番号とを含むと共に、Ｄ２１６で入力された未登録の第１会員カードＩＤ及び第１会員ＩＤと、暗証番号とを含む第１の会員統合要求が、インターネットを介してポイント管理装置５０に対して送信される。
【０３７１】
またＤ２１５で、会員が操作キーを操作して、「未登録の第２会員カード」ボタンを操作すると、前記記憶しているＤ２１７の画面がディスプレイ２７に表示される。このＤ２１７では、第２会員カードＩＤ，登録する暗証番号，及び他システム会員ＩＤの下４桁の入力欄が表示される。このＤ２１７で、会員が操作キーを操作して、第２会員カード５の表示領域５ａに表示されている第２会員カードＩＤ及び他システム会員ＩＤの下４桁と、登録する暗証番号とを入力して「登録」ボタンを操作すると、挿入されている第１会員カード４のＩＣチップ４ｂから読み取った未登録の第１会員カードＩＤと、同ＩＣチップ４ｂから読み取った第１会員ＩＤと、Ｄ２１２で入力されて記憶している属性情報，及び暗証番号とを含むと共に、Ｄ２１７で入力された未登録の第２会員カードＩＤ及び他システム会員ＩＤの下４桁と、暗証番号とを含む第１の会員統合要求が、インターネットを介してポイント管理装置５０に対して送信される。
【０３７２】
またＤ２１５で、会員が操作キーを操作して、「登録済」ボタンを操作すると、前記記憶しているＤ２１８の画面がディスプレイ２７に表示される。このＤ２１８では、既登録の会員カードＩＤ及び暗証番号の入力欄が表示される。このＤ２１８で、会員が操作キーを操作して、会員カードの表示領域に表示されている会員カードＩＤと登録済の暗証番号とを入力して「登録」ボタンを操作すると、挿入されている第１会員カード４のＩＣチップ４ｂから読み取った未登録の第１会員カードＩＤと、同ＩＣチップ４ｂから読み取った第１会員ＩＤと、Ｄ２１２で入力されて記憶している属性情報，及び暗証番号とを含むと共に、Ｄ２１８で入力された既登録の会員カードＩＤ及び暗証番号を含む第２の会員統合要求が、インターネットを介してポイント管理装置５０に対して送信される。
【０３７３】
図３１に戻り、Ｄ２１１で、会員が操作キーを操作して、「登録済」ボタンを操作すると、挿入されている第１会員カード４がポイント会員として登録済である旨が、インターネットを介してポイント管理装置５０に対して送信され、該ポイント管理装置５０からカードユニット２０に対して、図３２のＤ２１４〜Ｄ２１８に示す画面が配信されて一時的に記憶され、まずＤ２１４に示す画面がディスプレイ２７に表示される。このＤ２１４では、挿入されている第１会員カード４のＩＣチップ４ｂから読み取った第１会員カードＩＤが表示されると共に、登録済の暗証番号の入力欄が表示される。このＤ２１４で、会員が操作キーを操作して、登録済の暗証番号を入力して「登録」ボタンを操作すると、該入力内容が一時的に記憶されると共に、前記記憶しているＤ２１５に示す画面がディスプレイ２７に表示される。
【０３７４】
このＤ２１５で、会員が操作キーを操作して、「未登録の第１会員カード」ボタンを操作すると、前記記憶しているＤ２１６の画面がディスプレイ２７に表示される。このＤ２１６で前述の如く入力を行って「登録」ボタンを操作すると、挿入されている第１会員カード４のＩＣチップ４ｂから読み取った既登録の第１会員カードＩＤと、Ｄ２１４で入力されて記憶している暗証番号とを含むと共に、Ｄ２１６で入力された未登録の第１会員カードＩＤ及び第１会員ＩＤと、暗証番号とを含む第１の会員統合要求が、インターネットを介してポイント管理装置５０に対して送信される。
【０３７５】
またＤ２１５で、会員が操作キーを操作して、「未登録の第２会員カード」ボタンを操作すると、前記記憶しているＤ２１７の画面がディスプレイ２７に表示される。このＤ２１７で前述の如く入力を行って「登録」ボタンを操作すると、挿入されている第１会員カード４のＩＣチップ４ｂから読み取った既登録の第１会員カードＩＤと、Ｄ２１４で入力されて記憶している暗証番号とを含むと共に、Ｄ２１７で入力された未登録の第２会員カードＩＤ及び他システム会員ＩＤの下４桁と、暗証番号とを含む第２の会員統合要求が、インターネットを介してポイント管理装置５０に対して送信される。
【０３７６】
またＤ２１５で、会員が操作キーを操作して、「登録済」ボタンを操作すると、前記記憶しているＤ２１８の画面がディスプレイ２７に表示される。このＤ２１８で前述の如く入力を行って「登録」ボタンを操作すると、挿入されている第１会員カード４のＩＣチップ４ｂから読み取った既登録の第１会員カードＩＤと、Ｄ２１４で入力されて記憶している暗証番号とを含むと共に、Ｄ２１８で入力された既登録の会員カードＩＤ及び暗証番号を含む第３の会員統合要求が、インターネットを介してポイント管理装置５０に対して送信される。
【０３７７】
なおＤ２１０で、「３つ」ボタンが操作された場合には、もう一度Ｄ２１５に戻ってＤ２１６〜Ｄ２１８のいずれかの入力を受け付け、「４つ」ボタンが操作された場合には、さらにもう一度Ｄ２１５に戻ってＤ２１６〜Ｄ２１８のいずれかの入力を受け付けてから、それらで入力された内容をさらに含む会員統合要求が送信される。
【０３７８】
図３１に戻り、Ｄ２００で、会員が操作キーを操作して、「グループ店一覧」ボタンを操作すると、挿入されている第１会員カード４のＩＣチップ４ｂから読み取った第１会員カードＩＤを含むグループ店一覧要求が、インターネットを介してポイント管理装置５０に対して送信される。また図３１〜図３２に示した各画面で、メニュー表示操作が行われると、図３１のＤ２００に示すメニュー画面に戻る。
【０３７９】
次に第２遊技場に設置されるカードユニット２０においては、会員がカードＲ／Ｗ２５に自店で発行された第２会員カード５を挿入している状態で操作キー表示領域２７ｂの操作キーを操作して、ポイント会員登録モードが実行されると、前記Ｄ２００に示すメニュー画面がディスプレイ２７に表示される。
【０３８０】
このＤ２００で、会員が操作キーを操作して、「単独登録」ボタンを操作すると、該単独登録が選択された旨が、インターネットを介してポイント管理装置５０に対して送信され、該ポイント管理装置５０から第２遊技場に設置されるカードユニット２０に対してＤ２０３に示す画面が配信されて、ディスプレイ２７に表示される。このＤ２０３では、カードＲ／Ｗ２５に挿入されている第２会員カード５のＩＣチップ５ｂから読み取った第２会員カードＩＤが表示されると共に、登録する暗証番号，性別，及び生年月日の入力欄が表示される。
【０３８１】
このＤ２０３で、会員が操作キーを操作して、登録する暗証番号と、該会員の属性情報である性別及び生年月日とを入力して「登録」ボタンを操作すると、挿入されている第２会員カード５のＩＣチップ５ｂから読み取った未登録の第２会員カードＩＤと、同ＩＣチップ５ｂから読み取った他システム会員ＩＤと、入力された属性情報，及び暗証番号とを含む第１登録要求が、インターネットを介してポイント管理装置５０に対して送信される。
【０３８２】
前記Ｄ２００で、会員が操作キーを操作して、「統合登録」ボタンを操作すると、前記Ｄ２１０に示す画面がディスプレイ２７に表示される。このＤ２１０で、会員が操作キーを操作して、例えば「２つ」ボタンを操作すると、前記Ｄ２１１に示す画面がディスプレイ２７に表示される。
【０３８３】
このＤ２１１で、会員が操作キーを操作して、「未登録」ボタンを操作すると、挿入されている第２会員カード５がポイント会員として未登録である旨が、インターネットを介してポイント管理装置５０に対して送信され、該ポイント管理装置５０からカードユニット２０に対して、図３２のＤ２１３，及びＤ２１５〜Ｄ２１８に示す画面が配信されて一時的に記憶され、まず前記Ｄ２０３と同様のＤ２１３に示す画面がディスプレイ２７に表示される。
【０３８４】
このＤ２１３で、会員が操作キーを操作して、前述したＤ２０３と同様の内容を入力して「登録」ボタンを操作すると、該入力内容が一時的に記憶されると共に、前記記憶しているＤ２１５に示す画面がディスプレイ２７に表示される。
【０３８５】
このＤ２１５で、会員が操作キーを操作して、「未登録の第１会員カード」ボタンを操作すると、前記記憶しているＤ２１６の画面がディスプレイ２７に表示される。このＤ２１６で前述の如く入力を行って「登録」ボタンを操作すると、挿入されている第２会員カード５のＩＣチップ５ｂから読み取った未登録の第２会員カードＩＤと、同ＩＣチップ５ｂから読み取った他システム会員ＩＤと、Ｄ２１３で入力されて記憶している属性情報，及び暗証番号とを含むと共に、Ｄ２１６で入力された未登録の第１会員カードＩＤ及び第１会員ＩＤと、暗証番号とを含む第１の会員統合要求が、インターネットを介してポイント管理装置５０に対して送信される。
【０３８６】
またＤ２１５で、会員が操作キーを操作して、「未登録の第２会員カード」ボタンを操作すると、前記記憶しているＤ２１７の画面がディスプレイ２７に表示される。このＤ２１６で前述の如く入力を行って「登録」ボタンを操作すると、挿入されている第２会員カード５のＩＣチップ５ｂから読み取った未登録の第２会員カードＩＤと、同ＩＣチップ５ｂから読み取った他システム会員ＩＤと、Ｄ２１３で入力されて記憶している属性情報，及び暗証番号とを含むと共に、Ｄ２１７で入力された未登録の第２会員カードＩＤ及び他システム会員ＩＤの下４桁と、暗証番号とを含む第１の会員統合要求が、インターネットを介してポイント管理装置５０に対して送信される。
【０３８７】
またＤ２１５で、会員が操作キーを操作して、「登録済」ボタンを操作すると、前記記憶しているＤ２１８の画面がディスプレイ２７に表示される。このＤ２１８で前述の如く入力を行って「登録」ボタンを操作すると、挿入されている第２会員カード５のＩＣチップ５ｂから読み取った未登録の第２会員カードＩＤと、同ＩＣチップ５ｂから読み取った他システム会員ＩＤと、Ｄ２１３で入力されて記憶している属性情報，及び暗証番号とを含むと共に、Ｄ２１８で入力された既登録の会員カードＩＤ及び暗証番号を含む第２の会員統合要求が、インターネットを介してポイント管理装置５０に対して送信される。
【０３８８】
図３１に戻り、Ｄ２１１で、会員が操作キーを操作して、「登録済」ボタンを操作すると、前記記憶しているＤ２１４に示す画面がディスプレイ２７に表示される。このＤ２１４では、挿入されている第２会員カード５のＩＣチップ５ｂから読み取った第２会員カードＩＤが表示されると共に、既登録の暗証番号の入力欄が表示される。このＤ２１４で、会員が操作キーを操作して、登録済の暗証番号を入力して「登録」ボタンを操作すると、該入力内容が一時的に記憶されると共に、前記記憶しているＤ２１５に示す画面がディスプレイ２７に表示される。
【０３８９】
このＤ２１５で、会員が操作キーを操作して、「未登録の第１会員カード」ボタンを操作すると、前記記憶しているＤ２１６の画面がディスプレイ２７に表示される。このＤ２１６で前述の如く入力を行って「登録」ボタンを操作すると、挿入されている第２会員カード５のＩＣチップ５ｂから読み取った既登録の第２会員カードＩＤと、Ｄ２１４で入力された暗証番号とを含むと共に、Ｄ２１６で入力された未登録の第１会員カードＩＤ及び第１会員ＩＤと、暗証番号とを含む第２の会員統合要求が、インターネットを介してポイント管理装置５０に対して送信される。
【０３９０】
またＤ２１５で、会員が操作キーを操作して、「未登録の第２会員カード」ボタンを操作すると、前記記憶しているＤ２１７の画面がディスプレイ２７に表示される。このＤ２１７で前述の如く入力を行って「登録」ボタンを操作すると、挿入されている第２会員カード５のＩＣチップ５ｂから読み取った既登録の第２会員カードＩＤと、Ｄ２１４で入力されて記憶している暗証番号とを含むと共に、Ｄ２１７で入力された未登録の第２会員カードＩＤ及び他システム会員ＩＤの下４桁と、暗証番号とを含む第２の会員統合要求が、インターネットを介してポイント管理装置５０に対して送信される。
【０３９１】
またＤ２１５で、会員が操作キーを操作して、「登録済」ボタンを操作すると、前記記憶しているＤ２１８の画面がディスプレイ２７に表示される。このＤ２１８で前述の如く入力を行って「登録」ボタンを操作すると、挿入されている第２会員カード５のＩＣチップ５ｂから読み取った既登録の第２会員カードＩＤと、Ｄ２１４で入力されて記憶している暗証番号とを含むと共に、Ｄ２１８で入力された既登録の会員カードＩＤ及び暗証番号を含む第３の会員統合要求が、インターネットを介してポイント管理装置５０に対して送信される。
【０３９２】
なおＤ２１０で、「３つ」ボタンが操作された場合には、もう一度Ｄ２１５に戻ってＤ２１６〜Ｄ２１８のいずれかの入力を受け付け、「４つ」ボタンが操作された場合には、さらにもう一度Ｄ２１５に戻ってＤ２１６〜Ｄ２１８のいずれかの入力を受け付けてから、それらで入力された内容をさらに含む会員統合要求が送信される。
【０３９３】
図３１に戻り、Ｄ２００で、会員が操作キーを操作して、「グループ店一覧」ボタンを操作すると、挿入されている第２会員カード５のＩＣチップ５ｂから読み取った第２会員カードＩＤを含むグループ店一覧要求が、インターネットを介してポイント管理装置５０に対して送信される。また図３１〜図３２に示した各画面で、メニュー表示操作が行われると、図３１のＤ２００に示すメニュー画面に戻る。
【０３９４】
図３３〜図３６は、キオスク端末３０のディスプレイ３４に表示されるポイント会員登録画面の一例を表す図である。まず会員が操作キー３５を操作して、ポイント会員登録モードが実行されると、ポイント管理装置５０にアクセスされ、該ポイント管理装置５０からキオスク端末３０に対して、前記Ｄ１０４と同様のＤ３００に示すメニュー画面が配信されて、ディスプレイ３４に表示される。
【０３９５】
このＤ３００で、会員が操作キー３５を操作して、「単独登録」ボタンを操作すると、該単独登録が選択された旨が、インターネットを介してポイント管理装置５０に対して送信され、該ポイント管理装置５０からキオスク端末３０に対して、Ｄ３０１に示す画面が配信されて、ディスプレイ３４に表示される。このＤ３０１では、会員カード（第１会員カード４又は第２会員カード５）の挿入が求められる。
【０３９６】
このＤ３０１で、会員がカードリーダ３３に未登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）が一時的に記憶されると共に、該読み取った会員ＩＤを含む前記第１登録要求Ａが、インターネットを介してポイント管理装置５０に対して送信される。
【０３９７】
ここで前記会員カードＩＤ特定処理が行われたポイント管理装置５０において、前記第１登録要求Ａに含まれる会員ＩＤに対応する会員カードＩＤとして第１会員カードＩＤが特定されると、該ポイント管理装置５０からキオスク端末３０に対して、該特定された第１会員カードＩＤが返信されると共に、Ｄ３０２に示す画面が配信されて、ディスプレイ３４に表示される。このＤ３０２では、返信されてきた第１会員カードＩＤが表示されると共に、登録時の暗証番号，性別，及び生年月日の入力欄が表示される。
【０３９８】
このＤ３０２で、会員が操作キー３５を操作して、当該第１会員カード４の発行時に登録された暗証番号と、該会員の属性情報である性別及び生年月日とを入力して「登録」ボタンを操作すると、挿入されている第１会員カード４が排出されると共に、返信されてきた未登録の第１会員カードＩＤ及び前記記憶している第１会員ＩＤと、入力された属性情報及び暗証番号とを含む第１登録要求Ｂが、インターネットを介してポイント管理装置５０に対して送信される。
【０３９９】
一方、前記会員カードＩＤ特定処理が行われたポイント管理装置５０において、前記第１登録要求Ａに含まれる会員ＩＤに対応する会員カードＩＤとして第２会員カードＩＤが特定されると、該ポイント管理装置５０からキオスク端末３０に対して、該特定された第２会員カードＩＤが返信されると共に、Ｄ３０３に示す画面が配信されて、ディスプレイ３４に表示される。このＤ３０３では、返信されてきた第２会員カードＩＤが表示されると共に、登録する暗証番号，性別，及び生年月日の入力欄が表示される。
【０４００】
このＤ３０３で、会員が操作キー３５を操作して、登録する暗証番号と、該会員の属性情報である性別及び生年月日とを入力して「登録」ボタンを操作すると、挿入されている第２会員カード５が排出されると共に、返信されてきた未登録の第２会員カードＩＤ及び前記記憶している他システム会員ＩＤと、入力された属性情報及び暗証番号とを含む第１登録要求Ｂが、インターネットを介してポイント管理装置５０に対して送信される。
【０４０１】
前記Ｄ３００で、会員が操作キー３５を操作して、「統合登録」ボタンを操作すると、該統合登録が選択された旨が、インターネットを介してポイント管理装置５０に対して送信され、該ポイント管理装置５０からキオスク端末３０に対して、前記Ｄ１１０と同様のＤ３１０に示す画面が配信されて、ディスプレイ３４に表示される。
【０４０２】
このＤ３１０で、会員が操作キー３５を操作して、例えば「２つ」ボタンを操作すると、統合する会員カードの数が２つである旨が、インターネットを介してポイント管理装置５０に対して送信され、該ポイント管理装置５０からキオスク端末３０に対して、前記Ｄ１１１と同様のＤ３１１に示す画面が配信されて、ディスプレイ３４に表示される。
【０４０３】
このＤ３１１で、会員が操作キー３５を操作して、「全部が未登録」ボタンを操作すると、統合する会員カードの全部がポイント会員として未登録である旨が、インターネットを介してポイント管理装置５０に対して送信され、該ポイント管理装置５０からキオスク端末３０に対して、図３４のＤ３１２に示す画面が配信されて、ディスプレイ３４に表示される。このＤ３１２では、会員カード（第１会員カード４又は第２会員カード５）の挿入が求められる。
【０４０４】
このＤ３１２で、会員がカードリーダ３３に未登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含む会員統合要求Ａが、インターネットを介してポイント管理装置５０に対して送信される。
【０４０５】
ここで前記会員カードＩＤ特定処理が行われたポイント管理装置５０において、前記会員統合要求Ａに含まれる会員ＩＤに対応する会員カードＩＤとして第１会員カードＩＤが特定されると、該ポイント管理装置５０からキオスク端末３０に対して、該特定された第１会員カードＩＤが返信されると共に、Ｄ３１３及びＤ３１５に示す画面が配信されて一時的に記憶され、まず前記Ｄ３０２と同様のＤ３１３に示す画面がディスプレイ３４に表示される。このＤ３１３で、会員が操作キー３５を操作して、前述したＤ３０２と同様の内容を入力して「登録」ボタンを操作すると、該入力内容と、前記返信されてきた第１会員カードＩＤと、前記読み取った第１会員ＩＤとが一時的に記憶され、挿入されている第１会員カード４が排出されると共に、前記記憶しているＤ３１５に示す画面が、ディスプレイ３４に表示される。
【０４０６】
一方、前記会員カードＩＤ特定処理が行われたポイント管理装置５０において、前記会員統合要求Ａに含まれる会員ＩＤに対応する会員カードＩＤとして第２会員カードＩＤが特定されると、該ポイント管理装置５０からキオスク端末３０に対して、該特定された第２会員カードＩＤが返信されると共に、Ｄ３１４及びＤ３１５に示す画面が配信されて一時的に記憶され、まず前記Ｄ３０３と同様のＤ３１４に示す画面がディスプレイ３４に表示される。このＤ３１４で、会員が操作キー３５を操作して、前述した内容を入力して「登録」ボタンを操作すると、該入力内容と、前記返信されてきた第２会員カードＩＤと、前記読み取った他システム会員ＩＤとが一時的に記憶され、挿入されている第２会員カード５が排出されると共に、前記記憶しているＤ３１５に示す画面が、ディスプレイ３４に表示される。
【０４０７】
Ｄ３１５では、会員カード（第１会員カード４又は第２会員カード５）の挿入が求められる。このＤ３１５で、会員がカードリーダ３３に未登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含む会員統合要求Ｂが、インターネットを介してポイント管理装置５０に対して送信される。
【０４０８】
ここで前記会員カードＩＤ特定処理が行われたポイント管理装置５０において、前記会員統合要求Ｂに含まれる会員ＩＤに対応する会員カードＩＤとして第１会員カードＩＤが特定されると、該ポイント管理装置５０からキオスク端末３０に対して、該特定された第１会員カードＩＤが返信されると共に、Ｄ３１６に示す画面が配信されて、ディスプレイ３４に表示される。このＤ３１６では、返信されてきた第１会員カードＩＤが表示されると共に、登録時の暗証番号の入力欄が表示される。
【０４０９】
このＤ３１６で、会員が操作キー３５を操作して、当該第１会員カード４の発行時に登録された暗証番号を入力して「登録」ボタンを操作すると、挿入されている第１会員カード４が排出されると共に、前記記憶している未登録の会員カードＩＤ（第１会員カードＩＤ又は第２会員カードＩＤ）と、会員ＩＤ（第１会員ＩＤ又は他システム会員ＩＤ）と、属性情報及び暗証番号とを含むと共に、Ｄ３１５で返信されてきた未登録の第１会員カードＩＤと、Ｄ３１５で挿入された第１会員カード４の磁気ストライプ４ｃから読み取った第１会員ＩＤと、Ｄ３１６で入力された暗証番号とを含む第１の会員統合要求が、インターネットを介してポイント管理装置５０に対して送信される。
【０４１０】
一方、前記会員カードＩＤ特定処理が行われたポイント管理装置５０において、前記会員統合要求Ｂに含まれる会員ＩＤに対応する会員カードＩＤとして第２会員カードＩＤが特定されると、該ポイント管理装置５０からキオスク端末３０に対して、該特定された第２会員カードＩＤが返信されると共に、Ｄ３１７に示す画面が配信されて、ディスプレイ３４に表示される。このＤ３１７では、返信されてきた第２会員カードＩＤが表示されると共に、登録する暗証番号の入力欄が表示される。
【０４１１】
このＤ３１７で、会員が操作キー３５を操作して、登録する暗証番号を入力して「登録」ボタンを操作すると、挿入されている第２会員カード５が排出されると共に、前記記憶している未登録の会員カードＩＤ（第１会員カードＩＤ又は第２会員カードＩＤ）と、会員ＩＤ（第１会員ＩＤ又は他システム会員ＩＤ）と、属性情報及び暗証番号とを含むと共に、Ｄ３１５で返信されてきた未登録の第２会員カードＩＤと、Ｄ３１５で挿入された第２会員カード５の磁気ストライプ５ｃから読み取った他システム会員ＩＤと、Ｄ３１７で入力された暗証番号とを含む第１の会員統合要求が、インターネットを介してポイント管理装置５０に対して送信される。
【０４１２】
なおＤ３１０で、「３つ」ボタンが操作された場合には、もう一度Ｄ３１５に戻ってＤ３１６又はＤ３１７の入力を受け付け、「４つ」ボタンが操作された場合には、さらにもう一度Ｄ３１５に戻ってＤ３１６又はＤ３１７の入力を受け付けてから、Ｄ３１５で返信されてきた未登録の会員カードＩＤと、Ｄ３１５で挿入された会員カードの磁気ストライプから読み取った会員ＩＤと、Ｄ３１６又はＤ３１７で入力された暗証番号をさらに含む第１の会員統合要求が送信される。
【０４１３】
図３３に戻り、Ｄ３１１で、会員が操作キー３５を操作して、「いずれか又は全部が登録済」ボタンを操作すると、統合する会員カードのいずれか又は全部がポイント会員として登録済である旨が、インターネットを介してポイント管理装置５０に対して送信され、該ポイント管理装置５０からキオスク端末３０に対して、図３５のＤ３２０に示す画面が配信されて、ディスプレイ３４に表示される。このＤ３２０では、登録済の会員カード（第１会員カード４又は第２会員カード５）の挿入が求められる。
【０４１４】
このＤ３２０で、会員がカードリーダ３３に既登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含む会員統合要求Ａが、インターネットを介してポイント管理装置５０に対して送信される。
【０４１５】
ここで前記会員カードＩＤ特定処理が行われたポイント管理装置５０において、前記会員統合要求Ａに含まれる会員ＩＤに対応する会員カードＩＤとして第１会員カードＩＤが特定されると、該ポイント管理装置５０からキオスク端末３０に対して、該特定された第１会員カードＩＤが返信されると共に、Ｄ３２１，Ｄ３２３，及びＤ３２４に示す画面が配信されて一時的に記憶され、まずＤ３２１に示す画面がディスプレイ３４に表示される。このＤ３２１では、返信されてきた第１会員カードＩＤが表示されると共に、登録済の暗証番号の入力欄が表示される。このＤ３２１で、会員が操作キー３５を操作して、登録済の暗証番号を入力して「登録」ボタンを操作すると、該入力内容と、前記返信されてきた第１会員カードＩＤと、前記読み取った第１会員ＩＤとが一時的に記憶され、挿入されている第１会員カード４が排出されると共に、前記記憶しているＤ３２３に示す画面が、ディスプレイ３４に表示される。
【０４１６】
一方、前記会員カードＩＤ特定処理が行われたポイント管理装置５０において、前記会員統合要求Ａに含まれる会員ＩＤに対応する会員カードＩＤとして第２会員カードＩＤが特定されると、該ポイント管理装置５０からキオスク端末３０に対して、該特定された第２会員カードＩＤが返信されると共に、Ｄ３２２〜Ｄ３２４に示す画面が配信されて一時的に記憶され、まずＤ３２２に示す画面がディスプレイ３４に表示される。このＤ３２２では、返信されてきた第２会員カードＩＤが表示されると共に、登録済の暗証番号の入力欄が表示される。このＤ３２２で、会員が操作キー３５を操作して、登録済の暗証番号を入力して「登録」ボタンを操作すると、該入力内容と、前記返信されてきた第２会員カードＩＤと、前記読み取った他システム会員ＩＤとが一時的に記憶され、挿入されている第２会員カード５が排出されると共に、前記記憶しているＤ３２３に示す画面が、ディスプレイ３４に表示される。
【０４１７】
Ｄ３２３では、統合する会員カードがポイント会員として登録済であるか否かを選択するためのボタンとして、「未登録」ボタン，及び「登録済」ボタンが表示される。
【０４１８】
このＤ３２３で、会員が操作キー３５を操作して、「未登録」ボタンを操作すると、前記記憶しているＤ３２４に示す画面が、ディスプレイ３４に表示される。このＤ３２４では、統合する会員カード（第１会員カード４又は第２会員カード５）の挿入が求められる。このＤ３２４で、会員がカードリーダ３３に未登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含む会員統合要求Ｂが、インターネットを介してポイント管理装置５０に対して送信される。
【０４１９】
ここで前記会員カードＩＤ特定処理が行われたポイント管理装置５０において、前記会員統合要求Ｂに含まれる会員ＩＤに対応する会員カードＩＤとして第１会員カードＩＤが特定されると、該ポイント管理装置５０からキオスク端末３０に対して、該特定された第１会員カードＩＤが返信されると共に、前記Ｄ３１６と同様のＤ３２５に示す画面が配信されて、ディスプレイ３４に表示される。
【０４２０】
このＤ３２５で、会員が操作キー３５を操作して、当該第１会員カード４の発行時に登録された暗証番号を入力して「登録」ボタンを操作すると、挿入されている第１会員カード４が排出されると共に、前記記憶している既登録の会員カードＩＤ（第１会員カードＩＤ又は第２会員カードＩＤ）と、会員ＩＤ（第１会員ＩＤ又は他システム会員ＩＤ）と、暗証番号とを含むと共に、Ｄ３２４で返信されてきた未登録の第１会員カードＩＤと、Ｄ３２４で挿入された第１会員カード４の磁気ストライプ４ｃから読み取った第１会員ＩＤと、Ｄ３２５で入力された暗証番号とを含む第２の会員統合要求が、インターネットを介してポイント管理装置５０に対して送信される。
【０４２１】
一方、前記会員カードＩＤ特定処理が行われたポイント管理装置５０において、前記会員統合要求Ｂに含まれる会員ＩＤに対応する会員カードＩＤとして第２会員カードＩＤが特定されると、該ポイント管理装置５０からキオスク端末３０に対して、該特定された第２会員カードＩＤが返信されると共に、前記Ｄ３１７と同様のＤ３２６に示す画面が配信されて、ディスプレイ３４に表示される。
【０４２２】
このＤ３２６で、会員が操作キー３５を操作して、登録する暗証番号を入力して「登録」ボタンを操作すると、挿入されている第２会員カード５が排出されると共に、前記記憶している既登録の会員カードＩＤ（第１会員カードＩＤ又は第２会員カードＩＤ）と、会員ＩＤ（第１会員ＩＤ又は他システム会員ＩＤ）と、暗証番号とを含むと共に、Ｄ３２４で返信されてきた未登録の第２会員カードＩＤと、Ｄ３２４で挿入された第２会員カード５の磁気ストライプ５ｃから読み取った他システム会員ＩＤと、Ｄ３２６で入力された暗証番号とを含む第２の会員統合要求が、インターネットを介してポイント管理装置５０に対して送信される。
【０４２３】
なおＤ３１０で、「３つ」ボタンが操作された場合には、もう一度Ｄ３２３に戻ってＤ３２５又はＤ３２６の入力を受け付け、「４つ」ボタンが操作された場合には、さらにもう一度Ｄ３２３に戻ってＤ３２５又はＤ３２６の入力を受け付けてから、Ｄ３２４で返信されてきた未登録の会員カードＩＤと、Ｄ３２４で挿入された会員カードの磁気ストライプから読み取った会員ＩＤと、Ｄ３２５又はＤ３２６で入力された暗証番号をさらに含む第２の会員統合要求が送信される。
【０４２４】
前記Ｄ３２３で、会員が操作キー３５を操作して、「登録済」ボタンを操作すると、前記記憶しているＤ３２４に示す画面がディスプレイ３４に表示される。このＤ３２４で、会員がカードリーダ３３に既登録の会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含む会員統合要求Ｂが、インターネットを介してポイント管理装置５０に対して送信される。
【０４２５】
ここで前記会員カードＩＤ特定処理が行われたポイント管理装置５０において、前記会員統合要求Ｂに含まれる会員ＩＤに対応する会員カードＩＤとして第１会員カードＩＤが特定されると、該ポイント管理装置５０からキオスク端末３０に対して、該特定された第１会員カードＩＤが返信されると共に、前記Ｄ３２１と同様の図３６のＤ３２７に示す画面が配信されて、ディスプレイ３４に表示される。
【０４２６】
このＤ３２７で、会員が操作キー３５を操作して、登録済の暗証番号を入力して「登録」ボタンを操作すると、挿入されている第１会員カード４が排出されると共に、前記記憶している既登録の会員カードＩＤ（第１会員カードＩＤ又は第２会員カードＩＤ）と、会員ＩＤ（第１会員ＩＤ又は他システム会員ＩＤ）と、暗証番号とを含むと共に、Ｄ３２４で返信されてきた既登録の第１会員カードＩＤと、Ｄ３２４で挿入された第１会員カード４の磁気ストライプ４ｃから読み取った第１会員ＩＤと、Ｄ３２７で入力された暗証番号とを含む第３の会員統合要求が、インターネットを介してポイント管理装置５０に対して送信される。
【０４２７】
一方、前記会員カードＩＤ特定処理が行われたポイント管理装置５０において、前記会員統合要求Ｂに含まれる会員ＩＤに対応する会員カードＩＤとして第２会員カードＩＤが特定されると、該ポイント管理装置５０からキオスク端末３０に対して、該特定された第２会員カードＩＤが返信されると共に、前記Ｄ３２２と同様の図３６のＤ３２８に示す画面が配信されて、ディスプレイ３４に表示される。
【０４２８】
このＤ３２８で、会員が操作キー３５を操作して、登録済の暗証番号を入力して「登録」ボタンを操作すると、挿入されている第２会員カード５が排出されると共に、前記記憶している既登録の会員カードＩＤ（第１会員カードＩＤ又は第２会員カードＩＤ）と、会員ＩＤ（第１会員ＩＤ又は他システム会員ＩＤ）と、暗証番号とを含むと共に、Ｄ３２４で返信されてきた既登録の第２会員カードＩＤと、Ｄ３２４で挿入された第２会員カード５の磁気ストライプ５ｃから読み取った他システム会員ＩＤと、Ｄ３２８で入力された暗証番号とを含む第３の会員統合要求が、インターネットを介してポイント管理装置５０に対して送信される。
【０４２９】
なおＤ３１０で、「３つ」ボタンが操作された場合には、もう一度Ｄ３２４に戻ってＤ３２７又はＤ３２８の入力を受け付け、「４つ」ボタンが操作された場合には、さらにもう一度Ｄ３２４に戻ってＤ３２７又はＤ３２８の入力を受け付けてから、Ｄ３２４で返信されてきた未登録の会員カードＩＤと、Ｄ３２４で挿入された会員カードの磁気ストライプから読み取った会員ＩＤと、Ｄ３２７又はＤ３２８で入力された暗証番号をさらに含む第２の会員統合要求が送信される。
【０４３０】
図３３に戻り、Ｄ３００で、会員が操作キーを操作して、「グループ店一覧」ボタンを操作すると、前記Ｄ３０１に示す画面がディスプレイ３４に表示され、会員がカードリーダ３３に会員カードを挿入すると、該カードリーダ３３に挿入された会員カードの磁気ストライプから読み取った会員ＩＤ（第１会員カード４であれば第１会員ＩＤ，第２会員カード５であれば他システム会員ＩＤ）を含むグループ店一覧要求が、インターネットを介してポイント管理装置５０に対して送信される。また図３３〜図３６に示した各画面で、メニュー表示操作が行われると、図３３のＤ３００に示すメニュー画面に戻る。
【０４３１】
図３７〜図３９は、登録端末（ＰＣ６，携帯電話７，カードユニット２０，キオスク端末３０）のディスプレイに表示されるポイント会員専用画面の一例を表す図である。ＰＣ６又は携帯電話７においては、ポイント会員が操作キーを操作して、ポイント会員専用画面表示モードが実行されると、ポイント管理装置５０にアクセスされて、ログイン画面配信要求が該ポイント管理装置５０に対して送信され、該ポイント管理装置５０からＰＣ６又は携帯電話７に対して、図３７のＤ４００に示すログイン画面が配信されて、ディスプレイに表示される。このＤ４００では、会員カードＩＤ（第１会員カードＩＤ又は第２会員カードＩＤ），及び暗証番号の入力欄が表示される。このＤ４００で、ポイント会員が操作キーを操作し、会員カードＩＤ及び暗証番号を入力して「ログイン」ボタンを操作すると、該入力された会員カードＩＤ及び暗証番号が一時的に記憶されると共に、該会員カードＩＤ及び暗証番号を含むログイン要求（前述の如く、情報公開要求の一部であると共に、確認要求の一部でもある）が、インターネットを介してポイント管理装置５０に対して送信され、該ポイント管理装置５０において、ログイン要求に含まれる会員カードＩＤ及び暗証番号の照合がＯＫであれば、該ポイント管理装置５０からＰＣ６又は携帯電話７に対して、Ｄ４０１に示すメニュー画面が配信されて、ディスプレイに表示される。
【０４３２】
またカードユニット２０においては、ポイント会員がカードＲ／Ｗ２５に自店で発行された会員カードを挿入している状態で操作キー表示領域２７ｂの操作キーを操作して、ポイント会員専用画面表示モードが実行されると、ポイント管理装置５０にアクセスされて、ログイン画面配信要求が該ポイント管理装置５０に対して送信され、該ポイント管理装置５０からカードユニット２０に対して、挿入されている会員カードのＩＣチップから読み取った会員カードＩＤを表示すると共に登録済の暗証番号の入力を求めるログイン画面が配信されて、ディスプレイ２７のメッセージ表示領域２７ａに表示される。このログイン画面で、該暗証番号を入力してログインすると、前記読み取った会員カードＩＤ及び該入力された暗証番号が一時的に記憶されると共に、該会員カードＩＤ及び暗証番号を含むログイン要求（前述の如く、情報公開要求の一部であると共に、確認要求の一部でもある）が、インターネットを介してポイント管理装置５０に対して送信され、該ポイント管理装置５０において、ログイン要求に含まれる会員カードＩＤ及び暗証番号の照合がＯＫであれば、該ポイント管理装置５０からカードユニット２０に対して、Ｄ４０１に示すメニュー画面が配信されて、ディスプレイ２７のメッセージ表示領域２７ａに表示される。
【０４３３】
またキオスク端末３０においては、ポイント会員が操作キー３５を操作して、ポイント会員専用画面表示モードが実行されると、ポイント管理装置５０にアクセスされて、該ポイント管理装置５０からキオスク端末３０に対して、会員カードの挿入を求める画面が配信され、ディスプレイ３４に表示される。ここでポイント会員がカードリーダ３３に会員カードを挿入すると、該挿入された会員カードの磁気ストライプから読み取った会員ＩＤ（第１会員ＩＤ又は他システム会員ＩＤ）を含むログイン画面配信要求が該ポイント管理装置５０に対して送信され、該ポイント管理装置５０において、ログイン画面配信要求に含まれる会員ＩＤに対応付けて図１０（ａ）に示すエンコード情報ＤＢで記憶している会員カードＩＤを特定する前記会員カードＩＤ特定処理が行われ、該ポイント管理装置５０から、特定された会員カードＩＤと、該会員カードＩＤを表示すると共に登録済の暗証番号の入力を求めるログイン画面が配信されて、ディスプレイ３４に表示される。このログイン画面で、該暗証番号を入力してログインすると、前記送信されてきた会員カードＩＤ及び該入力された暗証番号が一時的に記憶されると共に、該会員カードＩＤ（即ち前記読み取った会員ＩＤから特定される会員カードＩＤ）及び暗証番号を含むログイン要求（前述の如く、情報公開要求の一部であると共に、確認要求の一部でもある）が、インターネットを介してポイント管理装置５０に対して送信され、該ポイント管理装置５０において、ログイン要求に含まれる会員カードＩＤ及び暗証番号の照合がＯＫであれば、該ポイント管理装置５０からキオスク端末３０に対して、Ｄ４０１に示すメニュー画面が配信されて、ディスプレイ３４に表示される。
【０４３４】
このＤ４０１では、「ポイント確認・使用」ボタン，「登録情報の更新」ボタン，「グループ店一覧」ボタン，「グループ店追加情報」ボタン，「アンケート」ボタン，「イベント情報」ボタン，「当選情報」ボタン，及び「統合登録」ボタンが表示される。
【０４３５】
このＤ４０１が表示されているＰＣ６又は携帯電話７で、ポイント会員が操作キーを操作して、「統合登録」ボタンを操作すると、図２８のＤ１１７，及び図２９のＤ１１３〜Ｄ１１５に示す画面が配信されて一時的に記憶され、Ｄ１１７に示す画面がディスプレイに表示される。このＤ１１７で「未登録」ボタンが操作され、前述したのと同様にＤ１１３〜Ｄ１１５の処理が行われた後に送信される第２の会員統合要求には、前記ログイン要求の送信時に記憶した会員カードＩＤ及び暗証番号と、Ｄ１１４又はＤ１１５で入力された内容とが含まれる。またＤ１１７で「登録済」ボタンが操作され、前述したのと同様にＤ１１６の処理が行われた後に送信される第３の会員統合要求には、前記ログイン要求の送信時に記憶した会員カードＩＤ及び暗証番号と、Ｄ１１４又はＤ１１５で入力された内容とが含まれる。
【０４３６】
またＤ４０１が表示されているカードユニット２０で、ポイント会員が操作キーを操作して、「統合登録」ボタンを操作すると、図３２のＤ２１５〜Ｄ２１８に示す画面が配信されて一時的に記憶され、Ｄ２１５に示す画面がディスプレイ２７に表示される。これらＤ２１５〜Ｄ２１８で、前述したのと同様の処理が行われた後に送信される第２の会員統合要求には、前記ログイン要求の送信時に記憶した会員カードＩＤ及び暗証番号と、Ｄ２１６又はＤ２１７で入力された内容とが含まれ、また第３の会員統合要求には、前記ログイン要求の送信時に記憶した会員カードＩＤ及び暗証番号と、Ｄ２１８で入力された内容とが含まれる。
【０４３７】
またＤ４０１が表示されているキオスク端末３０で、ポイント会員が操作キー３５を操作して、「統合登録」ボタンを操作すると、図３５のＤ３２３〜Ｄ３２６，及び図３６のＤ３２７〜Ｄ３２８に示す画面が配信されて一時的に記憶され、Ｄ３２３に示す画面がディスプレイ２７に表示される。このＤ３２３で「未登録」ボタンが操作され、前述したのと同様にＤ３２４及びＤ３２５，又はＤ３２４及びＤ３２６の処理が行われた後に送信される第２の会員統合要求には、前記ログイン要求の送信時に記憶した会員カードＩＤ及び暗証番号と、Ｄ３２４で返信されてきた未登録の会員カードＩＤと、Ｄ３２４で挿入された会員カードの磁気ストライプから読み取った会員ＩＤと、Ｄ３２５又はＤ３２６で入力された暗証番号とが含まれる。またＤ３２３で「登録済」ボタンが操作され、前述したのと同様にＤ３２４及びＤ３２７，又はＤ３２４及びＤ３２８の処理が行われた後に送信される第３の会員統合要求には、前記ログイン要求の送信時に記憶した会員カードＩＤ及び暗証番号と、Ｄ３２４で返信されてきた既登録の会員カードＩＤと、Ｄ３２４で挿入された会員カードの磁気ストライプから読み取った会員ＩＤと、Ｄ３２７又はＤ３２８で入力された暗証番号とが含まれる。
【０４３８】
このように、これら登録端末（ＰＣ６，携帯電話７，カードユニット２０，キオスク端末３０）において、ログイン画面からログインした後には、当該ログインに使用した会員カードと他の会員カードとを統合登録するために、当該ログインの際に入力する情報（即ちＰＣ６又は携帯電話７においては会員カードＩＤ及び暗証番号であり、カードユニット２０又はキオスク端末３０においては暗証番号である）を改めて入力する必要がない。
【０４３９】
なお、これら登録端末において、ログイン画面からログインした後には、第１の会員統合要求は送信されない。第１の会員統合要求には未登録の会員カードＩＤのみが含まれるところ、ログインに使用される会員カードＩＤは既登録の会員カードＩＤだからである。以下に説明する各画面は、すべての登録端末（ＰＣ６，携帯電話７，カードユニット２０，キオスク端末３０）において共通に表示される。
【０４４０】
前記Ｄ４０１で、ポイント会員が操作キーを操作して、「ポイント確認・使用」ボタンを操作すると、情報公開要求の一部であるポイント確認・使用要求が、インターネットを介してポイント管理装置５０に対して送信される。このポイント確認・使用要求を受信したポイント管理装置５０では、後述する図４３のＳ４０１〜Ｓ４１５，又は同Ｓ４２０〜Ｓ４３５に示す処理が行われる。
【０４４１】
ここで図４３のＳ４０１〜Ｓ４１５に示す処理が行われる場合は、前記Ｄ４００で送信したログイン要求に含まれる会員カードＩＤに対応付けてポイント会員情報ＤＢで他の会員カードＩＤが登録されていない場合であり、この場合には、ポイント管理装置５０から登録端末に対して、Ｄ４１０−１に示すポイント確認・使用画面が配信されて、ディスプレイに表示される。このＤ４１０−１では、前記ログイン要求に含まれる会員カードＩＤに対応するポイント数が現在のポイント数として表示されると共に、抽選情報ＤＢから抽出した抽選の内容（賞名，賞の説明，必要ポイント，及び当選者数）が表示される。
【０４４２】
このＤ４１０−１で、ポイント会員が操作キーを操作して、現在のポイント数の範囲内で応募可能な賞を選択（ここでは当該賞に対応するチェックボックスをチェック）して、「応募」ボタンを操作すると、該選択した賞（ここではＢ賞）の抽選への応募を示す応募情報が、インターネットを介してポイント管理装置５０に対して送信され、該ポイント管理装置５０から登録端末に対して、Ｄ４１１−１に示す画面が配信されて、ディスプレイに表示される。このＤ４１１−１では、賞への応募に使用されたポイント数を減算した後の現在のポイント数と、応募した賞（ここではＢ賞）と、賞への応募に使用されたポイント数（ここでは４０Ｐ）とが表示される。
【０４４３】
またＤ４１０−１で、ポイント会員が操作キーを操作して、「商品交換」ボタンを操作すると、図３８のＤ４１２−１に示すポイント確認・使用画面が配信されて、ディスプレイに表示される。このＤ４１２−１では、前記ログイン要求に含まれる会員カードＩＤに対応するポイント数が現在のポイント数として表示されると共に、予め設定されている交換可能な商品の内容（商品名，及び必要ポイント）が表示される。
【０４４４】
このＤ４１２−１で、ポイント会員が操作キーを操作して、現在のポイント数の範囲内で交換可能な商品を選択（ここでは当該商品に対応するチェックボックスをチェック）して、「応募」ボタンを操作すると、該選択した商品（ここでは携帯ストラップ）との交換を示す交換情報が、インターネットを介してポイント管理装置５０に対して送信される。そして会員カードＩＤに対応付けて氏名・住所が登録されている場合には、該ポイント管理装置５０から登録端末に対して、Ｄ４１３−１に示す画面が配信されて、ディスプレイに表示される。このＤ４１３−１では、商品を発送する旨が表示される。一方、会員カードＩＤに対応付けて氏名・住所が登録されていない場合には、該ポイント管理装置５０から登録端末に対して、Ｄ４１３−２に示す画面が配信されて、ディスプレイに表示される。このＤ４１３−２では、商品を発送する旨が表示されると共に、氏名及び住所の入力が求められ、氏名及び住所の入力欄が表示される。このＤ４１３−２で、ポイント会員が操作キーを操作して、氏名及び住所を入力欄に入力して、「登録」ボタンを操作すると、該入力された氏名及び住所を含む登録情報が、インターネットを介してポイント管理装置５０に対して送信される。
【０４４５】
一方、図４３の同Ｓ４２０〜Ｓ４３５に示す処理が行われる場合は、前記Ｄ４００で送信したログイン要求に含まれる会員カードＩＤに対応付けてポイント会員情報ＤＢで他の会員カードＩＤが登録されている場合であり、この場合には、ポイント管理装置５０から登録端末に対して、Ｄ４１０−２に示すポイント確認・使用画面が配信されて、ディスプレイに表示される。このＤ４１０−２では、前記ログイン要求に含まれる会員カードＩＤに対応するポイント数（ここではＡ点ポイント数），及び該会員カードＩＤに対応付けて登録されている他の会員カードＩＤに対応するポイント数（ここではＸ店ポイント数）が内訳として表示され、それらポイント数を合算した合算ポイント数が現在のポイント数として表示されると共に、抽選情報ＤＢから抽出した抽選の内容（賞名，賞の説明，必要ポイント，及び当選者数）が表示される。
【０４４６】
このＤ４１０−２で、ポイント会員が操作キーを操作して、現在のポイント数の範囲内で応募可能な賞を選択（ここでは当該賞に対応するチェックボックスをチェック）して、「応募」ボタンを操作すると、該選択した賞（ここではＡ賞）の抽選への応募を示す応募情報が、インターネットを介してポイント管理装置５０に対して送信され、該ポイント管理装置５０から登録端末に対して、Ｄ４１１−２に示す画面が配信されて、ディスプレイに表示される。このＤ４１１−２では、賞への応募に使用されたポイント数を減算した後の現在のポイント数及び内訳のポイント数と、応募した賞（ここではＡ賞）と、賞への応募に使用されたポイント数（ここでは１００Ｐ）とが表示される。ここで内訳のポイント数は、ログイン要求に含まれる会員カードＩＤに対応するポイント数（ここではＡ点ポイント数）から優先して減算され、該ポイントが不足するようであれば、不足分が当該会員カードＩＤに対応付けて登録されている他の会員カードＩＤに対応するポイント（ここではＸ店ポイント）から減算されるようになっている。
【０４４７】
またＤ４１０−２で、ポイント会員が操作キーを操作して、「商品交換」ボタンを操作すると、図３８のＤ４１２−２に示すポイント確認・使用画面が配信されて、ディスプレイに表示される。このＤ４１２−２では、前記ログイン要求に含まれる会員カードＩＤに対応するポイント数（ここではＡ点ポイント数），及び該会員カードＩＤに対応付けて登録されている他の会員カードＩＤに対応するポイント数（ここではＸ店ポイント数）が内訳として表示され、それらポイント数を合算した合算ポイント数が現在のポイント数として表示されると共に、予め設定されている交換可能な商品の内容（商品名，及び必要ポイント）が表示される。
【０４４８】
このＤ４１２−２で、ポイント会員が操作キーを操作して、現在のポイント数の範囲内で交換可能な商品を選択（ここでは当該商品に対応するチェックボックスをチェック）して、「応募」ボタンを操作すると、該選択した商品（ここでは特製ライター）との交換を示す交換情報が、インターネットを介してポイント管理装置５０に対して送信される。そして該ポイント管理装置５０から登録端末に対して、前記Ｄ４１３−１又はＤ４１３−２に示す画面が配信されて、ディスプレイに表示される。
【０４４９】
図３７に戻り、Ｄ４０１で、ポイント会員が操作キーを操作して、「登録情報の更新」ボタンを操作すると、登録情報更新要求が、インターネットを介してポイント管理装置５０に対して送信される。この登録情報更新要求を受信したポイント管理装置５０では、後述する図４４（ａ）のＳ５００〜Ｓ５０７に示す処理が行われ、該ポイント管理装置５０から登録端末に対して、図３８のＤ４３０に示す登録情報更新画面が配信されて、ディスプレイに表示される。このＤ４３０では、現在の登録情報として、氏名，住所，及び電子メールアドレスが表示されると共に、更新後の登録情報として、氏名，住所，及び電子メールアドレスの入力欄が表示される。このＤ４３０で、ポイント会員が操作キーを操作して、更新する氏名，住所，及び／又は電子メールアドレスを入力欄に入力して（更新しない情報の入力欄は空欄のままにして）、「更新」ボタンを操作すると、該入力された情報を含む更新情報が、インターネットを介してポイント管理装置５０に対して送信される。
【０４５０】
図３７に戻り、Ｄ４０１で、ポイント会員が操作キーを操作して、「グループ店一覧」ボタンを操作すると、グループ店一覧要求が、インターネットを介してポイント管理装置５０に対して送信される。このグループ店一覧要求を受信したポイント管理装置５０では、後述する図４４（ｂ）のＳ６００〜Ｓ６０３に示す処理が行われ、該ポイント管理装置５０から登録端末に対して、図３８のＤ４４０に示すグループ店一覧表示画面が配信されて、ディスプレイに表示される。このＤ４４０では、前記図３０のＤ１２１と同様に、Ｄ４００で入力された会員カードＩＤに含まれる店舗ＩＤの店舗（ここではＡ店）が属するグループのグループ名（ここでは◎◎グループ）と、該グループのグループ店一覧（ここではＢ店，Ｃ店，Ｘ店）が表示される。
【０４５１】
図３７に戻り、Ｄ４０１で、ポイント会員が操作キーを操作して、「グループ店追加情報」ボタンを操作すると、情報公開要求の一部であるグループ店追加情報要求が、インターネットを介してポイント管理装置５０に対して送信される。このグループ店追加情報要求を受信したポイント管理装置５０では、後述する図４４（ｃ）のＳ７００〜Ｓ７０３に示す処理が行われ、情報公開要求の一部であるログイン要求に含まれる会員カードＩＤに対応付けて図１０（ｂ）に示す通知情報ＤＢでグループ店追加情報が記憶されている場合には、該ポイント管理装置５０から登録端末に対して、図３９のＤ４５０−１又はＤ４５０−２に示すグループ店追加情報表示画面が配信されて、ディスプレイに表示される。
【０４５２】
ここでＤ４５０−１は、ログイン要求に含まれる会員カードＩＤ（例えばＤ４００に示すＡ店の会員カードＩＤ）から抽出した店舗ＩＤの店舗が属するグループに新規店舗の追加が行われた旨を、該会員カードＩＤの会員に対して示す画面であり、該追加された新規店舗（ここではＺ店）が表示される。またＤ４５０−２は、ログイン要求に含まれる会員カードＩＤ（例えば図示しないがＰ店の会員カードＩＤ）から抽出した店舗ＩＤの店舗について新たなグループが設定された旨を、該会員カードＩＤの会員に対して示す画面であり、該設定された新グループ（ここでは□□グループ）に属するグループ店（ここではＰ店，Ｑ店，Ｒ店）の一覧が表示される。
【０４５３】
図３７に戻り、Ｄ４０１で、ポイント会員が操作キーを操作して、「アンケート」ボタンを操作すると、確認要求の一部であるアンケート要求が、インターネットを介してポイント管理装置５０に対して送信される。このアンケート要求を受信したポイント管理装置５０では、後述する図４４（ｄ）のＳ８００〜Ｓ８０７に示す処理が行われ、確認要求の一部であるログイン要求に含まれる会員カードＩＤに対応付けて図１０（ｂ）に示す通知情報ＤＢでアンケート情報が記憶されており、かつ該会員カードＩＤに対応付けて図１０（ａ）に示すポイント会員情報ＤＢで電子メールアドレスが登録されていない場合には、該ポイント管理装置５０から登録端末に対して、図３９のＤ４６０に示すアンケート表示画面が配信されて、ディスプレイに表示される。このＤ４６０では、前記図１３のＤ２１と同様に、ウェブ上で公開されているアンケートが表示されるが、該Ｄ２１と異なり、会員カードＩＤの入力欄は表示されない。このＤ４６０で、ポイント会員が操作キーを操作して、アンケートの内容に応じた選択肢（ここでは好きな景品の選択肢）に対応するチェックボックスをチェックして、「応募」ボタンを選択することで、チェックされた選択肢（即ちアンケートへの回答）を示す回答情報が、インターネットを介してポイント管理装置５０に対して送信される。ポイント管理装置５０では、該回答情報を受信すると、図１０（ｄ）に示す抽選情報ＤＢにおいて、当該アンケートに対応する抽選の抽選ＩＤ（ここでは４０３５）に対応付けて、前記ログイン要求に含まれる会員カードＩＤが記憶される。またポイント管理装置５０では、制御部５２により、アンケート期間中に受信した回答情報に基づいて、各選択肢の選択数が集計される。
【０４５４】
図３７に戻り、Ｄ４０１で、ポイント会員が操作キーを操作して、「イベント情報」ボタンを操作すると、確認要求の一部であるイベント情報要求が、インターネットを介してポイント管理装置５０に対して送信される。このイベント情報要求を受信したポイント管理装置５０では、後述する図４４（ｅ）のＳ９００〜Ｓ９０５に示す処理が行われ、確認要求の一部であるログイン要求に含まれる会員カードＩＤに対応付けて図１０（ｂ）に示す通知情報ＤＢでイベント情報が記憶されており、かつ該会員カードＩＤに対応付けて図１０（ａ）に示すポイント会員情報ＤＢで電子メールアドレスが登録されていない場合には、該ポイント管理装置５０から登録端末に対して、図３９のＤ４７０に示すイベント情報表示画面が配信されて、ディスプレイに表示される、このＤ４７０では、前記図２５のＤ５０で入力されたイベント情報が表示される。
【０４５５】
図３７に戻り、Ｄ４０１で、ポイント会員が操作キーを操作して、「当選情報」ボタンを操作すると、確認要求の一部である当選情報要求が、インターネットを介してポイント管理装置５０に対して送信される。この当選情報要求を受信したポイント管理装置５０では、後述する図４４（ｆ）のＳ１０００〜Ｓ１００９に示す処理が行われ、確認要求の一部であるログイン要求に含まれる会員カードＩＤに対応付けて図１０（ｂ）に示す通知情報ＤＢで当選情報が記憶されており、かつ該会員カードＩＤに対応付けて図１０（ａ）に示すポイント会員情報ＤＢで電子メールアドレスが登録されていない場合には、該ポイント管理装置５０から登録端末に対して、図３９のＤ４８０−１又はＤ４８０−２に示す当選情報表示画面が配信されて、ディスプレイに表示される。
【０４５６】
このＤ４８０−１では、前記図１８のＤ３０と同様に、抽選に当選した旨が表示される。またＤ４８０−２では、前記図１８のＤ３１と同様に、抽選に当選した旨が表示されると共に、氏名及び住所の入力が求められ、氏名及び住所の入力欄が表示される。このＤ４８０−２で、ポイント管理装置５０が操作キーを操作して、氏名及び住所を入力欄に入力して、「登録」ボタンを操作すると、該入力された氏名及び住所を含む登録情報が、インターネットを介してポイント管理装置５０に対して送信される。
【０４５７】
なお図３７〜図３９に示した各画面で、「メニュー」ボタンが操作されてメニュー表示操作が行われると、メニュー表示要求が、インターネットを介してポイント管理装置５０に対して送信され、該ポイント管理装置５０から登録端末に対して、図３７のＤ４０１に示すメニュー画面が配信されて、ディスプレイに表示される。
【０４５８】
ここで図示しないが、ＰＣ６及び携帯電話７では、会員カードを紛失した場合に、該紛失した会員カード（以下「紛失カード」という。）の会員カードＩＤに対応付けてポイント管理装置５０のポイント会員情報ＤＢで記憶されているデータ（他の会員カードＩＤ，属性情報，累積使用金額，及びポイント）を、新たな会員カード（以下「新カード」という。）に引き継ぐための操作が可能である。
【０４５９】
具体的には、該ＰＣ６又は携帯電話７において、Ｄ４００のログイン画面に会員カードＩＤ及び暗証番号が入力された状態で、該画面（ＵＲＬ）をブックマーク（お気に入り）に登録しておくと、該入力された会員カードＩＤ及び暗証番号がクッキーに記憶される。
【０４６０】
そして該登録されているブックマークを選択すると、クッキーに記憶されている会員カードＩＤ及び暗証番号が入力された状態でＤ４００のログイン画面が表示され、「ログイン」ボタンを操作してポイント管理装置５０にアクセスすると、「引き継ぎ」ボタンがメニューに加えられたＤ４０１のメニュー画面が、ポイント管理装置５０から配信されてディスプレイに表示される。
【０４６１】
ここで「引き継ぎ」ボタンを操作すると、新たな会員カードの会員カードＩＤ及び暗証番号の入力を求める引き継ぎ画面が、ポイント管理装置５０から配信されてディスプレイに表示され、新カードの会員カードＩＤ及び暗証番号の入力を入力して「登録」ボタンを操作すると、該入力された新カードの会員カードＩＤ及び暗証番号と前記クッキーに記憶されている紛失カードの会員カードＩＤ及び暗証番号とを含む引き継ぎ要求が、ポイント管理装置５０に対して送信される。
【０４６２】
この引き継ぎ要求を受信したポイント管理装置５０では、ポイント会員情報ＤＢにおいて、該引き継ぎ要求に含まれる新カードの会員カードＩＤ及び暗証番号を登録し、該引き継ぎ要求に含まれる紛失カードの会員カードＩＤに対応付けて記憶されている全データを消去して、該データ（ただし暗証番号を除く）を前記登録された新カードの会員カードＩＤに対応付けて記憶することにより、データの引き継ぎが行われる。また他の会員カードＩＤとして登録されている紛失カードの会員カードＩＤも、新カードの会員カードＩＤに書き換えられる。これら引き継ぎや書き換えが終了すると、引き継ぎ完了通知がＰＣ６，携帯電話７に対して送信される。
【０４６３】
この引き継ぎ完了通知を受信したＰＣ６，携帯電話７では、クッキーに記憶されている紛失カードの会員カードＩＤ及び暗証番号が、前記引き継ぎ画面で入力された新カードの会員カードＩＤ及び暗証番号に書き換えられて、引き継ぎの操作が終了する。
【０４６４】
本発明では、ポイント管理装置５０の制御部５２が行う、前記［４］登録端末からの会員統合要求の受信に基づく統合処理により、当該店舗の紛失カードは当該店舗の他人の会員カードとは統合されないが、上述した引き継ぎにより紛失カードのデータを自分の新カードに引き継いでおけば、紛失カードが他人の会員カードと統合されてしまうおそれが完全に無くなる。
【０４６５】
図４０〜図４１は、ポイント管理装置５０が行うポイント会員登録処理の一例を表すフローチャートである。ポイント管理装置５０は、ＰＣ６又は携帯電話７において図２７のＤ１０３に示すＵＲＬがクリックされて当該ポイント管理装置５０にアクセスされるか、カードユニット２０又はキオスク端末３０においてポイント会員登録モードが実行されて当該ポイント管理装置５０にアクセスされると、ポイント会員登録処理（Ｓ１００）を実行し、メニュー画面を登録端末に対して配信して（Ｓ１０１）、Ｓ１０２に進む。このＳ１０１では、通信相手の登録端末に応じて異なるメニュー画面が配信され、具体的には、ＰＣ６又は携帯電話７に対しては、図２７のＤ１０４に示すメニュー画面を配信し、カードユニット２０に対しては、図３１のＤ２００に示すメニュー画面を配信し、キオスク端末３０に対しては、図３３のＤ３００に示すメニュー画面を配信する。
【０４６６】
Ｓ１０２では、前記図２７〜図３６で説明した如くポイント会員登録画面を配信する処理を行って、登録要求の受信（Ｓ１０３），会員統合要求の受信（Ｓ１０４），又はグループ店一覧要求の受信（Ｓ１０５）を待機する。このＳ１０２では、通信相手の登録端末に応じて、また、どのステップから戻ってくるかに応じて、異なるポイント会員登録画面が配信される。
【０４６７】
前記Ｓ１０５でグループ店一覧要求の受信が有る（ＹＥＳ）と判定された場合には、該受信したグループ店一覧要求に会員ＩＤ（第１会員ＩＤ又は他システム会員ＩＤ）を含むか否かを判定する（Ｓ１４１）。このＳ１４１で会員ＩＤを含む（ＹＥＳ）、即ちキオスク端末３０からグループ店一覧要求を受信したと判定された場合には、該会員ＩＤから会員カードＩＤを特定する会員カードＩＤ特定処理を行い（Ｓ１４２）、店舗特定手段により、該特定した会員カードＩＤから店舗ＩＤを抽出し、グループ店特定手段により、該抽出した店舗ＩＤの店舗が属するグループのグループ店として図１０（ｂ）に示すグループ情報ＤＢで記憶されている各店舗を特定して（Ｓ１４３）、Ｓ１４４に進む。一方、Ｓ１４１で会員ＩＤを含まない（ＮＯ）、即ちＰＣ６，携帯電話７，又はカードユニット２０からグループ店一覧要求を受信したと判定された場合には、店舗特定手段により、該グループ店一覧要求に含まれる会員カードＩＤから店舗ＩＤを抽出し、グループ店特定手段により、該抽出した店舗ＩＤの店舗が属するグループのグループ店として図１０（ｂ）に示すグループ情報ＤＢで記憶されている各店舗を特定して（Ｓ１４３）、Ｓ１４４に進む。
【０４６８】
Ｓ１４４では、Ｓ１４３で特定されたグループ店が有るか否かを判定する。このＳ１４４でグループ店が無い（ＮＯ）と判定された場合には、グループ店が無い旨を表示した画面（図示外）を登録端末に配信して（Ｓ１４５）、Ｓ１２３に進み、Ｓ１４４でグループ店が有る（ＹＥＳ）と判定された場合には、グループ店一覧を表示した図３０のＤ１２１に示す画面を登録端末に配信して（Ｓ１４６）、Ｓ１２３に進む。Ｓ１２３では、メニュー表示要求の受信を待機し、メニュー表示要求の受信が有る（ＹＥＳ）と判定された場合には、前記Ｓ１０１に戻る。
【０４６９】
これによれば、会員が操作する登録端末から受信したグループ店一覧要求に含まれる会員カードＩＤ又は会員ＩＤから特定される会員カードＩＤに対応する店舗が特定され、該特定された店舗が属するグループのグループ店一覧が返信されるので、会員にグループ店を認識させることができる。
【０４７０】
前記Ｓ１０３では、カードユニット２０から送信されてくる第１登録要求，キオスク端末３０から送信されてくる第１登録要求Ａ若しくは第１登録要求Ｂ，又は情報端末（ＰＣ６，携帯電話７）から送信されてくる第２登録要求の受信を待機する。このＳ１０３でいずれかの登録要求の受信が有る（ＹＥＳ）と判定された場合には、該受信した登録要求に会員ＩＤのみを含むか否かを判定する（Ｓ１０６）。このＳ１０６で会員ＩＤのみを含む（ＹＥＳ）、即ちキオスク端末３０から第１登録要求Ａを受信したと判定された場合には、該会員ＩＤから会員カードＩＤを特定し、該特定した会員カードＩＤをキオスク端末３０に対して返信する会員カードＩＤ特定処理を行い（Ｓ１０７）、Ｓ１０２に戻って、図３３のＤ３０２又はＤ３０３に示す画面をキオスク端末３０に対して配信する。
【０４７１】
一方、Ｓ１０６で会員ＩＤ以外を含む（ＮＯ）、即ち受信した登録要求がカードユニット２０から送信されてくる第１登録要求，キオスク端末３０から送信されてくる第１登録要求Ｂ，又は情報端末（ＰＣ６，携帯電話７）から送信されてくる第２登録要求のいずれかであると判定された場合には、前記エンコード情報照合処理を行う（Ｓ１１１）。このＳ１１１で照合ＮＧ（ＮＯ）と判定された場合には、入力が間違っている旨を示す画面を登録端末に対して配信して（Ｓ１１２）、Ｓ１２３に進む。一方、Ｓ１１１で照合ＯＫ（ＹＥＳ）と判定された場合には、属性情報判定手段により、該受信した登録要求に含まれる属性情報（性別，生年月日）が既に管理（登録）されているか否かを判定する（Ｓ１１３）。このＳ１１３で属性情報が登録されていない（ＮＯ）と判定された場合には、ポイント会員として初めての登録であるため、図９（ａ）に示すポイント会員情報ＤＢにおいて、前記受信した登録要求に含まれる会員カードＩＤに対応付けて暗証番号及び属性情報を登録し（Ｓ１２５）、該登録が完了した旨を示す登録完了画面（図示外）を登録端末に対して配信して（Ｓ１２６）、Ｓ１２３に進む。
【０４７２】
一方、前記Ｓ１１３で属性情報が登録されている（ＹＥＳ）と判定された場合には、店舗特定手段により、前記登録要求に含まれる会員カードＩＤから店舗ＩＤを抽出すると共に、前記登録されている属性情報に対応付けて既に管理されている会員カードＩＤから店舗ＩＤを抽出し（Ｓ１１４）、店舗一致判定手段により、Ｓ１１４で抽出された店舗ＩＤが一致するか否かを判定する（Ｓ１１５）。このＳ１１５で店舗ＩＤが一致しない（ＮＯ）と判定された場合には、同一会員による異なる店舗の会員カードの登録であり、ポイント会員として登録すべきであるため、Ｓ１２５に進む。
【０４７３】
一方、Ｓ１１５で店舗ＩＤが一致する（ＹＥＳ）と判定された場合とは、ある店舗の会員カードをポイント会員として既に登録している会員が、当該店舗の他の会員の会員カードを拾って、該拾った会員カードを自分の会員カードとは別に登録しようとしている場合か、又は当該会員の性別及び生年月日と同じ性別及び生年月日が当該店舗の他の会員の属性情報として偶然に登録されている場合であるため、会員識別情報抽出手段により、前記登録要求に含まれる会員カードＩＤと前記既に管理されている会員カードＩＤとを抽出して（Ｓ１１６）、Ｓ１１７に進む。
【０４７４】
これによれば、登録要求に含まれる属性情報が既に管理されており、該管理されている属性情報に対応付けて既に登録されている会員カードＩＤに対応する店舗と、登録要求に含まれる会員カードＩＤに対応する店舗とが一致する場合には、該登録要求に含まれる会員カードＩＤと前記既に登録されている会員カードＩＤとが抽出されるので、他の会員の記録媒体を拾った会員が当該他の会員の記録媒体を自分の記録媒体とは別に登録しようとしている可能性を特定することができる。
【０４７５】
Ｓ１１７では、Ｓ１１６で抽出した会員カードＩＤの両方が第１会員カードＩＤであるか否かを判定する。このＳ１１７で両方が第１会員カードＩＤである（ＹＥＳ）と判定された場合には、該第１会員カードＩＤが記録された記録媒体の発行店舗に設置されている第１会員管理装置１００に対して、各第１会員カードＩＤに対応付けて管理されている氏名及び住所の送信を要求して（Ｓ１１８）、氏名及び住所の受信を待機する（Ｓ１１９）。このＳ１１９で氏名及び住所の受信が有る（ＹＥＳ）と判定された場合には、該受信した各々の氏名及び住所が一致するか否かを判定する（Ｓ１２０）。
【０４７６】
このＳ１２０で一致しない（ＮＯ）と判定された場合とは、当該会員の性別及び生年月日と同じ性別及び生年月日が当該店舗の他の会員の属性情報として偶然に登録されている場合であり、ポイント会員として登録すべきであるため、Ｓ１２５に進む。一方、Ｓ１２０で一致する（ＹＥＳ）と判定された場合とは、ある店舗の会員カードをポイント会員として既に登録している会員が、当該店舗の他の会員の会員カードを拾って、該拾った会員カードを自分の会員カードとは別に登録しようとしている場合であり、ポイント会員として登録すべきでないため、前記Ｓ１１６で抽出した会員カードＩＤをディスプレイ５４に表示し（Ｓ１２１）、会員カードＩＤの登録が行われなかった旨を示すエラー画面（図示外）を登録端末に対して配信して（Ｓ１２２）、Ｓ１２３に進む。
【０４７７】
前記Ｓ１１７で両方が第１会員カードＩＤでない（ＮＯ），即ちＳ１１６で抽出した会員カードＩＤの両方が第２会員カードＩＤであると判定された場合には、該会員カードＩＤをディスプレイ５４に表示し（Ｓ１２４）、該第２会員カードＩＤをポイント会員として登録するために、Ｓ１２５に進む。Ｓ１２４で表示された第２会員カードＩＤを見たオペレータは、該第２会員カードＩＤが記録された記録媒体の発行店舗に対して、該第２会員カードＩＤに対応付けて第２会員管理装置２００で管理されている氏名及び住所を電話等で問い合わせて、該氏名及び住所を取得する。そしてオペレータは、該取得した各々の氏名及び住所が一致すると判断した場合には、入力装置５５を操作して、Ｓ１２５の登録を消去する処理を行う。
【０４７８】
前記Ｓ１０４では、キオスク端末３０から送信されてくる会員統合要求Ａ，Ｂ（さらに３つの会員カードを統合する場合には会員統合要求Ｃ，４つの会員カードを統合する場合には会員統合要求Ｄ），登録端末から送信されてくる第１の会員統合要求，第２の会員統合要求，又は第３の会員統合要求の受信を待機する。このＳ１０４でいずれかの会員統合要求の受信が有る（ＹＥＳ）と判定された場合には、図４１に進み、該受信した会員統合要求に会員ＩＤのみを含むか否かを判定する（Ｓ２００）。このＳ２００で会員ＩＤのみを含む（ＹＥＳ）、即ちキオスク端末３０から会員統合要求Ａ，Ｂ，Ｃ，Ｄを受信したと判定された場合には、該会員ＩＤから会員カードＩＤを特定し、該特定した会員カードＩＤをキオスク端末３０に対して返信する会員カードＩＤ特定処理を行い（Ｓ２０１）、Ｓ１０２に戻って、図３４のＤ３１３若しくはＤ３１４，Ｄ３１６若しくはＤ３１７，図３５のＤ３２１若しくはＤ３２２，Ｄ３２５若しくはＤ３２６，又は図３６のＤ３２７若しくはＤ３２８に示す画面等をキオスク端末３０に対して配信する。
【０４７９】
一方、Ｓ２００で会員ＩＤ以外を含む（ＮＯ）、即ち受信した会員統合要求が登録端末から送信されてくる第１の会員統合要求，第２の会員統合要求，又は第３の会員統合要求のいずれかであると判定された場合には、該受信した会員統合要求に属性情報が含まれるか否かを判定する（Ｓ２０２）。
【０４８０】
このＳ２０２で属性情報が含まれる（ＹＥＳ）と判定された場合には、受信した会員統合要求が第１の会員統合要求なので、該第１の会員統合要求に含まれるすべての会員カードＩＤ（即ち未登録の会員カードＩＤ）について、前記エンコード情報照合処理を行う（Ｓ２１１）。このＳ２１１で照合ＮＧ（ＮＯ）と判定された場合には、入力が間違っている旨を示す画面を登録端末に対して配信して（Ｓ２１２）、Ｓ１２３に進む。
【０４８１】
一方、Ｓ２１１で照合ＯＫ（ＹＥＳ）と判定された場合には、店舗特定手段により、前記第１の会員統合要求に含まれる複数の会員カードＩＤから各々店舗ＩＤを抽出し（Ｓ２１３）、グループ判定手段により、該抽出した店舗ＩＤのすべてが図１０（ｂ）に示すグループ情報ＤＢで記憶されている同一のグループに属するか否かを判定する（Ｓ２１４）。このＳ２１４で同一のグループに属する（ＹＥＳ）と判定された場合には、Ｓ２１７以下に進み、Ｓ２１９及びＳ２２０で、登録手段により、前記登録要求に含まれる複数の会員カードＩＤが対応付けて登録される。
【０４８２】
これによれば、会員統合要求に含まれる各会員カードＩＤに対応する各店舗がグループ店である場合に限って、当該会員統合要求に含まれる複数の会員カードＩＤが対応付けて登録され、当該複数の会員カードＩＤに対応するポイントを合算して使用できるため、グループ店間での来店を促進できる。
【０４８３】
また図９（ａ）に示すポイント会員情報ＤＢでは、各会員カードＩＤ毎にポイントを管理しているが、仮に、対応付けられている各会員カードＩＤに対応する各店舗のポイントを合算した合算ポイントしか管理しておらず、かつ使用されたポイント数（商品交換使用ポイント数）に応じて対価の決済が行われる場合には、いずれの店舗のポイントが使用されたかが分からないため、どの店舗に対して対価の請求を行えば良いかが分からないが、対価をまとめて請求可能なグループ店に限って会員カードＩＤの統合を行えば、そのような問題が生じないので、合算ポイントしか管理していない場合には特に有効である。
【０４８４】
前記Ｓ２１４で同一のグループに属さない（ＮＯ）と判定された場合には、前記登録手段は、各未登録の会員カードＩＤに対応付けて属性情報を登録し（Ｓ２１５）、グループ店でないために統合はできなかったが単独で登録した旨を示す個別登録完了画面（図示外）を登録端末に対して配信して（Ｓ２１６）、Ｓ１２３に進む。
【０４８５】
これによれば、会員統合要求に含まれる各会員カードＩＤに対応する各店舗がグループ店でない場合には、会員統合要求に含まれる新たに登録する会員カードＩＤが対応付けられずに登録されるので、登録操作を再度やり直す必要が無く、会員の利便性が向上する。
【０４８６】
Ｓ２１７では、店舗一致判定手段により、Ｓ２１３で抽出した各店舗ＩＤが一致するか否かを判定する。このＳ２１７で店舗ＩＤが一致する（ＹＥＳ）と判定された場合とは、ある店舗の他の会員の会員カードを拾った会員が、当該店舗の自分の会員カードと統合しようとしている場合であるため、統合ができない旨を示すエラー画面を登録端末に対して配信して（Ｓ２１８）、Ｓ１２３に進む。
【０４８７】
これによれば、会員統合要求に含まれる複数の会員カードＩＤに対応する各店舗が一致する場合には、当該複数の会員カードＩＤが統合されず、店舗で会員カードを紛失した会員のポイントが当該店舗で該会員カードを拾った他の会員のポイントと統合されてしまうことがないので、該会員カードを紛失した会員が不利益を被るおそれを低減することができる。即ち、店舗が一致しても統合が行われてしまうと、会員カードを拾った会員は、該会員カードを紛失した会員のポイントも使用することができ、該会員カードを紛失した会員は勝手にポイントを使用されてしまうことにより不利益を被るが、これによれば、店舗が一致すると統合が行われないので、かかる不利益を被ることがない。
【０４８８】
さらに、会員が１つの店舗で２枚の会員カードを所持すると、１日あたりで付与されるポイントに上限（例えば１０ポイント）がある場合であっても、２枚の会員カードを所持することによりそれぞれの会員カードで１０ポイントを獲得でき、当該２枚の会員カードを統合すると２倍のポイントを獲得して使用できてしまうという不都合があるが、これによれば、店舗が一致する場合には統合が行われないので、かかる不都合がない。
【０４８９】
なお、会員統合要求に含まれる複数の会員カードＩＤに対応する各店舗が一致しない場合には統合されることから、例えばＡ店の会員が、当該Ａ店で他人のＡ店の会員カードを拾い、該拾った他人のＡ店の会員カードと自分のＢ店の会員カードとを統合しようとする場合には統合が行われてしまうが、該拾った他人のＡ店の会員カードを統合しようとする会員は、自身もＡ店の会員カードを所持しており、既にポイント会員として登録しているか，又は登録しようとする自分のＡ店の会員カードと統合しようとするのが通常であるため、多くの場合には統合を防止することができる。
【０４９０】
前記Ｓ２１７で店舗ＩＤが一致しない（ＮＯ）と判定された場合には、登録手段により、未登録の各会員カードＩＤに対応付けて、会員統合要求に含まれる暗証番号及び属性情報を登録すると共に（Ｓ２１９）、該登録された各会員カードＩＤを対応付けて登録，即ち統合し（Ｓ２２０）、該統合が完了した旨を示す統合登録完了画面（図示外）を登録端末に対して配信して（Ｓ２２１）、Ｓ１２３に進む。
【０４９１】
前記Ｓ２０２で属性情報が含まれない（ＮＯ）と判定された場合には、受信した会員統合要求に未登録の会員カードＩＤが含まれるか否かを判定する（Ｓ２０３）。このＳ２０３で未登録の会員カードＩＤが含まれる（ＹＥＳ）と判定された場合には、受信した会員統合要求が第２の会員統合要求なので、該第２の会員統合要求に含まれる未登録の会員カードＩＤについて、前記エンコード情報照合処理を行う（Ｓ２３０）。このＳ２３０で照合ＮＧ（ＮＯ）と判定された場合には、入力が間違っている旨を示す画面を登録端末に対して配信して（Ｓ２３１）、Ｓ１２３に進む。一方、Ｓ２３０で照合ＯＫ（ＹＥＳ）と判定された場合には、第２の会員統合要求に含まれる既登録の会員カードＩＤについて、前記ポイント会員情報照合処理を行う（Ｓ２３２）。このＳ２３２で照合ＮＧ（ＮＯ）と判定された場合には、Ｓ２３１に進む。
【０４９２】
一方、Ｓ２３２で照合ＯＫ（ＹＥＳ）と判定された場合には、店舗特定手段により、前記第２の会員統合要求に含まれる複数の会員カードＩＤから各々店舗ＩＤを抽出し（Ｓ２３３）、グループ判定手段により、該抽出した店舗ＩＤのすべてが図１０（ｂ）に示すグループ情報ＤＢで記憶されている同一のグループに属するか否かを判定する（Ｓ２３４）。このＳ２３４で同一のグループに属する（ＹＥＳ）と判定された場合には、Ｓ２３７以下に進み、Ｓ２４２及びＳ２４３で、登録手段により、前記登録要求に含まれる複数の会員カードＩＤが対応付けて登録される。
【０４９３】
一方、Ｓ２３４で同一のグループに属さない（ＮＯ）と判定された場合には、前記登録手段は、各未登録の会員カードＩＤに対応付けて既登録の属性情報を登録し（Ｓ２３５）、グループ店でないために統合はできなかったが単独で登録した旨を示す個別登録完了画面（図示外）を登録端末に対して配信して（Ｓ２３６）、Ｓ１２３に進む。
【０４９４】
Ｓ２３７では、店舗一致判定手段により、Ｓ２３３で抽出した各店舗ＩＤが一致するか否かを判定する。このＳ２３７で店舗ＩＤが一致する（ＹＥＳ）と判定された場合とは、ある店舗の他の会員の会員カードを拾った会員が、当該店舗の自分の会員カードと統合しようとしている場合であるため、統合ができない旨を示すエラー画面を登録端末に対して配信して（Ｓ２３８）、Ｓ１２３に進む。
【０４９５】
一方、Ｓ２３７で店舗ＩＤが一致しない（ＮＯ）と判定された場合には、同一会員判定手段により、前記第２の会員統合要求に含まれる既登録の会員カードＩＤに対応付けてポイント会員情報ＤＢで登録されている他の会員カードＩＤが有るか否かを判定する（Ｓ２３９）。このＳ２３９で他の会員カードＩＤが無い（ＮＯ）と判定された場合には、登録手段により、未登録の会員カードＩＤに対応付けて、会員統合要求に含まれる暗証番号，及び既登録の属性情報を登録し、かつ既登録の会員カードＩＤを登録すると共に（Ｓ２４２）、該登録された会員カードＩＤを既登録の会員カードに対応付けて登録，即ち統合して（Ｓ２４３）、Ｓ２２１に進む。
【０４９６】
一方、Ｓ２３９で他の会員カードＩＤが有る（ＹＥＳ）と判定された場合には、店舗特定手段により、当該他の会員カードＩＤから店舗ＩＤを抽出し（Ｓ２４０）、店舗一致判定手段により、Ｓ２４０で抽出した店舗ＩＤと、前記第２の会員統合要求に含まれる未登録の会員カードＩＤから前記Ｓ２３３で抽出した店舗ＩＤとが一致するか否かを判定する（Ｓ２４１）。このＳ２４１で一致しない（ＮＯ）と判定された場合には、Ｓ２４２に進む。一方、Ｓ２４１で一致する（ＹＥＳ）と判定された場合には、登録手段による未登録会員カードＩＤの登録及び会員カードＩＤの対応付けの登録が行われず、Ｓ２３８の後、Ｓ１２３に進む。
【０４９７】
これによれば、第２の会員統合要求に含まれる既に登録されている会員カードＩＤに対応付けて登録されている他の会員カードＩＤに対応する店舗と、新たに登録する会員カードＩＤに対応する店舗とが一致する場合にも、当該新たに登録する会員カードＩＤが登録されないので、会員カードを紛失した会員が不利益を被るおそれをさらに低減することができる。
【０４９８】
前記Ｓ２０３で未登録の会員カードＩＤが含まれない（ＮＯ）と判定された場合には、受信した会員統合要求が第３の会員統合要求なので、該第３の会員統合要求に含まれるすべての会員カードＩＤ（即ち既登録の会員カードＩＤ）について、前記ポイント会員情報照合処理を行う（Ｓ２５１）。このＳ２５１で照合ＮＧ（ＮＯ）と判定された場合には、入力が間違っている旨を示す画面を登録端末に対して配信して（Ｓ２５２）、Ｓ１２３に進む。
【０４９９】
一方、Ｓ２５１で照合ＯＫ（ＹＥＳ）と判定された場合には、店舗特定手段により、前記第３の会員統合要求に含まれる複数の会員カードＩＤから各々店舗ＩＤを抽出し（Ｓ２５３）、グループ判定手段により、該抽出した店舗ＩＤのすべてが図１０（ｂ）に示すグループ情報ＤＢで記憶されている同一のグループに属するか否かを判定する（Ｓ２５４）。このＳ２５４で同一のグループに属する（ＹＥＳ）と判定された場合には、Ｓ２５７以下に進み、Ｓ２６３で、登録手段により、前記登録要求に含まれる複数の会員カードＩＤが対応付けて登録される。
【０５００】
一方、Ｓ２５４で同一のグループに属さない（ＮＯ）と判定された場合には、前記登録手段は、既登録の各会員カードＩＤを対応付けて登録せず、該対応付けを行わない旨を示す画面（図示外）を登録端末に対して配信して（Ｓ２５５）、Ｓ１２３に進む。
【０５０１】
Ｓ２５７では、店舗一致判定手段により、Ｓ２５３で抽出した各店舗ＩＤが一致するか否かを判定する。このＳ２５７で店舗ＩＤが一致する（ＹＥＳ）と判定された場合とは、ある店舗の他の会員の会員カードを拾った会員が、当該店舗の自分の会員カードと統合しようとしている場合であるため、統合ができない旨を示すエラー画面を登録端末に対して配信して（Ｓ２５８）、Ｓ１２３に進む。
【０５０２】
一方、Ｓ２５７で店舗ＩＤが一致しない（ＮＯ）と判定された場合には、同一会員判定手段により、前記第３の会員統合要求に含まれる既登録の会員カードＩＤに対応付けてポイント会員情報ＤＢで登録されている他の会員カードＩＤが有るか否かを判定する（Ｓ２５９）。このＳ２５９で他の会員カードＩＤが無い（ＮＯ）と判定された場合には、登録手段により、既登録の複数の会員カードＩＤを対応付けて登録，即ち統合して（Ｓ２６３）、Ｓ２２１に進む。
【０５０３】
一方、Ｓ２５９で他の会員カードＩＤが有る（ＹＥＳ）と判定された場合には、店舗特定手段により、当該他の会員カードＩＤから店舗ＩＤを抽出し（Ｓ２６０）、店舗一致判定手段により、Ｓ２６０で抽出した店舗ＩＤと、前記第３の会員統合要求に含まれる残りの既登録の会員カードＩＤから前記Ｓ２５３で抽出した店舗ＩＤとが一致するか否かを判定する（Ｓ２６１）。このＳ２６１で一致しない（ＮＯ）と判定された場合には、Ｓ２６３に進む。一方、Ｓ２６１で一致する（ＹＥＳ）と判定された場合には、登録手段による会員カードＩＤの対応付けの登録が行われず、Ｓ２５８の後、Ｓ１２３に進む。
【０５０４】
これによれば、第３の会員統合要求に含まれる既に登録されている複数の会員カードＩＤのいずれかに対応付けて登録されている会員カードＩＤに対応する店舗と、当該複数の会員カードＩＤのうちの残りの会員カードＩＤに対応する店舗とが一致する場合にも、当該複数の会員カードＩＤの対応付けが行われないので、記録媒体を紛失した会員が不利益を被るおそれをさらに低減することができる。
【０５０５】
なお図４０〜図４１に示す処理の途中において、登録端末からメニュー表示要求を受信した場合にはＳ１０１に戻り、登録端末から終了要求を受信した場合には処理を終了する。
【０５０６】
図４２〜図４４は、ポイント管理装置５０が行うポイント会員専用画面配信処理の一例を表すフローチャートである。ポイント管理装置５０は、登録端末（ＰＣ６，携帯電話７，カードユニット２０，キオスク端末３０）からアクセスされると、ポイント会員専用画面配信処理を実行し（Ｓ３００）、該登録端末からログイン画面配信要求の受信を待機する（Ｓ３０１）。
【０５０７】
このＳ３０１でログイン画面配信要求の受信が有る（ＹＥＳ）と判定された場合には、該受信したログイン画面配信要求に会員ＩＤを含むか否かを判定する（Ｓ３０２）。このＳ３０２で会員ＩＤを含む（ＹＥＳ）、即ちキオスク端末３０からログイン画面配信要求を受信したと判定された場合には、該会員ＩＤから会員カードＩＤを特定し、該特定した会員カードＩＤをキオスク端末３０に対して返信する会員カードＩＤ特定処理を行うと共に（Ｓ３２１）、ログイン画面をキオスク端末３０に対して配信して（Ｓ３０３）、Ｓ３０４に進む。一方、Ｓ３０２で会員ＩＤを含まない（ＮＯ）、即ちＰＣ６，携帯電話７，又はカードユニット２０からログイン画面配信要求を受信したと判定された場合には、ログイン画面を該ＰＣ６，携帯電話７，又はカードユニット２０に対して配信して（Ｓ３０３）、Ｓ３０４に進む。
【０５０８】
Ｓ３０４では、登録端末から情報公開要求の一部であると共に確認要求の一部であるログイン要求の受信を待機する。このＳ３０４でログイン要求の受信が有る（ＹＥＳ）と判定された場合には、該ログイン要求に含まれる会員カードＩＤ及び暗証番号とポイント会員情報ＤＢで記憶している会員カードＩＤ及び暗証番号との照合を行い、該照合がＯＫであるか否かを判定する（Ｓ３０５）。このＳ３０５で照合ＮＧ（ＮＯ）と判定された場合には、照合ＮＧである旨を示すエラー画面を配信して（Ｓ３２２）、処理を終了する（Ｓ３２３）。一方、Ｓ３０５で照合ＯＫ（ＹＥＳ）と判定された場合には、受信したログイン要求に含まれる会員カードＩＤ（以下「ログインＩＤ」と称する。）を特定し（Ｓ３０６）、同一会員判定手段により、該特定したログインＩＤに対応付けてポイント会員情報ＤＢで登録されている他の会員カードＩＤ（以下「対応ＩＤ」と称する。）が有るか否かを判定する（Ｓ３０７）。
【０５０９】
このＳ３０７で対応ＩＤが無い（ＮＯ）と判定された場合には、Ｓ３０６で特定されたログインＩＤを、前記ログイン要求の送信元である登録端末（以下「送信元端末」と称する。）のＩＰアドレスに対応付けて記憶して（Ｓ３０８）、前記図３７のＤ４０１に示すメニュー画面を、該ＩＰアドレスの送信元端末に対して配信する（Ｓ３１０）。一方、Ｓ３０７で対応ＩＤが有る（ＹＥＳ）と判定された場合には、該対応ＩＤを特定し（Ｓ３２４）、Ｓ３０６で特定されたログインＩＤ，及びＳ３２４で特定された対応ＩＤを、前記送信元端末のＩＰアドレスに対応付けて記憶して（Ｓ３０８）、前記図３７のＤ４０１に示すメニュー画面を、該ＩＰアドレスの送信元端末に対して配信する（Ｓ３１０）。
【０５１０】
このように、ログインＩＤがＩＰアドレスに対応付けて記憶されることにより、前記送信元端末から送信されてくる、情報公開要求の一部であるポイント確認・使用要求（Ｓ３１１），登録情報の更新要求（Ｓ３１２），グループ店舗一覧要求（Ｓ３１３），及び店舗追加情報要求（Ｓ３１４）や、確認要求の一部であるアンケート要求（Ｓ３１５），イベント情報要求（Ｓ３１６），及び当選情報要求（Ｓ３１７）にログインＩＤが含まれていなくても、該送信元端末のＩＰアドレスに対応付けて記憶しているログインＩＤを特定することができる。従って、該ログインＩＤを含むログイン要求と、ポイント確認・使用要求，登録情報の更新要求，グループ店舗一覧要求，又は店舗追加情報要求とを合わせたものが、会員カードＩＤを含む情報公開要求であり、またログインＩＤを含むログイン要求と、アンケート要求，イベント情報要求，及び当選情報要求とを合わせたものが、会員カードＩＤを含む確認要求である。
【０５１１】
ここでポイント管理装置５０は、送信元端末から、Ｄ４０１に示すメニュー画面で「ポイント確認・使用」ボタンが操作されることにより送信されてくるポイント確認・使用要求の受信（Ｓ３１１），同「登録情報の更新」ボタンが操作されることにより送信されてくる登録情報の更新要求の受信（Ｓ３１２），同「グループ店一覧」ボタンが操作されることにより送信されてくるグループ店舗一覧要求の受信（Ｓ３１３），同「グループ店追加情報」ボタンが操作されることにより送信されてくるグループ店舗追加情報要求の受信（Ｓ３１４），同「アンケート」ボタンが操作されることにより送信されてくるアンケート要求の受信（Ｓ３１５），同「イベント情報」ボタンが操作されることにより送信されてくるイベント情報要求の受信（Ｓ３１６），同「当選情報」ボタンが操作されることにより送信されてくる当選情報要求の受信（Ｓ３１７），又は同「統合登録」ボタンが操作されることにより送信されてくる会員統合処理要求の受信（Ｓ３１８）を待機する。
【０５１２】
このＳ３１８で送信元端末から会員統合処理要求の受信が有る（ＹＥＳ）と判定された場合には、前記図４０のＳ１０２に進み、通信相手の送信元端末に応じて異なるポイント会員登録画面が配信される。
【０５１３】
具体的には、ＰＣ６又は携帯電話７に対しては、図２８のＤ１１７，及び図２９のＤ１１３〜Ｄ１１５に示す画面が配信され、該ＰＣ６又は携帯電話７からは、前記ログイン要求の送信時に記憶した会員カードＩＤ（即ちログインＩＤ）及び暗証番号と、前記配信された各画面で入力された統合する会員カードの会員特定情報及び暗証番号とを含む、第２の会員統合要求又は第３の会員統合要求が送信されてくる。
【０５１４】
またカードユニット２０に対しては、図３２のＤ２１４〜Ｄ２１８に示す画面が配信され、該カードユニット２０からは、前記ログイン要求の送信時に記憶した会員カードＩＤ（即ちログインＩＤ）及び暗証番号と、前記配信された各画面で入力された統合する会員カードの会員特定情報及び暗証番号とを含む、第２の会員統合要求又は第３の会員統合要求が送信されてくる。
【０５１５】
またキオスク端末３０に対しては、図３５のＤ３２３〜Ｄ３２６，及び図３６のＤ３２７〜Ｄ３２８に示す画面が配信され、該キオスク端末３０からは、前記ログイン要求の送信時に記憶した会員カードＩＤ（即ちログインＩＤ）及び暗証番号と、統合する会員カードから読み取った会員特定情報及び前記配信された各画面で入力された暗証番号とを含む、第２の会員統合要求又は第３の会員統合要求が送信されてくる。
【０５１６】
これら送信元端末から、第２の会員統合要求が送信されてきた場合には、前記図４１のＳ２３０以下に進み、第３の会員統合要求が送信されてきた場合には、同Ｓ２５１以下に進む。
【０５１７】
図４２の前記Ｓ３１１で、送信元端末からポイント確認・使用要求の受信が有る（ＹＥＳ）と判定された場合には、図４３のＳ４００に進み、前記Ｓ３２４で対応ＩＤが特定されたか否かを判定する。
【０５１８】
このＳ４００で対応ＩＤが特定されなかった（ＮＯ）、即ちポイント確認・使用要求の送信元端末のＩＰアドレスに対応付けて記憶しているのがログインＩＤのみであると判定された場合には、該記憶しているログインＩＤに対応付けてポイント会員情報ＤＢで記憶しているポイントを抽出し（Ｓ４０１）、抽選情報ＤＢで記憶している抽選情報を抽出し（Ｓ４０２）、関連情報返信手段により、抽出したポイント（現在のポイント数），及び抽出した抽選情報を表示した図３７のＤ４１０−１に示す画面を送信元端末に対して配信して（Ｓ４０３）、応募情報の受信（Ｓ４０４），又は「商品交換」ボタンの操作（Ｓ４１１）を待機する。
【０５１９】
このＳ４０４で送信元端末から応募情報の受信が有る（ＹＥＳ）と判定された場合には、抽選情報ＤＢにおいて、前記抽出した抽選情報の抽選ＩＤの、該応募情報で示される賞に対応する応募者会員カードＩＤの記憶欄に、前記ログインＩＤを記憶し（Ｓ４０５）、抽選への応募に使用されたポイントを、該ログインＩＤに含まれる店舗ＩＤに対応付けて店舗情報ＤＢで記憶されている残ポイント数から減算更新すると共に、抽選応募使用ポイント数に加算更新し（Ｓ４０６）、抽選への応募に使用されたポイントを、該ログインＩＤに対応付けてポイント会員情報ＤＢで記憶されているポイント数から減算更新し（Ｓ４０７）、該減算更新後のポイントを表示した図３７のＤ４１１−１に示す画面を登録端末に対して配信して（Ｓ４０８）、メニュー画面表示要求の受信を待機する（Ｓ４０９）。このＳ４０９でメニュー画面表示要求の受信が有る（ＹＥＳ）と判定された場合には、前記Ｓ３１０に戻る。
【０５２０】
前記Ｓ４１１で「商品交換」ボタンの操作が有る（ＹＥＳ）と判定された場合には、関連情報返信手段により、抽出したポイント（現在のポイント数），及び商品情報を表示した図３８のＤ４１２−１に示す画面を送信元端末に対して配信して（Ｓ４１２）、交換情報の受信を待機する（Ｓ４１３）。このＳ４１３で送信元端末から交換情報の受信が有る（ＹＥＳ）と判定された場合には、商品との交換に使用されたポイントを、前記記憶しているログインＩＤに含まれる店舗ＩＤに対応付けて店舗情報ＤＢで記憶されている残ポイント数から減算更新すると共に、商品交換使用ポイント数に加算更新し（Ｓ４１４）、商品との交換に使用されたポイントを、該ログインＩＤに対応付けてポイント会員情報ＤＢで記憶されているポイント数から減算更新して（Ｓ４１５）、Ｓ４４０に進む。
【０５２１】
Ｓ４４０では、該ログインＩＤに対応付けてポイント会員情報ＤＢで氏名及び住所が登録されているか否かを判定する。このＳ４４０で氏名及び住所が登録されている（ＹＥＳ）と判定された場合には、図３８のＤ４１３−１に示す画面を送信元端末に対して配信し、Ｓ４０９に進む。一方、Ｓ４４０で氏名及び住所が登録されていない（ＮＯ）と判定された場合には、氏名及び住所の入力要求を表示した図３８のＤ４１３−２に示す画面を送信元端末に対して配信して（Ｓ４４２）、該送信元端末から氏名及び住所を含む登録情報の受信を待機する（Ｓ４４３）。このＳ４４３で登録情報の受信が有る（ＹＥＳ）と判定された場合には、ポイント会員情報ＤＢにおいて、該受信した登録情報に含まれる氏名及び住所を前記ログインＩＤに対応付けて登録して（Ｓ４４４）、Ｓ４０９に進む。その後、ハードディスク５３で記憶している発送情報ＤＢ（図示外）において、ポイント会員の氏名及び住所に対応付けて、交換した商品が登録され、カード会社からは、該登録された氏名及び住所を宛先として、交換した商品が発送される。
【０５２２】
前記Ｓ４００で対応ＩＤが特定された（ＹＥＳ）、即ちポイント確認・使用要求の送信元端末のＩＰアドレスに対応付けて記憶しているのがログインＩＤ及び対応ＩＤであると判定された場合には、該記憶しているログインＩＤ及び対応ＩＤに対応付けてポイント会員情報ＤＢで記憶している各ポイントを抽出し（Ｓ４２０）、合算手段により、該抽出した各ポイントを合算し（Ｓ４２１）、抽選情報ＤＢで記憶している抽選情報を抽出し（Ｓ４２２）、関連情報返信手段により、抽出した各ポイント（内訳），合算した合算ポイント（現在のポイント数），及び抽選情報を表示した図３７のＤ４１０−２に示す画面を送信元端末に対して配信して（Ｓ４２３）、応募情報の受信（Ｓ４２４），又は「商品交換」ボタンの操作（Ｓ４３１）を待機する。
【０５２３】
このＳ４２４で送信元端末から応募情報の受信が有る（ＹＥＳ）と判定された場合には、抽選情報ＤＢにおいて、前記抽出した抽選情報の抽選ＩＤの、該応募情報で示される賞に対応する応募者会員カードＩＤの記憶欄に、前記ログインＩＤを記憶し（Ｓ４２５）、抽選への応募に使用されたポイントを、該ログインＩＤに含まれる店舗ＩＤに対応付けてグループ情報ＤＢで記憶されている残ポイント数から優先的に減算更新し、該ポイントが不足するようであれば該不足分を、前記対応ＩＤに含まれる店舗ＩＤに対応付けてグループ情報ＤＢで記憶されている残ポイント数から減算更新すると共に、該減算更新されたポイント数を、各店舗ＩＤに対応付けてグループ情報ＤＢで記憶されている抽選応募使用ポイント数に加算更新し（Ｓ４２６）、抽選への応募に使用されたポイントを、該ログインＩＤに対応付けてポイント会員情報ＤＢで記憶されているポイント数から優先的に減算更新し、該ポイントが不足するようであれば該不足分を、該対応ＩＤにポイント会員情報ＤＢで記憶されているポイント数から減算更新し（Ｓ４２７）、該減算更新後のポイントを表示した図３７のＤ４１１−２に示す画面を送信元端末に対して配信して（Ｓ４２８）、Ｓ４０９に進む。
【０５２４】
前記Ｓ４３１で「商品交換」ボタンの操作が有る（ＹＥＳ）と判定された場合には、関連情報返信手段により、抽出した各ポイント（内訳），合算した合算ポイント（現在のポイント数），及び商品情報を表示した図３８のＤ４１２−２に示す画面を送信元端末に対して配信して（Ｓ４３２）、交換情報の受信を待機する（Ｓ４３３）。このＳ４３３で送信元端末から交換情報の受信が有る（ＹＥＳ）と判定された場合には、商品との交換に使用されたポイントを、前記ログインＩＤに含まれる店舗ＩＤに対応付けてグループ情報ＤＢで記憶されている残ポイント数から優先的に減算更新し、該ポイントが不足するようであれば該不足分を、前記対応ＩＤに含まれる店舗ＩＤに対応付けてグループ情報ＤＢで記憶されている残ポイント数から減算更新すると共に、該減算更新されたポイント数を、各店舗ＩＤに対応付けてグループ情報ＤＢで記憶されている商品交換使用ポイント数に加算更新し（Ｓ４３４）、商品との交換に使用されたポイントを、該ログインＩＤに対応付けてポイント会員情報ＤＢで記憶されているポイント数から優先的に減算更新し、該ポイントが不足するようであれば該不足分を、該対応ＩＤにポイント会員情報ＤＢで記憶されているポイント数から減算更新して（Ｓ４３５）、前記Ｓ４４０に進む。
【０５２５】
これによれば、会員が操作する登録端末から受信した情報公開要求（ログイン要求及びポイント確認・使用要求）に含まれる会員カードＩＤに対応付けて他の会員カードＩＤが登録されている場合に、該情報公開要求に含まれる会員カードＩＤ及び該会員カードＩＤに対応付けて登録されている他の会員カードＩＤに関連する情報が返信されるので対応付けて登録されているいずれか１つの会員カードＩＤを含む情報公開要求を送信すれば、該対応付けて登録されている複数の会員カードＩＤに関する情報を把握することができ、会員の利便性が向上する。また、対応付けて登録された各会員カードＩＤに対応するポイントを合算して使用できるため、会員の利便性が向上する。
【０５２６】
図４２に戻り、前記Ｓ３１２で送信元端末から登録情報の更新要求の受信が有る（ＹＥＳ）と判定された場合には、図４４（ａ）のＳ５００に進み、登録情報の更新要求の送信元端末のＩＰアドレスに対応付けて記憶しているログインＩＤに対応付けて、ポイント会員情報ＤＢで氏名及び住所が登録されているか否かを判定する。このＳ５００で氏名及び住所が登録されていない（ＮＯ）と判定された場合には、更新すべき登録情報の登録がない旨を表示した画面（図示外）を送信元端末に対して配信して（Ｓ５０７）、前記Ｓ４０９に進む。一方、Ｓ５００で氏名及び住所が登録されている（ＹＥＳ）と判定された場合には、ポイント会員情報ＤＢから、ログインＩＤに対応付けて登録されている氏名，住所，及び電子メールアドレスも登録されている場合には該電子メールアドレスを抽出し（Ｓ５０１）、該抽出した氏名，住所，及び電子メールアドレスを現在の登録情報として表示した図３８のＤ４３０に示す登録情報表示画面を送信元端末に対して配信して（Ｓ５０２）、更新情報の受信を待機する（Ｓ５０３）。このＳ５０３で送信元端末から更新情報の受信が有る（ＹＥＳ）と判定された場合には、ログインＩＤに対応付けてポイント会員情報ＤＢで記憶している氏名，住所，及び電子メールアドレスを、該受信した更新情報に含まれる氏名，住所，及び電子メールアドレスに更新して（Ｓ５０４）、Ｓ５０５に進む。
【０５２７】
このように、制御部５２が、登録端末から受け付けた会員カードＩＤ（ここでは受信済のログイン要求に含まれる会員カードＩＤ）と更新情報とに基づいて、該会員カードＩＤと対応付けてポイント会員情報ＤＢで管理されている属性情報を更新するので、ポイント管理装置５０にて管理されているポイント会員の属性情報の変更や修正に対応して、最新の属性情報を管理することができる。
【０５２８】
Ｓ５０５では、記憶しているログインＩＤ及び対応ＩＤに第１会員カードＩＤが含まれるか否かを判定する。このＳ５０５で第１会員カードＩＤが含まれない（ＮＯ）と判定された場合には、前記Ｓ４０９に進む。一方、Ｓ５０５で第１会員カードＩＤが含まれる（ＹＥＳ）と判定された場合には、該第１会員カードＩＤと前記更新情報とを、該第１会員カードＩＤに含まれる店舗ＩＤから特定される店舗の第１会員管理装置１００に対して送信し（Ｓ５０６）、前記Ｓ４０９に進む。このＳ５０６の更新情報と第１会員カードＩＤとを受信した第１会員管理装置１００は、第１会員情報ＤＢ（図８（ｂ））において、該第１会員カードＩＤに対応付けて記憶している氏名，住所，及び電子メールアドレスを該受信した更新情報に更新する。
【０５２９】
このように、第１会員管理装置１００において、ポイント管理装置５０から送信されてきた第１会員カードＩＤと対応付けて第１会員情報ＤＢにより管理している属性情報（ここでは氏名，住所，電子メールアドレス）を、該ポイント管理装置５０から送信されてきた更新後の属性情報に更新するので、第１遊技場においても、変更作業の手間なく、最新の属性情報を管理することができる。
【０５３０】
図４２に戻り、前記Ｓ３１３で送信元端末からグループ店一覧要求の受信が有る（ＹＥＳ）と判定された場合には、図４４（ｂ）のＳ６００に進み、店舗特定手段により、グループ店一覧要求の送信元端末のＩＰアドレスに対応付けて記憶しているログインＩＤから店舗ＩＤを抽出して、グループ店特定手段により、該抽出した店舗ＩＤの店舗が属するグループのグループ店として図１０（ｂ）に示すグループ情報ＤＢで記憶されている各店舗を特定し（Ｓ６００）、該グループ店が有るか否かを判定する（Ｓ６０１）。このＳ６０１でグループ店が無い（ＮＯ）と判定された場合には、グループ店が無い旨を表示した画面（図示外）を送信元端末に配信して、前記Ｓ４０９に進む。一方、Ｓ６０１でグループ店が有る（ＹＥＳ）と判定された場合には、グループ店一覧を表示した図３８のＤ４４０に示す画面を送信元端末に配信して（Ｓ６０２）、前記Ｓ４０９に進む。
【０５３１】
これによれば、会員が操作する登録端末から受信したグループ店一覧要求（ここでは既に受信済のログイン要求）に含まれる会員カードＩＤに対応する店舗が特定され、該特定された店舗が属するグループのグループ店一覧が返信されるので、会員にグループ店を認識させることができる。
【０５３２】
図４２に戻り、前記Ｓ３１４で送信元端末からグループ店追加情報要求の受信が有る（ＹＥＳ）と判定された場合には、図４４（ｃ）のＳ７００に進み、グループ店追加情報の送信元端末のＩＰアドレスに対応付けて記憶しているログインＩＤに対応付けて通知情報ＤＢでグループ店追加情報が記憶されているか否かを判定する（Ｓ７００）。ここでログインＩＤについてのみ該判定を行うのは、通知情報ＤＢで記憶しているグループ店追加情報は、ログインＩＤと対応ＩＤとで共通のものだからである。このＳ７００でグループ店追加情報の記憶が無い（ＮＯ）と判定された場合には、追加グループ店がない旨を表示した画面（図示外）を送信元端末に対して配信して、前記Ｓ４０９に進む。
【０５３３】
一方、Ｓ７００でグループ店追加情報の記憶が有る（ＹＥＳ）と判定された場合には、該記憶されているグループ店追加情報の内容に応じて、図３９のＤ４５０−１又はＤ４５０−２に示す画面を送信元端末に対して配信し（Ｓ７０１）、ログインＩＤに対応付けて通知情報ＤＢで記憶されているグループ店追加情報（即ちＤ４５０−１に示す新規店舗の追加情報又はＤ４５０−２に示す新グループのグループ店一覧情報）を消去すると共に、対応ＩＤに対応付けて通知情報ＤＢでグループ店追加情報（即ちＤ４５０−１に示す新規店舗の追加情報）が記憶されている場合には該グループ店追加情報を消去して（Ｓ７０２）、前記Ｓ４０９に戻る。
【０５３４】
これによれば、新たなグループの設定又は既に設定されているグループに対する新規店舗の追加が行われた場合に、当該グループに属する各店舗で発行された会員カードの所有者に対して、グループ店一覧又は新規店舗が通知されるので、会員に新たに統合できる店舗があることを認識させることができる。
【０５３５】
図４２に戻り、前記Ｓ３１５で送信元端末からアンケート要求の受信が有る（ＹＥＳ）と判定された場合には、図４４（ｄ）のＳ８００に進み、通知対象判定手段により、アンケート要求の送信元端末のＩＰアドレスに対応付けて記憶しているログインＩＤに対応付けて、通知情報ＤＢでアンケートが記憶されているか否かを判定する。ここでログインＩＤについてのみ該判定を行うのは、通知情報ＤＢで記憶しているアンケート情報は、ログインＩＤと対応ＩＤとで共通のものだからである。このＳ８００でアンケートが記憶されていない（ＮＯ）と判定された場合には、アンケートが無い旨を表示した画面（図示外）を登録端末に対して配信して（Ｓ８０６）、前記Ｓ４０９に進む。
【０５３６】
一方、Ｓ８００でアンケートが記憶されている（ＹＥＳ）と判定された場合には、電子メールアドレス管理判定手段により、前記記憶しているログインＩＤに対応付けてポイント会員情報ＤＢで電子メールアドレスが登録されているか否かを判定する（Ｓ８０１）。ここでログインＩＤについてのみ該判定を行うのは、ポイント会員情報ＤＢにおいて、対応ＩＤに対応付けて電子メールアドレスが登録されている場合には、必ずログインＩＤにも対応付けて該電子メールアドレスが記憶されているからである。このＳ８０１で電子メールアドレスが登録されている（ＹＥＳ）と判定された場合には、通知情報返信手段により、通知情報であるアンケート情報を返信せず、該アンケート情報を電子メールで配信済みである旨の画面を送信元端末に対して配信し（Ｓ８０７）、前記ログインＩＤ及び対応ＩＤに対応付けて通知情報ＤＢで記憶しているアンケート情報を消去して（Ｓ８０５）、Ｓ４０９に進む。
【０５３７】
前記Ｓ８０１で電子メールアドレスが登録されていない（ＮＯ）と判定された場合には、通知情報返信手段により、アンケートを表示した図３９のＤ４６０に示す画面を送信元端末に対して配信して（Ｓ８０２）、回答情報の受信を待機する（Ｓ８０３）。このＳ８０３で送信元端末から回答情報の受信が有る（ＹＥＳ）と判定された場合には、抽選情報ＤＢにおいて、該アンケートに対応する抽選の抽選ＩＤの応募者会員カードＩＤの記憶欄に、前記ログインＩＤを記憶して（Ｓ８０４）、Ｓ８０５に進む。
【０５３８】
図４２に戻り、前記Ｓ３１６で送信元端末から確認要求であるイベント情報要求の受信が有る（ＹＥＳ）と判定された場合には、図４４（ｅ）のＳ９００に進み、通知対象判定手段により、イベント情報要求の送信元端末のＩＰアドレスに対応付けて記憶しているログインＩＤ及び／又は対応ＩＤに対応付けて、通知情報ＤＢでイベント情報が記憶されているか否かを判定する。ここでログインＩＤと対応ＩＤの各々について該判定を行うのは、通知情報ＤＢで記憶しているイベント情報は、店舗毎に異なるため、ログインＩＤと対応ＩＤとで別々のものが記憶されているからである。このＳ９００でイベント情報が記憶されていない（ＮＯ）と判定された場合には、イベント情報が無い旨を表示した画面（図示外）を送信元端末に対して配信して（Ｓ９０４）、前記Ｓ４０９に進む。
【０５３９】
一方、Ｓ９００でイベント情報が記憶されている（ＹＥＳ）と判定された場合には、Ｓ８０１と同様に、電子メールアドレス管理判定手段により、前記ログインＩＤに対応付けてポイント会員情報ＤＢで電子メールアドレスが登録されているか否かを判定する（Ｓ９０１）。このＳ９０１で電子メールアドレスが登録されている（ＹＥＳ）と判定された場合には、通知情報返信手段により、通知情報であるイベント情報を返信せず、該イベント情報を電子メールで配信済みである旨の画面を送信元端末に対して配信し（Ｓ９０５）、ログインＩＤ及び対応ＩＤに対応付けて通知情報ＤＢで記憶しているイベント情報を消去して（Ｓ９０３）、Ｓ４０９に進む。一方、Ｓ９０１で電子メールアドレスが登録されていない（ＮＯ）と判定された場合には、通知情報返信手段により、イベント情報を表示した図３９のＤ４７０に示す画面を送信元端末に対して配信して（Ｓ９０２）、Ｓ４０９に進む。
【０５４０】
図４２に戻り、前記Ｓ３１７で送信元端末から確認要求である当選情報要求の受信が有る（ＹＥＳ）と判定された場合には、図４４のＳ１０００に進み、通知対象判定手段により、当選情報要求の送信元端末のＩＰアドレスに対応付けて記憶しているログインＩＤ又は対応ＩＤに対応付けて、通知情報ＤＢで当選情報が記憶されているか否かを判定する。ここでログインＩＤと対応ＩＤの各々について該判定を行うのは、通知情報ＤＢで記憶している当選情報は、抽選情報ＤＢで応募者会員カードＩＤとして登録されていた会員カードＩＤに対応付けて記憶されているため、ログインＩＤ及び対応ＩＤのうちのいずれか１つにのみ対応付けて記憶されているからである。このＳ１０００で当選情報が記憶されていない（ＮＯ）と判定された場合には、当選情報が無い旨を表示した画面（図示外）を送信元端末に対して配信して（Ｓ１００７）、前記Ｓ４０９に進む。
【０５４１】
一方、Ｓ１０００で当選情報が記憶されている（ＹＥＳ）と判定された場合には、Ｓ８０１と同様に、電子メールアドレス管理判定手段により、前記ログインＩＤに対応付けてポイント会員情報ＤＢで電子メールアドレスが登録されているか否かを判定する（Ｓ１００１）。このＳ１００１で電子メールアドレスが登録されている（ＹＥＳ）と判定された場合には、通知情報返信手段により、通知情報である当選情報を返信せず、該当選情報を電子メールで配信済みである旨の画面を送信元端末に対して配信し（Ｓ１００８）、ログインＩＤ又は対応ＩＤに対応付けて通知情報ＤＢで記憶している当選情報を消去して（Ｓ１００６）、Ｓ４０９に進む。
【０５４２】
一方、Ｓ１００１で電子メールアドレスが登録されていない（ＮＯ）と判定された場合には、前記ログインＩＤに対応付けてポイント会員情報ＤＢで氏名及び住所が登録されているか否かを判定する（Ｓ１００２）。このＳ１００２で氏名及び住所が登録されている（ＹＥＳ）と判定された場合には、通知情報返信手段により、当選情報を表示した図３９のＤ４８０−１に示す画面を送信元端末に対して配信して（Ｓ１００９）、Ｓ１００６に進む。一方、Ｓ１００２で氏名及び住所が登録されていない（ＮＯ）と判定された場合には、当選情報と氏名及び住所の入力要求とを表示した図３９のＤ４８０−２に示す画面を送信元端末に対して配信して（Ｓ１００３）、該送信元端末から氏名及び住所を含む登録情報の受信を待機する（Ｓ１００４）。このＳ１００４で登録情報の受信が有る（ＹＥＳ）と判定された場合には、ポイント会員情報ＤＢにおいて、該受信した登録情報に含まれる氏名及び住所を前記ログインＩＤに対応付けて登録して（Ｓ１００４）、Ｓ１００６に進む。その後、ハードディスク５３で記憶している発送情報ＤＢ（図示外）において、当選したポイント会員の氏名及び住所に対応付けて、当選した賞品が登録され、カード会社からは、該登録された氏名及び住所を宛先として、当選した賞品が発送される。
【０５４３】
これら図４４（ｄ），（ｅ），（ｆ）によれば、店舗端末（カードユニット２０，キオスク端末３０）から登録を行い電子メールアドレスが登録されていないポイント会員に対しても、通知情報を店舗端末に返信して通知することができる。また情報端末（ＰＣ６，携帯電話７）から登録を行ったポイント会員に対しては、通知情報が電子メールで迅速に通知される一方、該ポイント会員に対しては、確認要求を受信しても通知情報（ここではアンケート情報）が返信されないので、通知情報を既に電子メールで受け取っているポイント会員に対する該通知情報の無駄な重複送信が防止される。
【０５４４】
なお図４２〜図４４に示す処理の途中において、送信元端末からメニュー表示要求を受信した場合にはＳ３０６に戻り、送信元端末から終了要求を受信した場合には処理を終了する。
【０５４５】
［２．第２実施形態に係るポイント管理装置５０を含むポイント管理システム１］
第２実施形態に係るポイント管理システム１は、第１実施形態に係るポイント管理システム１と同様の構成を備えるが、登録端末（ＰＣ６，携帯電話７，カードユニット２０，キオスク端末３０）において、統合登録が受け付けられず、会員統合要求が送信されない点と、登録要求に含まれる属性情報が氏名及び住所である点が異なり、またポイント管理装置５０において、前記［４］登録端末からの会員統合要求の受信に基づく統合処理が行われず、前記［３］登録端末からの登録要求の受信に基づくポイント会員登録処理に関し、制御部５２が、会員識別情報抽出手段としては機能せず、登録手段として機能する点が異なり、その他の点は同様である。
【０５４６】
まず登録端末において、統合登録が受け付けられず、会員統合要求が送信されない点が異なる。具体的には、ＰＣ６又は携帯電話７のディスプレイに表示される画面において、図２７のＤ１０４で「統合登録」ボタンは表示されず、図２８及び図２９のＤ１１０〜Ｄ１１７に示す各画面は表示されない。従ってＰＣ６又は携帯電話７からは、会員統合要求は送信されない。またカードユニット２０のディスプレイ２７に表示される画面において、図３１のＤ２００で「統合登録」ボタンは表示されず、同Ｄ２１０〜Ｄ２１１，及び図３２に示す各画面は表示されない。従ってカードユニット２０からは、会員統合要求は送信されない。またキオスク端末３０のディスプレイ３４に表示される画面において、図３３のＤ３００で「統合登録」ボタンは表示されず、同Ｄ３１０〜Ｄ３１１，及び図３４〜図３６に示す各画面は表示されない。従ってキオスク端末３０からは、会員統合要求は送信されない。
【０５４７】
また登録端末から送信される登録要求に含まれる属性情報が、個人を特定可能な個人情報であり、ここでは氏名及び住所である。具体的には、ＰＣ６又は携帯電話７のディスプレイに表示される図２８のＤ１０６又はＤ１０７に示す画面，カードユニット２０のディスプレイ２７に表示される図３１のＤ２０２又はＤ２０３，及び図３２のＤ２１２又はＤ２１３に示す画面，キオスク端末３０のディスプレイ３４に表示される図３３のＤ３０１又はＤ３０２に示す画面，及び図３４のＤ３１３又はＤ３１４に示す画面で、性別及び生年月日の入力欄に加えて、図示しないが、氏名及び住所の入力欄が表示され、各登録端末から送信される登録要求には、該入力欄に入力された氏名及び住所もさらに含まれる。従って、図９（ａ）に示すポイント会員情報ＤＢにおいて、ポイント会員の登録が行われている場合には、属性情報として、性別及び生年月日のみならず、氏名及び住所も登録されていることになる。
【０５４８】
またポイント管理装置５０において、前記［４］登録端末からの会員統合要求の受信に基づく統合処理は行われない。一方、前記［３］登録端末からの登録要求の受信に基づくポイント会員登録処理に関し、制御部５２は、会員識別情報抽出手段としては機能せず、登録手段として機能する。即ち制御部５２は、前記店舗一致判定手段により一致しないと判定されたことを条件として、前記登録要求に含まれる会員特定情報から特定される会員識別情報（第１会員カードＩＤ，第２会員カードＩＤ）を前記既に登録されている会員識別情報に対応付けて登録する一方、前記店舗一致判定手段により一致すると判定されたことを条件として、前記登録要求に含まれる会員特定情報から特定される会員識別情報（第１会員カードＩＤ，第２会員カードＩＤ）を対応付けて登録しない登録手段として機能する。
【０５４９】
この制御部５２の機能を、図４５を参照して説明する。この図４５は、第２実施形態に係るポイント管理装置５０が行うポイント会員登録処理の一例を表すフローチャートであり、前記図４０〜図４１に代わる図である。ポイント管理装置５０は、ＰＣ６又は携帯電話７において図２７のＤ１０３に示すＵＲＬがクリックされて当該ポイント管理装置５０にアクセスされるか、カードユニット２０又はキオスク端末３０においてポイント会員登録モードが実行されて当該ポイント管理装置５０にアクセスされると、ポイント会員登録処理（Ｓ１００）を実行し、図２７のＤ１０４，図３１のＤ２００，又は図３３のＤ３００に示すメニュー画面（ただし「統合登録」ボタンは表示されない）を登録端末に対して配信して（Ｓ１０１）、前記ポイント会員登録画面配信処理を行って（Ｓ１０２）、登録要求の受信（Ｓ１０３），又はグループ店一覧要求の受信（Ｓ１０５）を待機する。このＳ１０５でグループ店一覧要求の受信が有る（ＹＥＳ）と判定された場合の処理は、前記図４０と同様である。
【０５５０】
Ｓ１０３で登録要求の受信が有る（ＹＥＳ）と判定された場合には、前記Ｓ１０６でＮＯと判定されると、前記エンコード情報照合処理を行い（Ｓ１１１）、照合ＯＫである（ＹＥＳ）と判定されると、属性情報判定手段により、該受信した登録要求に含まれる属性情報（ここでは氏名，住所，性別，生年月日）が既に管理（登録）されているか否かを判定する（Ｓ１１３）。このＳ１１３で属性情報が登録されていない（ＮＯ）と判定された場合には、ポイント会員として初めての登録であるため、図９（ａ）に示すポイント会員情報ＤＢにおいて、前記受信した登録要求に含まれる会員カードＩＤに対応付けて暗証番号及び属性情報を登録し（Ｓ１２５）、該登録が完了した旨を示す登録完了画面（図示外）を登録端末に対して配信して（Ｓ１２６）、前記Ｓ１２３に進む。
【０５５１】
一方、前記Ｓ１１３で属性情報が登録されている（ＹＥＳ）と判定された場合には、前記図４０で説明したＳ１１４及びＳ１１５の処理を行う。このＳ１１５で店舗ＩＤが一致しない（ＮＯ）と判定された場合には、同一会員による異なる店舗の会員カードの登録であり、各会員カードの会員カードＩＤを対応付けて登録すべきものであるため、Ｓ１３０’以下に進む。
【０５５２】
Ｓ１３０’では、グループ判定手段により、Ｓ１１４で抽出した店舗ＩＤのすべてが図１０（ｂ）に示すグループ情報ＤＢで記憶されている同一のグループに属するか否かを判定する。このＳ１３０’で同一のグループに属する（ＹＥＳ）と判定された場合には、登録手段により、前記登録要求に含まれる会員カードＩＤを、前記登録要求に含まれる属性情報に対応付けて既に登録されている会員カードＩＤに対応付けて登録し（Ｓ１３１’）、統合が完了した旨を示す統合登録完了画面（図示外）を登録端末に対して配信して（Ｓ１３２’）、前記Ｓ１２３に進む。一方、Ｓ１３０’で同一のグループに属さない（ＮＯ）と判定された場合には、登録手段により、前記登録要求に含まれる会員カードＩＤが対応付けて登録されず、グループ店でないため統合できない旨を示すエラー画面（図示外）を登録端末に対して配信して（Ｓ１３３’）、前記Ｓ１２３に進む。
【０５５３】
一方、Ｓ１１５で店舗ＩＤが一致する（ＹＥＳ）と判定された場合には、登録手段により、前記登録要求に含まれる会員カードＩＤが対応付けて登録されず、同一店舗であるため統合できない旨を示すエラー画面（図示外）を登録端末に対して配信して（Ｓ１２２）、前記Ｓ１２３に進む。
【０５５４】
これによれば、登録要求に含まれる属性情報が既に管理されており、該管理されている属性情報に対応付けて既に登録されている会員カードＩＤに対応する店舗と、登録要求に含まれる会員カードＩＤに対応する店舗とが一致する場合には、該登録要求に含まれる会員カードＩＤが登録されず、店舗で会員カードを紛失した会員のポイントが当該店舗で該会員カードを拾った他の会員のポイントと統合されてしまうことがないので、該会員カードを紛失した会員が不利益を被るおそれがなくなる。
【０５５５】
［３．本発明の変形例］
最後に、本発明の変形例について説明する。
【０５５６】
上記の実施形態では、店舗が遊技場である例について説明したが、これに限らず、該店舗は、商品やサービスを提供する一般店舗であっても良い。例えば店舗がコンビニエンスストアであり、該コンビニエンスストアの店舗会員がポイント会員として登録した場合に、各コンビニエンスストアでの買い物金額に応じてポイントを付与し、他のコンビニエンスストアの会員カードと統合することにより、各会員カードに対応するポイントを合算して使用できるようにしても良い。また店舗がゲームセンタであり、各ゲームセンタの店舗会員がポイント会員として登録した場合に、該ゲームセンタに備えられている麻雀ゲーム機でのゲーム結果に応じてポイントを付与し、他のゲームセンタの会員カードと統合することにより、各会員カードに対応するポイントを合算して使用できるようにしても良い。即ち本発明は、各店舗において店舗会員として登録されると共に、ポイント管理装置５０においてポイント会員として登録される形態であれば、いかなる店舗にも適用可能である。
【０５５７】
上記の実施形態では、図１に示すように、店舗端末が、カードユニット２０及びキオスク端末３０である例について説明したが、これに限らず、該店舗端末は、カードユニット２０又はキオスク端末３０のいずれか一方のみであっても良い。
【０５５８】
上記の実施形態では、図１，図５，図６に示すように、カードユニット２０が、システム管理装置４０及びインターネットを介してポイント管理装置５０と通信（第１登録要求及び会員統合要求の送信，並びに表示画面の配信）する例について説明したが、これに限らず、該カードユニット２０が、システム管理装置４０及び転送装置７０を介してポイント管理装置５０と通信するようにしても良く、またカードユニット２０を直接インターネットに接続可能に構成し、該インターネットを介してポイント管理装置５０と通信するようにしても良い。
【０５５９】
上記の実施形態では、カードユニット２０から送信される会員カードＩＤ及び使用金額が、システム管理装置４０，及び転送装置７０を介してポイント管理装置５０に送信される例について説明したが、これに限らず、システム管理装置４０，転送装置７０を介さずにポイント管理装置５０に送信されるようにしても良く、いずれか一方のみを介してポイント管理装置５０に送信されるようにしても良い。あるいは、カードユニット２０から送信される第１会員カードＩＤ及び使用金額が、一時的に所定の記憶装置に記憶されて、該記憶装置の記憶内容がインターネットを介してポイント管理装置５０に送信されるようにしても良い。
【０５６０】
上記の実施形態では、図１に示すように、システム管理装置４０が残額管理ＤＢを管理し、第１会員管理装置１００が第１会員情報ＤＢを管理する例について説明したが、これに限らず、システム管理装置４０と第１会員管理装置１００の両方の機能を備えるコンピュータで、残額管理ＤＢと第１会員情報ＤＢの両方を管理するようにしても良い。
【０５６１】
上記の実施形態において、ポイント管理装置５０がウェブサーバとして機能する例について説明したが、該ポイント管理装置５０とは別のコンピュータがウェブサーバとして機能するようにしても良い。
【０５６２】
上記の実施形態では、図２に示すように、記録媒体が、カード型の会員カード（第１会員カード４，第２会員カード５）である例について説明したが、これに限らず、該記録媒体は、コイン型であっても良く、また携帯電話であっても良い。
【０５６３】
上記の実施形態では、図２に示すように、会員カード（第１会員カード４，第２会員カード５）において、非接触式のＩＣチップ及び磁気ストライプにより、第１会員特定情報が電気的又は磁気的に記録されている例について説明したが、これに限らず、ＩＣチップ又は磁気ストライプのいずれか一方のみで第１会員特定情報を記録するものであっても良く、またＩＣチップは、非接触式のものではなく、接触式のものであっても良い。
【０５６４】
上記の実施形態では、図２に示すように、会員カード（第１会員カード４，第２会員カード５）において、会員カードＩＤ及び会員ＩＤの番号自体が、第２会員特定情報として目視可能に記録されている例について説明したが、これに限らず、該会員カードＩＤや会員ＩＤを示す二次元コード（例えばバーコードやＱＲコード），三次元コード，又は光干渉コード（例えばホログラム）等が、第２会員特定情報として目視可能に記録されているようにしても良く、この場合には該コードを読み取るリーダ（例えば携帯電話７に設けられたカメラ等）で該コードが読み取られ、該読み取ったコードから特定される会員カードＩＤや会員ＩＤが第２会員特定情報として入力される。即ち第２会員特定情報は、目視可能に記録されているものであれば、該第２会員特定情報を直接的に認識できるもののみならず、リーダにより読み取ることで該第２会員特定情報を間接的に認識できるものであっても良い。
【０５６５】
上記の実施形態では、図２に示すように、記録媒体（会員カード）に会員識別情報（会員カードＩＤ）が記録されている例について説明したが、これに限らず、該記録媒体には、会員識別情報は記録されていなくても良く、第１会員特定情報及び第２会員特定情報が記録されていれば良い。
【０５６６】
上記の実施形態では、図２（ａ）に示すように、第１会員カード４の表示領域４ａに第１会員ＩＤ及び第１会員カードＩＤが目視可能に表示されているが、該第１会員ＩＤは表示しないようにしても良い。この場合には、情報端末（ＰＣ６，携帯電話７）から送信される第２登録要求（図２８のＤ１０６を参照）には、第１会員ＩＤは含まれず、該第２登録要求を受信したことに基づいてポイント管理装置５０において行われるエンコード情報照合処理では、該第２登録要求に含まれる第１会員カードＩＤ及び暗証番号と、エンコード情報ＤＢ（図１０（ａ））で記憶されている第１会員カードＩＤ及び暗証番号との照合が行われる。
【０５６７】
上記の実施形態では、図３に示すように、貨幣として、紙幣２及び硬貨３の双方を使用可能である例について説明したが、これに限らず、紙幣２又は硬貨３のいずれか一方のみを使用可能としても良い。また使用可能な貨幣の種類は、上記のものには限定されない。また貨幣は、紙幣２や硬貨３のような実物以外にも、例えば電子マネーカードにより使用可能な電子マネー，クレジットカードにより使用可能な与信金額，デビットカードにより使用される預金残高等であっても良い。
【０５６８】
上記の実施形態では、遊技用有価価値の大きさや使用価値の大きさが、カード残額や使用金額自体である例について説明したが、これに限らず、遊技用有価価値の大きさや使用価値の大きさは、金額が所定の比率で換算された残度数や点数等であっても良い。
【０５６９】
上記の実施形態では、遊技用有価価値の大きさを特定可能な有価価値特定情報として、第１記録媒体（第１会員カード４）には第１会員カードＩＤ及びカード残額が記録され、第２記録媒体（第２会員カード５）には第２会員カードＩＤ及びカード残額が記録されている例について説明したが、これに限らず、第１記録媒体には、有価価値特定情報として、第１会員カードＩＤ又はカード残額のいずれか一方のみが記録されるようにしても良く、第２記録媒体には、有価価値特定情報として、第２会員カードＩＤ又はカード残額のいずれか一方のみが記録されるようにしても良い。また、有価価値特定情報は、第１記録媒体及び第２記録媒体への入金処理に伴いシステム管理装置４０において生成される入金ＩＤであっても良く、該入金ＩＤとカード残額とを対応付けて管理することで遊技用有価価値の大きさを特定可能としても良い。さらに第１記録媒体に記録される有価価値特定情報は、第１会員ＩＤであっても良く、システム管理装置４０において、第１会員ＩＤに対応付けてカード残額を記憶しておくことにより、第１会員ＩＤからカード残額を特定可能となり、該第１会員ＩＤが有価価値特定情報として作用する。
【０５７０】
上記の実施形態では、第２会員カード５に第２会員カードＩＤ及びカード残額が記録されており、第２会員カードＩＤが、カード会社において当該第２会員カード５を個々に識別するための情報であると共に、有価価値特定情報である第２記録媒体識別情報として作用するとともに、第２会員カードＩＤ及びカード残額の両情報を含む情報が、前記第２記録媒体識別情報として作用する例について説明したが、これに限らず、第２会員カード５にカード残額を記録することなく、システム管理装置４０において、第２会員カードＩＤと対応付けてカード残額を記憶することで、第２会員カードＩＤからカード残額を特定可能として、第２会員カードＩＤが第２記録媒体識別情報として作用するようにしても良い。また、第２会員カード５に第２会員カードＩＤ及びカード残額を記録し、システム管理装置４０において、第２会員カードＩＤとカード残額が対応付けて記憶されないようにしても良く、この場合には、第２会員カード５に記録されている第２会員カードＩＤが当該第２会員カード５を個々に識別するための情報であり、同記録されているカード残額が有価価値特定情報となる。つまり、これら第２会員カードＩＤ及びカード残額の両情報を含む情報が、第２記録媒体識別情報となる。
【０５７１】
上記の実施形態では、図１に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパロット（登録商標），遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０５７２】
上記の実施形態では、貨幣の金額又は遊技用有価価値の大きさを遊技に使用させるための処理が玉貸処理（ビジタ玉貸処理又は会員カード玉貸処理）である例について説明したが、これに限らず、該処理は、前記メダルを貸与するメダル貸出処理や、前記画像式のパチンコ機やスロットマシンにおいて有価価値の大きさを遊技媒体としての得点に変換して遊技に使用させる処理等でも良い。
【０５７３】
上記の実施形態では、玉貸処理が行われた場合に、カードユニット２０とパチンコ機１０との間でパチンコ玉の貸与に関する信号のやり取りが行われて、該パチンコ機１０に設けられた玉払出装置１３からパチンコ玉が払い出されて貸与される例について説明したが、これに限らず、カードユニット２０に設けられた図示しない玉払出装置からパチンコ玉が払い出されて貸与されるようにしても良い。
【０５７４】
上記の実施形態では、カードユニット２０のユニット制御部２２のＲＡＭに入金残額を記憶する例について説明したが、これに限らず、該カードユニット２０は、ユニット制御部がＥＥＰＲＯＭを備えているものであれば、該ＥＥＰＲＯＭに入金残額を記憶するようにしても良い。またカードユニット２０は、ビジタ遊技者用の記録媒体を外部から受け付けるタイプのものであっても良く、封入カードに入金残額を記憶するものであっても良い。
【０５７５】
上記の実施形態では、図９（ａ）に示すポイント会員情報ＤＢにおいて、属性情報として、ポイント会員に登録するときには性別，生年月日のみの登録を求め、抽選に当選したとき，及び商品との交換をしたときに、氏名と住所の登録を求める例について説明したが、これに限らず、ポイント会員に登録するときにすべての属性情報の登録を求めるようにしても良い。
【０５７６】
上記の実施形態では、図９（ａ）に示すポイント会員情報ＤＢでポイント会員として登録された後の使用金額に基づいてポイントが付与される例について説明したが、これに限らず、図９（ｃ）に示す使用金額ＤＢでポイント会員として登録されていない店舗会員の使用金額も記憶しておき、ポイント会員として登録された際に、該記憶されている使用金額に基づいてポイントが付与されるようにしても良い。
【０５７７】
上記の実施形態では、図９（ａ）に示すポイント会員情報ＤＢで会員カードＩＤに対応付けて電子メールアドレスが登録されている場合にも、図９（ｂ）に示す通知情報ＤＢで該会員カードＩＤに対応付けて通知情報であるアンケート情報，イベント情報，及び当選情報が記憶される例について説明したが、これに限らず、電子メールアドレスが登録されている会員カードＩＤについては、これら通知情報が記憶されないようにしても良く、この場合には、通知対象判定手段により通知対象でないと判定されるので、通知情報は返信されない。
【０５７８】
上記の実施形態では、図９（ａ）に示すように、各会員カードＩＤに対応付けて個別にポイントを管理し、図４３のＳ４２１に示すように、ポイント確認・使用画面を配信する際に、ポイントの合算を行う例について説明したが、これに限らず、会員カードＩＤの対応付けが行われた時点で各会員カードＩＤに対応するポイントを合算し、該合算ポイントを管理するようにしても良く、この場合には、該合算ポイントから使用ポイントが減算される。また個別ポイントと合算ポイントの両方を管理するようにしても良く、この場合には、各店舗の個別ポイントから各店舗の個別ポイントからの使用分がそれぞれ減算されると共に、合算ポイントからも使用ポイントが減算される。
【０５７９】
上記の実施形態では、図９（ａ）に示すように、ポイント会員情報ＤＢにおいて、各店舗毎に会員カードＩＤが登録され、図１４〜図１６に示すように、会員カードの統合が行われると、該統合が行われた会員カードＩＤが互いに対応付けて登録される（例えば図１４（ａ−１）に示すように、Ａ店の会員カードＩＤに対応付けてＢ店の会員カードＩＤが登録され、かつＢ店の会員カードＩＤに対応付けてＡ店の会員カードＩＤが登録される）例について説明したが、これに限らず、ポイント会員情報ＤＢを１つのＤＢとして構成して、ポイント会員として登録された一の会員カードＩＤに対応付けて、統合が行われた会員カードＩＤが順次対応付けて登録されていくようにしても良い。
【０５８０】
具体的には、複数の未登録の会員カードＩＤを含む第１の会員統合要求に基づいて統合が行われる場合には、該複数の未登録の会員カードＩＤを対応付けて登録し、該会員カードＩＤに対応付けて属性情報を登録する。また未登録の会員カードＩＤと既登録の会員カードＩＤとを含む第２の会員統合要求に基づいて統合が行われる場合には、該既登録の会員カードＩＤに対応付けて、該未登録の会員カードＩＤを登録する。さらに複数の既登録の会員カードＩＤを含む第３の会員統合要求に基づいて統合が行われる場合には、該第３の会員統合要求に含まれる一の会員カードＩＤに対応付けて他の会員カードＩＤを登録すると共に、当該他の会員カードＩＤに対応するポイントを前記一の会員カードＩＤに対応するポイントに対して加算更新するか，あるいは移行した前記他の会員カードＩＤに対応付けて管理すると共に、当該他の会員カードＩＤに対応するデータを削除する。
【０５８１】
上記の実施形態では、ポイント管理装置５０において、図９（ｂ）に示す通知情報ＤＢで通知情報が記憶されているか否かに拘わらず、図３７のＤ４０１に示すメニュー画面が登録端末に対して配信される例について説明したが、これに限らず、ログイン要求の受信に基づいて、該ログイン要求に含まれる会員カードＩＤに対応付けて通知情報ＤＢでグループ店追加情報，アンケート情報，イベント情報，及び当選情報が記憶されているか否かを判定し、記憶されていない情報に対応するボタンが表示されないメニュー画面を登録端末に対して配信するようにしても良く、これによれば、記憶されている情報に対応するボタンのみがメニュー画面に表示されるので、該記憶されている情報の種類をポイント会員が容易に把握することができる。
【０５８２】
上記の実施形態では、図１０（ａ）に示すように、第１会員カードＩＤと第１会員ＩＤとの対応付け，及び第２会員カードＩＤと他システム会員ＩＤとの対応付けを示す対応情報が、エンコード情報管理装置６０から送信されるエンコード情報ＤＢの記憶内容であり、エンコード情報管理装置用通信部５１ａが、該対応情報を受け付ける対応情報受付手段として機能する例について説明したが、これに限らず、該対応情報受付手段は、メディアに記録された対応情報を読み取る読み取り装置であっても良く、紙に記録された対応情報を読み取るＯＣＲであっても良い。また、ポイント管理装置５０のオペレータが、ディスプレイ５４等に表示される対応情報入力画面によって対応情報を入力するようにしても良く、例えば１０００枚分の第２会員カード５にエンコードされた対応情報を入力する場合には、最初の１枚のカードについてのみ他システム会員ＩＤと第２会員カードＩＤを入力し、その状態でエンコードされた第２会員カードが１０００枚である旨を入力すると、最初に入力された他システム会員ＩＤと第２会員カードＩＤを基準として、その後所定のルールに従って（例えば、他システム会員ＩＤと第２会員カードＩＤをいずれも１ずつ増加させる等）連続的に１０００枚分の対応付けが行われるようにすると良い。
【０５８３】
上記の実施形態では、図１０（ｂ）に示すグループ情報ＤＢにおいて、各店舗について個別に残ポイント数及び当月使用ポイント数を管理していると共に、グループについて合算した残ポイント数及び当月使用ポイント数を管理している例について説明したが、これに限らず、いずれか一方のみを管理するようにしても良い。
【０５８４】
上記の実施形態では、各グループ又は各店舗が、図１０（ｂ）に示すグループ情報ＤＢ及び図１０（ｃ）に示す店舗情報ＤＢで記憶されている商品交換使用ポイント数に応じて対価を負担する例について説明したが、これに限らず、抽選応募使用ポイント数に応じて対価を負担するようにしても良く、また今月使用ポイント数に応じて対価を負担するようにしても良い。
【０５８５】
上記の実施形態では、図１１のＤ０３に示す新グループの設定登録や、同Ｄ０５に示すグループ店の追加設定において、表示された店舗に対応するチェックボックスをチェックすることで店舗が選択されて、該選択された店舗が新グループに登録又はグループに追加される例について説明したが、これに限らず、新グループに登録又はグループに追加する店舗を直接入力し、該入力された店舗が登録又は追加されるようにしても良い。
【０５８６】
上記の実施形態では、図１３のＤ２１に示すように、制御部５２が送信するアンケート情報が、アンケートにアクセスするためのＵＲＬである例について説明したが、これに限らず、アンケート情報がアンケートの内容自体であっても良く、この場合には、インターネットに接続される外部通信部５１ｃから該アンケートの内容自体を含む電子メールが送信される。
【０５８７】
上記の実施形態では、図１４〜図１６に示すように、会員識別情報（会員カードＩＤ）に店舗識別情報（店舗ＩＤ）が含まれ、店舗特定手段（制御部５２）は、該会員識別情報から店舗識別情報を抽出することにより店舗識別情報を特定する例について説明したが、これに限らず、例えばポイント管理装置５０において、店舗識別情報を含まない会員識別情報と、当該会員識別情報の記録媒体を発行した店舗の店舗識別情報とを対応付けて記憶しておき、店舗特定手段は、会員識別情報に対応付けて記憶されている店舗識別情報を特定するようにしても良い。なお会員識別情報と店舗識別情報との対応付けは、各会員識別情報毎に店舗識別情報が対応付けられているものでも良く、複数の会員識別情報（例えば何番〜何番）に１つの店舗識別情報が対応付けられているものでも良い。即ち店舗特定手段は、会員識別情報に対応する店舗の店舗識別情報を特定可能なものであれば良い。
【０５８８】
上記の実施形態では、図２２に示すように、残額管理ＤＢの記憶内容及び残額管理ＤＢの記憶内容が、遊技場の営業終了後に転送装置７０に送信される例について説明したが、これに限らず、これらの情報は、予め定められた所定時刻又は所定間隔で送信されるようにしても良い。
【０５８９】
上記の実施形態では、図２２に示すように、第１会員遊技者に対して付与されるポイント及び第２会員遊技者に対して付与されるポイントのいずれもが、使用金額１０００円毎に１ポイント付与される例について説明したが、これに限らず、前者と後者で異なる金額比率でポイントが付与されるようにしても良い。例えば第１会員遊技者には使用金額１０００円につき１ポイント付与し、第２会員遊技者には使用金額２０００円につき１ポイント付与するようにしても良い。
【０５９０】
上記の実施形態では、図２２に示すように、制御部５２が、使用価値の大きさ（使用金額）に応じたポイントを付与するポイント付与処理を行う例について説明したが、付与するポイントに上限を設けるようにしても良い。例えば、１日１０ポイントを上限として、それ以上は付与しないようにしても良い。さらに、来店した遊技者に対して来店ポイントを付与するようにしても良い。
【０５９１】
上記の実施形態では、図２２に示すように、ポイント付与処理において、使用価値の大きさ（使用金額）に応じたポイントを付与する例について説明したが、これに限らず、遊技時間に応じたポイントを付与するようにしても良い。この場合には、システム管理装置４０の残額管理ＤＢにおいて、会員カードＩＤに対応付けて、例えば該会員カードＩＤの会員カードがカードユニット２０に挿入されている時間を遊技時間をして記憶しておき、該残額管理ＤＢの記憶内容がポイント管理装置５０に送信されてくると、制御部５２が、該遊技時間に応じたポイントを付与するポイント付与処理を行うようにすれば良い。
【０５９２】
上記の実施形態では、ポイント管理装置５０において、システム管理装置から定型レポート送信要求が送信されてきたことに基づいて、図２３のＤ４５に示す定型レポートが作成されて、ポイント管理装置５０に対して送信される例について説明したが、これに限らず、予め定型レポートを作成しておき、システム管理装置から定型レポート送信要求が送信されてきたことに基づいて、該作成されている定型レポートをポイント管理装置５０に対して送信するようにしても良い。
【０５９３】
上記の実施形態では、図２５に示すように、制御部５２により集計されたアンケート結果が、転送装置用通信部５１ｂから各遊技場のシステム管理装置に対して配信される例について説明したが、これに限らず、アンケート結果がディスプレイ５４で出力されるようにしても良く、またアンケート結果をウェブ上で閲覧可能なようにしても良い。
【０５９４】
上記の実施形態では、電子メールアドレス取得手段として機能するポイント管理装置５０の制御部５２が、図２７に示すように、第２登録要求の前に情報端末（ＰＣ６又は携帯電話７）から送信されてくる空メールから電子メールアドレスを取得する例について説明したが、これに限らず、第２登録要求にも電子メールアドレスが含まれるようにして、該第２登録要求から電子メールアドレスを取得するようにしても良く、また第２登録要求の後に電子メールアドレスが送信されてくるようにして、該電子メールアドレスを取得するようにしても良い。即ち「第２登録要求に伴って」電子メールアドレスを取得するのであれば、該取得のタイミングは、第２登録要求の前であるか、第２登録要求と同時であるか、第２登録要求の後であるかは問わない。
【０５９５】
上記の実施形態では、図２７〜図３６に示すポイント会員登録画面が、ポイント管理装置５０から店舗端末（カードユニット２０，キオスク端末３０）に対して、インターネットを介して配信される例について説明したが、カードユニット２０については、該ポイント会員登録画面が、システム管理装置４０及び転送装置７０を介してポイント管理装置５０から配信されるようにしても良く、またキオスク端末３０についても、システム管理装置４０と通信可能に構成し、該ポイント会員登録画面が、システム管理装置４０及び転送装置７０を介してポイント管理装置５０から配信されるようにしても良い。
【０５９６】
上記の実施形態では、図２７〜図３６に示すポイント会員登録画面が、ポイント管理装置５０から登録端末に対して配信されて、該登録端末で表示される例について説明したが、これに限らず、情報端末（ＰＣ６，携帯電話７）については、該ポイント会員登録画面を表示させるためのプログラムをポイント管理装置５０からダウンロードし、該プログラムの実行によりポイント会員登録画面が表示されるようにしても良く、店舗端末（カードユニット２０，キオスク端末３０）については、該ポイント会員登録画面を表示させるためのプログラムを予め記憶させておき、該プログラムの実行によりポイント会員登録画面が表示されるようにしても良い。
【０５９７】
上記の実施形態では、例えば図２８のＤ１０７に示すように、ＰＣ６，携帯電話７，又はカードユニット２０において、第２会員特定情報として他システム会員ＩＤを入力する際に、下４桁の入力が求められる例について説明したが、これに限らず、下４桁以外の桁数（例えば下５桁以上）の入力が求められるようにしても良い。また上記の実施形態では、例えば同Ｄ１０６に示すように、ＰＣ６，携帯電話７，又はカードユニット２０において、第２会員特定情報として第１会員ＩＤを入力する際に、全桁の入力が求められる例について説明したが、これに限らず、全桁以外の桁数（例えば下４桁以上）の入力が求められるようにしても良い。即ち第２会員特定情報として入力される会員ＩＤの桁数は、ポイント管理装置５０で行われるエンコード情報照合処理において、偶然の一致を排除できるに充分な桁数であれば良い。
【０５９８】
上記の実施形態では、例えば図２８のＤ１１０に示すように、統合する会員カードの数、即ち会員統合要求に含まれる会員カードＩＤの数が、２〜４つである例について説明したが、該会員統合要求に含まれる会員カードＩＤの数は、２つ以上であれば特に限定されない。
【０５９９】
上記の実施形態では、図２８〜図２９に示すように、情報端末（ＰＣ６，携帯電話７）から送信される第２登録要求又は会員統合要求に、第２会員特定情報として会員カードＩＤ及び会員ＩＤが含まれる例について説明したが、これに限らず、該第２会員特定情報として会員ＩＤのみを含むようにして、ポイント管理装置５０において該会員ＩＤに対応する会員カードＩＤを特定し、該特定した会員カードＩＤを登録するようにしても良い。また該第２会員特定情報として会員カードＩＤのみを含むようにして、ポイント管理装置５０において該会員カードＩＤを登録するようにしても良い。
【０６００】
上記の実施形態では、カードユニット２０において、該カードユニット２０が設置されている店舗以外の他店で発行された会員カード（第１会員カード４，第２会員カード５）は受付不能である例について説明したが、これに限らず、他店で発行された会員カードも受付可能として、該他店で発行された会員カードについてポイント会員登録ができるようにしても良く、また他店で発行された会員カード同士の統合登録ができるようにしても良い。
【０６０１】
上記の実施形態では、図３２に示すように、カードユニット２０から送信される会員統合要求に、カードＲ／Ｗ２５で受け付けた会員カードから読み取った第１会員特定情報（会員カードＩＤ）と、会員が入力した第２会員特定情報とが含まれる例について説明したが、これに限らず、該会員統合要求には、会員が１枚目の会員カードを目視して入力した第２会員特定情報と、２枚目の会員カードを目視して入力した第２会員特定情報とが含まれるようにしても良い。
【０６０２】
上記の実施形態では、キオスク端末３０において、該キオスク端末３０が設置されている店舗以外の他店で発行された会員カード（第１会員カード４，第２会員カード５）も受付可能である例について説明したが、これに限らず、自店で発行された会員カードのみを受付可能であるようにしても良く、この場合には、他店で発行された会員カードの会員カードＩＤ，会員ＩＤ等の手入力を受け付けることによりポイント会員登録ができるようにしても良く、あるいは他店で発行された会員カードについてはポイント会員登録ができないようにしても良い。
【０６０３】
上記の実施形態では、ポイント会員登録モードのキオスク端末３０において会員カード（第１会員カード４又は第２会員カード５）が挿入されると、該会員カードの磁気ストライプから読み取った第１会員特定情報である会員ＩＤ（第１会員ＩＤ又は他システム会員ＩＤ）を含む第１登録要求Ａ，会員統合要求Ａ，又は会員統合要求Ｂがポイント管理装置５０に対して送信される例について説明したが、これに限らず、これら第１登録要求Ａ，会員統合要求Ａ，又は会員統合要求Ｂをポイント管理装置５０に対して送信せずに、前記読み取った会員ＩＤを一時的に記憶しておき、属性情報や暗証番号の入力を受け付けた後に、前記記憶している第１会員特定情報である会員ＩＤと、該入力された属性情報及び暗証番号とを含む第１登録要求，又は会員統合要求がポイント管理装置５０に対して送信されるようにしても良い。この場合には、ポイント管理装置５０において、該第１登録要求，又は会員統合要求に含まれる第１会員特定情報である会員ＩＤから、エンコード情報ＤＢの記憶内容に基づいて、会員識別情報である会員カードＩＤが特定され、該会員カードＩＤの登録や統合の処理が行われる。
【０６０４】
上記の実施形態では、統合登録を受け付けるキオスク端末３０において、１枚目の会員カードが排出された後に２枚目の会員カードを受け付ける例について説明したが、これに限らず、１枚目の会員カードを内部留保して２枚目の会員カードを受け付け、会員統合要求の送信後に、内部留保しているすべての会員カードを排出するようにしても良い。またキオスク端末３０において、カード挿入口３３ａを複数備え、該複数のカード挿入口３３ａから挿入された会員カードの会員ＩＤを、各カード挿入口３３ａに対応した複数のカードリーダ３３，又は複数のカード挿入口３３ａに対応した一のカードリーダ３３で読み取るようにしても良い。
【０６０５】
上記の実施形態では、キオスク端末３０では、会員カード（第１会員カード４，第２会員カード５）の磁気ストライプ４ｃ，５ｃを読み取り可能である例について説明したが、これに限らず、会員カードのＩＣチップ４ｂ，５ｃを読み取り可能にしても良く、これによれば、該ＩＣチップから会員カードＩＤ（第１会員カードＩＤ，第２会員カードＩＤ）を読み取ることができるため、会員ＩＤ（第１会員ＩＤ，他システム会員ＩＤ）をポイント管理装置５０に対して送信し、該ポイント管理装置５０において特定された会員カードＩＤを取得する工程が不要となる。
【０６０６】
上記の実施形態では、例えば図３３に示すように、ポイント会員登録を受け付けるキオスク端末３０において、ポイント管理装置から会員カードＩＤ（第１会員カードＩＤ又は第２会員カードＩＤ）を取得して、該取得した会員カードＩＤが表示される例について説明したが、これに限らず、該会員カードＩＤの取得及び表示は行われなくても良い。
【０６０７】
上記の実施形態では、図３４〜図３６に示すように、キオスク端末３０から送信される会員統合要求に、カードリーダ３３で受け付けた会員カードから読み取った第１会員特定情報（会員ＩＤ）が複数含まれる例について説明したが、これに限らず、該会員統合要求には、１枚目の会員カードから読み取った第１会員特定情報と、会員が２枚目の会員カードを目視して入力した第２会員特定情報とが含まれるようにしても良く、また会員が１枚目の会員カードを目視して入力した第２会員特定情報と、２枚目の会員カードを目視して入力した第２会員特定情報とが含まれるようにしても良い。
【０６０８】
上記の実施形態では、ポイント会員情報ＤＢにおいて氏名及び住所が登録されている場合には、図１８のＤ３０及び図３９のＤ４８０−１に示すように、当選した旨のみを示す電子メール又は画面が配信され、また図３８のＤ４１３−１に示すように、商品を発送した旨のみを示す画面が配信される例について説明したが、これら電子メール又は画面に、前記登録されている氏名及び住所を含めて配信し、該氏名及び住所の確認を求めるようにすると共に、該氏名及び／又は住所が変更されている場合には、変更後の該氏名及び／又は住所の入力を受け付けるようにしても良い。
【０６０９】
上記の実施形態では、グループ設定手段（ディスプレイ５４及び入力装置５５）により新グループの設定が行われた場合には、図３９のＤ４５０−２に示すグループ店一覧が配信され、グループ店の追加が行われた場合には、同Ｄ４５０−１に示す追加店舗が配信される例について説明したが、これに限らず、グループ店の追加が行われた場合にも、グループ店一覧が配信されるようにしても良い。
【０６１０】
上記の実施形態では、図３７のＤ４０１に示すように、ログイン要求を送信してポイント会員専用ホームページにログインした送信元端末から、ログイン要求の送信時に記憶した会員カードＩＤ（即ちログインＩＤ）及び暗証番号と、統合する会員カードの会員カードＩＤ及び暗証番号とを含む第２の会員統合要求又は第３の会員統合要求が送信される例について説明したが、これに限らず、該ログインＩＤ及び暗証番号を含まず、統合する会員カードの会員カードＩＤ及び暗証番号のみを含む会員統合要求が送信されるようにしても良い。この場合には、ポイント管理装置５０において、前記ログイン要求の受信時に、前記送信元端末のログインＩＤがＩＰアドレスに対応付けて記憶されているので、当該会員統合要求にログインＩＤが含まれていなくても、該送信元端末のＩＰアドレスに対応付けて記憶しているログインＩＤを特定することができる。従って、ログインＩＤ及び暗証番号を含むログイン要求と、統合する会員カードの会員カードＩＤ及び暗証番号を含む会員統合要求とを合わせたものが、前記第２の会員統合要求又は第３の会員統合要求である。
【０６１１】
上記の実施形態では、図４０に示すように、ポイント管理装置５０において、キオスク端末３０から送信されてくる第１登録要求に基づいてポイント会員登録処理を行う際に、第１登録要求Ｂを受信してから該処理を行う例について説明したが、これに限らず、第１登録要求Ａを受信したことに基づいて、該第１登録要求Ａに含まれる第１会員特定情報（第１会員ＩＤ又は他システム会員ＩＤ）から特定される会員カードＩＤ（第１会員カードＩＤ又は第２会員カードＩＤ）を一旦登録し、所定時間内に第１登録要求Ｂを受信したことに基づいて、前記登録された会員カードＩＤに対応付けて該第１登録要求Ｂに含まれる属性情報を登録し、所定時間内に第１登録要求Ｂを受信しなければ、前記会員カードＩＤの登録を消去するようにしても良い。
【０６１２】
上記の実施形態では、ポイント管理装置５０において、図４０のＳ１１１に示すように、登録要求を受信したときに、必ずエンコード情報照合処理が行われる例について説明したが、これに限らず、店舗端末（カードユニット２０又はキオスク端末３０）から第１登録要求を受信したときには、該エンコード情報照合処理を行わないようにしても良い。カードユニット２０から送信されてくる第１登録要求に含まれる会員カードＩＤ（第１会員カードＩＤ又は第２会員カードＩＤ）及び会員ＩＤ（第１会員ＩＤ又は他システム会員ＩＤ）は、会員カード（第１会員カード４又は第２会員カード５）のＩＣチップから読み取ったものであるため、必ず一致するからであり、またキオスク端末３０から送信されてくる第１登録要求Ｂに含まれる会員ＩＤは、会員カードの磁気ストライプから読み取ったものであり、該第１登録要求Ｂに含まれる会員カードＩＤは、前記読み取った会員ＩＤに基づいて会員カードＩＤ特定処理により特定されたものであるため、必ず一致するからである。この場合には、カードユニット２０から送信される第１登録要求に会員カードＩＤ又は会員ＩＤのいずれか一方は含まれないようにしても良く、またキオスク端末３０から送信される第１登録要求Ｂに会員カードＩＤが含まれないようにしても良い。
【０６１３】
上記の実施形態では、図４０のＳ１１６で属性情報が一致する会員カードＩＤが抽出された場合において、第１会員カードＩＤならば、各会員カードＩＤから抽出した店舗ＩＤの遊技場に設置されている第１会員管理装置１００に対して氏名，住所の送信を要求し、第２会員カードＩＤならば、各会員カードＩＤをディスプレイ５４に表示して、オペレータが、各会員カードＩＤから抽出した店舗ＩＤの遊技場に対して、該遊技場に設置されている第２会員管理装置２００で記憶している氏名，住所を問い合わせる例について説明したが、これに限らず、第２会員管理装置２００を管理する他社とその他の構成要素を管理するカード会社とが連携している場合には、ポイント管理装置５０から第２会員管理装置２００に対して氏名，住所の送信を要求するようにしても良い。また第１会員管理装置１００に対しても住所，氏名の送信を要求するのではなく、連携しているか否かに拘わらず、常にオペレータが問い合わせるようにしても良い。
【０６１４】
上記の実施形態において、図４１のＳ２１４とＳ２１７，Ｓ２３４とＳ２３７，Ｓ２５４とＳ２５７の各処理の順番を逆にしても良い。即ちグループ判定手段による判定と店舗一致判定手段による判定は、いずれが先に行われるようにしても良い。
【０６１５】
上記の実施形態では、図４１のＳ２１７，Ｓ２３７，Ｓ２５７で店舗ＩＤが一致する（ＹＥＳ）と判定された場合に、一律にエラー画面が配信される例について説明したが、これに限らず、例えば会員統合要求に含まれる会員カードＩＤが３つ以上ある場合には、一律にエラーにするのではなく、店舗ＩＤが一致しない会員カードＩＤのみを対応付けて登録するようにしても良い。
【０６１６】
上記の実施形態では、図４１のＳ２６１で、店舗一致判定手段により、受信した会員統合要求に含まれる複数の会員カードＩＤのいずれかに対応付けて登録されている会員識別情報に対応する店舗の店舗ＩＤ（ここではＳ２６０で抽出した店舗ＩＤ）と、前記会員統合要求に含まれる残りの会員カードＩＤに対応する店舗の店舗ＩＤ（ここではＳ２５３で抽出した店舗ＩＤ）とが一致するか否かを判定し、前記登録手段は、該店舗一致判定手段により一致しない（ＮＯ）と判定されたことを条件として、会員カードＩＤを対応付けて登録する一方、一致する（ＹＥＳ）と判定されたことを条件として、会員カードＩＤを対応付けて登録しない例について説明したが、さらに以下のようにしても良い。
【０６１７】
即ち、店舗一致判定手段は、受信した会員統合要求に含まれる複数の会員カードＩＤのいずれかに対応付けて登録されている会員カードＩＤに対応する店舗の店舗ＩＤと、前記会員統合要求に含まれる残りの会員カードＩＤに対応付けて登録されている会員カードＩＤに対応する店舗の店舗ＩＤとが一致するか否かを判定し、前記登録手段は、該店舗一致判定手段により一致しないと判定されたことを条件として、各会員カードＩＤを対応付けて登録する一方、一致すると判定されたことを条件として、各会員カードＩＤを対応付けて登録しないようにしても良い。
【０６１８】
具体的には、図４６に示すように、ポイント管理装置５０のポイント会員情報ＤＢで、ある会員（ここでは甲）について、該会員甲のＡ店の会員カードＩＤとＢ店の会員カードＩＤとが対応付けて登録されていると共に、該会員甲のＣ店の会員カードＩＤとＤ店の会員カードＩＤとが対応付けて登録されている場合において、会員甲の属性情報とＡ店の会員カードＩＤとＣ店の会員カードＩＤとを含む会員統合要求を受信すると、店舗一致判定手段は、該会員統合要求に含まれるＡ店の会員カードＩＤに対応付けて登録されているＢ店の会員カードＩＤと、該会員統合要求に含まれる残りのＣ店の会員カードＩＤに対応付けて登録されているＤ店の会員カードＩＤとが一致するか否かを判定する。この例では一致しないと判定されるので、登録手段は、各会員カードＩＤを対応付けて登録する。
【０６１９】
また店舗一致判定手段は、受信した会員統合要求に含まれる複数の会員カードＩＤの各々に対応する各店舗の店舗ＩＤと、該複数の会員カードＩＤの各々に対応付けて登録されている会員カードＩＤに対応する各店舗の店舗ＩＤのうち、一致するものがあるか否かを判定し、前記登録手段は、該店舗一致判定手段により一致するものがないと判定されたことを条件として、各会員カードＩＤを対応付けて登録する一方、一致するものがあると判定されたことを条件として、各会員カードＩＤを対応付けて登録しないようにしても良い。
【０６２０】
具体的には、前記図４６に示す例では、会員統合要求を受信すると、該会員統合要求に含まれるＡ店の会員カードＩＤ及びＣ店の会員カードＩＤと、該Ａ店の会員カードＩＤに対応付けて登録されているＢ店の会員カードＩＤ及び該Ｃ店の会員カードＩＤに対応付けて登録されているＤ店の会員カードＩＤのうち、一致するものがあるか否かを判定する。この例では一致するものがないと判定されるので、登録手段は、各会員カードＩＤを対応付けて登録する。
【０６２１】
上記の実施形態では、図４２に示すように、キオスク端末３０から送信されてくるログイン要求が、該キオスク端末３０で受け付けた会員カードの磁気ストライプから読み取った第１会員特定情報である会員ＩＤ（第１会員ＩＤ又は他システム会員ＩＤ）に基づいてポイント管理装置５０（Ｓ３２１）で特定された会員カードＩＤを含むものであり、ポイント管理装置５０において、該ログイン要求に含まれる会員カードＩＤでログインされる例について説明したが、これに限らず、該会員カードＩＤではなく、前記第１会員特定情報である会員ＩＤを含むものであっても良く、この場合には、ポイント管理装置５０において、該ログイン要求に含まれる会員ＩＤから会員カードＩＤが特定され、該特定された会員カードＩＤでログインされる。
【０６２２】
上記の実施形態では、図４２に示すように、情報公開要求が、会員カードＩＤを含むログイン要求と、該会員カードＩＤを含まないポイント確認・使用要求，グループ店一覧要求，及びグループ店追加情報要求とを合わせたものである例について説明したが、これに限らず、登録端末（ＰＣ６，携帯電話７，カードユニット２０，キオスク端末３０）において、ログイン要求に含まれる会員カードＩＤを記憶しておき、該記憶している会員カードＩＤを含むポイント確認・使用要求，グループ店一覧要求，及びグループ店追加情報要求が送信されるようにしても良く、この場合には、ログイン要求は情報公開要求ではなく、会員カードＩＤを含んで送信されるポイント確認・使用要求，グループ店一覧要求，及びグループ店追加情報要求が単独で情報公開要求となる。
【０６２３】
上記の実施形態では、図４２に示すように、確認要求が、会員カードＩＤを含むログイン要求と、該会員カードＩＤを含まないアンケート要求，イベント情報要求，又は当選情報要求とを合わせたものである例について説明したが、これに限らず、登録端末（ＰＣ６，携帯電話７，カードユニット２０，キオスク端末３０）において、ログイン要求に含まれる会員カードＩＤを記憶しておき、該記憶している会員カードＩＤを含むアンケート要求，イベント情報要求，又は当選情報要求が送信されるようにしても良く、この場合には、ログイン要求は確認要求ではなく、会員カードＩＤを含んで送信されるアンケート要求，イベント情報要求，又は当選情報要求が単独で確認要求となる。
【０６２４】
上記の実施形態では、図４３に示すように、店舗情報ＤＢ（Ｓ４０６，Ｓ４１４）又はグループ情報ＤＢ（Ｓ４２６，Ｓ４３４）におけるポイントの更新が行われてから、ポイント会員情報ＤＢ（Ｓ４０７，Ｓ４１５，Ｓ４２７，Ｓ４３５）におけるポイントの更新が行われる例について説明したが、これに限らず、これらポイントの更新が行われる順序は逆であっても良い。
【０６２５】
上記の実施形態では、図４３に示すように、合算ポイントが使用された場合に、使用ポイント数が、ログインＩＤに対応するポイントから優先して減算され、該ポイントが不足するようであれば不足分が、対応ＩＤに対応するポイントから減算される例について説明したが、これに限らず、該ポイントの減算を、ログインＩＤに対応するポイントから優先して行うか，又は対応ＩＤに対応するポイントから優先して行うかを、ポイント会員が選択できるようにしても良く、また各ポイントから減算するポイントを、ポイント会員が任意に指定できるようにしても良い。
【０６２６】
上記の実施形態では、図４３及び図４４に示すように、ポイント管理装置５０において、情報公開要求の一部であるポイント確認・使用要求，登録情報の更新要求，グループ店舗一覧要求，及び店舗追加情報要求や、確認要求の一部であるアンケート要求，イベント情報要求，及び当選情報要求を受信した後に、各要求に対応した情報が送信元端末に対して配信される例について説明したが、これに限らず、前記ログイン要求のみが情報公開要求及び確認要求として機能するようにしても良く、この場合には、ポイント管理装置５０において、該ログイン要求を受信した後に、前記各要求（ポイント確認・使用要求，登録情報の更新要求，グループ店舗一覧要求，店舗追加情報要求，アンケート要求，イベント情報要求，及び当選情報要求）に対応して配信すべきすべての情報を送信元端末に対して返信し、該送信元端末において、該返信されてきた情報を記憶しておき、図３７のＤ４０１に示すメニュー画面におけるボタン操作に応じて、該記憶している情報が表示されるようになる。
【０６２７】
上記の実施形態では、図４４（ｄ），（ｅ），（ｆ）に示すように、店舗端末（カードユニット２０又はキオスク端末３０）から確認要求（アンケート要求，イベント情報要求，又は当選情報要求）が送信されてきた場合のみならず、情報端末（ＰＣ６又は携帯電話７）から確認要求が送信されてきた場合にも、前記電子メールアドレス管理判定手段による判定が行われ（Ｓ８０１，Ｓ９０１，Ｓ１００１）、該電子メールアドレス管理判定手段により電子メールアドレスを管理していると判定されると、通知情報（アンケート情報，イベント情報，当選情報）が該情報端末に対して返信されない例について説明したが、これに限らず、情報端末から確認要求が送信されてきた場合には、前記電子メールアドレス管理判定手段による判定を行わず、一律に該通知情報が情報端末に対して返信されるようにしても良い。
【０６２８】
上記の実施形態では、図４４（ｄ），（ｅ），（ｆ）に示すように、登録端末から確認要求の一部であるアンケート要求，イベント情報要求，又は当選情報要求が送信されてきたことに基づいて、前記電子メールアドレス管理判定手段による判定（Ｓ８０１，Ｓ９０１，Ｓ１００１）が行われる例について説明したが、これに限らず、登録端末から確認要求の一部であるログイン要求が送信されてきたことに基づいて、前記電子メールアドレス管理判定手段による判定が行われるようにしても良く、この場合におけるアンケート要求，イベント情報要求，又は当選情報要求は、確認要求ではない。また、この場合において、電子メールアドレス管理判定手段により電子メールアドレスを管理していると判定された場合には、図３７のＤ４０１で、「アンケート」ボタン，「イベント情報」ボタン，及び「当選情報」ボタンを表示しない画面を配信するようにしても良い。
【０６２９】
上記の実施形態では、図４４（ｄ），（ｅ），（ｆ）に示すように、電子メールアドレス管理判定手段により電子メールアドレスを管理していると判定された場合には、一律に通知情報（アンケート情報，イベント情報，当選情報）が登録端末に対して返信されない（Ｓ８０７，Ｓ９０５，Ｓ１００８）例について説明したが、これに限らず、常に返信する通知情報を予め設定しておき、電子メールアドレス管理判定手段により電子メールアドレスを管理していると判定された場合であっても、該常に返信すると設定されている通知情報については返信するようにしても良く、これによれば、例えば当選情報等の比較的重要なものを常に返信する通知情報として設定しておくことにより、電子メールによる該通知情報の通知に加えて、店舗端末でも該通知情報を通知することができる。
【０６３０】
上記の第２実施形態では、図４５のＳ１１３で、属性情報判定手段として機能する制御部５２が、受信した登録要求に含まれる氏名，住所，性別，及び生年月日が既に管理（登録）されているか否かを判定する例について説明したが、これに限らず、少なくとも氏名が既に管理されているか否かを判定すれば良く、好ましくは氏名及び住所，又は氏名及び生年月日が既に管理されているか否かを判定すれば良い。少なくとも氏名について判定すれば、他人と偶然に一致することは稀だからであり、さらに住所や生年月日についても判定すれば、他人と偶然に一致することがほとんど無くなるからである。
【０６３１】
最後に、上記の実施形態に記載した発明に対応する「従来技術」，「発明が解決しようとする課題」，及び「発明の効果」を説明する。
【０６３２】
本願出願人が先に出願した「特願２００４−２９２１３８」の図９，並びに段落０１６３，０１９８，及び０２００には、会員識別情報である会員ＩＤに対応付けて、当該会員ＩＤが記録された会員カードを所持する会員の属性情報とポイントとを管理する統合管理装置において、会員が操作する情報端末から送信される会員ＩＤと属性情報とを受信してメール会員として登録を行う際に、該受信した属性情報が既に登録されていれば、該既に登録されている属性情報に対応付けられている会員ＩＤと前記受信した会員ＩＤとを対応付けて登録すると共に、各会員ＩＤに対応するポイントを統合する旨が記載されている。
【０６３３】
しかしながら、上記出願に示す統合管理装置では、前記会員ＩＤが記録された記録媒体の一例である会員カードをある会員が紛失し、当該紛失した会員カードを拾った当該会員とは異なる他の会員が、当該拾った会員カードの会員ＩＤと当該他の会員の属性情報とを情報端末から統合管理装置に対して送信した場合に、該統合管理装置において、当該他の会員の属性情報が既に登録されていると、会員カードを紛失した会員のポイントと当該他の会員のポイントが統合されるので、会員カードを紛失した会員が不利益を被るという問題があった。
【０６３４】
そこで、上記の実施形態に記載した発明では、会員統合要求に含まれる複数の会員特定情報から特定される複数の会員識別情報に対応する各店舗が一致する場合には、当該複数の会員識別情報が登録されないようにした。これによれば、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【０６３５】
また、別の従来技術として、特開２００５−２９６２３５号公報（図７，段落００６１，００６４）を示す。この従来技術には、各店舗において会員として会員登録した該会員の会員識別情報に対応付けて、当該会員の属性情報を記憶すると共に、各会員が会員となっている各店舗の会員識別情報に対応付けて、当該会員が所有する各店舗のポイントを記憶する管理装置を備える会員サービス提供システムにおいて、新規の会員登録が行われて新たに登録する会員識別情報と当該会員識別情報が記録された会員カードを所持する会員の属性情報とを受信したときに、該属性情報（氏名及び電子メールアドレス）が既に登録されている属性情報と一致するか否かを判定し、一致すれば、該属性情報に対応する会員識別情報と前記受信した新たに登録する会員識別情報とを対応付けて登録して、各店舗のポイントを統合する旨が記載されている。
【０６３６】
しかしながら、上記従来技術に示す会員サービス提供システムでは、属性情報が一致すればいずれの店舗のポイントであっても統合されてしまうため、該会員サービス提供システムをグループ店間における来店促進に利用したいという店舗の要望に応えることができなかった。
【０６３７】
そこで、上記の実施形態に記載した発明では、会員統合要求に含まれる複数の会員特定情報から特定される各会員識別情報に対応する各店舗がグループ店である場合に限って、当該会員統合要求に含まれる複数の会員特定情報から特定される複数の会員識別情報が対応付けて登録されるようにした。これによれば、当該複数の会員識別情報に対応するポイントを合算して使用できるため、グループ店間での来店を促進できる。
【図面の簡単な説明】
【０６３８】
【図１】図１は本発明に係るポイント管理装置を含むポイント管理システムの一例を表す全体図である。
【図２】図２（ａ）は第１会員カードの正面図であり、図２（ｂ）は第２会員カードの正面図である。
【図３】図３（ａ）はカードユニット及びパチンコ機の正面図であり、図３（ｂ）は同カードユニットの断面右側面図である。
【図４】図４（ａ）はキオスク端末の一例を表す斜視図であり、図４（ｂ）は同機能ブロック図である。
【図５】図５は第１遊技場内に設置される各装置の一例を表す機能ブロック図である。
【図６】図６は第２遊技場内に設置される各装置の一例を表す機能ブロック図である。
【図７】図７はポイント管理装置に接続される各装置の一例を表す機能ブロック図である。
【図８】図８（ａ）はシステム管理装置及び転送装置が記憶する残額管理ＤＢの記憶内容の一例を表す図であり、図８（ｂ）は第１会員管理装置が記憶する第１会員情報ＤＢの記憶内容の一例を表す図であり、図８（ｃ）は第２会員管理装置が記憶する第２会員情報ＤＢの記憶内容の一例を表す図である。
【図９】図９はポイント管理装置が記憶する各ＤＢの記憶内容の一例を表す図であり、（ａ）はポイント会員情報ＤＢ，（ｂ）は通知情報ＤＢ，（ｃ）は使用金額ＤＢである。
【図１０】図１０はポイント管理装置が記憶する各ＤＢの記憶内容の一例を表す図であり、（ａ）はエンコード情報ＤＢ，（ｂ）はグループ情報ＤＢ，（ｃ）は店舗情報ＤＢ，（ｄ）は抽選情報ＤＢである。
【図１１】図１１はポイント管理装置が行うグループ設定処理の一例を表す図である。
【図１２】図１２はポイント管理装置が行うアンケート処理の一例を表す図である。
【図１３】図１３はＰＣ及び携帯電話のディスプレイに表示されるアンケート画面の一例を表す図である。
【図１４】図１４はポイント管理装置が行う店舗一致判定処理の一例を表す図である。
【図１５】図１５は図１４に続く図である。
【図１６】図１６は図１５に続く図である。
【図１７】図１７はポイント管理装置が行う抽選処理の一例を表す図である。
【図１８】図１８はＰＣ及び携帯電話のディスプレイに表示される当選画面の一例を表す図である。
【図１９】図１９はカードユニットにおける入金に際しての処理の一例を表す図である。
【図２０】図２０はカードユニットにおける会員カードを使用した処理の一例を表す図である。
【図２１】図２１はカードユニットにおけるカード返却ボタン操作時の処理の一例を表す図である。
【図２２】図２２は遊技場の営業終了後における処理の一例を表す図である。
【図２３】図２３はシステム管理装置で表示される定型レポート表示画面の一例を表す図である。
【図２４】図２４は図２３に続く図であり、遊技場メール送信画面の一例を表す図である。
【図２５】図２５は図２３に続く図であり、アンケート結果表示画面の一例を表す図である。
【図２６】図２６は図２３に続く図であり、ポイント状況表示画面の一例を表す図である。
【図２７】図２７はＰＣ及び携帯電話のディスプレイに表示されるポイント会員登録画面の一例を表す図である。
【図２８】図２８は図２７に続く図である。
【図２９】図２９は図２７に続く図である。
【図３０】図３０は図２７に続く図である。
【図３１】図３１はカードユニットのディスプレイに表示されるポイント会員登録画面の一例を表す図である。
【図３２】図３２は図３１に続く図である。
【図３３】図３３はキオスク端末のディスプレイに表示されるポイント会員登録画面の一例を表す図である。
【図３４】図３４は図３３に続く図である。
【図３５】図３５は図３３に続く図である。
【図３６】図３６は図３５に続く図である。
【図３７】図３７は登録端末（情報端末であるＰＣ及び携帯電話，並びに店舗端末であるカードユニット及びキオスク端末）のディスプレイに表示されるポイント会員専用画面の一例を表す図である。
【図３８】図３８は図３７に続く図である。
【図３９】図３９は図３７に続く図である。
【図４０】図４０はポイント管理装置が行うポイント会員登録処理の一例を表すフローチャートである。
【図４１】図４１は図４０に続く図である。
【図４２】図４２はポイント管理装置が行うポイント会員専用画面配信処理の一例を表すフローチャートである。
【図４３】図４３は図４２に続く図である。
【図４４】図４４は図４２に続く図である。
【図４５】図４５は第２実施形態に係るポイント管理装置が行うポイント会員登録処理の一例を表すフローチャートである。
【図４６】図４６はポイント管理装置が行うポイント会員登録処理の変形例を表す図である。
【符号の説明】
【０６３９】
１…ポイント管理システム
４…第１会員カード
４ｂ…ＩＣチップ（第１会員カードＩＤ，第１会員ＩＤ）
４ｃ…磁気ストライプ（第１会員ＩＤ）
５…第２会員カード
５ｂ…ＩＣチップ（第２会員カードＩ，他システム会員ＩＤＤ）
５ｃ…磁気ストライプ（他システム会員ＩＤ）
６…ＰＣ
７…携帯電話
１０…パチンコ機
２０…カードユニット
２２…ユニット制御部２２
２５…カードＲ／Ｗ
３０…キオスク端末
３２…制御部
３３…カードリーダ
５０…ポイント管理装置
５２…制御部
５３…ハードディスク
５４…ディスプレイ
５５…入力装置
【図１】
0004778357.tif 000002
【図２】
0004778357.tif 000003
【図３】
0004778357.tif 000004
【図４】
0004778357.tif 000005
【図５】
0004778357.tif 000006
【図６】
0004778357.tif 000007
【図７】
0004778357.tif 000008
【図８】
0004778357.tif 000009
【図９】
0004778357.tif 000010
【図１０】
0004778357.tif 000011
【図１１】
0004778357.tif 000012
【図１２】
0004778357.tif 000013
【図１３】
0004778357.tif 000014
【図１４】
0004778357.tif 000015
【図１５】
0004778357.tif 000016
【図１６】
0004778357.tif 000017
【図１７】
0004778357.tif 000018
【図１８】
0004778357.tif 000019
【図１９】
0004778357.tif 000020
【図２０】
0004778357.tif 000021
【図２１】
0004778357.tif 000022
【図２２】
0004778357.tif 000023
【図２３】
0004778357.tif 000024
【図２４】
0004778357.tif 000025
【図２５】
0004778357.tif 000026
【図２６】
0004778357.tif 000027
【図２７】
0004778357.tif 000028
【図２８】
0004778357.tif 000029
【図２９】
0004778357.tif 000030
【図３０】
0004778357.tif 000031
【図３１】
0004778357.tif 000032
【図３２】
0004778357.tif 000033
【図３３】
0004778357.tif 000034
【図３４】
0004778357.tif 000035
【図３５】
0004778357.tif 000036
【図３６】
0004778357.tif 000037
【図３７】
0004778357.tif 000038
【図３８】
0004778357.tif 000039
【図３９】
0004778357.tif 000040
【図４０】
0004778357.tif 000041
【図４１】
0004778357.tif 000042
【図４２】
0004778357.tif 000043
【図４３】
0004778357.tif 000044
【図４４】
0004778357.tif 000045
【図４５】
0004778357.tif 000046
【図４６】
0004778357.tif 000047